(57)【要約】本発明の実施形態は、通信方法、アクセスネットワークデバイス、およびコアネットワークデバイスを開示する。本方法は、ソース基地局によって、コアネットワークデバイスに第１のハンドオーバ要求を送るステップであって、第１のハンドオーバ要求は、ソース基地局から少なくとも１つの基地局のうちのいずれか１つに端末の現在のセッションをハンドオーバするように要求するために使用され、第１のハンドオーバ要求は、少なくとも１つの基地局に関する情報を含む、ステップと、ソース基地局によって、コアネットワークデバイスから第１のハンドオーバ応答メッセージを受信するステップとを含み、第１のハンドオーバ応答メッセージは指示情報を含み、指示情報は、少なくとも１つの基地局のうちの第１の基地局が、端末デバイスの現在のセッションに対応するネットワークスライスをサポートするかどうかを示すために使用される。本出願によれば、ハンドオーバ成功確率が改善されることが可能である。
2020509702.tif 000002
【特許請求の範囲】
【請求項１】
ソース基地局によって、コアネットワークデバイスに第１のハンドオーバ要求を送るステップであって、前記第１のハンドオーバ要求は、前記ソース基地局から少なくとも１つの基地局のうちのいずれか１つに端末の現在のセッションをハンドオーバするように要求するために使用され、前記第１のハンドオーバ要求は、前記少なくとも１つの基地局に関する情報を備える、ステップと、
前記ソース基地局によって、前記コアネットワークデバイスから第１のハンドオーバ応答メッセージを受信するステップと
を備え、
前記第１のハンドオーバ応答メッセージは指示情報を備え、前記指示情報は、前記少なくとも１つの基地局のうちの第１の基地局が、前記端末デバイスの前記現在のセッションに対応するネットワークスライスをサポートするかどうかを示すために使用される、
通信方法。
【請求項２】
前記第１のハンドオーバ応答メッセージは第１のハンドオーバ失敗メッセージであり、前記指示情報は第１の指示情報または第２の指示情報を備え、
前記第１の指示情報は、前記端末デバイスのいずれかの現在のセッションに対応するネットワークスライスが、前記少なくとも１つの基地局によってサポートされないことを示すために使用されるか、または
前記現在のセッションは２つ以上のセッションであり、前記現在のセッションは、セッションの第１の部分およびセッションの第２の部分を備え、前記第２の指示情報は、前記少なくとも１つの基地局が、セッションの前記第１の部分に対応するネットワークスライスをサポートする第２の基地局を備え、セッションの前記第２の部分に対応するネットワークスライスが前記第２の基地局によってサポートされず、セッションの前記第１の部分のハンドオーバが失敗することを示すために使用される
請求項１に記載の方法。
【請求項３】
前記第１のハンドオーバ失敗メッセージは、前記少なくとも１つの基地局のサポートされるネットワークスライスに関する情報をさらに備えるか、または
前記第１のハンドオーバ失敗メッセージは、前記ソース基地局への通信インターフェースを有しない前記少なくとも１つの基地局のうちのすべてまたはいくつかの基地局のサポートされるネットワークスライスに関する情報をさらに備える
請求項２に記載の方法。
【請求項４】
前記現在のセッションは２つ以上のセッションであり、前記現在のセッションは、セッションの第３の部分およびセッションの第４の部分を備え、
前記第１のハンドオーバ応答メッセージは第１のハンドオーバ要求肯定応答メッセージであり、前記第１のハンドオーバ要求肯定応答メッセージは、ターゲット基地局によって受け付けられたセッションの前記第３の部分に対応するセッション識別子を備え、前記ターゲット基地局は、前記少なくとも１つの基地局のうちの、セッションの前記第３の部分に対応するネットワークスライスをサポートする基地局であり、
前記指示情報は第３の指示情報を備え、前記第３の指示情報は、セッションの前記第４の部分に対応するネットワークスライスが、前記ターゲット基地局によってサポートされないことを示すために使用される
請求項１に記載の方法。
【請求項５】
前記第１のハンドオーバ要求肯定応答メッセージは、前記ターゲット基地局のサポートされるネットワークスライスに関する情報をさらに備える請求項４に記載の方法。
【請求項６】
前記少なくとも１つの基地局は、前記ソース基地局への通信インターフェースを有する基地局を備え、前記端末デバイスの現在のセッションは、前記基地局にハンドオーバすることに失敗するか、または
前記少なくとも１つの基地局は、前記ソース基地局への通信インターフェースを有しない基地局を備えるか、または
前記少なくとも１つの基地局は、前記ソース基地局への通信インターフェースを有しない基地局と、前記ソース基地局への通信インターフェースを有し、前記端末デバイスの現在のセッションのうちのいくつかに対応するネットワークスライスをサポートする基地局とを備える
請求項１乃至５のいずれか一項に記載の方法。
【請求項７】
前記少なくとも１つの基地局の各々に関する情報は、各基地局の基地局識別子、各基地局の中央ユニットの識別子、各基地局の分散ユニットの識別子、各基地局の物理的セルの識別子、または各基地局のセルのグローバル識別子のうちの少なくとも１つを備える請求項１乃至６のいずれか一項に記載の方法。
【請求項８】
コアネットワークデバイスによって、ソース基地局から第１のハンドオーバ要求を受信するステップであって、前記第１のハンドオーバ要求は、前記ソース基地局から少なくとも１つの基地局のうちのいずれか１つに端末の現在のセッションをハンドオーバするように要求するために使用され、前記第１のハンドオーバ要求は、前記少なくとも１つの基地局に関する情報を備える、ステップと、
前記コアネットワークデバイスによって、前記ソース基地局に第１のハンドオーバ応答メッセージを送るステップと
を備え、
前記第１のハンドオーバ応答メッセージは指示情報を備え、前記指示情報は、前記少なくとも１つの基地局のうちの第１の基地局が、前記端末デバイスの前記現在のセッションに対応するネットワークスライスをサポートするかどうかを示すために使用される、
通信方法。
【請求項９】
前記第１のハンドオーバ応答メッセージは第１のハンドオーバ失敗メッセージであり、前記指示情報は第１の指示情報または第２の指示情報を備え、
前記第１の指示情報は、前記端末デバイスのいずれかの現在のセッションに対応するネットワークスライスが、前記少なくとも１つの基地局によってサポートされないことを示すために使用されるか、または
前記現在のセッションは２つ以上のセッションであり、前記現在のセッションは、セッションの第１の部分およびセッションの第２の部分を備え、前記第２の指示情報は、前記少なくとも１つの基地局が、セッションの前記第１の部分に対応するネットワークスライスをサポートする第２の基地局を備え、セッションの前記第２の部分に対応するネットワークスライスが前記第２の基地局によってサポートされず、セッションの前記第１の部分のハンドオーバが失敗することを示すために使用される
請求項８に記載の方法。
【請求項１０】
前記第１のハンドオーバ失敗メッセージは、前記少なくとも１つの基地局のサポートされるネットワークスライスに関する情報をさらに備えるか、または
前記第１のハンドオーバ失敗メッセージは、前記ソース基地局への通信インターフェースを有しない前記少なくとも１つの基地局のうちのすべてまたはいくつかの基地局のサポートされるネットワークスライスに関する情報をさらに備える
請求項９に記載の方法。
【請求項１１】
前記現在のセッションは２つ以上のセッションであり、前記現在のセッションは、セッションの第３の部分およびセッションの第４の部分を備え、
前記第１のハンドオーバ応答メッセージは第１のハンドオーバ要求肯定応答メッセージであり、前記第１のハンドオーバ要求肯定応答メッセージは、ターゲット基地局によって受け付けられたセッションの前記第３の部分に対応するセッション識別子を備え、前記ターゲット基地局は、前記少なくとも１つの基地局のうちの、セッションの前記第３の部分に対応するネットワークスライスをサポートする基地局であり、
前記指示情報は第３の指示情報を備え、前記第３の指示情報は、第４の部分セッションに対応するネットワークスライスが前記ターゲット基地局によってサポートされないことを示すために使用される
請求項８に記載の方法。
【請求項１２】
前記第１のハンドオーバ要求肯定応答メッセージは、前記ターゲット基地局のサポートされるネットワークスライスに関する情報をさらに備える請求項１１に記載の方法。
【請求項１３】
前記端末デバイスのいずれかの現在のセッションに対応するネットワークスライスが、前記少なくとも１つの基地局によってサポートされない場合、前記指示情報は前記第１の指示情報を備えるか、または
前記少なくとも１つの基地局のうちの前記第１の基地局が、セッションの前記第１の部分に対応する前記ネットワークスライスをサポートし、セッションの前記第１の部分の前記ハンドオーバが失敗する場合、前記指示情報は、前記第１の指示情報または前記第２の指示情報を備える
請求項９または１０に記載の方法。
【請求項１４】
前記少なくとも１つの基地局は、前記ソース基地局への通信インターフェースを有する基地局を備え、前記基地局への前記端末デバイスの前記現在のセッションのハンドオーバは失敗しているか、または
前記少なくとも１つの基地局は、前記ソース基地局への通信インターフェースを有しない基地局を備える
請求項８乃至１３のいずれか一項に記載の方法。
【請求項１５】
前記少なくとも１つの基地局が、現在のセッションのうちのすべてまたはいくつかに対応するネットワークスライスをサポートする基地局を備える場合、前記コアネットワークデバイスによって、前記現在のセッションのうちのすべてまたはいくつかに対応する前記ネットワークスライスをサポートしている前記基地局を前記ターゲット基地局として判定するステップと、
前記コアネットワークデバイスによって、前記ターゲット基地局に第２のハンドオーバ要求を送るステップであって、前記第２のハンドオーバ要求は、前記ターゲット基地局がセットアップするように要求されたセッションに対応するセッション識別子、および前記セッション識別子に対応する第３のネットワークスライスの指示情報を備える、ステップと、
前記コアネットワークデバイスによって、前記ターゲット基地局から第２のハンドオーバ要求肯定応答メッセージを受信するステップであって、前記第２のハンドオーバ要求肯定応答メッセージは、前記ターゲット基地局によって受け付けられたセッションに対応するセッション識別子を備える、ステップと
をさらに備える請求項１４に記載の方法。
【請求項１６】
前記少なくとも１つの基地局は、前記ソース基地局への通信インターフェースを有しない基地局と、前記ソース基地局への通信インターフェースを有し、前記端末デバイスの現在のセッションのうちのいくつかに対応するネットワークスライスをサポートする基地局とを備える請求項８乃至１３のいずれか一項に記載の方法。
【請求項１７】
前記ソース基地局への通信インターフェースを有しない前記基地局が、いずれの現在のセッションに対応するネットワークスライスをもサポートしない場合、前記コアネットワークデバイスによって、前記ソース基地局への通信インターフェースを有し、セッションのうちのいくつかに対応するネットワークスライスをサポートする前記基地局を前記ターゲット基地局として判定するステップと、
前記コアネットワークデバイスによって、前記ターゲット基地局に第２のハンドオーバ要求を送るステップであって、前記第２のハンドオーバ要求は、前記ターゲット基地局がセットアップするように要求されたセッションに対応するセッション識別子、および前記セッション識別子に対応する第３のネットワークスライスの指示情報を備える、ステップと、
前記コアネットワークデバイスによって、前記ターゲット基地局から第２のハンドオーバ要求肯定応答メッセージを受信するステップであって、前記第２のハンドオーバ要求肯定応答メッセージは、前記ターゲット基地局によって受け付けられたセッションに対応するセッション識別子を備える、ステップと
をさらに備える請求項１６に記載の方法。
【請求項１８】
前記ソース基地局への通信インターフェースを有しない前記基地局が、現在のセッションのうちのすべてまたはいくつかに対応するネットワークスライスをサポートする場合、前記コアネットワークデバイスによって、前記現在のセッションのうちのすべてまたはいくつかに対応する前記ネットワークスライスをサポートしている前記基地局を前記ターゲット基地局として判定するステップと、
前記コアネットワークデバイスによって、前記ターゲット基地局に第２のハンドオーバ要求を送るステップであって、前記第２のハンドオーバ要求は、前記ターゲット基地局がセットアップするように要求されたセッションに対応するセッション識別子、および前記セッション識別子に対応する第３のネットワークスライスの指示情報を備える、ステップと、
前記コアネットワークデバイスによって、前記ターゲット基地局から第２のハンドオーバ要求肯定応答メッセージを受信するステップであって、前記第２のハンドオーバ要求肯定応答メッセージは、前記ターゲット基地局によって受け付けられたセッションに対応するセッション識別子を備える、ステップと
をさらに備える請求項１６に記載の方法。
【請求項１９】
複数の現在のセッションがある場合、前記コアネットワークデバイスによって、前記現在のセッションのうちのすべてまたはいくつかに対応する前記ネットワークスライスをサポートしている前記基地局を前記ターゲット基地局として判定する前記ステップは、
前記コアネットワークデバイスによって、前記現在のセッションのうちのすべてまたはいくつかに対応する前記ネットワークスライスをサポートしている前記基地局の各々によってサポートされる現在のセッションに対応するネットワークスライスの量を判定するステップと、
前記コアネットワークデバイスによって、現在のセッションに対応するネットワークスライスの最も大きい量をサポートしている基地局を前記ターゲット基地局として判定するステップと
を備える請求項１５または１８に記載の方法。
【請求項２０】
前記少なくとも１つの基地局の各々に関する情報は、各基地局の基地局識別子、各基地局の中央ユニットの識別子、各基地局の分散ユニットの識別子、各基地局の物理的セルの識別子、または各基地局のセルのグローバル識別子のうちの少なくとも１つを備える請求項８乃至１９のいずれか一項に記載の方法。
【請求項２１】
基地局であって、前記基地局はソース基地局であり、前記ソース基地局は、
コアネットワークデバイスに第１のハンドオーバ要求を送るように構成された送信ユニットであって、前記第１のハンドオーバ要求は、前記ソース基地局から少なくとも１つの基地局のうちのいずれか１つに端末の現在のセッションをハンドオーバするように要求するために使用され、前記第１のハンドオーバ要求は、前記少なくとも１つの基地局に関する情報を備える、送信ユニットと、
前記コアネットワークデバイスから第１のハンドオーバ応答メッセージを受信するように構成された受信ユニットと
を備える、基地局。
【請求項２２】
前記第１のハンドオーバ応答メッセージは第１のハンドオーバ失敗メッセージであり、前記指示情報は第１の指示情報または第２の指示情報を備え、
前記第１の指示情報は、前記端末デバイスのいずれかの現在のセッションに対応するネットワークスライスが、前記少なくとも１つの基地局によってサポートされないことを示すために使用されるか、または
前記現在のセッションは２つ以上のセッションであり、前記現在のセッションは、セッションの第１の部分およびセッションの第２の部分を備え、前記第２の指示情報は、前記少なくとも１つの基地局が、セッションの第１の部分に対応するネットワークスライスをサポートする第２の基地局を備え、前記第２の部分セッションに対応するネットワークスライスが前記第２の基地局によってサポートされず、セッションの前記第１の部分のハンドオーバが失敗することを示すために使用される
請求項２１に記載の基地局。
【請求項２３】
ソース基地局から第１のハンドオーバ要求を受信するように構成された受信ユニットであって、前記第１のハンドオーバ要求は、前記ソース基地局から少なくとも１つの基地局のうちのいずれか１つに端末の現在のセッションをハンドオーバするように要求するために使用され、前記第１のハンドオーバ要求は、前記少なくとも１つの基地局に関する情報を備える、受信ユニットと、
前記ソース基地局に第１のハンドオーバ応答メッセージを送るように構成された送信ユニットと
を備える、コアネットワークデバイス。
【請求項２４】
前記第１のハンドオーバ応答メッセージは第１のハンドオーバ失敗メッセージであり、前記指示情報は第１の指示情報または第２の指示情報を備え、
前記第１の指示情報は、前記端末デバイスのいずれかの現在のセッションに対応するネットワークスライスが、前記少なくとも１つの基地局によってサポートされないことを示すために使用されるか、または
前記現在のセッションは２つ以上のセッションであり、前記現在のセッションは、セッションの第１の部分およびセッションの第２の部分を備え、前記第２の指示情報は、前記少なくとも１つの基地局が、セッションの前記第１の部分に対応するネットワークスライスをサポートする第２の基地局を備え、前記第２の部分セッションに対応するネットワークスライスが前記第２の基地局によってサポートされず、セッションの前記第１の部分のハンドオーバが失敗することを示すために使用される
請求項２３に記載のコアネットワークデバイス。
【発明の詳細な説明】
【技術分野】
【０００１】
本発明は、通信技術の分野に関し、詳細には、通信方法、アクセスネットワークデバイス、およびコアネットワークデバイスに関する。
【背景技術】
【０００２】
物理ネットワークは、ネットワークスライシング技術を使用することによって複数の仮想ネットワークに分割されることが可能である。仮想ネットワークは「ネットワークスライス（network slice）」と見なされる。ネットワークスライスは互いに依存しない。サービスシナリオの要件に基づいてネットワークスライスごとにネットワーク機能カスタマイゼーションおよび管理が実施される。端末デバイスは複数のセッションを有し、異なるセッションは、セッションに対応するネットワークスライスがサービスを提供することを要求し得る。この場合、端末デバイスがネットワークにアクセスし複数のセッションをセットアップする必要がある場合、端末デバイスに接続された基地局は、端末デバイスのセッションのうちのすべてまたはいくつかに対応するネットワークスライスをサポートする必要がある。
【０００３】
この場合、どのようにハンドオーバ成功確率を改善するが、考慮するに値する問題である。
【発明の概要】
【０００４】
本発明の実施形態において解決される技術的問題は、ハンドオーバ成功確率を改善するような、通信方法、アクセスネットワークデバイス、およびコアネットワークデバイスを提供することである。
【０００５】
第１の態様によれば、本発明の一実施形態は、
ソース基地局によって、コアネットワークデバイスに第１のハンドオーバ要求を送るステップであって、第１のハンドオーバ要求は、ソース基地局から少なくとも１つの基地局のうちのいずれか１つに端末の現在のセッションをハンドオーバするように要求するために使用され、第１のハンドオーバ要求は、少なくとも１つの基地局に関する情報を含む、ステップと、ソース基地局によって、コアネットワークデバイスから第１のハンドオーバ応答メッセージを受信するステップとを含む、通信方法を提供し、第１のハンドオーバ応答メッセージは指示情報を含み、指示情報は、少なくとも１つの基地局のうちの第１の基地局が、端末デバイスの現在のセッションに対応するネットワークスライスをサポートするかどうかを示すために使用される。
【０００６】
任意選択で、第１の基地局は、少なくとも１つの基地局のうちのいずれか１つであり得る。たとえば、第１の基地局は、ソース基地局への通信インターフェースを有しない基地局であるか、または第１の基地局は、現在のセッションのうちのいくつかもしくはすべてがそれにハンドオーバされるべき基地局である。
【０００７】
第１の態様では、端末デバイスが現在のセッションをハンドオーバする必要がある場合、ソース基地局は、コアネットワークデバイスを使用することによって、少なくとも１つの基地局のうちの第１の基地局が、ハンドオーバ要求中のセッションに対応するネットワークスライスをサポートするかどうかを判定し得る。これは、ハンドオーバについての要求を必要としている別のセッションのための情報ヘルプを基地局に提供する。ソース基地局が、同じネットワークスライスのセッションをハンドオーバする必要があるとき、セッションが第１の基地局にハンドオーバされることが可能であるかが直接判定されることが可能であり、それにより、ハンドオーバ成功確率が改善される。
【０００８】
任意選択の実装では、第１のハンドオーバ応答メッセージは第１のハンドオーバ失敗メッセージであり、指示情報は第１の指示情報または第２の指示情報を含み、
第１の指示情報は、端末デバイスのいずれかの現在のセッションに対応するネットワークスライスが、少なくとも１つの基地局によってサポートされないことを示すために使用されるか、または
現在のセッションは２つ以上のセッションであり、現在のセッションは、セッションの第１の部分およびセッションの第２の部分を備え、第２の指示情報は、少なくとも１つの基地局が、セッションの第１の部分に対応するネットワークスライスをサポートする第２の基地局を含み、第２の部分セッションに対応するネットワークスライスが第２の基地局によってサポートされず、セッションの第１の部分のハンドオーバが失敗することを示すために使用される。
【０００９】
したがって、ソース基地局は、第１の指示情報および第２の指示情報を使用することによって、ハンドオーバ準備失敗についての特定の原因情報と、少なくとも１つの基地局が、ハンドオーバ要求中のセッションに対応するネットワークスライスをサポートするかどうかとを判定し得る。これは、ハンドオーバについての要求を必要としている別のセッションのための情報ヘルプを基地局に提供し、ハンドオーバ成功確率を改善する。
【００１０】
任意選択で、第１のハンドオーバ失敗メッセージは、少なくとも１つの基地局のサポートされるネットワークスライスに関する情報をさらに含む。少なくとも１つの基地局が１つの基地局を含む場合、第１のハンドオーバ失敗メッセージは、１つの基地局のサポートされるネットワークスライスに関する情報を含むか、または少なくとも１つの基地局が複数の基地局を含む場合、第１のハンドオーバ失敗メッセージは、基地局のうちの１つ、いくつか、もしくはすべてのネットワークスライスに関する情報を含み得る。これは、ソース基地局が、基地局のサポートされるネットワークスライスに関する情報を取得し記憶するのを助け得る。この場合、別のセッションのハンドオーバのシナリオにおいて、ソース基地局は、ハンドオーバ準備メッセージを使用することによって取得された情報を参照してターゲット基地局を判定し得る。
【００１１】
代替として、第１のハンドオーバ失敗メッセージは、少なくとも１つの基地局のうちの、ソース基地局への通信インターフェースを有しない基地局のサポートされるネットワークスライスに関する情報をさらに含む。任意選択で、第１のハンドオーバ要求が、ソース基地局への通信インターフェースを有しない基地局の指示情報を含む場合、コアネットワークデバイスは、少なくとも１つの基地局のうちのどの基地局がソース基地局への通信インターフェースを有するか、およびどの基地局がソース基地局への通信インターフェースを有しないかを判定し得る。ソース基地局への通信インターフェースを有しない基地局については、第１のハンドオーバ失敗メッセージを使用することによって、ソース基地局への通信インターフェースを有しない基地局のうちのすべてまたはいくつかのサポートされるネットワークスライスに関する情報がフィードバックされ、それにより、ソース基地局は、そのような基地局のサポートされるネットワークスライスに関する情報を判定する。
【００１２】
任意選択の実装では、現在のセッションは、セッションの第３の部分およびセッションの第４の部分を含み、
第１のハンドオーバ応答メッセージは第１のハンドオーバ要求肯定応答メッセージであり、第１のハンドオーバ要求肯定応答メッセージは、ターゲット基地局によって受け付けられたセッションの第３の部分に対応するセッション識別子を含み、指示情報は第３の指示情報を含み、ターゲット基地局は、少なくとも１つの基地局のうちの、セッションの第３の部分に対応するネットワークスライスをサポートする基地局であり、第３の指示情報は、第４の部分セッションに対応するネットワークスライスがターゲット基地局によってサポートされないことを示すために使用される。任意選択で、第３の指示情報は、ターゲット基地局が、セッションの第３の部分に対応するネットワークスライスをサポートすることを示すためにさらに使用される。
【００１３】
任意選択で、第１のハンドオーバ要求肯定応答メッセージは、ターゲット基地局のサポートされるネットワークスライスに関する情報をさらに含む。
【００１４】
可能な実装では、第１のハンドオーバ要求は、ターゲット基地局がソース基地局への通信インターフェースを有するかどうかを示す指示情報をさらに含む。たとえば、少なくとも１つの基地局のうちの基地局Ａがソース基地局への通信インターフェースを有しない場合、第１のハンドオーバ要求は、基地局Ａに関する情報と、基地局Ａに関する情報に対応し、通信インターフェースがないことを示す指示情報とを含み、それにより、コアネットワークデバイスは、少なくとも１つの基地局がソース基地局に接続されているかどうかを判定し、少なくとも１つの基地局がソース基地局に接続されていない場合、接続されていない基地局のネットワークスライスに関する情報をソース基地局にフィードバックする。
【００１５】
可能な実装では、少なくとも１つの基地局は、ソース基地局への通信インターフェースを有する基地局を含み、基地局への端末デバイスの現在のセッションのハンドオーバは失敗している。たとえば、ソース基地局によって、コアネットワークデバイスに端末デバイスの第１のハンドオーバ要求を送るステップは、ソース基地局が、ソース基地局への接続をセットアップした基地局に端末デバイスの現在のセッションをハンドオーバすることを試み、ハンドオーバが失敗する場合、ソース基地局によって、コアネットワークデバイスに端末デバイスの第１のハンドオーバ要求を送るステップで特にあり得る。このようにして、ソース基地局への通信インターフェースを有する基地局については、ソース基地局がハンドオーバを実施し、ハンドオーバが失敗する場合、ハンドオーバは、コアネットワークデバイスを使用することによって実施され得る。ここには説明のための一例しかない。本発明のこの実施形態は、第１のハンドオーバ要求が、ソース基地局への通信インターフェースを有する基地局を含み、基地局への端末デバイスの現在のセッションのハンドオーバが失敗している、特定の場合に対して限定を課さない。
【００１６】
可能な実装では、少なくとも１つの基地局は、ソース基地局への通信インターフェースを有しない基地局を含む。
【００１７】
たとえば、ソース基地局によって、コアネットワークデバイスに端末デバイスの第１のハンドオーバ要求を送るステップは、ソース基地局への通信インターフェースを有する基地局が端末デバイスのためのハンドオーバをサポートしない場合、または端末デバイスの複数の現在のセッションがあり、ソース基地局への通信インターフェースを有する基地局が、現在のセッションのうちのいくつかもしくはすべてに対応するネットワークスライスをサポートする場合、またはソース基地局が、ソース基地局への接続をセットアップした基地局に端末デバイスの現在のセッションをハンドオーバすることを試み、ハンドオーバが失敗する場合、ソース基地局によって、コアネットワークデバイスに端末デバイスの第１のハンドオーバ要求を送るステップで特にあり得る。したがって、コアネットワークデバイスは、通信インターフェースを有しない基地局から、現在のセッションのうちのすべてまたはいくつかに対応するネットワークスライスをサポートしている基地局をターゲット基地局として選択する。
【００１８】
任意選択で、ソース基地局への通信インターフェースを有する基地局が端末デバイスのためのハンドオーバをサポートしない場合は、ソース基地局への通信インターフェースを有する基地局が、端末デバイスのいずれのセッションに対応するネットワークスライスをもサポートしないこと、またはソース基地局が、ソース基地局への通信インターフェースを有し端末デバイスのためのハンドオーバのチャネル条件を満たす基地局を発見しないことを含む。
【００１９】
ここには説明のための一例しかない。本発明のこの実施形態は、第１のハンドオーバ要求が、ソース基地局への通信インターフェースを有しない基地局を含む場合に対して限定を課さない。
【００２０】
可能な実装では、少なくとも１つの基地局は、ソース基地局への通信インターフェースを有しない基地局と、ソース基地局への通信インターフェースを有し、端末デバイスの現在のセッションのうちのいくつかに対応するネットワークスライスをサポートする基地局とを含む。
【００２１】
たとえば、ソース基地局によって、コアネットワークデバイスに端末デバイスの第１のハンドオーバ要求を送るステップは、端末デバイスの複数の現在のセッションがあり、ソース基地局への通信インターフェースを有する基地局が、現在のセッションのうちのいくつかに対応するネットワークスライスをサポートする場合、ソース基地局によって、コアネットワークデバイスに端末デバイスの第１のハンドオーバ要求を送るステップで特にあり得る。このようにして、ソース基地局への通信インターフェースを有しない基地局が、いずれのセッションに対応するネットワークスライスをもサポートしないとコアネットワークデバイスが判定した場合、コアネットワークデバイスは、ソース基地局への通信インターフェースを有する基地局から基地局をさらに選択し、それにより、ハンドオーバ成功確率を改善し得る。
【００２２】
ここには説明のための一例しかない。本発明のこの実施形態は、第１のハンドオーバ要求が、ソース基地局への通信インターフェースを有しない基地局と、ソース基地局への通信インターフェースを有し、端末デバイスの現在のセッションのうちのいくつかに対応するネットワークスライスをサポートする基地局とを含む場合に対して限定を課さない。
【００２３】
可能な実装では、少なくとも１つの基地局の各々に関する情報は、各基地局の基地局識別子、各基地局の中央ユニットの識別子、各基地局の分散ユニットの識別子、各基地局の物理的セルの識別子、または各基地局のセルのグローバル識別子のうちの少なくとも１つを含む。
【００２４】
可能な実装では、第１の指示情報、第２の指示情報、または第３の指示情報は、情報要素（ｉｎｆｏｒｍａｔｉｏｎ  ｅｌｅｍｅｎｔ、ＩＥ）、フラグ（ｆｌａｇ）、原因値（ｃａｕｓｅ）などを使用することによって指示を与え得る。これは、本発明のこの実施形態では限定されない。
【００２５】
第２の態様によれば、本発明の一実施形態は、
コアネットワークデバイスによって、ソース基地局から第１のハンドオーバ要求を受信するステップであって、第１のハンドオーバ要求は、ソース基地局から少なくとも１つの基地局のうちのいずれか１つに端末の現在のセッションをハンドオーバするように要求するために使用され、第１のハンドオーバ要求は、少なくとも１つの基地局に関する情報を含む、ステップと、コアネットワークデバイスによって、ソース基地局に第１のハンドオーバ応答メッセージを送るステップとを含む、通信方法を提供し、第１のハンドオーバ応答メッセージは指示情報を含み、指示情報は、少なくとも１つの基地局のうちの第１の基地局が、端末デバイスの現在のセッションに対応するネットワークスライスをサポートするかどうかを示すために使用される。
【００２６】
任意選択で、第１の基地局は、少なくとも１つの基地局のうちのいずれか１つであり得る。たとえば、第１の基地局は、ソース基地局への通信インターフェースを有しない基地局であるか、または第１の基地局は、現在のセッションのうちのいくつかもしくはすべてがそれにハンドオーバされるべき基地局である。
【００２７】
第２の態様では、端末デバイスが現在のセッションをハンドオーバする必要がある場合、コアネットワークデバイスは、少なくとも１つの基地局のうちの第１の基地局が、ハンドオーバ要求中のセッションに対応するネットワークスライスをサポートするかどうかを判定した結果をソース基地局に送り得る。これは、ハンドオーバについての要求を必要としている別のセッションのための情報ヘルプを基地局に提供する。ソース基地局が、同じネットワークスライスのセッションをハンドオーバする必要があるとき、セッションが第１の基地局にハンドオーバされることが可能であるかが直接判定されることが可能であり、それにより、ハンドオーバ成功確率が改善される。
【００２８】
任意選択の実装では、第１のハンドオーバ応答メッセージは第１のハンドオーバ失敗メッセージであり、指示情報は第１の指示情報または第２の指示情報を含み、
第１の指示情報は、端末デバイスのいずれかの現在のセッションに対応するネットワークスライスが、少なくとも１つの基地局によってサポートされないことを示すために使用されるか、または
現在のセッションは２つ以上のセッションであり、現在のセッションは、セッションの第１の部分およびセッションの第２の部分を備え、第２の指示情報は、少なくとも１つの基地局が、セッションの第１の部分に対応するネットワークスライスをサポートする第２の基地局を含み、第２の部分セッションに対応するネットワークスライスが第２の基地局によってサポートされず、セッションの第１の部分のハンドオーバが失敗する
ことを示すために使用される。
【００２９】
したがって、ソース基地局は、第１の指示情報および第２の指示情報を使用することによって、ハンドオーバ準備失敗の特定の原因情報と、少なくとも１つの基地局が、ハンドオーバ要求中のセッションに対応するネットワークスライスをサポートするかどうかとを判定し得る。これは、ハンドオーバについての要求を必要としている別のセッションのための情報ヘルプを基地局に提供し、ハンドオーバ成功確率を改善する。
【００３０】
任意選択で、第１のハンドオーバ失敗メッセージは、少なくとも１つの基地局のサポートされるネットワークスライスに関する情報をさらに含む。少なくとも１つの基地局が１つの基地局を含む場合、第１のハンドオーバ失敗メッセージは、１つの基地局のサポートされるネットワークスライスに関する情報を含むか、または少なくとも１つの基地局が複数の基地局を含む場合、第１のハンドオーバ失敗メッセージは、基地局のうちの１つ、いくつか、もしくはすべてのネットワークスライスに関する情報を含み得る。これは、ソース基地局が、基地局のサポートされるネットワークスライスに関する情報を取得し記憶するのを助ける。この場合、別のセッションのハンドオーバのシナリオにおいて、ソース基地局は、ハンドオーバ準備メッセージを使用することによって取得された情報を参照してターゲット基地局を判定し得る。
【００３１】
代替として、第１のハンドオーバ失敗メッセージは、少なくとも１つの基地局のうちの、ソース基地局への通信インターフェースを有しない基地局のサポートされるネットワークスライスに関する情報をさらに含む。任意選択で、第１のハンドオーバ要求が、ソース基地局への通信インターフェースを有しない基地局の指示情報を含む場合、コアネットワークデバイスは、少なくとも１つの基地局のうちのどの基地局がソース基地局への通信インターフェースを有するか、およびどの基地局がソース基地局への通信インターフェースを有しないかを判定し得る。ソース基地局への通信インターフェースを有しない基地局については、第１のハンドオーバ失敗メッセージを使用することによって、ソース基地局への通信インターフェースを有しない基地局のうちのすべてまたはいくつかのサポートされるネットワークスライスに関する情報がフィードバックされ、それにより、ソース基地局は、そのような基地局のサポートされるネットワークスライスに関する情報を判定する。
【００３２】
任意選択の実装では、現在のセッションは２つ以上のセッションであり、現在のセッションは、セッションの第３の部分およびセッションの第４の部分を含み、
第１のハンドオーバ応答メッセージは第１のハンドオーバ要求肯定応答メッセージであり、第１のハンドオーバ要求肯定応答メッセージは、ターゲット基地局によって受け付けられたセッションの第３の部分に対応するセッション識別子を含み、指示情報は第３の指示情報を含み、ターゲット基地局は、少なくとも１つの基地局のうちの、セッションの第３の部分に対応するネットワークスライスをサポートする基地局であり、第３の指示情報は、第４の部分セッションに対応するネットワークスライスがターゲット基地局によってサポートされないことを示すために使用される。任意選択で、第３の指示情報は、ターゲット基地局が、セッションの第３の部分に対応するネットワークスライスをサポートすることを示すためにさらに使用される。
【００３３】
任意選択で、第１のハンドオーバ要求肯定応答メッセージは、ターゲット基地局のサポートされるネットワークスライスに関する情報をさらに含む。
【００３４】
任意選択で、少なくとも１つの基地局の各々に関する情報は、少なくとも１つの基地局の各々を区別するために、各基地局の基地局識別子、各基地局の中央ユニットの識別子、各基地局の分散ユニットの識別子、各基地局の物理的セルの識別子、または各基地局のセルのグローバル識別子のうちの少なくとも１つを含む。
【００３５】
可能な実装では、第１のハンドオーバ要求は、基地局がソース基地局への通信インターフェースを有するかどうかを示す指示情報をさらに含む。たとえば、少なくとも１つの基地局のうちの基地局Ａがソース基地局への通信インターフェースを有しない場合、第１のハンドオーバ要求は、基地局Ａに関する情報と、基地局Ａに関する情報に対応し、通信インターフェースがないことを示す指示情報とを含み、それにより、コアネットワークデバイスは、少なくとも１つの基地局がソース基地局に接続されているかどうかを判定し、少なくとも１つの基地局がソース基地局に接続されていない場合、ソース基地局に接続されていない基地局のネットワークスライスに関する情報をフィードバックする。
【００３６】
可能な実装では、第１の指示情報、第２の指示情報、または第３の指示情報は、情報要素（ｉｎｆｏｒｍａｔｉｏｎ  ｅｌｅｍｅｎｔ、ＩＥ）、フラグ（ｆｌａｇ）、原因値（ｃａｕｓｅ）などを使用することによって指示を与え得る。これは、本発明のこの実施形態では限定されない。
【００３７】
可能な実装では、第１のハンドオーバ要求は端末デバイスの識別子をさらに含み、本方法は、少なくとも１つの基地局の各々によってサポートされる第１のネットワークスライスの指示情報が、端末デバイスのいずれの現在のセッションに対応する第２のネットワークスライスの指示情報をも含まない場合、端末デバイスのいずれの現在のセッションに対応するネットワークスライスも少なくとも１つの基地局によってサポートされないとコアネットワークデバイスによって判定するステップをさらに含み、第１のネットワークスライスの指示情報は、少なくとも１つの基地局に関する情報に基づいて取得され、第２のネットワークスライスの指示情報は、端末デバイスの識別子に基づいて取得される。このようにして、ネットワークスライスの指示情報に基づいて、端末デバイスのいずれかの現在のセッションに対応するネットワークスライスがサポートされるかどうかが判定されることが可能である。
【００３８】
可能な実装では、少なくとも１つの基地局は、ソース基地局への通信インターフェースを有する基地局を含み、基地局への端末デバイスの現在のセッションのハンドオーバは失敗している。この場合、ソース基地局への通信インターフェースを有する基地局については、ソース基地局がハンドオーバを実施し、ハンドオーバが失敗する場合、ハンドオーバは、コアネットワークデバイスを使用することによって実施され得る。代替として、少なくとも１つの基地局は、ソース基地局への通信インターフェースを有しない基地局を含む。したがって、コアネットワークデバイスは、通信インターフェースを有しない基地局から、現在のセッションのうちのすべてまたはいくつかに対応するネットワークスライスをサポートしている基地局をターゲット基地局として選択する。
【００３９】
任意選択で、少なくとも１つの基地局が、現在のセッションのうちのすべてまたはいくつかに対応するネットワークスライスをサポートする基地局を含む場合、コアネットワークデバイスは、現在のセッションのうちのすべてまたはいくつかに対応するネットワークスライスをサポートしている基地局をターゲット基地局として判定し、コアネットワークデバイスは、ターゲット基地局に第２のハンドオーバ要求を送り、第２のハンドオーバ要求は、ターゲット基地局がセットアップするように要求されたセッションに対応するセッション識別子、およびセッション識別子に対応する第３のネットワークスライスの指示情報を含み、コアネットワークデバイスは、ターゲット基地局から第２のハンドオーバ要求肯定応答メッセージを受信し、第２のハンドオーバ要求肯定応答メッセージは、ターゲット基地局によって受け付けられたセッションに対応するセッション識別子を含む。任意選択で、第１のハンドオーバ要求肯定応答メッセージは、ターゲット基地局によって受け付けられたセッションのセッション識別子に対応するネットワークスライスの指示情報をさらに含む。
【００４０】
さらに、任意選択で、複数の現在のセッションがある場合、コアネットワークデバイスによって、現在のセッションのうちのすべてまたはいくつかに対応するネットワークスライスをサポートしている基地局をターゲット基地局として判定するステップは、コアネットワークデバイスによって、現在のセッションのうちのすべてまたはいくつかに対応するネットワークスライスをサポートしている基地局の各々によってサポートされる現在のセッションに対応するネットワークスライスの量を判定するステップと、コアネットワークデバイスによって、現在のセッションに対応するネットワークスライスの最も大きい量をサポートしている基地局をターゲット基地局として判定するステップとで特にある。
【００４１】
可能な実装では、少なくとも１つの基地局は、ソース基地局への通信インターフェースを有しない基地局と、ソース基地局への通信インターフェースを有し、端末デバイスの現在のセッションのうちのいくつかに対応するネットワークスライスをサポートする基地局とを含む。この場合、ソース基地局への通信インターフェースを有しない基地局が、いずれのセッションに対応するネットワークスライスをもサポートしないとコアネットワークデバイスが判定した場合、コアネットワークデバイスは、ソース基地局への通信インターフェースを有する基地局から基地局をさらに選択し、それにより、ハンドオーバ成功確率を改善し得る。
【００４２】
任意選択で、ソース基地局への通信インターフェースを有しない基地局が、いずれの現在のセッションに対応するネットワークスライスをもサポートしない場合、コアネットワークデバイスは、ソース基地局への通信インターフェースを有しセッションのうちのいくつかに対応するネットワークスライスをサポートする基地局をターゲット基地局として判定し、コアネットワークデバイスは、ターゲット基地局に第２のハンドオーバ要求を送り、第２のハンドオーバ要求は、ターゲット基地局がセットアップするように要求されたセッションに対応するセッション識別子、およびセッション識別子に対応する第３のネットワークスライスの指示情報を含み、コアネットワークデバイスは、ターゲット基地局から第２のハンドオーバ要求肯定応答メッセージを受信し、第２のハンドオーバ要求肯定応答メッセージは、ターゲット基地局によって受け付けられたセッションに対応するセッション識別子を含む。任意選択で、第１のハンドオーバ要求肯定応答メッセージは、ターゲット基地局によって受け付けられたセッションのセッション識別子に対応するネットワークスライスの指示情報をさらに含む。
【００４３】
任意選択で、ソース基地局への通信インターフェースを有しない基地局が、現在のセッションのうちのすべてまたはいくつかに対応するネットワークスライスをサポートする場合、コアネットワークデバイスは、現在のセッションのうちのすべてまたはいくつかに対応するネットワークスライスをサポートしている基地局をターゲット基地局として判定し、コアネットワークデバイスは、ターゲット基地局に第２のハンドオーバ要求を送り、第２のハンドオーバ要求は、ターゲット基地局がセットアップするように要求されたセッションに対応するセッション識別子、およびセッション識別子に対応する第３のネットワークスライスの指示情報を含み、コアネットワークデバイスは、ターゲット基地局から第２のハンドオーバ要求肯定応答メッセージを受信し、第２のハンドオーバ要求肯定応答メッセージは、ターゲット基地局によって受け付けられたセッションに対応するセッション識別子を含む。任意選択で、第１のハンドオーバ要求肯定応答メッセージは、ターゲット基地局によって受け付けられたセッションのセッション識別子に対応するネットワークスライスの指示情報をさらに含む。
【００４４】
さらに、任意選択で、複数の現在のセッションがある場合、コアネットワークデバイスによって、現在のセッションのうちのすべてまたはいくつかに対応するネットワークスライスをサポートしている基地局をターゲット基地局として判定するステップは、コアネットワークデバイスによって、現在のセッションのうちのすべてまたはいくつかに対応するネットワークスライスをサポートしている基地局の各々によってサポートされる現在のセッションに対応するネットワークスライスの量を判定するステップと、コアネットワークデバイスによって、現在のセッションに対応するネットワークスライスの最も大きい量をサポートしている基地局をターゲット基地局として判定するステップとを含む。
【００４５】
第３の態様によれば、本発明の一実施形態は、
第１の基地局によって、コアネットワークデバイスに第１のメッセージを送るステップであって、第１のメッセージは、第２の基地局に関する情報、または第２の基地局が属するＴＡ／ＲＡの識別情報を含む、ステップと、コアネットワークデバイスから、第２の基地局のサポートされるネットワークスライスに関する情報、または第２の基地局が属するＴＡ／ＲＡのサポートされるネットワークスライスに関する情報を受信するステップとを含む、通信方法を提供し、第１の基地局と第２の基地局との間に通信インターフェースはない。
【００４６】
第３の態様では、第１の基地局と第２の基地局との間に通信インターフェースがない場合、第１の基地局は、コアネットワークデバイスを使用することによって、第２の基地局のサポートされるネットワークスライスに関する情報、または第２の基地局が属するＴＡ／ＲＡによってサポートされるネットワークスライスに関する情報を取得し得る。これは、第１の基地局と第２の基地局との間に通信インターフェースがない場合、第１の基地局が、第２の基地局のサポートされるネットワークスライスに関する情報、または第２の基地局が属するＴＡ／ＲＡによってサポートされるネットワークスライスに関する情報を取得することが不可能であるという場合を避け、基地局のサポートされるネットワークスライスに関する情報を取得する際の利便性および効率を改善する。
【００４７】
可能な実装では、コアネットワークデバイスに第１のメッセージを送る前に、第１の基地局は、
第１の基地局によって、端末デバイスによって送られた測定報告を受信することであって、第２の基地局に関する情報、もしくは第２の基地局が属するＴＡ／ＲＡの識別情報は、測定報告に基づいて取得される、こと、または第１の基地局によって、第３の基地局から第３の基地局の近隣基地局に関する情報を受信することであって、第２の基地局に関する情報、もしくは第２の基地局が属するＴＡ／ＲＡの識別情報は、第３の基地局の近隣基地局に関する情報に基づいて取得される、こと
の動作をさらに実施する。
【００４８】
別の例では、ソース基地局は、ネットワーク管理デバイスから構成情報を受信し得る。任意選択で、構成情報は、ソース基地局への通信インターフェースをセットアップすることができる複数の基地局に関する情報、または基地局が属するＴＡ／ＲＡの識別情報のみを含む。代替として、構成情報は、ソース基地局への通信インターフェースをセットアップすることができない基地局に関する情報、または基地局が属するＴＡ／ＲＡの識別情報のみを含む。代替として、構成情報は、ソース基地局への通信インターフェースをセットアップすることができる複数の基地局に関する情報、または基地局が属するＴＡ／ＲＡの識別情報、およびソース基地局への通信インターフェースをセットアップすることができない基地局に関する情報、または基地局が属するＴＡ／ＲＡの識別情報を含む。
【００４９】
任意選択で、第２の基地局に関する情報は、少なくとも１つの基地局の各々を区別するために、第２の基地局の基地局識別子、第２の基地局の中央ユニットの識別子、第２の基地局の分散ユニットの識別子、第２の基地局の物理的セルの識別子、または第２の基地局のセルのグローバル識別子のうちの少なくとも１つを含む。
【００５０】
任意選択で、各基地局、または各基地局のセルのサポートされるネットワークスライスを区別するために、第２の基地局のサポートされるネットワークスライスに関する情報は、第２の基地局の少なくとも１つのセルの識別子、および各セル識別子に対応する少なくとも１つのネットワークスライスの指示情報を含むか、または第２の基地局のサポートされるネットワークスライスに関する情報は、第２の基地局に関する情報、および第２の基地局に関する情報に対応する少なくとも１つのネットワークスライスの指示情報を含む。
【００５１】
任意選択で、第２の基地局が属するＴＡ／ＲＡのサポートされるネットワークスライスに関する情報は、第２の基地局が属するＴＡ／ＲＡの少なくとも１つのセルの識別子、および各セル識別子に対応する少なくとも１つのネットワークスライスの指示情報を含む。
【００５２】
任意選択で、少なくとも１つのネットワークスライスの各々の指示情報は、ネットワークスライス識別子、シングルネットワークスライス選択支援情報（Ｓ−ＮＳＳＡＩ）、またはアクセスネットワーク−ネットワークスライス選択支援情報（Ｒ−ＮＳＳＡＩ）のうちの少なくとも１つを含む。
【００５３】
第４の態様によれば、本発明の一実施形態は、
コアネットワークデバイスによって、第１の基地局から第１のメッセージを受信するステップであって、第１のメッセージは、第２の基地局に関する情報、または第２の基地局が属するＴＡ／ＲＡの識別情報を含む、ステップと、第１の基地局に、第２の基地局のサポートされるネットワークスライスに関する情報、または第２の基地局が属するＴＡ／ＲＡのサポートされるネットワークスライスに関する情報を送るステップとを含む、通信方法を提供する。
【００５４】
第４の態様では、第１の基地局と第２の基地局との間に通信インターフェースがない場合、第１の基地局は、コアネットワークデバイスを使用することによって、第２の基地局のサポートされるネットワークスライスに関する情報、または第２の基地局が属するＴＡ／ＲＡによってサポートされるネットワークスライスに関する情報を取得し得る。これは、第１の基地局と第２の基地局との間に通信インターフェースがない場合、第１の基地局が、第２の基地局のサポートされるネットワークスライスに関する情報、または第２の基地局が属するＴＡ／ＲＡによってサポートされるネットワークスライスに関する情報を取得することが不可能であるという場合を避け、基地局のサポートされるネットワークスライスに関する情報を取得する際の利便性および効率を改善する。
【００５５】
任意選択で、第２の基地局のサポートされるネットワークスライスに関する情報は、第２の基地局に関する情報に基づいて取得される。第２の基地局が属するＴＡ／ＲＡのサポートされるネットワークスライスに関する情報は、第２の基地局が属するＴＡ／ＲＡに基づいて取得される。
【００５６】
任意選択で、第２の基地局に関する情報は、少なくとも１つの基地局の各々を区別するために、第２の基地局の基地局識別子、第２の基地局の中央ユニットの識別子、第２の基地局の分散ユニットの識別子、第２の基地局の物理的セルの識別子、または第２の基地局のセルのグローバル識別子のうちの少なくとも１つを含む。
【００５７】
任意選択で、各基地局、または各基地局のセルのサポートされるネットワークスライスを区別するために、第２の基地局のサポートされるネットワークスライスに関する情報は、第２の基地局の少なくとも１つのセルの識別子、および各セル識別子に対応する少なくとも１つのネットワークスライスの指示情報を含むか、または第２の基地局のサポートされるネットワークスライスに関する情報は、第２の基地局に関する情報、および第２の基地局に関する情報に対応する少なくとも１つのネットワークスライスの指示情報を含む。
【００５８】
任意選択で、第２の基地局が属するＴＡ／ＲＡのサポートされるネットワークスライスに関する情報は、第２の基地局が属するＴＡ／ＲＡの少なくとも１つのセルの識別子、および各セル識別子に対応する少なくとも１つのネットワークスライスの指示情報を含む。
【００５９】
任意選択で、少なくとも１つのネットワークスライスの各々の指示情報は、ネットワークスライス識別子、シングルネットワークスライス選択支援情報（Ｓ−ＮＳＳＡＩ）、またはアクセスネットワーク−ネットワークスライス選択支援情報（Ｒ−ＮＳＳＡＩ）のうちの少なくとも１つを含む。
【００６０】
第５の態様によれば、本発明の一実施形態は、
第１の基地局によって、第２の基地局に第１のメッセージを送るステップであって、第１のメッセージは、第１の基地局の近隣基地局のサポートされるネットワークスライスに関する情報を含む、ステップと、第２の基地局から第２のメッセージを受信するステップであって、第２のメッセージは、第２の基地局のサポートされるネットワークスライスに関する情報を含む、ステップと
を含む、通信方法を提供する。
【００６１】
第５の態様では、第１の基地局と第２の基地局との間の１つのシグナリング対話において、第１の基地局の近隣基地局のサポートされるネットワークスライスに関する情報は、第２の基地局にさらに送られる。これは、ネットワークスライスに関する情報を取得するための、第２の基地局と第１の基地局の近隣基地局との間で対話されるシグナリングを低減し、基地局のサポートされるネットワークスライスに関する情報を取得する際の利便性および効率を改善する。
【００６２】
任意選択で、第１の基地局の近隣基地局は、地理的ロケーションが第１の基地局のそれに近い基地局である。第１の基地局の近隣基地局と第１の基地局との間の距離は、本発明のこの実施形態では限定されない。
【００６３】
任意選択で、第２のメッセージは、第２の基地局の近隣基地局のサポートされるネットワークスライスに関する情報をさらに含む。１つのシグナリング対話では、第２の基地局の近隣基地局のサポートされるネットワークスライスに関する情報が、第１の基地局にさらに送られる。これは、ネットワークスライスに関する情報を取得するための、第１の基地局と第２の基地局の近隣基地局との間で対話されるシグナリングを低減し、基地局のサポートされるネットワークスライスに関する情報を取得する際の利便性および効率を改善する。
【００６４】
任意選択で、第２の基地局の近隣基地局は、地理的ロケーションが第２の基地局のそれに近い基地局である。第２の基地局の近隣基地局と第２の基地局との間の距離は、本発明のこの実施形態では限定されない。
【００６５】
任意選択で、第２の基地局のサポートされるネットワークスライスに関する情報は、第２の基地局の少なくとも１つのセルの識別子、および各セル識別子に対応する少なくとも１つのネットワークスライスの指示情報を含むか、または第２の基地局のサポートされるネットワークスライスに関する情報は、第２の基地局に関する情報、および第２の基地局に関する情報に対応する少なくとも１つのネットワークスライスの指示情報を含む。
【００６６】
同様に、第１の基地局の近隣基地局のサポートされるネットワークスライスに関する情報は、近隣基地局の少なくとも１つのセルの識別子、および各セル識別子に対応する少なくとも１つのネットワークスライスの指示情報を含むか、または第１の基地局の近隣基地局のサポートされるネットワークスライスに関する情報は、近隣基地局に関する情報、および近隣基地局に関する情報に対応する少なくとも１つのネットワークスライスの指示情報を含む。
【００６７】
このようにして、各基地局、または各基地局のセルのサポートされるネットワークスライスは区別されることが可能である。
【００６８】
任意選択で、少なくとも１つのネットワークスライスの各々の指示情報は、ネットワークスライス識別子、シングルネットワークスライス選択支援情報（Ｓ−ＮＳＳＡＩ）、またはアクセスネットワーク−ネットワークスライス選択支援情報（Ｒ−ＮＳＳＡＩ）のうちの少なくとも１つを含む。
【００６９】
第６の態様によれば、本発明の一実施形態は、
第２の基地局によって、第１の基地局から第１のメッセージを受信するステップであって、第１のメッセージは、第１の基地局の近隣基地局のサポートされるネットワークスライスに関する情報を含む、ステップと、第１の基地局に第２のメッセージを送るステップであって、第２のメッセージは、第２の基地局のサポートされるネットワークスライスに関する情報を含む、ステップと
を含む、通信方法を提供する。
【００７０】
第６の態様では、第１の基地局と第２の基地局との間の１つのシグナリング対話において、第１の基地局の近隣基地局のサポートされるネットワークスライスに関する情報は、第２の基地局にさらに送られる。これは、ネットワークスライスに関する情報を取得するための、第２の基地局と第１の基地局の近隣基地局との間で対話されるシグナリングを低減し、基地局のサポートされるネットワークスライスに関する情報を取得する際の利便性および効率を改善する。
【００７１】
任意選択で、第１の基地局の近隣基地局は、地理的ロケーションが第１の基地局のそれに近い基地局である。第１の基地局の近隣基地局と第１の基地局との間の距離は、本発明のこの実施形態では限定されない。
【００７２】
任意選択で、第２のメッセージは、第２の基地局の近隣基地局のサポートされるネットワークスライスに関する情報をさらに含む。１つのシグナリング対話では、第２の基地局の近隣基地局のサポートされるネットワークスライスに関する情報が、第１の基地局にさらに送られる。これは、ネットワークスライスに関する情報を取得するための、第１の基地局と第２の基地局の近隣基地局との間で対話されるシグナリングを低減し、基地局のサポートされるネットワークスライスに関する情報を取得する際の利便性および効率を改善する。
【００７３】
任意選択で、第２の基地局の近隣基地局は、地理的ロケーションが第２の基地局のそれに近い基地局である。第２の基地局の近隣基地局と第２の基地局との間の距離は、本発明のこの実施形態では限定されない。
【００７４】
任意選択で、第２の基地局のサポートされるネットワークスライスに関する情報は、第２の基地局の少なくとも１つのセルの識別子、および各セル識別子に対応する少なくとも１つのネットワークスライスの指示情報を含むか、または第２の基地局のサポートされるネットワークスライスに関する情報は、第２の基地局に関する情報、および第２の基地局に関する情報に対応する少なくとも１つのネットワークスライスの指示情報を含む。
【００７５】
同様に、第１の基地局の近隣基地局のサポートされるネットワークスライスに関する情報は、近隣基地局の少なくとも１つのセルの識別子、および各セル識別子に対応する少なくとも１つのネットワークスライスの指示情報を含むか、または第１の基地局の近隣基地局のサポートされるネットワークスライスに関する情報は、近隣基地局に関する情報、および近隣基地局に関する情報に対応する少なくとも１つのネットワークスライスの指示情報を含む。
【００７６】
このようにして、各基地局、または各基地局のセルのサポートされるネットワークスライスは区別されることが可能である。
【００７７】
任意選択で、少なくとも１つのネットワークスライスの各々の指示情報は、ネットワークスライス識別子、シングルネットワークスライス選択支援情報（Ｓ−ＮＳＳＡＩ）、またはアクセスネットワーク−ネットワークスライス選択支援情報（Ｒ−ＮＳＳＡＩ）のうちの少なくとも１つを含む。
【００７８】
第７の態様によれば、本発明の一実施形態は、
第１の基地局によって、第２の基地局に第１のメッセージを送るステップであって、第１のメッセージは、第２の基地局のサポートされるネットワークスライスに関する情報を取得するために使用される、ステップと、第１の基地局によって、第２の基地局から第２のメッセージを受信するステップであって、第２のメッセージは、第２の基地局のサポートされるネットワークスライスに関する情報、および第２の基地局の近隣基地局のサポートされるネットワークスライスに関する情報を含む、ステップと
を含む、通信方法を提供する。
【００７９】
第７の態様では、第１の基地局と第２の基地局との間の１つのシグナリング対話において、第２の基地局の近隣基地局のサポートされるネットワークスライスに関する情報は、第１の基地局にさらに送られる。これは、ネットワークスライスに関する情報を取得するための、第１の基地局と第２の基地局の近隣基地局との間で対話されるシグナリングを低減し、基地局のサポートされるネットワークスライスに関する情報を取得する際の利便性および効率を改善する。
【００８０】
任意選択で、第１のメッセージは、第１の基地局の近隣基地局のサポートされるネットワークスライスに関する情報を含む。１つのシグナリング対話では、第１の基地局の近隣基地局のサポートされるネットワークスライスに関する情報が、第２の基地局にさらに送られる。これは、ネットワークスライスに関する情報を取得するための、第２の基地局と第１の基地局の近隣基地局との間で対話されるシグナリングを低減し、基地局のサポートされるネットワークスライスに関する情報を取得する際の利便性および効率を改善する。
【００８１】
任意選択で、第２の基地局のサポートされるネットワークスライスに関する情報は、第２の基地局の少なくとも１つのセルの識別子、および各セル識別子に対応する少なくとも１つのネットワークスライスの指示情報を含むか、または第２の基地局のサポートされるネットワークスライスに関する情報は、第２の基地局に関する情報、および第２の基地局に関する情報に対応する少なくとも１つのネットワークスライスの指示情報を含む。
【００８２】
同様に、第１の基地局の近隣基地局のサポートされるネットワークスライスに関する情報は、第１の基地局の近隣基地局の少なくとも１つのセルの識別子、および各セル識別子に対応する少なくとも１つのネットワークスライスの指示情報を含むか、または第１の基地局の近隣基地局のサポートされるネットワークスライスに関する情報は、第１の基地局の近隣基地局に関する情報、および第１の基地局の近隣基地局に関する情報に対応する少なくとも１つのネットワークスライスの指示情報を含む。
【００８３】
同様に、第２の基地局の近隣基地局のサポートされるネットワークスライスに関する情報は、第２の基地局の近隣基地局の少なくとも１つのセルの識別子、および各セル識別子に対応する少なくとも１つのネットワークスライスの指示情報を含むか、または第２の基地局の近隣基地局のサポートされるネットワークスライスに関する情報は、第２の基地局の近隣基地局に関する情報、および第２の基地局の近隣基地局に関する情報に対応する少なくとも１つのネットワークスライスの指示情報を含む。
【００８４】
このようにして、各基地局、または各基地局のセルのサポートされるネットワークスライスは区別されることが可能である。
【００８５】
任意選択で、少なくとも１つのネットワークスライスの各々の指示情報は、ネットワークスライス識別子、シングルネットワークスライス選択支援情報（Ｓ−ＮＳＳＡＩ）、またはアクセスネットワーク−ネットワークスライス選択支援情報（Ｒ−ＮＳＳＡＩ）のうちの少なくとも１つを含む。
【００８６】
第８の態様によれば、本発明の一実施形態は、
第２の基地局によって、第１の基地局から第１のメッセージを受信するステップであって、第１のメッセージは、第２の基地局のサポートされるネットワークスライスに関する情報を取得するために使用される、ステップと、第２の基地局によって、第１の基地局に第２のメッセージを送るステップであって、第２のメッセージは、第２の基地局のサポートされるネットワークスライスに関する情報、および第２の基地局の近隣基地局のサポートされるネットワークスライスに関する情報を含む、ステップと
を含む、通信方法を提供する。
【００８７】
第８の態様では、第１の基地局と第２の基地局との間の１つのシグナリング対話において、第２の基地局の近隣基地局のサポートされるネットワークスライスに関する情報は、第１の基地局にさらに送られる。これは、ネットワークスライスに関する情報を取得するための、第１の基地局と第２の基地局の近隣基地局との間で対話されるシグナリングを低減し、基地局のサポートされるネットワークスライスに関する情報を取得する際の利便性および効率を改善する。
【００８８】
任意選択で、第１のメッセージは、第１の基地局の近隣基地局のサポートされるネットワークスライスに関する情報を含む。１つのシグナリング対話では、第１の基地局の近隣基地局のサポートされるネットワークスライスに関する情報が、第２の基地局にさらに送られる。これは、ネットワークスライスに関する情報を取得するための、第２の基地局と第１の基地局の近隣基地局との間で対話されるシグナリングを低減し、基地局のサポートされるネットワークスライスに関する情報を取得する際の利便性および効率を改善する。
【００８９】
任意選択で、第２の基地局のサポートされるネットワークスライスに関する情報は、第２の基地局の少なくとも１つのセルの識別子、および各セル識別子に対応する少なくとも１つのネットワークスライスの指示情報を含むか、または第２の基地局のサポートされるネットワークスライスに関する情報は、第２の基地局に関する情報、および第２の基地局に関する情報に対応する少なくとも１つのネットワークスライスの指示情報を含む。
【００９０】
同様に、第１の基地局の近隣基地局のサポートされるネットワークスライスに関する情報は、第１の基地局の近隣基地局の少なくとも１つのセルの識別子、および各セル識別子に対応する少なくとも１つのネットワークスライスの指示情報を含むか、または第１の基地局の近隣基地局のサポートされるネットワークスライスに関する情報は、第１の基地局の近隣基地局に関する情報、および第１の基地局の近隣基地局に関する情報に対応する少なくとも１つのネットワークスライスの指示情報を含む。
【００９１】
同様に、第２の基地局の近隣基地局のサポートされるネットワークスライスに関する情報は、第２の基地局の近隣基地局の少なくとも１つのセルの識別子、および各セル識別子に対応する少なくとも１つのネットワークスライスの指示情報を含むか、または第２の基地局の近隣基地局のサポートされるネットワークスライスに関する情報は、第２の基地局の近隣基地局に関する情報、および第２の基地局の近隣基地局に関する情報に対応する少なくとも１つのネットワークスライスの指示情報を含む。
【００９２】
このようにして、各基地局、または各基地局のセルのサポートされるネットワークスライスは区別されることが可能である。
【００９３】
任意選択で、少なくとも１つのネットワークスライスの各々の指示情報は、ネットワークスライス識別子、シングルネットワークスライス選択支援情報（Ｓ−ＮＳＳＡＩ）、またはアクセスネットワーク−ネットワークスライス選択支援情報（Ｒ−ＮＳＳＡＩ）のうちの少なくとも１つを含む。
【００９４】
第９の態様によれば、本発明の一実施形態は基地局を提供する。基地局はソース基地局である。ソース基地局は、プロセッサおよびトランシーバを含み、任意選択で、メモリをさらに含む。プロセッサは、メモリおよびトランシーバに接続される。たとえば、プロセッサは、バスを使用することによってメモリおよびトランシーバに接続され得る。トランシーバは、別の基地局、コアネットワークデバイスなどと通信するように構成される。メモリは、ネットワークスライスに関する情報などを記憶するように構成される。プロセッサは、第１の態様における手順の一部または全部を実施するように構成される。
【００９５】
第１０の態様によれば、本発明の一実施形態は別の基地局を提供する。基地局はソース基地局であり、受信ユニットおよび送信ユニットを含む。送信ユニットおよび受信ユニットは一緒に、第９の態様におけるトランシーバを実装するように構成される。ネットワーク要素は、上記のユニットを使用することによって第１の態様における方法の一部または全部を実装する。
【００９６】
第１１の態様によれば、本発明の一実施形態は記憶媒体を提供する。記憶媒体はプログラムコードを記憶する。プログラムコードがコンピューティングデバイスによって実行されたとき、プログラムコードは、第１の態様または第１の態様の実装のいずれか１つにおいて提供される通信方法を実施するために使用される。記憶媒体は、限定はされないが、フラッシュメモリ（ｆｌａｓｈ  ｍｅｍｏｒｙ）、ハードディスクドライブ（ｈａｒｄ  ｄｉｓｋ  ｄｒｉｖｅ、ＨＤＤ）、またはソリッドステートドライブ（ｓｏｌｉｄ  ｓｔａｔｅ  ｄｒｉｖｅ、ＳＳＤ）を含む。
【００９７】
第１２の態様によれば、本発明の一実施形態はコンピュータプログラム製品を提供する。コンピュータ製品がコンピューティングデバイスによって実行されたとき、第１の態様または第１の態様の実装のいずれか１つにおいて提供される通信方法が実施される。
【００９８】
第１３の態様によれば、本発明の一実施形態はコアネットワークデバイスを提供する。コアネットワークデバイスは、プロセッサおよびトランシーバを含み、任意選択で、メモリをさらに含む。プロセッサは、メモリおよびトランシーバに接続される。たとえば、プロセッサは、バスを使用することによってメモリおよびトランシーバに接続され得る。トランシーバは、基地局または別のデバイスと通信するように構成される。メモリは、ネットワークスライスに関する情報などを記憶するように構成される。プロセッサは、第２の態様における手順の一部または全部を実施するように構成される。
【００９９】
第１４の態様によれば、本発明の一実施形態は別のコアネットワークデバイスを提供する。コアネットワークデバイスは、受信ユニットおよび送信ユニットを含む。送信ユニットおよび受信ユニットは一緒に、第１３の態様におけるトランシーバを実装するように構成される。コアネットワークデバイスは、上記のユニットを使用することによって第２の態様における方法の一部または全部を実装する。
【０１００】
第１５の態様によれば、本発明の一実施形態は記憶媒体を提供する。記憶媒体はプログラムコードを記憶する。プログラムコードがコンピューティングデバイスによって実行されたとき、第２の態様または第２の態様の実装のいずれか１つにおいて提供される通信方法が実施される。記憶媒体は、限定はされないが、フラッシュメモリ、ハードディスクドライブ、またはソリッドステートドライブを含む。
【０１０１】
第１６の態様によれば、本発明の一実施形態はコンピュータプログラム製品を提供する。コンピュータ製品がコンピューティングデバイスによって実行されたとき、第２の態様または第２の態様の実装のいずれか１つにおいて提供される通信方法が実施される。
【０１０２】
第１７の態様によれば、本発明の一実施形態は基地局を提供する。基地局は第１の基地局である。第１の基地局は、プロセッサおよびトランシーバを含み、任意選択で、メモリをさらに含む。プロセッサは、メモリおよびトランシーバに接続される。たとえば、プロセッサは、バスを使用することによってメモリおよびトランシーバに接続され得る。トランシーバは、基地局、コアネットワークデバイスなどと通信するように構成される。メモリは、ネットワークスライスに関する情報などを記憶するように構成される。プロセッサは、第３の態様における手順の一部または全部を実施するように構成される。
【０１０３】
第１８の態様によれば、本発明の一実施形態は別の基地局を提供する。基地局は第１の基地局である。第１の基地局は、受信ユニットおよび送信ユニットを含む。送信ユニットおよび受信ユニットは一緒に、第１７の態様におけるトランシーバを実装するように構成される。基地局は、上記のユニットを使用することによって第３の態様における方法の一部または全部を実装する。
【０１０４】
第１９の態様によれば、本発明の一実施形態は記憶媒体を提供する。記憶媒体はプログラムコードを記憶する。プログラムコードがコンピューティングデバイスによって実行されたとき、第３の態様または第３の態様の実装のいずれか１つにおいて提供される通信方法が実施される。記憶媒体は、限定はされないが、フラッシュメモリ、ハードディスクドライブ、またはソリッドステートドライブを含む。
【０１０５】
第２０の態様によれば、本発明の一実施形態はコンピュータプログラム製品を提供する。コンピュータ製品がコンピューティングデバイスによって実行されたとき、第３の態様または第３の態様の実装のいずれか１つにおいて提供される通信方法が実施される。
【０１０６】
第２１の態様によれば、本発明の一実施形態はコアネットワークデバイスを提供する。コアネットワークデバイスは、プロセッサおよびトランシーバを含み、任意選択で、メモリをさらに含む。プロセッサは、メモリおよびトランシーバに接続される。たとえば、プロセッサは、バスを使用することによってメモリおよびトランシーバに接続され得る。トランシーバは、基地局などの別のデバイスと通信するように構成される。メモリは、ネットワークスライスに関する情報などを記憶するように構成される。プロセッサは、第４の態様における手順の一部または全部を実施するように構成される。
【０１０７】
第２２の態様によれば、本発明の一実施形態は別のコアネットワークデバイスを提供する。コアネットワークデバイスは、受信ユニットおよび送信ユニットを含む。送信ユニットおよび受信ユニットは一緒に、第２１の態様におけるトランシーバを実装するように構成される。コアネットワークデバイスは、上記のユニットを使用することによって第４の態様における方法の一部または全部を実装する。
【０１０８】
第２３の態様によれば、本発明の一実施形態は記憶媒体を提供する。記憶媒体はプログラムコードを記憶する。プログラムコードがコンピューティングデバイスによって実行されたとき、第４の態様または第４の態様の実装のいずれか１つにおいて提供される通信方法が実施される。記憶媒体は、限定はされないが、フラッシュメモリ、ハードディスクドライブ、またはソリッドステートドライブを含む。
【０１０９】
第２４の態様によれば、本発明の一実施形態はコンピュータプログラム製品を提供する。コンピュータ製品がコンピューティングデバイスによって実行されたとき、第４の態様または第４の態様の実装のいずれか１つにおいて提供される通信方法が実施される。
【０１１０】
第２５の態様によれば、本発明の一実施形態は基地局を提供する。基地局は第１の基地局である。第１の基地局は、プロセッサおよびトランシーバを含み、任意選択で、メモリをさらに含む。プロセッサは、メモリおよびトランシーバに接続される。たとえば、プロセッサは、バスを使用することによってメモリおよびトランシーバに接続され得る。トランシーバは、基地局、コアネットワークデバイスなどと通信するように構成される。メモリは、ネットワークスライスに関する情報などを記憶するように構成される。プロセッサは、第５の態様における手順の一部または全部を実施するように構成される。
【０１１１】
第２６の態様によれば、本発明の一実施形態は別の基地局を提供する。基地局は第１の基地局である。第１の基地局は、受信ユニットおよび送信ユニットを含む。送信ユニットおよび受信ユニットは一緒に、第２５の態様におけるトランシーバを実装するように構成される。基地局は、上記のユニットを使用することによって第５の態様における方法の一部または全部を実装する。
【０１１２】
第２７の態様によれば、本発明の一実施形態は記憶媒体を提供する。記憶媒体はプログラムコードを記憶する。プログラムコードがコンピューティングデバイスによって実行されたとき、第５の態様または第５の態様の実装のいずれか１つにおいて提供される通信方法が実施される。記憶媒体は、限定はされないが、フラッシュメモリ、ハードディスクドライブ、またはソリッドステートドライブを含む。
【０１１３】
第２８の態様によれば、本発明の一実施形態はコンピュータプログラム製品を提供する。コンピュータ製品がコンピューティングデバイスによって実行されたとき、第５の態様または第５の態様の実装のいずれか１つにおいて提供される通信方法が実施される。
【０１１４】
第２９の態様によれば、本発明の一実施形態は基地局を提供する。基地局は第２の基地局である。第２の基地局は、プロセッサおよびトランシーバを含み、任意選択で、メモリをさらに含む。プロセッサは、メモリおよびトランシーバに接続される。たとえば、プロセッサは、バスを使用することによってメモリおよびトランシーバに接続され得る。トランシーバは、基地局などの別のデバイスと通信するように構成される。メモリは、ネットワークスライスに関する情報などを記憶するように構成される。プロセッサは、第６の態様における手順の一部または全部を実施するように構成される。
【０１１５】
第３０の態様によれば、本発明の一実施形態は別の基地局を提供する。基地局は第２の基地局である。第２の基地局は、受信ユニットおよび送信ユニットを含む。送信ユニットおよび受信ユニットは一緒に、第２９の態様におけるトランシーバを実装するように構成される。基地局は、上記のユニットを使用することによって第６の態様における方法の一部または全部を実装する。
【０１１６】
第３１の態様によれば、本発明の一実施形態は記憶媒体を提供する。記憶媒体はプログラムコードを記憶する。プログラムコードがコンピューティングデバイスによって実行されたとき、第６の態様または第６の態様の実装のいずれか１つにおいて提供される通信方法が実施される。記憶媒体は、限定はされないが、フラッシュメモリ、ハードディスクドライブ、またはソリッドステートドライブを含む。
【０１１７】
第３２の態様によれば、本発明の一実施形態はコンピュータプログラム製品を提供する。コンピュータ製品がコンピューティングデバイスによって実行されたとき、第６の態様または第６の態様の実装のいずれか１つにおいて提供される通信方法が実施される。
【０１１８】
第３３の態様によれば、本発明の一実施形態は基地局を提供する。基地局は第１の基地局である。第１の基地局は、プロセッサおよびトランシーバを含み、任意選択で、メモリをさらに含む。プロセッサは、メモリおよびトランシーバに接続される。たとえば、プロセッサは、バスを使用することによってメモリおよびトランシーバに接続され得る。トランシーバは、基地局、コアネットワークデバイスなどと通信するように構成される。メモリは、ネットワークスライスに関する情報などを記憶するように構成される。プロセッサは、第７の態様における手順の一部または全部を実施するように構成される。
【０１１９】
第３４の態様によれば、本発明の一実施形態は別の基地局を提供する。基地局は第１の基地局である。第１の基地局は、受信ユニットおよび送信ユニットを含む。送信ユニットおよび受信ユニットは一緒に、第３３の態様におけるトランシーバを実装するように構成される。基地局は、上記のユニットを使用することによって第７の態様における方法の一部または全部を実装する。
【０１２０】
第３５の態様によれば、本発明の一実施形態は記憶媒体を提供する。記憶媒体はプログラムコードを記憶する。プログラムコードがコンピューティングデバイスによって実行されたとき、第７の態様または第７の態様の実装のいずれか１つにおいて提供される通信方法が実施される。記憶媒体は、限定はされないが、フラッシュメモリ、ハードディスクドライブ、またはソリッドステートドライブを含む。
【０１２１】
第３６の態様によれば、本発明の一実施形態はコンピュータプログラム製品を提供する。コンピュータ製品がコンピューティングデバイスによって実行されたとき、第７の態様または第７の態様の実装のいずれか１つにおいて提供される通信方法が実施される。
【０１２２】
第３７の態様によれば、本発明の一実施形態は基地局を提供する。基地局は第２の基地局である。第２の基地局は、プロセッサおよびトランシーバを含み、任意選択で、メモリをさらに含む。プロセッサは、メモリおよびトランシーバに接続される。たとえば、プロセッサは、バスを使用することによってメモリおよびトランシーバに接続され得る。トランシーバは、基地局などの別のデバイスと通信するように構成される。メモリは、ネットワークスライスに関する情報などを記憶するように構成される。プロセッサは、第８の態様における手順の一部または全部を実施するように構成される。
【０１２３】
第３８の態様によれば、本発明の一実施形態は別の基地局を提供する。基地局は第２の基地局である。第２の基地局は、受信ユニットおよび送信ユニットを含む。送信ユニットおよび受信ユニットは一緒に、第３７の態様におけるトランシーバを実装するように構成される。基地局は、上記のユニットを使用することによって第８の態様における方法の一部または全部を実装する。
【０１２４】
第３９の態様によれば、本発明の一実施形態は記憶媒体を提供する。記憶媒体はプログラムコードを記憶する。プログラムコードがコンピューティングデバイスによって実行されたとき、第８の態様または第８の態様の実装のいずれか１つにおいて提供される通信方法が実施される。記憶媒体は、限定はされないが、フラッシュメモリ、ハードディスクドライブ、またはソリッドステートドライブを含む。
【０１２５】
第４０の態様によれば、本発明の一実施形態はコンピュータプログラム製品を提供する。コンピュータ製品がコンピューティングデバイスによって実行されたとき、第８の態様または第８の態様の実装のいずれか１つにおいて提供される通信方法が実施される。
【図面の簡単な説明】
【０１２６】
本発明の実施形態または背景技術における技術的解決策についてより明確に説明するために、以下で、本発明の実施形態または背景技術について説明するために必要な添付の図面について手短に説明する。
【０１２７】
【図１】本発明の一実施形態による可能な通信システムの概略アーキテクチャ図である。
【図２】本発明の一実施形態による可能なアクセスネットワークデバイスを示す図である。
【図３】本発明の一実施形態による通信方法の概略フローチャートである。
【図４】本発明の一実施形態による別の通信方法の概略フローチャートである。
【図５】本発明の一実施形態による別の通信方法の概略フローチャートである。
【図６】本発明の一実施形態による別の通信方法の概略フローチャートである。
【図７】本発明の一実施形態による別の通信方法の概略フローチャートである。
【図８】本発明の一実施形態による基地局の概略構造図である。
【図９】本発明の一実施形態によるコアネットワークデバイスの概略構造図である。
【図１０】本発明の一実施形態による別の基地局の概略構造図である。
【図１１】本発明の一実施形態による別のコアネットワークデバイスの概略構造図である。
【図１２】本発明の一実施形態による別の基地局の概略構造図である。
【図１３】本発明の一実施形態による別の基地局の概略構造図である。
【図１４】本発明の一実施形態による別の基地局の概略構造図である。
【図１５】本発明の一実施形態による別の基地局の概略構造図である。
【図１６】本発明の一実施形態による別の基地局の概略構造図である。
【図１７】本発明の一実施形態による別のコアネットワークデバイスの概略構造図である。
【発明を実施するための形態】
【０１２８】
以下で、本発明の実施形態における添付の図面を参照しながら本発明の実施形態について説明する。
【０１２９】
以下で、本発明の実施形態における添付の図面を参照しながら本発明の実施形態について説明する。
【０１３０】
図１は、本発明の一実施形態による可能な通信システムの概略アーキテクチャ図である。ネットワーク要素について以下のように説明される。
【０１３１】
端末デバイスはユーザ機器（ｕｓｅｒ  ｅｑｕｉｐｍｅｎｔ、ＵＥ）であり得る。ＵＥは、アクセスネットワークデバイスを使用することによってネットワーク側にアクセスする。たとえば、ＵＥは、ハンドヘルド端末デバイス、ノートブックコンピュータ、加入者ユニット（ｓｕｂｓｃｒｉｂｅｒ  ｕｎｉｔ）、セルラーフォン（ｃｅｌｌｕｌａｒ  ｐｈｏｎｅ）、スマートフォン（ｓｍａｒｔ  ｐｈｏｎｅ）、ワイヤレスデータカード、携帯情報端末（ｐｅｒｓｏｎａｌ  ｄｉｇｉｔａｌ  ａｓｓｉｓｔａｎｔ、ＰＤＡ）コンピュータ、タブレットコンピュータ、ワイヤレスモデム（ｍｏｄｅｍ）、ハンドヘルド（ｈａｎｄｈｅｌｄ）デバイス、ラップトップコンピュータ（ｌａｐｔｏｐ  ｃｏｍｐｕｔｅｒ）、コードレスフォン（ｃｏｒｄｌｅｓｓ  ｐｈｏｎｅ）もしくはワイヤレスローカルループ（ｗｉｒｅｌｅｓｓ  ｌｏｃａｌ  ｌｏｏｐ、ＷＬＬ）局、マシンタイプ通信（ｍａｃｈｉｎｅ  ｔｙｐｅ  ｃｏｍｍｕｎｉｃａｔｉｏｎ、ＭＴＣ）端末、またはネットワークにアクセスすることができる別のデバイスであり得る。端末デバイスとアクセスネットワークデバイスは、エアインターフェース技術を使用することによって互いに通信する。
【０１３２】
アクセスネットワーク（ｒａｄｉｏ  ａｃｃｅｓｓ  ｎｅｔｗｏｒｋ、ＲＡＮ）デバイスは、無線リソース管理、サービス品質（ｑｕａｌｉｔｙ  ｏｆ  ｓｅｒｖｉｃｅ、ＱｏＳ）管理、ならびにデータ圧縮および暗号化など、エアインターフェース側上の機能を主に担当する。アクセスネットワークデバイスは、マクロ基地局、マイクロ基地局（スモールセルとも呼ばれる）、中継局、およびアクセスポイントなど、様々な形態の基地局を含み得る。異なる無線アクセス技術を使用しているシステムでは、基地局の機能を有するデバイスの名前が異なることがある。たとえば、第５世代（５ｔｈ  ｇｅｎｅｒａｔｉｏｎ、５Ｇ）システムでは、デバイスはｇＮＢと呼ばれ、ＬＴＥシステムでは、デバイスは発展型ノードＢ（ｅｖｏｌｖｅｄ  ｎｏｄｅＢ、ｅＮＢ、またはｅＮｏｄｅＢ）と呼ばれ、第３世代（３ｒｄ  ｇｅｎｅｒａｔｉｏｎ、３Ｇ）システムでは、デバイスはノードＢ（ｎｏｄｅ  Ｂ）と呼ばれる。
【０１３３】
任意選択で、図２に示されているように、アクセスネットワークデバイスは、中央ユニット（ｃｅｎｔｒａｌ  ｕｎｉｔ、ＣＵ）および複数の分散ユニット（ｄｉｓｔｒｉｂｕｔｅｄ  ｕｎｉｔ、ＤＵ）を含む。ＣＵは、論理ノードであり、ｇＮＢの機能のうちのいくつかを含む。ＤＵは、論理ノードであり、ＣＵ中に含まれるもの以外のｇＮＢの他の機能を含む。図２に示されているように、１つのＣＵは複数のＤＵに対応することがある。任意選択の実装では、ＣＵは、無線リソース制御（ｒａｄｉｏ  ｒｅｓｏｕｒｃｅ  ｃｏｎｔｒｏｌ、ＲＲＣ）、パケットデータコンバージェンスプロトコル（ｐａｃｋｅｔ  ｄａｔａ  ｃｏｎｖｅｒｇｅｎｃｅ  ｐｒｏｔｏｃｏｌ、ＰＤＣＰ）、およびサービスデータ適応プロトコル（Ｓｅｒｖｉｃｅ  Ｄａｔａ  Ａｄａｐｔａｔｉｏｎ  Ｐｒｏｔｏｃｏｌ、ＳＤＡＰ）プロトコルスタック機能を含む。ＤＵは、無線リンク制御（Ｒａｄｉｏ  Ｌｉｎｋ  Ｃｏｎｔｒｏｌ、ＲＬＣ）、メディアアクセス制御（Ｍｅｄｉａ  Ａｃｃｅｓｓ  Ｃｏｎｔｒｏｌ、ＭＡＣ）、および物理レイヤ（ｐｈｙｓｉｃａｌ  ｌａｙｅｒ、ＰＨＹ）プロトコルスタック機能を含む。ＣＵとＤＵとの間の通信インターフェースがある。たとえば、通信インターフェースはＦ１インターフェースである。１つのＤＵは、１つのセルを含むことがあるか、または複数のセルを含むことがある。
【０１３４】
コアネットワークデバイスは、ユーザ接続およびユーザ管理を提供し、サービスを運搬するように構成される。たとえば、ユーザ接続のセットアップは、モビリティ管理（ｍｏｂｉｌｅ  ｍａｎａｇｅｍｅｎｔ、ＭＭ）およびページング（ｐａｇｉｎｇ）などの機能を含む。ユーザ管理は、ユーザ記述、ＱｏＳ、およびセキュリティを含む（認証センターによって提供される、対応するセキュリティ対策は、モバイルサービスに対するセキュリティ管理および外部ネットワークへのアクセスに対するセキュリティ処理を含む）。コアネットワークデバイスは、外部公衆交換電話ネットワーク（ｐｕｂｌｉｃ  ｓｗｉｔｃｈｅｄ  ｔｅｌｅｐｈｏｎｅ  ｎｅｔｗｏｒｋ、ＰＳＴＮ）、外部回線データネットワークおよびパケットデータネットワーク、インターネット（Ｉｎｔｅｒｎｅｔ）などを含むネットワークにアクセスできる。たとえば、コアネットワークデバイスは、アクセスおよびモビリティ管理機能（Ａｃｃｅｓｓ  ａｎｄ  Ｍｏｂｉｌｉｔｙ  Ｍａｎａｇｅｍｅｎｔ  Ｆｕｎｃｔｉｏｎ、ＡＭＦ）であることがあり、シグナリング処理部分、すなわち、アクセス制御、モビリティ管理、アタッチおよびデタッチ、ならびにゲートウェイ選択などの機能を含む制御プレーン機能を主に担当する。本発明の実施形態におけるコアネットワークデバイスはＡＭＦに限定されない。
【０１３５】
図１に示されているように、アクセスネットワークデバイスは少なくとも１つの端末デバイスに接続され得ることがわかろう。たとえば、アクセスネットワークデバイス１０１は、端末デバイス１および端末デバイス２に接続され、アクセスネットワークデバイス１０２は、端末デバイス３および端末デバイス４に接続される。アクセスネットワークデバイスは少なくとも１つのコアネットワークデバイスに接続され得る。たとえば、アクセスネットワークデバイス１０１およびアクセスネットワークデバイス１０２がコアネットワークデバイスに接続される。
【０１３６】
コアネットワークデバイスとアクセスネットワークデバイスとの間の制御プレーンインターフェースがある。たとえば、コアネットワークデバイスとアクセスネットワークとの間のインターフェースがあり、このインターフェースは、本出願ではＮ２インターフェースと呼ばれる。
【０１３７】
アクセスネットワークデバイス１０１とアクセスネットワークデバイス１０２との間の通信インターフェースがある場合、アクセスネットワークデバイス１０１とアクセスネットワークデバイス１０２は互いに通信することができるか、またはアクセスネットワークデバイス１０１とアクセスネットワークデバイス１０２との間の通信インターフェースがない場合、アクセスネットワークデバイス１０１とアクセスネットワークデバイス１０２は互いに通信することができない。したがって、アクセスネットワークデバイス１０１およびアクセスネットワークデバイス１０２は、通信インターフェースがセットアップされた場合のみ、アクセスネットワークデバイス１０１およびアクセスネットワークデバイス１０２によってそれぞれサポートされるネットワークスライスに関する情報を送信することができ、通信インターフェースがない場合、互いに通信することができず、さらに、アクセスネットワークデバイス１０１およびアクセスネットワークデバイス１０２にそれぞれ対応するネットワークスライスに関する情報を送ることができない。
【０１３８】
端末デバイス上には、拡張モバイルブロードバンド（ｅｎｈａｎｃｅｄ  Ｍｏｂｉｌｅ  Ｂｒｏａｄｂａｎｄ、ｅＭＢＢ）サービス、超高信頼および低レイテンシ通信（Ｕｌｔｒａ−Ｒｅｌｉａｂｌｅ  Ｌｏｗ  ｌａｔｅｎｃｙ  Ｃｏｍｍｕｎｉｃａｔｉｏｎｓ、ＵＲＬＬＣ）、ならびに大容量マシンタイプ通信（Ｍａｓｓｉｖｅ  Ｍａｃｈｉｎｅ  Ｔｙｐｅ  Ｃｏｍｍｕｎｉｃａｔｉｏｎ、ｍＭＴＣ）など、複数のタイプのサービスがある。異なるタイプのサービスのセッションは、異なるネットワークスライスに対応し得る。同じタイプのサービスでさえ、そのサービスを提供している事業者またはサービスプロバイダが異なるので、異なるネットワークスライスに対応し得る。異なるアクセスネットワークデバイスは異なるネットワークスライスをサポートし得る。この場合、端末デバイスがネットワークにアクセスし複数のセッションをセットアップする必要がある場合、接続されたアクセスネットワークデバイスは、端末デバイスのセッションのうちのすべてまたはいくつかに対応するネットワークスライスをサポートする必要がある。
【０１３９】
端末デバイスのロケーション変更、負荷分散などにより、端末デバイスのためのアクセスネットワークデバイスが切り替えられる必要がある場合、たとえば、端末デバイスのセッションがアクセスネットワークデバイス１０１からアクセスネットワークデバイス１０２にハンドオーバされる必要がある場合、しかしながら、ハンドオーバが成功することができるかどうかは、アクセスネットワークデバイス１０２が、端末デバイスのセッションに対応するネットワークスライスをサポートするかどうかに密接に関係する。たとえば、端末デバイスの現在のセッションは、第１のセッション、第２のセッション、および第３のセッションを含み、第１のセッションはネットワークスライス１に対応し、第２のセッションはネットワークスライス２に対応し、第３のセッションはネットワークスライス３に対応する。アクセスネットワークデバイス１０２がネットワークスライス１、ネットワークスライス２、およびネットワークスライス３をサポートする場合、端末デバイスのセッションのすべてがアクセスネットワークデバイス１０２にハンドオーバされ得る。アクセスネットワークデバイス１０２が、セッションのうちのいくつかに対応するネットワークスライスをサポートする場合、セッションのうちのいくつかはアクセスネットワークデバイス１０２にハンドオーバされ得る。たとえば、アクセスネットワークデバイス１０２がネットワークスライス１およびネットワークスライス３をサポートする場合、端末デバイスの第１のセッションおよび第３のセッションがアクセスネットワークデバイス１０２にハンドオーバされ得る。アクセスネットワークデバイス１０２が、いずれのセッションに対応するネットワークスライスをもサポートしない場合、アクセスネットワークデバイス１０１は、アクセスネットワークデバイス１０２によって送られたハンドオーバ失敗メッセージを受信する。この場合、アクセスネットワークデバイス１０１は、端末デバイスのセッションをアクセスネットワークデバイスにハンドオーバすることができない。
【０１４０】
実際には、アクセスネットワークデバイス１０１が、アクセスネットワークデバイス１０２のサポートされるネットワークスライスを判定するかどうかにかかわらず、アクセスネットワークデバイス１０１は、アクセスネットワークデバイス１０２にハンドオーバ要求を送る。アクセスネットワークデバイス１０２が、端末デバイスのいずれのセッションに対応するネットワークスライスをもサポートしない場合、ハンドオーバは失敗する。しかしながら、たとえば、無線リソースが利用不可能である（ｒａｄｉｏ  ｒｅｓｏｕｒｃｅ  ｎｏｔ  ａｖａｉｌａｂｌｅ）、セルが利用不可能である（ｃｅｌｌ  ｎｏｔ  ａｖａｉｌａｂｌｅ）、および要求されたネットワークスライスがアクセスネットワークデバイス１０２中でサポートされないなど、複数のハンドオーバ失敗原因があり得る。しかしながら、既存の解決策では、アクセスネットワークデバイス１０１とアクセスネットワークデバイス１０２との間の通信インターフェースがない場合、アクセスネットワークデバイス１０１はハンドオーバ失敗原因を判定することができない。アクセスネットワークデバイス１０２がネットワークスライス２をサポートしない場合、別のセッションがネットワークスライス２へのハンドオーバの要求を必要とするとき、アクセスネットワークデバイス１０１は、アクセスネットワークデバイス１０２にハンドオーバ要求を依然として送り、ハンドオーバは依然として失敗し、それにより、ハンドオーバ成功確率が低減する。
【０１４１】
しかしながら、本発明の実施形態では、端末デバイスが現在のセッションをハンドオーバする必要がある場合、アクセスネットワークデバイス１０１は、コアネットワークデバイスを使用することによって、アクセスネットワークデバイス１０２が、ハンドオーバ要求中のセッションに対応するネットワークスライスをサポートするかどうかを判定し得る。これは、ハンドオーバについての要求を必要としている別のセッションのための情報ヘルプを基地局に提供する。アクセスネットワークデバイス１０１が、同じネットワークスライスのセッションをハンドオーバする必要があるとき、セッションがアクセスネットワークデバイス１０２にハンドオーバされることが可能であるかが直接判定されることが可能であり、それにより、ハンドオーバ成功確率が改善される。
【０１４２】
本出願の実施形態は、アクセスネットワークデバイスが基地局である例を使用することによって説明されることに留意されたい。任意選択の方式では、本出願のいずれの実施形態における基地局のサポートされるネットワークスライスに関する情報も、基地局の少なくとも１つのセルの識別子、および各セル識別子に対応する少なくとも１つのネットワークスライスの指示情報を含み得る。１つの基地局は１つまたは複数のセルを含み得る。各セルは、セル識別子を使用することによって表される。各セルは、１つまたは複数のネットワークスライスをサポートし得る。セルによってサポートされるネットワークスライスは異なる。この場合、１つのセル識別子は、少なくとも１つのネットワークスライスの指示情報に対応し得る。たとえば、特定の表現形式は以下の通りであり（名前は説明のために使用されるにすぎず、名前は本出願の実施形態では限定されない）、セルＩＤはセル識別子を表し、Ｓ−ＮＳＳＡＩリストはネットワークスライスの指示情報を表し、１つのセルＩＤは少なくとも１つのＳ−ＮＳＳＡＩリストに対応し得る。
＞＞＞セルＩＤ
＞＞＞Ｓ−ＮＳＳＡＩリスト
【０１４３】
代替として、別の任意選択の方式では、基地局のサポートされるネットワークスライスに関する情報は、基地局に関する情報、および基地局に対応する少なくとも１つのネットワークスライスの指示情報を含み得る。各基地局は、１つまたは複数のネットワークスライスをサポートし得る。この場合、１つの基地局に関する情報は、少なくとも１つのネットワークスライスの指示情報に対応し得る。たとえば、特定の表現形式は以下の通りであり（名前は説明のために使用されるにすぎず、名前は本出願の実施形態では限定されない）、ｇＮＢ  ＩＤは基地局に関する情報を表し、Ｓ−ＮＳＳＡＩリストはネットワークスライスの指示情報を表し、１つのｇＮＢ  ＩＤは少なくとも１つのＳ−ＮＳＳＡＩリストに対応し得る。
＞＞＞ｇＮＢ  ＩＤ
＞＞＞Ｓ−ＮＳＳＡＩリスト
【０１４４】
本出願のいずれの実施形態における基地局に関する情報も、基地局の基地局識別子、基地局の中央ユニットの識別子（ＣＵ  ＩＤ）、基地局の分散ユニットの識別子（ＤＵ  ＩＤ）、基地局の物理的セルの識別子（Ｐｈｙｓｉｃａｌ  Ｃｅｌｌ  Ｉｄｅｎｔｉｆｉｅｒ、ＰＣＩ）、または基地局のセルのグローバル識別子（Ｃｅｌｌ  Ｇｌｏｂａｌ  ＩＤ、ＣＧＩ）のうちの少なくとも１つを含み得る。中央ユニットおよび分散ユニットについては、図２の詳細な説明を参照されたい。詳細についてここで再び説明されない。
【０１４５】
本出願のいずれの実施形態における各ネットワークスライスの指示情報も、ネットワークスライス識別子、シングルネットワークスライス選択支援情報（ｓｉｎｇｌｅ  ｎｅｔｗｏｒｋ  ｓｌｉｃｅ  ｓｅｌｅｃｔｉｏｎ  ａｓｓｉｓｔａｎｃｅ  ｉｎｆｏｒｍａｔｉｏｎ、Ｓ−ＮＳＳＡＩ）、またはアクセスネットワーク−ネットワークスライス選択支援情報（ＲＡＮ  ｎｅｔｗｏｒｋ  ｓｌｉｃｅ  ｓｅｌｅｃｔｉｏｎ  ａｓｓｉｓｔａｎｃｅ  ｉｎｆｏｒｍａｔｉｏｎ、Ｒ−ＮＳＳＡＩ）のうちの少なくとも１つを含み得ることにさらに留意されたい。
【０１４６】
ネットワークスライス識別子は、以下の（１）から（７）のうちの少なくとも１つを使用することによって表され得る。
【０１４７】
（１）ネットワークスライスタイプ情報：たとえば、ネットワークスライスタイプ情報は、拡張モバイルブロードバンド（ｅｎｈａｎｃｅｄ  Ｍｏｂｉｌｅ  Ｂｒｏａｄｂａｎｄ、ｅＭＢＢ）サービス、超高信頼および低レイテンシ通信（Ｕｌｔｒａ−Ｒｅｌｉａｂｌｅ  Ｌｏｗ  Ｌａｔｅｎｃｙ  Ｃｏｍｍｕｎｉｃａｔｉｏｎｓ、ＵＲＬＬＣ）、ならびに大容量マシンタイプ通信（Ｍａｓｓｉｖｅ  Ｍａｃｈｉｎｅ  Ｔｙｐｅ  Ｃｏｍｍｕｎｉｃａｔｉｏｎ、ｍＭＴＣ）などのネットワークスライスタイプを示し得る。任意選択で、ネットワークスライスタイプ情報は、ＲＡＮツーコアネットワーク（Ｃｏｒｅ  Ｎｅｔｗｏｒｋ、ＣＮ）ネットワークスライスタイプを含む、エンドツーエンドネットワークスライスタイプを代替として示し得るか、またはＲＡＮ側ネットワークスライスタイプ、もしくはＣＮ側ネットワークスライスタイプを示し得る。
【０１４８】
（２）サービスタイプ情報：特定のサービスに関係する。たとえば、サービスタイプ情報は、ビデオサービス、ビークルのインターネットサービス、もしくは音声サービスなどのサービス特性、または特定のサービス情報を示し得る。
【０１４９】
（３）テナント（Ｔｅｎａｎｔ）情報：騰訊（テンセント）、または国家電網（ステートグリッド）など、ネットワークスライスを作成またはリースしている顧客に関する情報を示すために使用される。
【０１５０】
（４）ユーザグループ情報：ユーザレベルなどの特定の特性に基づいてユーザをグループ化するグループ情報を示すために使用される。
【０１５１】
（５）スライスグループ情報：特定の特性に基づいてネットワークスライスをグループ化するグループ情報を示すために使用される。たとえば、端末デバイスによってアクセスされることが可能であるすべてのネットワークスライスがスライスグループとして使用され得るか、またはネットワークスライスは、別の基準に基づいてグループ化され得る。
【０１５２】
（６）ネットワークスライスインスタンス情報：ネットワークスライスのために作成されるインスタンスの識別子および特性情報を示すために使用される。たとえば、ネットワークスライスインスタンスを示すために、識別子がネットワークスライスインスタンスに割り振られ得る。代替として、ネットワークスライスインスタンスの識別子に基づいて新しい識別子へのマッピングが取得されることがあり、この新しい識別子はネットワークスライスインスタンスに関連付けられる。受信者は、識別子に基づいて、識別子によって示される特定のネットワークスライスインスタンスを識別し得る。
【０１５３】
（７）専用コアネットワーク（Ｄｅｄｉｃａｔｅｄ  Ｃｏｒｅ  Ｎｅｔｗｏｒｋ、ＤＣＮ）識別子：この識別子は、ロングタームエボリューション（Ｌｏｎｇ  Ｔｅｒｍ  Ｅｖｏｌｕｔｉｏｎ、ＬＴＥ）システムまたは拡張ＬＴＥ（ｅｎｈａｎｃｅｄ  ＬＴＥ、ｅＬＴＥ）システムにおける専用コアネットワーク、たとえば、モノのインターネットに固有のコアネットワークを一意に示すために使用される。任意選択で、ＤＣＮ識別子はネットワークスライス識別子にマッピングされることがある。ネットワークスライス識別子は、ＤＣＮ識別子へのマッピングを通して取得されることがあり、ＤＣＮ識別子は、ネットワークスライス識別子へのマッピングを通して取得されることがある。
【０１５４】
Ｓ−ＮＳＳＡＩは、少なくともスライス／サービスタイプ（Ｓｌｉｃｅ／Ｓｅｒｖｉｃｅ  ｔｙｐｅ、ＳＳＴ）情報を含み、任意選択で、スライス差別化（Ｓｌｉｃｅ  Ｄｉｆｆｅｒｅｎｔｉａｔｏｒ、ＳＤ）情報をさらに含み得る。ＳＳＴ情報は、ネットワークスライスの特性およびサービスタイプなど、ネットワークスライスの挙動を示すために使用される。ＳＤ情報はＳＳＴの補足情報である。ＳＳＴが複数のネットワークスライスインスタンスを示す場合、ＳＤは、一意のネットワークスライスインスタンスに対応し得る。
【０１５５】
Ｒ−ＮＳＳＡＩは、特定のＳ−ＮＳＳＡＩのグループ、すなわち、特定のＳ−ＮＳＳＡＩのグループのセットの識別子を表す。
【０１５６】
本出願の実施形態では、ネットワークスライスについて、ネットワークスライスの指示情報は、上記のパラメータのうちの少なくとも１つを使用することによって表され得ることを理解されたい。たとえば、ネットワークスライスの指示情報は、ネットワークスライスタイプを使用することによって表され得るか、またはネットワークスライスタイプおよびサービスタイプを使用することによって表され得るか、またはサービスタイプおよびテナント情報を使用することによって表され得る。これは、本出願の実施形態では限定されない。ネットワークスライスのネットワークスライス指示情報をどのように表すべきかに関する詳細については、以下で再び説明されない。任意選択で、ネットワークスライス指示情報の特定の符号化形式は限定されない。異なるデバイス間のインターフェースメッセージ中で搬送される異なるフィールドは、異なるネットワークスライス指示情報を表すために使用され得るか、または抽出されたインデックス値が代替として使用されることがあり、異なるインデックス値は異なるネットワークスライスに対応する。もちろん、上記の識別子に加えて、他の識別子があってもよい。これは、ここでは限定されない。端末デバイス、アクセスネットワークデバイス、またはコアネットワークデバイスが、複数のネットワークスライスをサポートする場合、端末デバイス、アクセスネットワークデバイス、またはコアネットワークデバイスによってサポートされるネットワークスライスの指示情報は、上記の識別子のうちの少なくとも１つのリストの形式で表され得ることを理解されたい。
【０１５７】
本発明の実施形態は、ネットワークスライスをサポートしている別の通信システムに適用され得る。「システム」および「ネットワーク」という用語は交換可能である。本発明の実施形態において説明されるシステムシステムアーキテクチャは、本発明の実施形態の技術的解決策についてより明確に説明するためのものであり、本発明の実施形態において提供される技術的解決策に対する限定とならない。当業者は、ネットワークアーキテクチャの発展とともに、本発明の実施形態において提供される技術的解決策が、同様の技術的問題にも適用可能であることを知っていよう。
【０１５８】
図３および図４を参照すると、本発明の一実施形態による通信方法が提供されている。この実施形態では、アクセスネットワークデバイスが基地局であることが例として使用される。図３および図４に示されているように、通信方法は、端末デバイス、ソース基地局、コアネットワークデバイス、およびターゲット基地局に関係する。図３は、コアネットワークデバイスが、ハンドオーバ準備が失敗すると判定する場合における通信方法に対応する。図４は、コアネットワークデバイスが、ハンドオーバが成功すると判定する場合における通信方法に対応する。ソース基地局は、端末デバイスへの通信接続を確立した基地局である。ターゲット基地局は、端末デバイスの現在のセッションがそれにハンドオーバされるべき基地局である。コアネットワークデバイスは、ソース基地局およびターゲット基地局と通信し得る。
【０１５９】
図３に示されているように、通信方法は、ステップ３０１からステップ３０７を含む。以下の詳細な説明を参照されたい。
【０１６０】
３０１．端末デバイスが、ソース基地局に測定報告を送る。
【０１６１】
このステップは任意選択のステップである。測定報告は、セルおよび基地局のうちの少なくとも１つの測定報告値を含む。任意選択で、測定報告がセルの測定報告値を含む場合、含まれるセルは、ソース基地局のセルであり得るか、または別の基地局のセルであり得る。測定報告が基地局の測定報告値を含む場合、含まれる基地局は、ソース基地局であり得るか、または別の基地局であり得る。任意選択で、測定報告中のセルおよび基地局の量は、本発明のこの実施形態では限定されない。
【０１６２】
任意選択で、端末デバイスは測定報告を送り、それにより、ソース基地局は、ソース基地局への通信インターフェースを有しない基地局に関する情報を取得し得る。たとえば、基地局間の通信インターフェースはＸｎによって表されることがある。これは、本発明のこの実施形態では限定されない。
【０１６３】
本発明のこの実施形態において第１の基地局と第２の基地局との間の通信インターフェースがないこと（Ｘｎ接続性なし）は、以下の２つの場合を含むことに留意されたい。第１の場合には、第１の基地局と第２の基地局との間で通信インターフェースがセットアップされない。たとえば、通信インターフェースセットアップ要求処理において通信インターフェースのセットアップが失敗する。第２の場合には、第１の基地局と第２の基地局との間の通信インターフェースが利用可能でなく、たとえば、Ｘｎインターフェースが利用可能でない。たとえば、基地局構成更新処理または通信インターフェースセットアップ要求において基地局構成更新失敗メッセージが現れる。ここで、第１の基地局および第２の基地局は、任意の２つの異なる基地局であり得る。たとえば、第１の基地局はソース基地局であることがあり、第２の基地局はターゲット基地局であるか、または第１の基地局はソース基地局であり、第２の基地局は、少なくとも１つの基地局のうちのいずれか１つである。
【０１６４】
たとえば、第１の基地局は、第２の基地局にＸｎインターフェースセットアップ要求（Ｘｎ  ｉｎｔｅｒｆａｃｅ  ｓｅｔｕｐ  ｒｅｑｕｅｓｔ）または基地局構成更新（ｇＮＢ  ｃｏｎｆｉｇｕｒａｔｉｏｎ  ｕｐｄａｔｅ）メッセージを送る。第１の基地局は、第２の基地局からＸｎインターフェースセットアップ失敗（Ｘｎ  ｉｎｔｅｒｆａｃｅ  ｓｅｔｕｐ  ｆａｉｌｕｒｅ）メッセージまたは基地局構成更新失敗（ｇＮＢ  ｃｏｎｆｉｇｕｒａｔｉｏｎ  ｕｐｄａｔｅ  ｆａｉｌｕｒｅ）メッセージを受信する。Ｘｎインターフェースセットアップ失敗メッセージまたは基地局構成更新失敗メッセージは、第１の基地局と第２の基地局との間に通信インターフェースがないことを示す。第１の基地局は、第２の基地局に基地局構成更新メッセージを送り、基地局構成更新メッセージは、第２の基地局から、第２の基地局によって現在サポートされるネットワークスライスに関する情報を取得して、第１の基地局において、第２の基地局のサポートされるネットワークスライスに関する記録を更新するために使用される。
【０１６５】
３０２．ソース基地局が、コアネットワークデバイスに第１のハンドオーバ要求を送る。
【０１６６】
Ｎ２インターフェースなどの通信インターフェースが、ソース基地局とコアネットワークデバイスとの間にセットアップされる。このようにして、ソース基地局とコアネットワークデバイスは互いに通信することができる。第１のハンドオーバ要求は、ソース基地局から少なくとも１つの基地局のうちのいずれか１つに端末デバイスの現在のセッションをハンドオーバするように要求するために使用される。第１のハンドオーバ要求は、少なくとも１つの基地局に関する情報を含む。端末デバイスの１つまたは複数の現在のセッションがあり得る。異なるセッションは異なるネットワークスライスに対応し得る。異なるネットワークスライスは異なるネットワークスライス指示情報に対応する。
【０１６７】
さらに、第１のハンドオーバ要求は、端末デバイスの識別子を含むことがあり、したがって、コアネットワークデバイスは、端末デバイスの識別子を参照して、ハンドオーバされるべきセッション、およびセッションに対応するネットワークスライスを判定する。任意選択で、端末デバイスの識別子は、限定はされないが、端末デバイスを一意に識別するために基地局またはコアネットワークデバイス側によって使用される識別子、たとえば、ＡＭＦ／ｇＮＢ内のＮ２インターフェースを介した端末デバイスのアプリケーションプロトコル識別子（ＡＭＦ／ｇＮＢ  ＵＥ  Ｎ２ＡＰ  ＩＤ）を含み得る。この識別子は、ＡＭＦ／ｇＮＢ側上のＮ２インターフェースにおいてＵＥを一意に識別する。
【０１６８】
任意選択で、第１のハンドオーバ要求が端末デバイスの識別子を含む場合、第１のハンドオーバ要求は、端末デバイスの各現在のセッションに対応するセッション識別子、および各セッション識別子に対応するネットワークスライスの指示情報をさらに含み得る。この場合、第１のハンドオーバ要求は、セッション識別子、およびセッション識別子に対応するネットワークスライスの指示情報を含み、コアネットワークデバイスは、ハンドオーバされるべきセッションに対応するネットワークスライスを直接判定し、それにより、セッションおよびセッションに対応するネットワークスライスを探索するのに費やされる時間を低減することができる。
【０１６９】
任意選択で、少なくとも１つの基地局は、ソース基地局への通信インターフェースを有する基地局であり得るか、またはソース基地局への通信インターフェースを有しない基地局であり得るか、または通信インターフェースを有する基地局と、通信インターフェースを有しない基地局の両方を含み得る。
【０１７０】
任意選択で、第１のハンドオーバ要求は、基地局がソース基地局への通信インターフェースを有するかどうかを示す指示情報をさらに含む。たとえば、少なくとも１つの基地局のうちの基地局Ａがソース基地局への通信インターフェースを有しない場合、第１のハンドオーバ要求は、基地局Ａに関する情報と、基地局Ａに関する情報に対応し、基地局Ａがソース基地局への通信インターフェースを有しないことを示す指示情報とを含み、それにより、コアネットワークデバイスは、基地局Ａがソース基地局に接続されているかどうかを判定し、基地局Ａがソース基地局に接続されていない場合、基地局Ａのネットワークスライスに関する情報をソース基地局にフィードバックする。
【０１７１】
任意選択で、ソース基地局は、少なくとも１つの基地局を複数の方式で判定し得る。たとえば、ソース基地局は、ステップ３０１において受信された測定報告に基づいて少なくとも１つの基地局を判定し得る。特に、測定報告は、複数の基地局または複数のセルの測定報告値を含む。ソース基地局は、最初に、測定報告に基づいて、測定報告中にある基地局に関する情報を判定し、次いで、それらの基地局から少なくとも１つの基地局を判定する。基地局は、測定報告中に複数の基地局を含め、測定報告中に複数のセルに対応する基地局を含める。複数のセルに対応する基地局は、ソース基地局によって、最初に、測定報告中の複数のセルを取得し、次いで、各セルに対応する基地局を取得することによって判定される。
【０１７２】
別の例では、ソース基地局は、第３の基地局から、第３の基地局の近隣基地局（ｎｅｉｇｈｂｏｒ  ｇＮＢ）に関する情報を受信し得る。第３の基地局は、ソース基地局への通信インターフェースを有する基地局である。第３の基地局の近隣基地局は、第３の基地局への通信インターフェースを有する基地局であり得るか、または第３の基地局への通信インターフェースを有しない基地局であり得る。第３の基地局の近隣基地局は、地理的ロケーションが第３の基地局のそれに近い基地局であり得る。第３の基地局の近隣基地局と第３の基地局との間の距離は、本発明のこの実施形態では限定されない。
【０１７３】
任意選択で、ソース基地局は、基地局がソース基地局への通信インターフェースを有するかどうかに従って、測定報告中の複数の基地局または第３の基地局の近隣基地局を分割し得る。任意選択の方式では、ソース基地局は、複数の基地局または第３の基地局の近隣基地局への通信インターフェースを１つずつセットアップすることを試み得る。通信インターフェースが正常にセットアップされた場合、それは、基地局がソース基地局への通信インターフェースを有することを示すか、または通信インターフェースがセットアップされることに失敗した場合、それは、基地局がソース基地局への通信インターフェースを有しないことを示す。別の任意選択の方式では、ソース基地局は、ソース基地局への通信インターフェースを有する基地局に関する情報を記憶する。このようにして、ソース基地局は、ソース基地局への通信インターフェースをセットアップしなかった基地局を判定するために、複数の基地局または第３の基地局の近隣基地局に関する情報から、ソース基地局への通信インターフェースを有する基地局に関する情報を除外し得る。
【０１７４】
別の例では、ソース基地局は、ネットワーク管理デバイスから構成情報を受信し得る。たとえば、ネットワーク管理デバイスは、運用、アドミニストレーション、および保守（Ｏｐｅｒａｔｉｏｎ  Ａｄｍｉｎｉｓｔｒａｔｉｏｎ  ａｎｄ  Ｍａｉｎｔｅｎａｎｃｅ、ＯＡＭ）デバイスである。任意選択で、構成情報は、ソース基地局への通信インターフェースをセットアップすることができる複数の基地局に関する情報を含むか、または構成情報は、ソース基地局への通信インターフェースをセットアップすることができない基地局に関する情報を含むか、または構成情報は、ソース基地局への通信インターフェースをセットアップすることができる複数の基地局に関する情報、およびソース基地局への通信インターフェースをセットアップすることができない基地局に関する情報を含む。
【０１７５】
上記の場合においてソース基地局への通信インターフェースをセットアップすることができない基地局については、ソース基地局は、ソース基地局への通信インターフェースをセットアップすることができない基地局を、ソース基地局への通信インターフェースを有しない基地局として直接判定し得る。
【０１７６】
上記の場合においてソース基地局への通信インターフェースをセットアップすることができる基地局については、１つの方式では、ソース基地局は、基地局への通信インターフェースを１つずつセットアップすることを試みることがあり、通信インターフェースが正常にセットアップされた場合、それは、基地局がソース基地局への通信インターフェースを有することを示すか、または通信インターフェースがセットアップされることに失敗した場合、それは、基地局がソース基地局への通信インターフェースを有することを示す。代替として、別の方式では、ソース基地局は、ソース基地局への通信インターフェースを有する基地局に関する情報を記憶する。このようにして、ソース基地局は、ソース基地局への通信インターフェースをセットアップしなかった基地局を判定するために、ソース基地局への通信インターフェースをセットアップすることができる基地局に関する情報から、ソース基地局への通信インターフェースを有する基地局に関する情報を除外し得る。
【０１７７】
対応して、コアネットワークデバイスは、ソース基地局によって送られた第１のハンドオーバ要求を受信する。
【０１７８】
３０３．コアネットワークデバイスが、端末デバイスの現在のセッションに対応するネットワークスライスを判定する。
【０１７９】
第１のハンドオーバ要求が、端末デバイスの現在のセッションのセッション識別子、またはセッション識別子に対応するネットワークスライスの指示情報を含まない場合、コアネットワークデバイスは、第１のハンドオーバ要求中の端末デバイスの識別子に基づいて、端末デバイスの識別子に対応するセッション識別子について、端末デバイスの識別子と、ネットワークスライスのセッション識別子および指示情報との間の記憶された対応を探索し、発見されたセッション識別子に対応するネットワークスライスの指示情報について探索し得る。コアネットワークデバイスに記憶された対応は、端末デバイスの１つまたは複数の現在のセッションのセッション識別子、および対応するネットワークスライスの指示情報を含み得る。
【０１８０】
第１のハンドオーバ要求が、端末デバイスの現在のセッションのセッション識別子、およびセッション識別子に対応するネットワークスライスの指示情報を含む場合、コアネットワークデバイスは、端末デバイスの現在のセッション、およびセッションに対応するネットワークスライスを直接判定し得る。
【０１８１】
さらに、第１のハンドオーバ要求は、少なくとも１つの基地局に関する情報を含み得る。コアネットワークデバイスは、少なくとも１つの基地局に関する情報に基づいて、各基地局のサポートされるネットワークスライスに関する情報を判定する。ネットワークスライスに関する情報は、サポートされるネットワークスライスの指示情報を含む。特定の例では、少なくとも１つの基地局のうちのいずれか１つが第４の基地局として指名され、いずれかの現在のセッションが第１のセッションとして指名される。第４の基地局とコアネットワークデバイスとの間の通信インターフェースがある場合、およびコアネットワークデバイスが、第４の基地局の第１のサポートされるネットワークスライスに関する情報を取得した場合、コアネットワークデバイスは、第４の基地局の第１のサポートされるネットワークスライスの指示情報を直接判定し得るか、またはコアネットワークデバイスが、第４の基地局の第１のサポートされるネットワークスライスに関する情報を取得しなかった場合、コアネットワークデバイスは、第４の基地局から、第４の基地局の第１のサポートされるネットワークスライスの指示情報を取得し得る。さらに、コアネットワークデバイスは、第４の基地局の第１のサポートされるネットワークスライスの指示情報が、第１のセッションに対応する第２のネットワークスライスの指示情報を含むかどうかを判定し得る。第１のネットワークスライスの指示情報が第２のネットワークスライスの指示情報を含む場合、それは、第４の基地局が、第１のセッションに対応するネットワークスライスをサポートすることを示す。第１のネットワークスライスの指示情報が第２のネットワークスライスの指示情報を含まない場合、それは、第４の基地局が、第１のセッションに対応するネットワークスライスをサポートしないことを示す。このようにして、コアネットワークデバイスは、少なくとも１つの基地局が、現在のセッションに対応するネットワークスライスをサポートしている基地局を含むかどうかを判定し得る。
【０１８２】
次に、少なくとも１つの基地局の各々によってサポートされる第１のネットワークスライスの指示情報が、端末デバイスのいずれの現在のセッションに対応する第２のネットワークスライスの指示情報をも含まない場合、コアネットワークデバイスは、少なくとも１つの基地局が、端末デバイスのいずれの現在のセッションに対応するネットワークスライスをもサポートしないと判定してよく、コアネットワークデバイスは、図３のステップ３０６を実施し得る。コアネットワークデバイスが、ソース基地局に第１のハンドオーバ応答メッセージを送る。この場合、第１のハンドオーバ応答メッセージは第１のハンドオーバ失敗メッセージであることがあり、指示情報は第１の指示情報を含み、第１の指示情報は、端末デバイスのいずれの現在のセッションに対応するネットワークスライスも、少なくとも１つの基地局によってサポートされないことを示すために使用される。任意選択で、第１の指示情報は、情報要素（ｉｎｆｏｒｍａｔｉｏｎ  ｅｌｅｍｅｎｔ、ＩＥ）、フラグ（ｆｌａｇ）、原因値（ｃａｕｓｅ）などを使用することによって指示を与え得る。これは、本発明のこの実施形態では限定されない。たとえば、第１の指示情報は、プリセットされた第１の原因値であり、ソース基地局は、第１の原因値によって示される意味を取得している。
【０１８３】
代替として、少なくとも１つの基地局が、現在のセッションのうちのすべてまたはいくつかに対応するネットワークスライスをサポートする基地局を含む場合、コアネットワークデバイスは、現在のセッションのうちのすべてまたはいくつかに対応するネットワークスライスをサポートする基地局をターゲット基地局として判定し、図３のステップ３０４を実施する。コアネットワークデバイスが、ターゲット基地局に第２のハンドオーバ要求を送る。任意選択で、複数の基地局が、現在のセッションのうちのすべてまたはいくつかに対応するネットワークスライスをサポートする場合、コアネットワークデバイスは、現在のセッションのうちのすべてまたはいくつかに対応するネットワークスライスをサポートしている基地局の各々の現在のセッションに対応する、サポートされるネットワークスライスの量を判定し、現在のセッションに対応するネットワークスライスの最も大きい量をサポートしている基地局をターゲット基地局として判定し得る。
【０１８４】
３０４．コアネットワークデバイスが、ターゲット基地局に第２のハンドオーバ要求を送る。
【０１８５】
ターゲット基地局を判定した後に、コアネットワークデバイスは、ターゲット基地局に第２のハンドオーバ要求を送る。第２のハンドオーバ要求は、ターゲット基地局が確立するように要求されたセッションに対応するセッション識別子、およびセッション識別子に対応する第３のネットワークスライスの指示情報を含む。ターゲット基地局が現在のセッションのうちのいくつかをサポートする場合、第２のハンドオーバ要求は、ターゲット基地局によってサポートされないセッションに対応する情報を含むことが不要であり得る。これは、送信される情報量を低減し、送信効率を改善する。
【０１８６】
たとえば、端末デバイスの現在のセッションは、第１のセッション、第２のセッション、第３のセッション、第４のセッション、および第５のセッションを含み、コアネットワークデバイスは、ターゲット基地局が、第１のセッション、第２のセッション、および第３のセッションにそれぞれ対応するネットワークスライスをサポートすると判定する。コアネットワークデバイスによって送られる第２のハンドオーバ要求は、第１のセッション、第２のセッション、および第３のセッションにそれぞれ対応するセッション識別子、ならびにそれらの３つのセッションに対応するネットワークスライスの指示情報を含み得る。
【０１８７】
３０５．ターゲット基地局が、コアネットワークデバイスに第２のハンドオーバ失敗メッセージを送る。
【０１８８】
ターゲット基地局は、コアネットワークデバイスから第２のハンドオーバ要求を受信し、ターゲット基地局が第２のハンドオーバ要求中のセッションを受け付けることができるかどうかを判定する。セッションのいずれもターゲット基地局によって受け付けられることが不可能である場合、図３のステップ３０５においてコアネットワークデバイスに送られる第２のハンドオーバ応答メッセージは、第２のハンドオーバ失敗メッセージ、たとえば、ハンドオーバ失敗であり得る。
【０１８９】
任意選択で、ターゲット基地局がセッションをサポートしない原因は、ネットワークスライスのために無線リソースが利用可能でないこと（ｒａｄｉｏ  ｒｅｓｏｕｒｃｅ  ｎｏｔ  ａｖａｉｌａｂｌｅ）、ネットワークスライスをサポートしているセルが利用可能でないこと（ｃｅｌｌ  ｎｏｔ  ａｖａｉｌａｂｌｅ）などを含み得る。ターゲット基地局のハンドオーバ失敗の特定の原因は、本発明のこの実施形態では限定されない。
【０１９０】
任意選択で、第２のハンドオーバ失敗メッセージは、第２のハンドオーバ要求中の各セッションに対応するハンドオーバ失敗原因情報を含む。たとえば、ハンドオーバの要求を有する第２のハンドオーバ要求中のセッションは、第１のセッション、第２のセッション、および第３のセッションである。第１のセッションおよび第２のセッションは、無線リソースが利用可能でないので、ターゲット基地局にハンドオーバされることが不可能であり、第３のセッションは、セルが利用可能でないので、ターゲット基地局にハンドオーバされることが不可能である。第２のハンドオーバ失敗メッセージは、無線リソースが利用可能でないという第１のセッションおよび第２のセッションのハンドオーバ失敗原因、ならびにセルが利用可能でないという第３のセッションのハンドオーバ失敗原因を含む。この場合、コアネットワークデバイスは、各セッションに対応するハンドオーバ失敗原因を判定し得る。
【０１９１】
３０６．コアネットワークデバイスが、ソース基地局に第１のハンドオーバ応答メッセージを送る。
【０１９２】
ステップ３０５が実施される場合、第１のハンドオーバ応答メッセージは第１のハンドオーバ失敗メッセージであり得る。たとえば、第１のハンドオーバ失敗メッセージはハンドオーバ準備失敗（ｈａｎｄｏｖｅｒ  ｐｒｅｐａｒａｔｉｏｎ  ｆａｉｌｕｒｅ）メッセージである。第１のハンドオーバ失敗メッセージは、第１の指示情報または第２の指示情報を含み得る。第１の指示情報は、端末デバイスのいずれかの現在のセッションに対応するネットワークスライスが、少なくとも１つの基地局によってサポートされないことを示すために使用される。現在のセッションは２つ以上のセッションである。現在のセッションは、セッションの第１の部分およびセッションの第２の部分を含む。第２の指示情報は、少なくとも１つの基地局が、セッションの第１の部分に対応するネットワークスライスをサポートする第２の基地局を含み、セッションの第２の部分に対応するネットワークスライスが第２の基地局によってサポートされず、セッションの第１の部分のハンドオーバが失敗することを示すために使用される。
【０１９３】
第１の任意選択の解決策では、端末デバイスのいずれの現在のセッションに対応するネットワークスライスも、少なくとも１つの基地局によってサポートされない場合、指示情報は第１の指示情報を含む。任意選択で、第１のハンドオーバ要求を受信した後に、コアネットワークデバイスが、第１のハンドオーバ要求中の少なくとも１つの基地局が端末デバイスのいずれの現在のセッションをもサポートしないと判定した場合、コアネットワークデバイスは、第１の指示情報を含む第１のハンドオーバ失敗メッセージを送る。
【０１９４】
第２の任意選択の解決策では、少なくとも１つの基地局の第１の基地局が、セッションの第１の部分に対応するネットワークスライスをサポートし、セッションの第１の部分のハンドオーバが失敗する場合、指示情報は、第１の指示情報または第２の指示情報を含む。任意選択で、第１のハンドオーバ要求を受信した後に、コアネットワークデバイスが、ステップ３０４を実施し、ターゲット基地局によって送られた第２のハンドオーバ失敗メッセージを受信した場合、コアネットワークデバイスは、第１の指示情報または第２の指示情報を含む第１のハンドオーバ失敗メッセージを送る。
【０１９５】
任意選択で、第１の指示情報および第２の指示情報は、情報要素（ｉｎｆｏｒｍａｔｉｏｎ  ｅｌｅｍｅｎｔ、ＩＥ）、フラグ（ｆｌａｇ）、原因値（ｃａｕｓｅ）などを使用することによって指示を与え得る。これは、本発明のこの実施形態では限定されない。
【０１９６】
任意選択で、説明のための例として原因値を使用すると、第１の指示情報は、プリセットされた第１の原因値であることがあり、ソース基地局は、第１の原因値によって示される意味を取得している。これは、本発明のこの実施形態では限定されない。
【０１９７】
任意選択で、説明のための例として原因値を使用すると、第２の指示情報は、複数のプリセットされた原因値を含むことがある。たとえば、第１の基地局が、セッションの第２の部分に対応するネットワークスライスをサポートしないことは、第２の原因値に対応し、第１の基地局が、セッションの第１の部分に対応するネットワークスライスをサポートし、セッションの第１の部分のハンドオーバが失敗することは、ある原因値に対応することがあるか、またはハンドオーバ失敗原因に応じて異なる原因値に対応することがあり、たとえば、無線リソースが利用可能でないことは第３の原因値に対応し、セルが利用可能でないことは第４の原因値に対応する。第１の指示情報と第２の指示情報は異なる原因値に対応し、それにより、利便性が改善される。
【０１９８】
たとえば、端末デバイスの現在のセッションが、第１のセッション、第２のセッション、第３のセッション、第４のセッション、および第５のセッションを含むと仮定される。ターゲット基地局が第１のセッション、第２のセッション、および第３のセッションをサポートする場合、第１のセッションおよび第２のセッションのハンドオーバは、無線リソースが利用可能でないので失敗し、第３のセッションのハンドオーバは、セルが利用可能でないので失敗し、ターゲット基地局は、第４のセッションおよび第５のセッションをサポートせず、第１のセッションおよび第２のセッションに対応する第３の原因値、第２のセッションに対応する第４の原因値、ならびに第４のセッションおよび第５のセッションに対応する第２の原因値がフィードバックされる。少なくとも１つの基地局が、いずれのセッションに対応するネットワークスライスをもサポートしない場合、第１の原因値がフィードバックされる（セッション識別子はフィードバックされる必要がない）か、または任意選択で、第１のセッション、第２のセッション、第３のセッション、第４のセッション、および第５のセッションに対応する第２の原因値がフィードバックされる。これらの２つの方式の間で比較すると、第１の原因値を直接フィードバックすることが、送信される情報ビットの量を低減し、送信効率を改善することができる。
【０１９９】
任意選択で、第１のハンドオーバ失敗メッセージは、少なくとも１つの基地局のサポートされるネットワークスライスに関する情報をさらに含む。少なくとも１つの基地局が１つの基地局を含む場合、第１のハンドオーバ失敗メッセージは、１つの基地局のサポートされるネットワークスライスに関する情報を含むか、または少なくとも１つの基地局が複数の基地局を含む場合、第１のハンドオーバ失敗メッセージは、基地局のうちの１つ、いくつか、もしくはすべてのネットワークスライスに関する情報を含み得る。これは、ソース基地局が、基地局のサポートされるネットワークスライスに関する情報を取得し記憶するのを助ける。この場合、別のセッションのハンドオーバのシナリオにおいて、ソース基地局は、第１のハンドオーバ失敗メッセージを使用することによって取得された情報を参照してターゲット基地局を判定し得る。
【０２００】
任意選択で、第１のハンドオーバ失敗メッセージは、ソース基地局への通信インターフェースを有しない少なくとも１つの基地局のうちのすべてまたはいくつかの基地局のサポートされるネットワークスライスに関する情報をさらに含む。第１のハンドオーバ要求が、ソース基地局への通信インターフェースを有しない基地局の指示情報を含む場合、コアネットワークデバイスは、少なくとも１つの基地局のうちのどの基地局がソース基地局への通信インターフェースを有するか、およびどの基地局がソース基地局への通信インターフェースを有しないかを判定し得る。ソース基地局への通信インターフェースを有する基地局については、ソース基地局は、ソース基地局への通信インターフェースを有する基地局によってサポートされるネットワークスライスに関する情報を直接判定し得るので、フィードバックは必要とされない。ソース基地局への通信インターフェースを有しない基地局については、第１のハンドオーバ失敗メッセージを使用することによって、ソース基地局への通信インターフェースを有しない基地局のサポートされるネットワークスライスに関する情報がフィードバックされ、それにより、ソース基地局は、そのような基地局のサポートされるネットワークスライスに関する情報を判定する。
【０２０１】
さらに、任意選択で、少なくとも１つの基地局のうちのいずれか１つのサポートされるネットワークスライスに関する情報が、基地局と対話することによってコアネットワークデバイスによって取得され得る。たとえば、第５の基地局は、少なくとも１つの基地局のうちのいずれか１つである。コアネットワークデバイスは、第５の基地局に第３のメッセージを送る。第５の基地局は、コアネットワークデバイスに、第５の基地局のサポートされるネットワークスライスに関する情報を送る。第３のメッセージはネットワークスライス情報取得要求であり得る。別の例では、コアネットワークデバイスは、第５の基地局によって送られた第４のメッセージを受信する。第４のメッセージは、第５の基地局のサポートされるネットワークスライスに関する情報を含む。第４のメッセージは、通信インターフェースセットアップ要求、基地局構成更新メッセージなどであり得る。
【０２０２】
３０７．ソース基地局が、端末デバイスにＲＲＣ接続解放メッセージを送る。
【０２０３】
ステップ３０７は任意選択のステップである。コアネットワークデバイスによって送られた第１のハンドオーバ失敗メッセージを受信した後に、ソース基地局は、端末デバイスにＲＲＣ接続解放メッセージを送り、それにより、端末デバイスは、適時にＲＲＣ接続を解放して、後続の無線リンク失敗処理を回避し、シグナリングオーバーヘッドを低減する。
【０２０４】
次に、図４に示されている通信方法を参照すると、通信方法は、ステップ４０１からステップ４０７を含む。以下の詳細な説明を参照されたい。
【０２０５】
４０１．端末デバイスが、ソース基地局に測定報告を送る。
【０２０６】
４０２．ソース基地局が、コアネットワークデバイスに第１のハンドオーバ要求を送る。
【０２０７】
４０３．コアネットワークデバイスが、端末デバイスの現在のセッションに対応するネットワークスライスを判定する。
【０２０８】
４０４．コアネットワークデバイスが、ターゲット基地局に第２のハンドオーバ要求を送る。
【０２０９】
ステップ４０１からステップ４０４については、図３に示されている実施形態における、対応するステップ３０１から３０４の詳細な説明を参照されたい。詳細についてここで再び説明されない。
【０２１０】
４０５．ターゲット基地局が、コアネットワークデバイスに第２のハンドオーバ要求肯定応答メッセージを送る。
【０２１１】
ターゲット基地局は、コアネットワークデバイスから第２のハンドオーバ要求を受信する。ターゲット基地局が第２のハンドオーバ要求中のセッションを受け付けることができるとターゲット基地局が判定した場合、ターゲット基地局は、コアネットワークデバイスに第２のハンドオーバ要求肯定応答メッセージを送る。たとえば、第２のハンドオーバ要求肯定応答メッセージはハンドオーバ要求肯定応答であり、第２のハンドオーバ要求肯定応答メッセージは、ターゲット基地局によって受け付けられたセッションに対応するセッション識別子を含む。
【０２１２】
任意選択で、第２のハンドオーバ要求肯定応答メッセージは、ターゲット基地局によって受け付けられたセッションのセッション識別子に対応するネットワークスライスの指示情報をさらに含み得る。これは、本発明のこの実施形態では限定されない。
【０２１３】
コアネットワークデバイスが確立するように要求され、第２のハンドオーバ要求中にあるセッションは、ターゲット基地局によって受け付けられたセッションと同じであるかまたは異なり得ることに留意されたい。ターゲット基地局が、各要求されたセッションに対応するネットワークスライスをサポートすることができる場合、第２のハンドオーバ要求のセッション識別子は、第２のハンドオーバ要求肯定応答メッセージのセッション識別子と同じである。ターゲット基地局が、要求されたセッションのうちのいくつかに対応するネットワークスライスをサポートすることができる場合、第２のハンドオーバ要求のセッション識別子の量は、第２のハンドオーバ要求肯定応答メッセージのセッション識別子のそれよりも大きい。
【０２１４】
さらに、任意選択で、第２のハンドオーバ要求肯定応答メッセージは、第２のハンドオーバ要求のセッション識別子、およびセッション識別子によって示されるセッションがセットアップされないと判定されたことに対応する原因情報を示し得る。たとえば、第２のハンドオーバ要求は、セッションに対応するセッション識別子であって、セッションが確立されないと判定された、セッション識別子と、セッション識別子に対応する原因情報とを含み得る。
【０２１５】
４０６．コアネットワークデバイスが、ソース基地局に第１のハンドオーバ応答メッセージを送る。
【０２１６】
コアネットワークデバイスが、ターゲット基地局によって送られた第２のハンドオーバ要求肯定応答メッセージを受信した後に、コアネットワークデバイスは、ソース基地局に第１のハンドオーバ応答メッセージを送る。第１のハンドオーバ応答メッセージは第１のハンドオーバ要求肯定応答メッセージである。たとえば、第１のハンドオーバ要求肯定応答メッセージはハンドオーバコマンド（ｈａｎｄｏｖｅｒ  ｃｏｍｍａｎｄ）であり得る。
【０２１７】
第１のハンドオーバ要求肯定応答メッセージは、ターゲット基地局によって受け付けられたセッションの第３の部分に対応するセッション識別子を含み、指示情報は第３の指示情報を含む。現在のセッションは２つ以上のセッションである。端末デバイスの現在のセッションは、セッションの第３の部分およびセッションの第４の部分を含む。第３の指示情報は、セッションの第４の部分に対応するネットワークスライスが、ターゲット基地局によってサポートされないことを示すために使用される。
【０２１８】
任意選択で、第３の指示情報は、ターゲット基地局が、セッションの第３の部分に対応するネットワークスライスをサポートすることを示すためにさらに使用される。
【０２１９】
任意選択で、現在のセッションがセッションの第５の部分をさらに含み、ターゲット基地局が、セッションの第５の部分に対応するネットワークスライスをサポートし、ハンドオーバが失敗する場合、第３の指示情報は、ターゲット基地局が、セッションの第５の部分に対応するネットワークスライスをサポートすること、およびハンドオーバが失敗することを示す原因情報を示すためにさらに使用される。
【０２２０】
たとえば、端末デバイスの現在のセッションが、第１のセッション、第２のセッション、第３のセッション、第４のセッション、および第５のセッションを含むと仮定される。ターゲット基地局が、第１のセッション、第２のセッション、および第３のセッションにそれぞれ対応するネットワークスライスをサポートし、ターゲット基地局が、第４のセッションおよび第５のセッションにそれぞれ対応するネットワークスライスをサポートしないと、コアネットワークデバイスが判定した場合、第２のハンドオーバ要求は、第１のセッション、第２のセッション、および第３のセッションにそれぞれ対応するセッション識別子を含む。コアネットワークデバイスによって受信された第２のハンドオーバ要求肯定応答メッセージは、第１のセッションのハンドオーバが、無線リソースが利用可能でないので、対応して失敗し、ターゲット基地局が、第２のセッションが受け付けられることが可能であると判定し、第３のセッションのハンドオーバが、セルが利用可能でないので、対応して失敗することを含む場合、コアネットワークデバイスは、ターゲット基地局が、第２のセッションに対応するネットワークスライスをサポートすると判定し、ターゲット基地局が第２のセッションを確立することができ、ターゲット基地局が、第４のセッションおよび第５のセッションに対応するネットワークスライスをサポートせず、第１のセッションのハンドオーバが、無線リソースが利用可能でないので、対応して失敗し、第３のセッションのハンドオーバが、セルが利用可能でないので、対応して失敗する、と判定する。
【０２２１】
この場合、第３の指示情報は、第１のセッション、第２のセッション、および第３のセッションに対応するネットワークスライスがサポートされること、ならびに／または第４のセッションおよび第５のセッションに対応するネットワークスライスがサポートされないことを含み得る。代替として、第３の指示情報は、第２のセッションに対応するネットワークスライスがサポートされること、第１のセッションおよび第３のセッションに対応するネットワークスライスがサポートされ、第１のセッションおよび第３のセッションのハンドオーバが失敗すること、ならびに／または第４のセッションおよび第５のセッションに対応するネットワークスライスがサポートされないことを含み得る。
【０２２２】
任意選択で、第３の指示情報は、ＩＥ、フラグ、原因などを使用することによって指示を与え得る。これは、本発明のこの実施形態では限定されない。
【０２２３】
任意選択で、第１のハンドオーバ応答メッセージは、ターゲット基地局によってサポートされるネットワークスライスのうちのすべてまたはいくつかに関する情報を含み、それにより、ソース基地局は、ターゲット基地局によってサポートされるネットワークスライスに関する情報を判定する。
【０２２４】
さらに、任意選択で、第１のハンドオーバ要求が、ターゲット基地局がソース基地局への通信インターフェースを有するかどうかを示す指示情報を含む場合、たとえば、少なくとも１つの基地局のうちの基地局Ａがソース基地局への通信インターフェースを有しない場合、第１のハンドオーバ要求は、基地局Ａに関する情報と、基地局Ａに関する情報に対応し、通信インターフェースがないことを示す指示情報とを含む。本発明のこの実施形態では、ターゲット基地局とソース基地局との間の通信インターフェースがない場合、第１のハンドオーバ応答メッセージは、ターゲット基地局によってサポートされるネットワークスライスに関する情報を含む。ターゲット基地局とソース基地局との間の通信インターフェースがある場合、ソース基地局およびターゲット基地局は、互いのサポートされるネットワークスライスに関する情報を直接交換することがあり、第１のハンドオーバ応答メッセージは、オーバーヘッドを低減するために、ターゲット基地局によってサポートされるネットワークスライスに関する情報を含まないことがある。
【０２２５】
４０７．ソース基地局が、端末デバイスにハンドオーバコマンドを送る。
【０２２６】
ソース基地局が、コアネットワークデバイスによって送られた第１のハンドオーバ応答メッセージを受信した後に、ソース基地局は、端末デバイスにハンドオーバコマンドを送る。端末デバイスは、ハンドオーバコマンドに従ってプロトコルスタックパラメータを構成し、ターゲット基地局に接続する。
【０２２７】
図３のステップ３０２または図４のステップ４０２における第１のハンドオーバ要求中にある、少なくとも１つの基地局に関する情報は、任意選択の方式で実装され得ることに留意されたい。
【０２２８】
第１の任意選択の方式では、第１のハンドオーバ要求は、１つの基地局に関する情報を含む。基地局を判定する方法については、Ａ１またはＡ２における詳細な説明を参照されたい。
【０２２９】
Ａ１．基地局とソース基地局との間に通信インターフェースがないことがある。
【０２３０】
任意選択で、ソース基地局は、測定報告、構成情報、および第３の基地局の近隣基地局に関する情報に基づいて、ソース基地局への通信インターフェースを有しない少なくとも１つの基地局を判定し、少なくとも１つの基地局から１つの基地局を選択し、第１のハンドオーバ要求中に含まれるべき１つの基地局に関する情報を判定し得る。
【０２３１】
Ａ２．基地局とソース基地局との間に通信インターフェースがあることがあり、基地局が、現在のセッションのうちのすべてまたはいくつかをサポートするが、サポートされるセッションのハンドオーバが失敗した。
【０２３２】
基地局とソース基地局との間に通信インターフェースがあるので、ソース基地局は、基地局のサポートされるネットワークスライスを取得し得る。基地局が、端末デバイスの現在のセッションに対応するネットワークスライスをサポートするとソース基地局が判定した場合、ソース基地局は、基地局に第３のハンドオーバ要求を直接送ることがあり、第３のハンドオーバ要求は、基地局のサポートされるネットワークスライスに対応するセッションをハンドオーバするように要求するために使用される。ソース基地局が、長い時間の間、基地局から、第３のハンドオーバ要求に対するハンドオーバ肯定応答メッセージまたは第３のハンドオーバ失敗メッセージを受信しなかった場合、ハンドオーバが失敗すると判定される。ソース基地局が基地局から第３のハンドオーバ失敗メッセージを受信した場合、ハンドオーバが失敗すると判定される。この場合、基地局が現在のセッションのうちのすべてまたはいくつかをサポートすることができるとソース基地局が判定したという前提条件の上でハンドオーバが失敗する場合、ソース基地局は、ハンドオーバを実施するようにコアネットワークデバイスに要求し得る。したがって、第１のハンドオーバ要求は、通信インターフェースを有するそのような基地局に関する情報を含み得る。
【０２３３】
第２の任意選択の方式では、第１のハンドオーバ要求は、複数の基地局に関する情報を含む。複数の基地局を判定する方法については、Ｂ１、Ｂ２、またはＢ３における詳細な説明を参照されたい。
【０２３４】
Ｂ１．複数の基地局の各々が、ソース基地局への通信インターフェースを有しない。
【０２３５】
Ｂ１の特定の実装については、Ａ１において説明された方法を参照されたい。Ｂ１とＡ１との間の違いは、異なる量の基地局にある。Ａ１では、ソース基地局への通信インターフェースを有しないただ１つの基地局が判定される。Ｂ１では、ソース基地局への通信インターフェースを有しない複数の基地局が判定される。本特許出願では、「複数」は少なくとも２つであり得る。
【０２３６】
Ｂ２．複数の基地局の各々が、ソース基地局への通信インターフェースを有し、各基地局が、現在のセッションに対応するネットワークスライスをサポートするが、サポートされるセッションのハンドオーバが失敗した。
【０２３７】
Ｂ２の特定の実装については、Ａ２において説明された方法を参照されたい。Ｂ２とＡ２との間の違いは、異なる量の基地局にある。Ａ２では、ただ１つの基地局が判定される。Ｂ２では、複数の基地局が判定される。
【０２３８】
Ｂ３．複数の基地局のうちのいくつかが、ソース基地局への通信インターフェースを有しない。他の基地局は、ソース基地局への通信インターフェースを有し、ソース基地局への通信インターフェースを有する基地局の各々は、現在のセッションのうちのいくつかに対応するネットワークスライスをサポートする。
【０２３９】
ソース基地局への通信インターフェースを有せず、Ｂ３の方法で判定される基地局については、Ａ１またはＢ１の方法で判定される基地局を参照されたい。Ｂ３の方法では、ソース基地局への通信インターフェースを有しない１つまたは複数の基地局があり得る。ソース基地局への通信インターフェースを有し、Ｂ３の方法で判定される基地局は、現在のセッションのうちのいくつかに対応するネットワークスライスをサポートする基地局を含む。ソース基地局への通信インターフェースを有する１つまたは複数の基地局があり得る。任意選択で、ソース基地局は、ソース基地局への通信インターフェースを有する基地局から、現在のセッションのうちのいくつかに対応するネットワークスライスをサポートする基地局を直接選択することがあるか、またはソース基地局は、Ａ２もしくはＢ２の方法に従って、現在のセッションのうちのいくつかに対応するネットワークスライスをサポートする基地局を判定することがあり、サポートされるセッションのハンドオーバが失敗する。
【０２４０】
第２の任意選択の方式では、複数の基地局に関する情報がリストの形式で送られ得る。たとえば、複数の基地局に関する情報が各基地局の基地局識別子である場合、第１のハンドオーバ要求はターゲット識別子リスト（ｔａｒｇｅｔ  ＩＤ  ｌｉｓｔ）を含む。基地局に関する情報が特に他の情報である場合、情報は、リストを使用することによって表されることもある。例はここで１つずつ列挙されない。もちろん、代替として、複数の基地局に関する情報は、リストの形式で送られるのではなく、別の形式で送られてよい。
【０２４１】
Ａ１またはＢ１の方式では、任意選択で、ソース基地局への通信インターフェースを有する基地局が端末デバイスのハンドオーバをサポートしない場合、基地局は、第１のハンドオーバ要求に、通信インターフェースを有しない基地局を追加することがあり、それにより、コアネットワークデバイスは、通信インターフェースを有しない基地局から、ターゲット基地局として、進行中のセッションのうちのすべてまたはいくつかに対応するネットワークスライスをサポートしている基地局を選択する。
【０２４２】
任意選択で、ソース基地局への通信インターフェースを有する基地局が端末デバイスのためのハンドオーバをサポートしない場合は、ソース基地局への通信インターフェースを有する基地局が、端末デバイスのいずれのセッションに対応するネットワークスライスをもサポートしないこと、またはソース基地局が、ソース基地局への通信インターフェースを有し端末デバイスのためのハンドオーバのチャネル条件を満たす基地局を発見しないこと、または別の場合を含む。これは、この実施形態では限定されない。
【０２４３】
Ａ１もしくはＢ１の方法では、またはＢ３の方法では、任意選択で、ソース基地局への通信インターフェースを有する基地局が、端末デバイスの現在のセッションのうちのいくつかまたはすべてに対応するネットワークスライスのみをサポートする場合、ソース基地局は、Ａ１もしくはＢ１の方法における第１のハンドオーバ要求に、ソース基地局への通信インターフェースを有しない基地局を追加することがあり、それにより、コアネットワークデバイスは、通信インターフェースを有しない基地局から、ターゲット基地局として、現在のセッションのうちのすべてもしくはいくつかに対応するネットワークスライスをサポートしている基地局を選択するか、またはソース基地局は、Ｂ３の方法で少なくとも１つの基地局を判定することがある。この場合、ソース基地局への通信インターフェースを有しない基地局が、いずれのセッションに対応するネットワークスライスをもサポートしないとコアネットワークデバイスが判定した場合、コアネットワークデバイスは、ソース基地局への通信インターフェースを有する基地局から基地局をさらに選択し、それにより、セッションハンドオーバ成功確率を改善し得る。代替として、別の場合がある。これは、この実施形態では限定されない。
【０２４４】
たとえば、５つの現在のセッションがあり、ソース基地局への通信インターフェースを有する基地局は、最大１つのセッションに対応するネットワークスライスをサポートする。この場合、Ａ１またはＢ１の方法では、ソース基地局は、第１のハンドオーバ要求に、ソース基地局への通信インターフェースを有しない基地局に関する情報を追加し得る。代替として、Ｂ３の方法では、ソース基地局は、第１のハンドオーバ要求に、１つのセッションに対応するネットワークスライスをサポートする基地局に関する情報、およびソース基地局への通信インターフェースを有しない基地局に関する情報を追加し得る。
【０２４５】
Ａ１もしくはＢ１の方法では、Ａ２もしくはＢ２の方法では、またはＢ３の方法では、任意選択で、ソース基地局への通信インターフェースを有する基地局は、現在のセッションのうちのいくつかまたはすべてに対応するネットワークスライスをサポートし、第１のハンドオーバ要求を送る前に、ソース基地局は、セッションのうちのいくつかまたはすべてに対応するネットワークスライスをサポートする基地局に第３のハンドオーバ要求を送る。ソース基地局がいずれのフィードバックメッセージをも受信しないかまたは第３のハンドオーバ失敗メッセージを受信した場合、ソース基地局は、Ａ１、Ｂ１、Ａ２、Ｂ２、またはＢ３の方法において、基地局に関し、第１のハンドオーバ要求中にある情報を判定し得る。代替として、別の場合がある。これは、この実施形態では限定されない。
【０２４６】
図３および図４の実施形態では、端末デバイスが現在のセッションをハンドオーバする必要がある場合、ソース基地局は、コアネットワークデバイスを使用することによって、少なくとも１つの基地局のうちの第１の基地局が、ハンドオーバ要求中のセッションに対応するネットワークスライスをサポートするかどうかを判定し得る。これは、ハンドオーバについての要求を必要としている別のセッションのための情報ヘルプを基地局に提供する。ソース基地局が、同じネットワークスライスのセッションをハンドオーバする必要があるとき、セッションが第１の基地局にハンドオーバされることが可能であるかが直接判定されることが可能であり、それにより、ハンドオーバ成功確率が改善される。
【０２４７】
図５を参照すると、本発明の一実施形態による別の通信方法が提供されている。通信方法に関係するアクセスネットワークデバイスが基地局である例が説明のために使用される。図５に示されているように、通信方法は、第１の基地局およびコアネットワークデバイスに関係する。以下の詳細な説明を参照されたい。
【０２４８】
５０１．第１の基地局が、コアネットワークデバイスに第１のメッセージを送り、第１のメッセージが、第２の基地局に関する情報、または第２の基地局が属するＴＡ／ＲＡの識別情報を含む。
【０２４９】
第１のメッセージは、第２の基地局のサポートされるネットワークスライスに関する情報を取得するために使用される。第２の基地局と第１の基地局との間の通信インターフェースはない。たとえば、基地局間の通信インターフェースはＸｎによって表される。
【０２５０】
第２の基地局が属するトラッキングエリア（ｔｒａｃｋｉｎｇ  ａｒｅａ、ＴＡ）または登録エリア（ｒｅｇｉｓｔｒａｔｉｏｎ  ａｒｅａ、ＲＡ）の識別情報は、第２の基地局が属するＴＡ／ＲＡを示し得るか、または第２の基地局の１つもしくは複数のセルが属するＴＡ／ＲＡを示し得る。
【０２５１】
第１の基地局と第２の基地局との間の通信インターフェースがない特定の場合については、図３に示されている実施形態における詳細な説明を参照されたい。詳細についてここで再び説明されない。
【０２５２】
加えて、第１の基地局への通信インターフェースを有しない第２の基地局に関する情報は、以下の３つの任意選択の方式で判定され得る。
【０２５３】
第１の任意選択の方式では、第１の基地局は、端末デバイスによって送られた測定報告を受信し、測定報告に基づいて、第２の基地局に関する情報、または第２の基地局が属するＴＡ／ＲＡの識別情報が取得される。特に、測定報告は、複数の基地局または複数のセルの測定報告値を含む。第１の基地局は、最初に、測定報告に基づいて、測定報告中にある基地局に関する情報、または第２の基地局が属するＴＡ／ＲＡの識別情報を判定する。たとえば、測定報告は、第２の基地局が属するＴＡ／ＲＡの識別情報を含む。
【０２５４】
第２の任意選択の方式では、第１の基地局は、第３の基地局から、第３の基地局の近隣基地局に関する情報を受信し、第３の基地局の近隣基地局に関する情報に基づいて、第２の基地局に関する情報、または第２の基地局が属するＴＡ／ＲＡの識別情報が取得される。第３の基地局の近隣基地局は、地理的ロケーションが第３の基地局のそれに近い基地局である。第３の基地局の近隣基地局と第３の基地局との間の距離は、本発明のこの実施形態では限定されない。
【０２５５】
第１の任意選択の方式または第２の任意選択の方式では、第１の基地局は、測定報告中の複数の基地局または第３の基地局の近隣基地局から、第１の基地局への通信インターフェースを有しない基地局を判定し得る。判定する任意選択の方式は以下の通りである。第１の基地局が、複数の基地局または第３の基地局の近隣基地局への通信インターフェースを１つずつセットアップすることを試み得る。通信インターフェースが正常にセットアップされた場合、それは、基地局がソース基地局への通信インターフェースを有することを示すか、または通信インターフェースがセットアップされることに失敗した場合、それは、基地局がソース基地局への通信インターフェースを有さないことを示す。代替として、判定する別の任意選択の方式は以下の通りである。第１の基地局が、第１の基地局への通信インターフェースを有する基地局に関する情報を記憶する。第１の基地局は、第１の基地局への通信インターフェースをセットアップしなかった基地局を判定するために、複数の基地局または第３の基地局の近隣基地局から、第１の基地局への通信インターフェースを有する基地局に関する情報をさらに除外し得る。
【０２５６】
第３の任意選択の方式では、第１の基地局は、ネットワーク管理デバイスから構成情報を受信する。構成情報は、ソース基地局への通信インターフェースをセットアップすることができる複数の基地局に関する情報、または基地局が属するＴＡ／ＲＡの識別情報のみを含む。代替として、構成情報は、ソース基地局への通信インターフェースをセットアップすることができない基地局に関する情報、または基地局が属するＴＡ／ＲＡの識別情報のみを含む。代替として、構成情報は、ソース基地局への通信インターフェースをセットアップすることができる複数の基地局に関する情報、または基地局が属するＴＡ／ＲＡの識別情報、およびソース基地局への通信インターフェースをセットアップすることができない基地局に関する情報、または基地局が属するＴＡ／ＲＡの識別情報を含む。
【０２５７】
上記の場合においてソース基地局への通信インターフェースをセットアップすることができない基地局については、ソース基地局は、ソース基地局への通信インターフェースをセットアップすることができない基地局を、ソース基地局への通信インターフェースを有しない基地局として直接判定し得る。上記の場合においてソース基地局への通信インターフェースをセットアップすることができる基地局については、１つの方式では、ソース基地局は、基地局への通信インターフェースを１つずつセットアップすることを試みることがあり、通信インターフェースが正常にセットアップされた場合、それは、基地局がソース基地局への通信インターフェースを有することを示すか、または通信インターフェースがセットアップされることに失敗した場合、それは、基地局がソース基地局への通信インターフェースを有さないことを示す。代替として、別の方式では、ソース基地局は、ソース基地局への通信インターフェースを有する基地局に関する情報を記憶する。このようにして、ソース基地局は、ソース基地局への通信インターフェースをセットアップしなかった基地局を判定するために、ソース基地局への通信インターフェースをセットアップすることができる基地局に関する情報から、ソース基地局への通信インターフェースを有する基地局に関する情報を除外し得る。
【０２５８】
対応して、コアネットワークデバイスは、第１の基地局によって送られた第１のメッセージを受信する。
【０２５９】
５０２．コアネットワークデバイスが、第１の基地局に第２のメッセージを送り、第２のメッセージが、第２の基地局のサポートされるネットワークスライスに関する情報、または第２の基地局が属するＴＡ／ＲＡのサポートされるネットワークスライスに関する情報を含む。
【０２６０】
第２の基地局、または第２の基地局が属するＴＡ／ＲＡのサポートされるネットワークスライスに関する情報は、第２の基地局に関する情報に基づいてコアネットワークデバイスによって取得される。たとえば、第２の基地局とコアネットワークデバイスとの間の通信インターフェースがある場合、コアネットワークデバイスは、第２の基地局に第２のメッセージを送ることがあり、第２のメッセージは、第２の基地局のサポートされるネットワークスライスに関する情報を取得するために使用され、それにより、第２の基地局は、コアネットワークデバイスに、第２の基地局のサポートされるネットワークスライスに関する情報をフィードバックする。別の例では、コアネットワークデバイスと第２の基地局との間の通信インターフェースをセットアップする処理において、第２の基地局は、コアネットワークデバイスに、第２の基地局のサポートされるネットワークスライスに関する情報を送る。別の例では、第２の基地局のサポートされるネットワークスライスに関する情報が変化したとき、第２の基地局は、コアネットワークデバイスに、第２の基地局のサポートされるネットワークスライスに関する情報を送る。別の例では、第２の基地局とコアネットワークデバイスとの間の通信インターフェースがない場合、コアネットワークデバイスは、最初に、第２の基地局への通信インターフェースをセットアップし、次いで、第２の基地局から、第２の基地局のサポートされるネットワークスライスに関する情報を取得し得る。
【０２６１】
対応して、第１の基地局は、コアネットワークデバイスから第２のメッセージを受信し、第２のメッセージは、第２の基地局のサポートされるネットワークスライスに関する情報、または第２の基地局が属するＴＡ／ＲＡのサポートされるネットワークスライスに関する情報を含む。
【０２６２】
第２の基地局が属するＴＡ／ＲＡのサポートされるネットワークスライスに関する情報は、第２の基地局が属するＴＡ／ＲＡの少なくとも１つのセルの識別子、および各セル識別子に対応する少なくとも１つのネットワークスライスの指示情報を含む。
【０２６３】
任意選択で、第１の基地局とコアネットワークデバイスとの間の通信インターフェースは、第１の基地局とコアネットワークデバイスとの間の直接通信インターフェースであり得るか、または別のネットワークデバイスによるフォワーディングを通して通信を実装する通信インターフェースであり得る。
【０２６４】
任意選択で、第１のメッセージは、第１の基地局によってコアネットワークデバイスに送られる何らかのメッセージであり得る。これは、本発明のこの実施形態では限定されない。
【０２６５】
任意選択で、第１の基地局とコアネットワークデバイスとの間の通信インターフェースはない。たとえば、基地局とコアネットワークデバイスとの間の通信インターフェースはＮ２によって表される。たとえば、第１の基地局によってコアネットワークデバイスに送られる第１のメッセージは、Ｎ２インターフェースセットアップ要求（Ｎ２  ｉｎｔｅｒｆａｃｅ  ｓｅｔｕｐ  ｒｅｑｕｅｓｔ）または基地局構成更新（ｇＮＢ  ｃｏｎｆｉｇｕｒａｔｉｏｎ  ｕｐｄａｔｅ）メッセージであり得る。第１の基地局は、コアネットワークデバイスからＮ２インターフェースセットアップ要求失敗（Ｎ２  ｉｎｔｅｒｆａｃｅ  ｓｅｔｕｐ  ｆａｉｌｕｒｅ）または基地局構成更新失敗（ＧＮＢ  ｃｏｎｆｉｇｕｒａｔｉｏｎ  ｕｐｄａｔｅ  ｆａｉｌｕｒｅ）メッセージを受信する。コアネットワークデバイスは、Ｎ２インターフェースセットアップ失敗メッセージまたは更新失敗メッセージを使用することによって、第２の基地局のサポートされるネットワークスライスに関する情報を送り得る。このようにして、セットアップ処理において、第１の基地局は、第２の基地局のサポートされるネットワークスライスに関する情報も取得して、ネットワークスライスに関する情報を取得するための別の対話を回避し、ネットワークスライスに関する情報を取得する速度を高め得る。別の例では、第１の基地局によってコアネットワークデバイスに送られる第１のメッセージはまた、Ｎ２インターフェースセットアップ要求または基地局構成更新メッセージである。第１の基地局は、コアネットワークデバイスからＮ２インターフェースセットアップ応答（Ｎ２  ｉｎｔｅｒｆａｃｅ  ｓｅｔｕｐ  ｒｅｓｐｏｎｓｅ）メッセージまたは基地局構成更新肯定応答（ＧＮＢ  ｃｏｎｆｉｇｕｒａｔｉｏｎ  ｕｐｄａｔｅ  ＡＣＫ）メッセージを受信する。コアネットワークデバイスは、Ｎ２インターフェースセットアップ応答または基地局構成更新肯定応答を使用することによって、第２の基地局のサポートされるネットワークスライスに関する情報を送り得る。このようにして、通信インターフェースがセットアップされることに失敗した場合でも、第１の基地局は、第２の基地局のサポートされるネットワークスライスに関する情報を取得して、ネットワークスライスに関する情報を取得する際の利便性を改善するのを助け得る。
【０２６６】
第１の基地局は、コアネットワークデバイスに基地局構成更新メッセージを送る。基地局構成更新メッセージは、コアネットワークデバイスから、第２の基地局によって現在サポートされるネットワークスライスに関する情報を取得して、第１の基地局において、第２の基地局のサポートされるネットワークスライスに関する記録を更新するために使用される。
【０２６７】
任意選択で、第１の基地局とコアネットワークデバイスとの間に通信インターフェースがある。たとえば、第１のメッセージは取得要求である。取得要求は、第２の基地局のサポートされるネットワークスライスに関する情報、または第２の基地局が属するＴＡ／ＲＡによってサポートされるネットワークスライスに関する情報を取得するために使用される。コアネットワークデバイスは、応答メッセージを使用することによって、第２の基地局のサポートされるネットワークスライスに関する情報、または第２の基地局が属するＴＡ／ＲＡによってサポートされるネットワークスライスに関する情報を送り得る。第１の基地局と第２の基地局との間の通信インターフェースはない。したがって、第１の基地局とコアネットワークデバイスとの間の通信インターフェースがセットアップされた後に、第２の基地局のサポートされるネットワークスライスに関する情報または第２の基地局が属するＴＡ／ＲＡによってサポートされるネットワークスライスに関する情報が更新された場合でも、第１の基地局は、コアネットワークデバイスから、第２の基地局のサポートされるネットワークスライスに関する情報または第２の基地局が属するＴＡ／ＲＡによってサポートされるネットワークスライスに関する情報を取得して、情報のリアルタイム品質を保証し得る。
【０２６８】
ステップ５０１とステップ５０２との間に特定の因果関係またはシーケンスはなく、たとえば、コアネットワークデバイスが、ステップ５０２の前に、第２の基地局のサポートされるネットワークスライスに関する情報または第２の基地局が属するＴＡ／ＲＡによってサポートされるネットワークスライスに関する情報を取得するとすれば、ステップ５０２は独立して実施され得ることを理解されたい。たとえば、第２の基地局のサポートされるネットワークスライスに関する情報または第２の基地局が属するＴＡ／ＲＡによってサポートされるネットワークスライスに関する情報が更新されることを取得した後に、コアネットワークデバイスは、ステップ５０２をアクティブに実施して、第２の基地局のサポートされるネットワークスライスに関する更新された情報または第２の基地局が属するＴＡ／ＲＡによってサポートされるネットワークスライスに関する更新された情報を第１の基地局に通知し得る。
【０２６９】
本発明のこの実施形態では、第１の基地局と第２の基地局との間に通信インターフェースがない場合、第１の基地局は、コアネットワークデバイスを使用することによって、第２の基地局のサポートされるネットワークスライスに関する情報、または第２の基地局が属するＴＡ／ＲＡによってサポートされるネットワークスライスに関する情報を入手し得る。これは、第１の基地局と第２の基地局との間に通信インターフェースがない場合、第１の基地局が、第２の基地局のサポートされるネットワークスライスに関する情報、または第２の基地局が属するＴＡ／ＲＡによってサポートされるネットワークスライスに関する情報を取得することが不可能であるという場合を避け、基地局のサポートされるネットワークスライスに関する情報を取得する際の利便性および効率を改善する。
【０２７０】
図６を参照すると、本発明の一実施形態による別の通信方法が提供されている。通信方法に関係するアクセスネットワークデバイスが基地局である例が説明のために使用される。図６に示されているように、通信方法は、第１の基地局および第２の基地局に関係する。以下の詳細な説明を参照されたい。
【０２７１】
６０１．第１の基地局が、第２の基地局に第１のメッセージを送り、第１のメッセージが、第１の基地局の近隣基地局のサポートされるネットワークスライスに関する情報を含む。
【０２７２】
この場合、第１のメッセージは、第１の基地局の近隣基地局のサポートされるネットワークスライスに関する情報を含み、それにより、より多くの基地局によってサポートされるネットワークスライスに関する情報が第２の基地局に提供されることが可能である。これは、第２の基地局によって、別の基地局のサポートされるネットワークスライスに関する情報を取得する際の利便性および効率を改善する。
【０２７３】
任意選択で、第１の基地局の近隣基地局は、地理的ロケーションが第１の基地局のそれに近い基地局である。第１の基地局の近隣基地局と第１の基地局との間の距離は、本発明のこの実施形態では限定されない。
【０２７４】
任意選択で、第１の基地局の近隣基地局は、第１の基地局への通信インターフェースを有する基地局を含み、および／または第１の基地局への通信インターフェースを有しない基地局を含み得る。
【０２７５】
任意選択で、第１の基地局と第２の基地局との間に通信インターフェースがあることがあるか、または通信インターフェースがないことがある。たとえば、基地局間の通信インターフェースはＸｎによって表される。第１の基地局と第２の基地局との間の通信インターフェースがないことの特定の説明については、図５に示されている実施形態におけるステップ５０１の詳細な説明を参照されたい。詳細についてここで再び説明されない。
【０２７６】
さらに、任意選択で、第１の基地局と第２の基地局との間に通信インターフェースがセットアップされた場合、第２の基地局は、通信インターフェースをセットアップした基地局のうちのいずれか１つであり得る。第１の基地局と第２の基地局との間の通信インターフェースがない場合、第２の基地局については、図５に示されている実施形態のステップ５０１における第２の基地局の詳細な説明を参照されたく、ここで、第２の基地局と第１の基地局との間に通信インターフェースがないと判定される。詳細についてここで再び説明されない。
【０２７７】
対応して、第２の基地局は、第１の基地局から第１のメッセージを受信する。第１のメッセージが、第１の基地局の近隣基地局のサポートされるネットワークスライスに関する情報を含むので、第２の基地局は、後で使用するために、第１の基地局の近隣基地局のサポートされるネットワークスライスに関する情報を記憶し得る。
【０２７８】
６０２．第２の基地局が、第１の基地局に第２のメッセージを送り、第２のメッセージが、第２の基地局のサポートされるネットワークスライスに関する情報を含む。
【０２７９】
任意選択で、第２のメッセージは、第２の基地局の近隣基地局のサポートされるネットワークスライスに関する情報をさらに含む。１つのシグナリング対話では、第２の基地局の近隣基地局のサポートされるネットワークスライスに関する情報が、第１の基地局にさらに送られる。これは、ネットワークスライスに関する情報を取得するための、第１の基地局と第２の基地局の近隣基地局との間で対話されるシグナリングを低減し、基地局のサポートされるネットワークスライスに関する情報を取得する際の利便性および効率を改善する。
【０２８０】
任意選択で、第２の基地局の近隣基地局は、地理的ロケーションが第２の基地局のそれに近い基地局である。第２の基地局の近隣基地局と第２の基地局との間の距離は、本発明のこの実施形態では限定されない。
【０２８１】
対応して、第１の基地局は、第２の基地局から第２のメッセージを受信し、後で使用するために、第２の基地局のサポートされるネットワークスライスに関し、第２のメッセージ中に含まれる情報を記憶する。任意選択で、第２のメッセージが、第２の基地局の近隣基地局のサポートされるネットワークスライスに関する情報をさらに含む場合、第１の基地局は、後で使用するために、第２の基地局の近隣基地局のサポートされるネットワークスライスに関する情報を記憶し得る。
【０２８２】
ステップ６０１およびステップ６０２において、任意選択で、第１のメッセージは、第１の基地局によって第２の基地局に送られる何らかのメッセージであることがあり、第２のメッセージは、第１のメッセージに対する何らかの応答メッセージであることがある。第１のメッセージおよび第２のメッセージは、本発明のこの実施形態では限定されない。
【０２８３】
任意選択で、第１の基地局と第２の基地局との間の通信インターフェースはない。たとえば、第１の基地局によって第２の基地局に送られる第１のメッセージは、Ｘｎインターフェースセットアップ要求（Ｘｎ  ｉｎｔｅｒｆａｃｅ  ｓｅｔｕｐ  ｒｅｑｕｅｓｔ）または基地局構成更新（ｇＮＢ  ｃｏｎｆｉｇｕｒａｔｉｏｎ  ｕｐｄａｔｅ）メッセージであることがあり、第２の基地局によって第１の基地局に送られる第２のメッセージは、Ｘｎインターフェースセットアップ失敗（Ｘｎ  ｉｎｔｅｒｆａｃｅ  ｓｅｔｕｐ  ｆａｉｌｕｒｅ）メッセージまたは基地局構成更新失敗（ｇＮＢ  ｃｏｎｆｉｇｕｒａｔｉｏｎ  ｕｐｄａｔｅ  ｆａｉｌｕｒｅ）メッセージであることがある。このようにして、セットアップ処理において、第１の基地局は、第２の基地局のサポートされるネットワークスライスに関する情報を取得することがあり、第２の基地局は、第１の基地局の近隣基地局のサポートされるネットワークスライスに関する情報を取得することがある。これは、複数の基地局のネットワークスライスに関する情報を取得するための対話の量を低減し、ネットワークスライスに関する情報を取得する速度を高める。別の例では、第１の基地局によって第２の基地局に送られる第１のメッセージはまた、Ｘｎインターフェースセットアップ要求または基地局構成更新メッセージであり、第２の基地局によって第１の基地局に送られる第２のメッセージは、Ｘｎインターフェースセットアップ応答（Ｘｎ  ｉｎｔｅｒｆａｃｅ  ｓｅｔｕｐ  ｒｅｓｐｏｎｓｅ）メッセージまたは基地局構成更新肯定応答（ｇＮＢ  ｃｏｎｆｉｇｕｒａｔｉｏｎ  ｒｅｑｕｅｓｔ  ＡＣＫ）メッセージであり得る。このようにして、通信インターフェースがセットアップされることが失敗した場合でも、第１の基地局は、第２の基地局のサポートされるネットワークスライスに関する情報を取得することがあり、第２の基地局は、第１の基地局の近隣基地局のサポートされるネットワークスライスに関する情報を取得することがある。これは、複数の基地局のネットワークスライスに関する情報を取得するための対話の量を低減し、ネットワークスライスに関する情報を取得する際の利便性を改善するのを助ける。
【０２８４】
任意選択で、第１の基地局と第２の基地局との間に通信インターフェースがある。たとえば、第１のメッセージは取得要求である。取得要求は、第２の基地局のサポートされるネットワークスライスに関する情報を取得するために使用される。第２のメッセージは、第２の基地局のサポートされるネットワークスライスに関する情報を送るための、応答メッセージであり得る。第１の基地局と第２の基地局との間の通信インターフェースはない。したがって、第１の基地局と第２の基地局との間の通信インターフェースがセットアップされた後に、第２の基地局のサポートされるネットワークスライスに関する情報または第１の基地局の近隣基地局によってサポートされるネットワークスライスに関する情報が更新された場合でも、第１の基地局は、第２の基地局を使用することによって、第２の基地局のサポートされるネットワークスライスに関する情報を取得することがあり、第２の基地局は、第１の基地局の近隣基地局のサポートされるネットワークスライスに関する情報を取得して、情報のリアルタイム品質を保証し得る。
【０２８５】
ステップ６０１とステップ６０２との間に特定の因果関係またはシーケンスはなく、たとえば、ステップ６０２の前に、第２の基地局のサポートされるネットワークスライスに関する情報が更新された後に、第２の基地局は、ステップ６０２をアクティブに実施して、第２の基地局の更新されたネットワークスライス情報を第１の基地局に通知し得るとすれば、ステップ６０２は独立して実施され得ることを理解されたい。
【０２８６】
本発明のこの実施形態では、第１の基地局と第２の基地局との間の１つのシグナリング対話において、第１の基地局の近隣基地局のサポートされるネットワークスライスに関する情報は、第２の基地局にさらに送られる。これは、ネットワークスライスに関する情報を取得するための、第２の基地局と第１の基地局の近隣基地局との間で対話されるシグナリングを低減し、基地局のサポートされるネットワークスライスに関する情報を取得する際の利便性および効率を改善する。
【０２８７】
図７を参照すると、本発明の一実施形による別の通信方法が提供されている。通信方法に関係するアクセスネットワークデバイスが基地局である例が説明のために使用される。図７に示されているように、通信方法は、第１の基地局および第２の基地局に関係する。以下の詳細な説明を参照されたい。
【０２８８】
７０１．第１の基地局が、第２の基地局に第１のメッセージを送る。
【０２８９】
第１のメッセージは、第２の基地局のサポートされるネットワークスライスに関する情報を取得するために使用される。
【０２９０】
任意選択で、第１のメッセージは、第１の基地局の近隣基地局のサポートされるネットワークスライスに関する情報を含む。この場合、１つのシグナリング対話では、第１の基地局の近隣基地局のサポートされるネットワークスライスに関する情報が、第２の基地局にさらに送られる。これは、ネットワークスライスに関する情報を取得するための、第２の基地局と第１の基地局の近隣基地局との間で対話されるシグナリングを低減し、基地局のサポートされるネットワークスライスに関する情報を取得する際の利便性および効率を改善する。
【０２９１】
任意選択で、第１の基地局の近隣基地局は、地理的ロケーションが第１の基地局のそれに近い基地局である。第１の基地局の近隣基地局と第１の基地局との間の距離は、本発明のこの実施形態では限定されない。
【０２９２】
さらに、任意選択で、第１の基地局の近隣基地局は、第１の基地局への通信インターフェースを有する基地局を含み、および／または第１の基地局への通信インターフェースを有しない基地局を含み得る。
【０２９３】
任意選択で、第１の基地局と第２の基地局との間に通信インターフェースがあることがあるか、または通信インターフェースがないことがある。たとえば、基地局間の通信インターフェースはＸｎによって表される。第１の基地局と第２の基地局との間の通信インターフェースがないことの特定の説明については、図５に示されている実施形態におけるステップ５０１の詳細な説明を参照されたい。詳細についてここで再び説明されない。
【０２９４】
さらに、任意選択で、第１の基地局と第２の基地局との間に通信インターフェースがセットアップされた場合、第２の基地局は、通信インターフェースをセットアップした基地局のうちのいずれか１つであり得る。第１の基地局と第２の基地局との間の通信インターフェースがない場合、第２の基地局については、図５に示されている実施形態のステップ５０１における第２の基地局の詳細な説明を参照されたく、ここで、第２の基地局と第１の基地局との間に通信インターフェースがないと判定される。詳細についてここで再び説明されない。
【０２９５】
対応して、第２の基地局は、第１の基地局から第１のメッセージを受信する。
【０２９６】
７０２．第２の基地局が、第１の基地局に第２のメッセージを送り、第２のメッセージが、第２の基地局のサポートされるネットワークスライスに関する情報、および第２の基地局の近隣基地局のサポートされるネットワークスライスに関する情報を含む。
【０２９７】
任意選択で、第２の基地局の近隣基地局は、地理的ロケーションが第２の基地局のそれに近い基地局である。第２の基地局の近隣基地局と第２の基地局との間の距離は、本発明のこの実施形態では限定されない。
【０２９８】
対応して、第１の基地局は、第２の基地局から第２のメッセージを受信し、後で使用するために、第２の基地局のサポートされるネットワークスライスに関する情報、および第２の基地局の近隣基地局のサポートされるネットワークスライスに関する情報を記憶し、情報は第２のメッセージ中に含まれている。
【０２９９】
ステップ７０１およびステップ７０２において、任意選択で、第１のメッセージは、第１の基地局によって第２の基地局に送られる何らかのメッセージであることがあり、第２のメッセージは、第１のメッセージに対する何らかの応答メッセージであることがある。第１のメッセージおよび第２のメッセージは、本発明のこの実施形態では限定されない。詳細については、図６に示されている実施形態における第１のメッセージおよび第２のメッセージの任意選択の形式の詳細な説明を参照されたい。詳細についてここで再び説明されない。図７に示されている実施形態における第１のメッセージと、図６に示されている実施形態における第１のメッセージとの間の違い、および図７に示されている実施形態における第２のメッセージと、図６に示されている実施形態における第２のメッセージとの間の違いは、含まれる情報が異なることである。
【０３００】
ステップ７０１とステップ７０２との間に特定の因果関係またはシーケンスはなく、たとえば、ステップ７０１の前に、第２の基地局のサポートされるネットワークスライスに関する情報、または第２の基地局の近隣基地局のサポートされるネットワークスライスに関する情報が更新された後に、第２の基地局は、ステップ７０２をアクティブに実施して、第２の基地局の更新されたネットワークスライス情報、または第２の基地局の近隣基地局のサポートされるネットワークスライスに関する更新された情報を第１の基地局に通知し得るとすれば、ステップ７０２は独立して実施され得ることを理解されたい。
【０３０１】
本発明のこの実施形態では、第１の基地局と第２の基地局との間の１つのシグナリング対話において、第２の基地局の近隣基地局のサポートされるネットワークスライスに関する情報は、第１の基地局にさらに送られる。これは、ネットワークスライスに関する情報を取得するための、第１の基地局と第２の基地局の近隣基地局との間で対話されるシグナリングを低減し、基地局のサポートされるネットワークスライスに関する情報を取得する際の利便性および効率を改善する。
【０３０２】
本特許出願では、異なる実施形態における第１のメッセージは、同じメッセージであり得るか、または異なるメッセージであり得る。これは、本出願では限定されない。
【０３０３】
図８は、本出願の一実施形態による基地局の概略構造図である。基地局は、図３または図４の実施形態を実装するように構成された、ソース基地局であり得る。図８に示されているように、ソース基地局は、
コアネットワークデバイスに第１のハンドオーバ要求を送るように構成された送信ユニット８０１であって、第１のハンドオーバ要求は、ソース基地局から少なくとも１つの基地局のうちのいずれか１つに端末の現在のセッションをハンドオーバするように要求するために使用され、第１のハンドオーバ要求は、少なくとも１つの基地局に関する情報を含む、送信ユニット８０１と、
コアネットワークデバイスから第１のハンドオーバ応答メッセージを受信するように構成された受信ユニット８０２と
を含む。
【０３０４】
任意選択で、第１のハンドオーバ応答メッセージは第１のハンドオーバ失敗メッセージであり、指示情報は第１の指示情報または第２の指示情報を含む。
【０３０５】
第１の指示情報は、端末デバイスのいずれかの現在のセッションに対応するネットワークスライスが、少なくとも１つの基地局によってサポートされないことを示すために使用される。
【０３０６】
現在のセッションは２つ以上のセッションである。現在のセッションは、セッションの第１の部分およびセッションの第２の部分を含む。第２の指示情報は、少なくとも１つの基地局が、セッションの第１の部分に対応するネットワークスライスをサポートする第２の基地局を含み、第２の部分セッションに対応するネットワークスライスが第２の基地局によってサポートされず、セッションの第１の部分のハンドオーバが失敗することを示すために使用される。
【０３０７】
任意選択で、第１のハンドオーバ失敗メッセージは、少なくとも１つの基地局のサポートされるネットワークスライスに関する情報をさらに含むか、
第１のハンドオーバ失敗メッセージは、ソース基地局への通信インターフェースを有しない少なくとも１つの基地局のうちのすべてまたはいくつかの基地局のサポートされるネットワークスライスに関する情報をさらに含む。
【０３０８】
任意選択で、現在のセッションは２つ以上のセッションであり、現在のセッションは、セッションの第３の部分およびセッションの第４の部分を含む。
【０３０９】
第１のハンドオーバ応答メッセージは第１のハンドオーバ要求肯定応答メッセージである。第１のハンドオーバ要求肯定応答メッセージは、ターゲット基地局によって受け付けられたセッションの第３の部分に対応するセッション識別子を含む。指示情報は第３の指示情報を含む。ターゲット基地局は、少なくとも１つの基地局のうちの、セッションの第３の部分に対応するネットワークスライスをサポートする基地局である。
【０３１０】
第３の指示情報は、セッションの第４の部分に対応するネットワークスライスが、ターゲット基地局によってサポートされないことを示すために使用される。
【０３１１】
任意選択で、第３の指示情報は、ターゲット基地局が、セッションの第３の部分に対応するネットワークスライスをサポートすることを示すためにさらに使用される。
【０３１２】
任意選択で、第１のハンドオーバ要求肯定応答メッセージは、ターゲット基地局によってサポートされるネットワークスライスに関する情報をさらに含む。
【０３１３】
任意選択で、少なくとも１つの基地局は、ソース基地局への通信インターフェースを有する基地局を含み、基地局への端末デバイス上の進行中のセッションのハンドオーバは失敗しているか、
少なくとも１つの基地局は、ソース基地局への通信インターフェースを有しない基地局を含むか、または
少なくとも１つの基地局は、ソース基地局への通信インターフェースを有しない基地局と、ソース基地局への通信インターフェースを有し、端末デバイス上の進行中のセッションのうちのいくつかに対応するネットワークスライスをサポートする基地局とを含む。
【０３１４】
任意選択で、少なくとも１つの基地局の各々に関する情報は、各基地局の基地局識別子、各基地局中に含まれる中央ユニットの識別子、各基地局中に含まれる分散ユニットの識別子、各基地局中に含まれる物理的セルの識別子、および各基地局中に含まれるセルのグローバル識別子のうちの少なくとも１つを含む。
【０３１５】
図８の基地局８００の機能ブロックの特定の実装および対応する有益な効果については、図３または図４の実施形態における詳細な説明を参照されたいことが理解されよう。詳細についてここで説明されない。
【０３１６】
本特許出願では、送信ユニットは送信機であることがあり、受信ユニットは受信機であることがある。
【０３１７】
図９は、本出願の一実施形態によるコアネットワークデバイスの概略構造図である。コアネットワークデバイスは、図３または図４の実施形態を実装するように構成される。図９に示されているように、コアネットワークデバイスは、
ソース基地局から第１のハンドオーバ要求を受信するように構成された受信ユニット９０１であって、第１のハンドオーバ要求は、ソース基地局から少なくとも１つの基地局のうちのいずれか１つに端末の現在のセッションをハンドオーバするように要求するために使用され、第１のハンドオーバ要求は、少なくとも１つの基地局に関する情報を含む、受信ユニット９０１と、
ソース基地局に第１のハンドオーバ応答メッセージを送るように構成された送信ユニット９０２と
を含む。
【０３１８】
任意選択で、第１のハンドオーバ応答メッセージは第１のハンドオーバ失敗メッセージであり、指示情報は第１の指示情報または第２の指示情報を含む。
【０３１９】
第１の指示情報は、端末デバイスのいずれかの現在のセッションに対応するネットワークスライスが、少なくとも１つの基地局によってサポートされないことを示すために使用される。
【０３２０】
第２の指示情報は、少なくとも１つの基地局が、セッションの第１の部分に対応するネットワークスライスをサポートする第２の基地局を含み、セッションの第２の部分に対応するネットワークスライスが第２の基地局によってサポートされず、セッションの第１の部分のハンドオーバが失敗することを示すために使用され、現在のセッションは、セッションの第１の部分およびセッションの第２の部分を含む。
【０３２１】
任意選択で、第１のハンドオーバ失敗メッセージは、少なくとも１つの基地局のサポートされるネットワークスライスに関する情報をさらに含むか、
第１のハンドオーバ失敗メッセージは、ソース基地局への通信インターフェースを有しない少なくとも１つの基地局のうちのすべてまたはいくつかの基地局のサポートされるネットワークスライスに関する情報をさらに含む。
【０３２２】
任意選択で、現在のセッションは２つ以上のセッションであり、現在のセッションは、セッションの第３の部分およびセッションの第４の部分を含む。
【０３２３】
第１のハンドオーバ応答メッセージは第１のハンドオーバ要求肯定応答メッセージである。第１のハンドオーバ要求肯定応答メッセージは、ターゲット基地局によって受け付けられたセッションの第３の部分に対応するセッション識別子を含む。指示情報は第３の指示情報を含む。ターゲット基地局は、少なくとも１つの基地局のうちの、セッションの第３の部分に対応するネットワークスライスをサポートする基地局である。
【０３２４】
第３の指示情報は、セッションの第４の部分に対応するネットワークスライスが、ターゲット基地局によってサポートされないことを示すために使用される。
【０３２５】
任意選択で、第３の指示情報は、ターゲット基地局が、セッションの第３の部分に対応するネットワークスライスをサポートすることを示すためにさらに使用される。
【０３２６】
任意選択で、第１のハンドオーバ要求肯定応答メッセージは、ターゲット基地局のサポートされるネットワークスライスに関する情報をさらに含む。
【０３２７】
任意選択で、端末デバイスのいずれの現在のセッションに対応するネットワークスライスも、少なくとも１つの基地局によってサポートされない場合、指示情報は第１の指示情報を含む。
【０３２８】
少なくとも１つの基地局のうちの第１の基地局が、セッションの第１の部分に対応するネットワークスライスをサポートし、セッションの第１の部分のハンドオーバが失敗する場合、指示情報は、第１の指示情報または第２の指示情報を含む。
【０３２９】
任意選択で、少なくとも１つの基地局は、ソース基地局への通信インターフェースを有する基地局を含み、基地局への端末デバイスの現在のセッションのハンドオーバは失敗しているか、
少なくとも１つの基地局は、ソース基地局への通信インターフェースを有しない基地局を含む。
【０３３０】
任意選択で、コアネットワークデバイスは、
少なくとも１つの基地局が、現在のセッションのうちのすべてまたはいくつかに対応するネットワークスライスをサポートする基地局を含む場合、現在のセッションのうちのすべてまたはいくつかに対応するネットワークスライスをサポートしている基地局をターゲット基地局として判定するように構成された第１の判定ユニット
をさらに含む。
【０３３１】
送信ユニット９０２は、ターゲット基地局に第２のハンドオーバ要求を送るようにさらに構成され、第２のハンドオーバ要求は、ターゲット基地局がセットアップするように要求されたセッションに対応するセッション識別子、およびセッション識別子に対応する第３のネットワークスライスの指示情報を含む。
【０３３２】
受信ユニット９０１は、ターゲット基地局から第２のハンドオーバ要求肯定応答メッセージを受信するようにさらに構成され、第２のハンドオーバ要求肯定応答メッセージは、ターゲット基地局によって受け付けられたセッションに対応するセッション識別子を含む。
【０３３３】
任意選択で、少なくとも１つの基地局は、ソース基地局への通信インターフェースを有しない基地局と、ソース基地局への通信インターフェースを有し、端末デバイスの現在のセッションのうちのいくつかに対応するネットワークスライスをサポートする基地局とを含む。
【０３３４】
任意選択で、コアネットワークデバイスは、
ソース基地局への通信インターフェースを有しない基地局が、いずれの現在のセッションに対応するネットワークスライスをもサポートしない場合、ソース基地局への通信インターフェースを有し、セッションのうちのいくつかに対応するネットワークスライスをサポートする基地局をターゲット基地局として判定するように構成された第２の判定ユニット
をさらに含む。
【０３３５】
送信ユニット９０２は、ターゲット基地局に第２のハンドオーバ要求を送るようにさらに構成され、第２のハンドオーバ要求は、ターゲット基地局がセットアップするように要求されたセッションに対応するセッション識別子、およびセッション識別子に対応する第３のネットワークスライスの指示情報を含む。
【０３３６】
受信ユニット９０１は、ターゲット基地局から第２のハンドオーバ要求肯定応答メッセージを受信するようにさらに構成され、第２のハンドオーバ要求肯定応答メッセージは、ターゲット基地局によって受け付けられたセッションに対応するセッション識別子を含む。
【０３３７】
任意選択で、コアネットワークデバイスは、
ソース基地局への通信インターフェースを有しない基地局が、現在のセッションのうちのすべてまたはいくつかに対応するネットワークスライスをサポートする場合、現在のセッションのうちのすべてまたはいくつかに対応するネットワークスライスをサポートしている基地局をターゲット基地局として判定するように構成された第３の判定ユニット
をさらに含む。
【０３３８】
送信ユニット９０２は、ターゲット基地局に第２のハンドオーバ要求を送るようにさらに構成され、第２のハンドオーバ要求は、ターゲット基地局がセットアップするように要求されたセッションに対応するセッション識別子、およびセッション識別子に対応する第３のネットワークスライスの指示情報を含む。
【０３３９】
受信ユニット９０１は、ターゲット基地局から第２のハンドオーバ要求肯定応答メッセージを受信するようにさらに構成され、第２のハンドオーバ要求肯定応答メッセージは、ターゲット基地局によって受け付けられたセッションに対応するセッション識別子を含む。
【０３４０】
任意選択で、複数の現在のセッションがある場合、現在のセッションのうちのすべてまたはいくつかに対応するネットワークスライスをサポートしている基地局をターゲット基地局として判定する態様では、第１の判定ユニットまたは第３の判定ユニットは、
現在のセッションのうちのすべてまたはいくつかに対応するネットワークスライスをサポートしている基地局の各々によってサポートされる現在のセッションに対応するネットワークスライスの量を判定し、
現在のセッションに対応するネットワークスライスの最も大きい量をサポートしている基地局をターゲット基地局として判定する
ように特に構成される。
【０３４１】
任意選択で、少なくとも１つの基地局の各々に関する情報は、各基地局の基地局識別子、各基地局の中央ユニットの識別子、各基地局の分散ユニットの識別子、各基地局の物理的セルの識別子、または各基地局のセルのグローバル識別子のうちの少なくとも１つを含む。
【０３４２】
図９のコアネットワークデバイス９００の機能ブロックの特定の実装および対応する有益な効果については、図３または図４の実施形態における詳細な説明を参照するものであることが理解され得る。詳細についてここで説明されない。
【０３４３】
本特許出願では、判定ユニットはプロセッサの形態で実装され得る。
【０３４４】
図１０は、本出願の一実施形態による基地局の概略構造図である。基地局は、図５の実施形態を実装するように構成された、第１の基地局であり得る。図１０に示されているように、基地局は、
コアネットワークデバイスに第１のメッセージを送るように構成された送信ユニット１００１であって、第１のメッセージは、第２の基地局のサポートされるネットワークスライスに関する情報、または第２の基地局が属するＴＡ／ＲＡの識別情報を取得するために使用され、第１のメッセージは、第２の基地局に関する情報を含む、送信ユニット１００１と、
コアネットワークデバイスから第２のメッセージを受信するように構成された受信ユニット１００２であって、第２のメッセージは、第２の基地局のサポートされるネットワークスライスに関する情報、または第２の基地局が属するＴＡ／ＲＡのサポートされるネットワークスライスに関する情報を含む、受信ユニット１００２と
を含む。
【０３４５】
第１の基地局と第２の基地局との間の通信インターフェースはない。
【０３４６】
任意選択で、受信ユニット１００２は、端末デバイスによって送られた測定報告を受信するようにさらに構成され、測定報告に基づいて、第２の基地局に関する情報、または第２の基地局が属するＴＡ／ＲＡの識別情報が取得される。
【０３４７】
代替として、受信ユニット１００２は、ネットワーク管理デバイスから構成情報を受信するようにさらに構成され、構成情報に基づいて、第２の基地局に関する情報、または第２の基地局が属するＴＡ／ＲＡの識別情報が取得される。
【０３４８】
代替として、受信ユニット１００２は、第３の基地局から、第３の基地局の近隣基地局に関する情報を受信するようにさらに構成され、第３の基地局の近隣基地局に関する情報に基づいて、第２の基地局に関する情報、または第２の基地局が属するＴＡ／ＲＡの識別情報が取得される。
【０３４９】
任意選択で、第２の基地局に関する情報は、第２の基地局の基地局識別子、第２の基地局の中央ユニットの識別子、第２の基地局の分散ユニットの識別子、第２の基地局の物理的セルの識別子、または第２の基地局のセルのグローバル識別子のうちの少なくとも１つを含む。
【０３５０】
任意選択で、第２の基地局のサポートされるネットワークスライスに関する情報は、第２の基地局の少なくとも１つのセルの識別子、および各セル識別子に対応する少なくとも１つのネットワークスライスの指示情報を含む。
【０３５１】
代替として、第２の基地局のサポートされるネットワークスライスに関する情報は、第２の基地局に関する情報、および第２の基地局に関する情報に対応する少なくとも１つのネットワークスライスの指示情報を含む。
【０３５２】
任意選択で、第２の基地局が属するＴＡ／ＲＡのサポートされるネットワークスライスに関する情報は、第２の基地局が属するＴＡ／ＲＡの少なくとも１つのセルの識別子、および各セル識別子に対応する少なくとも１つのネットワークスライスの指示情報を含む。
【０３５３】
任意選択で、少なくとも１つのネットワークスライスの各々の指示情報は、ネットワークスライス識別子、Ｓ−ＮＳＳＡＩ、またはＲ−ＮＳＳＡＩのうちの少なくとも１つを含む。
【０３５４】
図１０の基地局１０００の機能ブロックの特定の実装および対応する有益な効果については、図５の実施形態における詳細な説明を参照するものであることが理解され得る。詳細についてここで説明されない。
【０３５５】
図１１は、本出願の一実施形態によるコアネットワークデバイスの概略構造図である。コアネットワークデバイスは、図５の実施形態を実装するように構成される。図１１に示されているように、コアネットワークデバイスは、
第１の基地局から第１のメッセージを受信するように構成された受信ユニット１１００であって、第１のメッセージは、第２の基地局のサポートされるネットワークスライスに関する情報、または第２の基地局が属するＴＡ／ＲＡの識別情報を取得するために使用され、第１のメッセージは、第２の基地局に関する情報を含む、受信ユニット１１００と、
第１の基地局に第２のメッセージを送るように構成された送信ユニット１１０１であって、第２のメッセージは、第２の基地局のサポートされるネットワークスライスに関する情報、または第２の基地局が属するＴＡ／ＲＡのサポートされるネットワークスライスに関する情報を含む、送信ユニット１１０１と
を含む。
【０３５６】
任意選択で、第２の基地局のサポートされるネットワークスライスに関する情報は、第２の基地局に関する情報に基づいて取得される。
【０３５７】
任意選択で、第２の基地局が属するＴＡ／ＲＡのサポートされるネットワークスライスに関する情報は、第２の基地局が属するＴＡ／ＲＡに基づいて取得される。
【０３５８】
任意選択で、第２の基地局に関する情報は、第２の基地局の基地局識別子、第２の基地局の中央ユニットの識別子、第２の基地局の分散ユニットの識別子、第２の基地局の物理的セルの識別子、または第２の基地局のセルのグローバル識別子のうちの少なくとも１つを含む。
【０３５９】
任意選択で、第２の基地局のサポートされるネットワークスライスに関する情報は、第２の基地局の少なくとも１つのセルの識別子、および各セル識別子に対応する少なくとも１つのネットワークスライスの指示情報を含む。
【０３６０】
代替として、第２の基地局のサポートされるネットワークスライスに関する情報は、第２の基地局に関する情報、および第２の基地局に関する情報に対応する少なくとも１つのネットワークスライスの指示情報を含む。
【０３６１】
任意選択で、第２の基地局が属するＴＡ／ＲＡのサポートされるネットワークスライスに関する情報は、第２の基地局が属するＴＡ／ＲＡの少なくとも１つのセルの識別子、および各セル識別子に対応する少なくとも１つのネットワークスライスの指示情報を含む。
【０３６２】
任意選択で、少なくとも１つのネットワークスライスの各々の指示情報は、ネットワークスライス識別子、Ｓ−ＮＳＳＡＩ、またはＲ−ＮＳＳＡＩのうちの少なくとも１つを含む。
【０３６３】
図１１のコアネットワークデバイス１１００の機能ブロックの特定の実装および対応する有益な効果については、図５の実施形態における詳細な説明を参照するものであることが理解され得る。詳細についてここで説明されない。
【０３６４】
図１２は、本出願の一実施形態による基地局の概略構造図である。基地局は、図６の実施形態を実装するように構成された、第１の基地局であり得る。図１２に示されているように、基地局は、
第２の基地局に第１のメッセージを送るように構成された送信ユニット１２００であって、第１のメッセージは、第１の基地局の近隣基地局のサポートされるネットワークスライスに関する情報を含む、送信ユニット１２００と、
第２の基地局から第２のメッセージを受信するように構成された受信ユニット１２０１であって、第２のメッセージは、第２の基地局のサポートされるネットワークスライスに関する情報を含む、受信ユニット１２０１と
を含む。
【０３６５】
任意選択で、第２のメッセージは、第２の基地局の近隣基地局のサポートされるネットワークスライスに関する情報をさらに含む。
【０３６６】
任意選択で、第２の基地局のサポートされるネットワークスライスに関する情報は、第２の基地局の少なくとも１つのセルの識別子、および各セル識別子に対応する少なくとも１つのネットワークスライスの指示情報を含むか、または第２の基地局のサポートされるネットワークスライスに関する情報は、第２の基地局に関する情報、および第２の基地局に関する情報に対応する少なくとも１つのネットワークスライスの指示情報を含む。
【０３６７】
同様に、第１の基地局の近隣基地局のサポートされるネットワークスライスに関する情報は、近隣基地局の少なくとも１つのセルの識別子、および各セル識別子に対応する少なくとも１つのネットワークスライスの指示情報を含むか、または第１の基地局の近隣基地局のサポートされるネットワークスライスに関する情報は、近隣基地局に関する情報、および近隣基地局に関する情報に対応する少なくとも１つのネットワークスライスの指示情報を含む。
【０３６８】
任意選択で、少なくとも１つのネットワークスライスの各々の指示情報は、ネットワークスライス識別子、Ｓ−ＮＳＳＡＩ、またはＲ−ＮＳＳＡＩのうちの少なくとも１つを含む。
【０３６９】
図１２の基地局１２００の機能ブロックの特定の実装および対応する有益な効果については、図６の実施形態における詳細な説明を参照するものであることが理解され得る。詳細についてここで説明されない。
【０３７０】
図１３は、本出願の一実施形態による基地局の概略構造図である。基地局は、図６の実施形態を実装するように構成された、第２の基地局であり得る。図１３に示されているように、基地局は、
第１の基地局から第１のメッセージを受信するように構成された受信ユニット１３００であって、第１のメッセージは、第１の基地局の近隣基地局のサポートされるネットワークスライスに関する情報を含む、受信ユニット１３００と、
第１の基地局に第２のメッセージを送るように構成された送信ユニット１３０１であって、第２のメッセージは、第２の基地局のサポートされるネットワークスライスに関する情報を含む、送信ユニット１３０１と
を含む。
【０３７１】
任意選択で、第２のメッセージは、第２の基地局の近隣基地局のサポートされるネットワークスライスに関する情報をさらに含む。
【０３７２】
任意選択で、第２の基地局の近隣基地局のサポートされるネットワークスライスに関する情報は、第２の基地局の近隣基地局の少なくとも１つのセルの識別子、および各セル識別子に対応する少なくとも１つのネットワークスライスの指示情報を含むか、または第２の基地局の近隣基地局のサポートされるネットワークスライスに関する情報は、第２の基地局の近隣基地局に関する情報、および第２の基地局の近隣基地局に関する情報に対応する少なくとも１つのネットワークスライスの指示情報を含む。
【０３７３】
任意選択で、第２の基地局のサポートされるネットワークスライスに関する情報は、第２の基地局の少なくとも１つのセルの識別子、および各セル識別子に対応する少なくとも１つのネットワークスライスの指示情報を含むか、または第２の基地局のサポートされるネットワークスライスに関する情報は、第２の基地局に関する情報、および第２の基地局に関する情報に対応する少なくとも１つのネットワークスライスの指示情報を含む。
【０３７４】
同様に、第１の基地局の近隣基地局のサポートされるネットワークスライスに関する情報は、第１の基地局の近隣基地局の少なくとも１つのセルの識別子、および各セル識別子に対応する少なくとも１つのネットワークスライスの指示情報を含むか、または第１の基地局の近隣基地局のサポートされるネットワークスライスに関する情報は、第１の基地局の近隣基地局に関する情報、および第１の基地局の近隣基地局に関する情報に対応する少なくとも１つのネットワークスライスの指示情報を含む。
【０３７５】
任意選択で、少なくとも１つのネットワークスライスの各々の指示情報は、ネットワークスライス識別子、Ｓ−ＮＳＳＡＩ、またはＲ−ＮＳＳＡＩのうちの少なくとも１つを含む。
【０３７６】
図１３の基地局１３００の機能ブロックの特定の実装および対応する有益な効果については、図６の実施形態における詳細な説明を参照するものであることが理解され得る。詳細についてここで説明されない。
【０３７７】
図１４は、本出願の一実施形態による基地局の概略構造図である。基地局は、図７の実施形態を実装するように構成された、第１の基地局であり得る。図１４に示されているように、基地局は、
第２の基地局に第１のメッセージを送るように構成された送信ユニット１４０１であって、第１のメッセージは、第２の基地局のサポートされるネットワークスライスに関する情報、または第１の基地局の近隣基地局のサポートされるネットワークスライスに関する情報を取得するために使用される、送信ユニット１４０１と、
第２の基地局から第２のメッセージを受信するように構成された受信ユニット１４０２であって、第２のメッセージは、第２の基地局のサポートされるネットワークスライスに関する情報を含む、受信ユニット１４０２と
を含む。
【０３７８】
任意選択で、第２のメッセージは、第２の基地局の近隣基地局のサポートされるネットワークスライスに関する情報をさらに含む。
【０３７９】
任意選択で、第２の基地局の近隣基地局のサポートされるネットワークスライスに関する情報は、第２の基地局の近隣基地局の少なくとも１つのセルの識別子、および各セル識別子に対応する少なくとも１つのネットワークスライスの指示情報を含むか、または第２の基地局の近隣基地局のサポートされるネットワークスライスに関する情報は、第２の基地局の近隣基地局に関する情報、および第２の基地局の近隣基地局に関する情報に対応する少なくとも１つのネットワークスライスの指示情報を含む。
【０３８０】
任意選択で、第２の基地局のサポートされるネットワークスライスに関する情報は、第２の基地局の少なくとも１つのセルの識別子、および各セル識別子に対応する少なくとも１つのネットワークスライスの指示情報を含むか、または第２の基地局のサポートされるネットワークスライスに関する情報は、第２の基地局に関する情報、および第２の基地局に関する情報に対応する少なくとも１つのネットワークスライスの指示情報を含む。
【０３８１】
同様に、第１の基地局の近隣基地局のサポートされるネットワークスライスに関する情報は、第１の基地局の近隣基地局の少なくとも１つのセルの識別子、および各セル識別子に対応する少なくとも１つのネットワークスライスの指示情報を含むか、または第１の基地局の近隣基地局のサポートされるネットワークスライスに関する情報は、第１の基地局の近隣基地局に関する情報、および第１の基地局の近隣基地局に関する情報に対応する少なくとも１つのネットワークスライスの指示情報を含む。
【０３８２】
同様に、第２の基地局の近隣基地局のサポートされるネットワークスライスに関する情報は、第２の基地局の近隣基地局の少なくとも１つのセルの識別子、および各セル識別子に対応する少なくとも１つのネットワークスライスの指示情報を含むか、または第２の基地局の近隣基地局のサポートされるネットワークスライスに関する情報は、第２の基地局の近隣基地局に関する情報、および第２の基地局の近隣基地局に関する情報に対応する少なくとも１つのネットワークスライスの指示情報を含む。
【０３８３】
任意選択で、少なくとも１つのネットワークスライスの各々の指示情報は、ネットワークスライス識別子、Ｓ−ＮＳＳＡＩ、またはＲ−ＮＳＳＡＩのうちの少なくとも１つを含む。
【０３８４】
図１４の基地局１４００の機能ブロックの特定の実装および対応する有益な効果については、図７の実施形態における詳細な説明を参照するものであることが理解され得る。詳細についてここで説明されない。
【０３８５】
図１５は、本出願の一実施形態による基地局の概略構造図である。基地局は、図７の実施形態を実装するように構成された、第２の基地局であり得る。図１５に示されているように、基地局は、
第１の基地局から第１のメッセージを受信するように構成された受信ユニット１５０１であって、第１のメッセージは、第２の基地局のサポートされるネットワークスライスに関する情報、または第１の基地局の近隣基地局のサポートされるネットワークスライスに関する情報を取得するために使用される、受信ユニット１５０１と、
第１の基地局に第２のメッセージを送るように構成された送信ユニット１５０２であって、第２のメッセージは、第２の基地局のサポートされるネットワークスライスに関する情報を含む、送信ユニット１５０２と
を含む。
【０３８６】
任意選択で、第２のメッセージは、第２の基地局の近隣基地局のサポートされるネットワークスライスに関する情報をさらに含む。
【０３８７】
任意選択で、第２の基地局の近隣基地局のサポートされるネットワークスライスに関する情報は、第２の基地局の近隣基地局の少なくとも１つのセルの識別子、および各セル識別子に対応する少なくとも１つのネットワークスライスの指示情報を含むか、または第２の基地局の近隣基地局のサポートされるネットワークスライスに関する情報は、第２の基地局の近隣基地局に関する情報、および第２の基地局の近隣基地局に関する情報に対応する少なくとも１つのネットワークスライスの指示情報を含む。
【０３８８】
任意選択で、第２の基地局のサポートされるネットワークスライスに関する情報は、第２の基地局の少なくとも１つのセルの識別子、および各セル識別子に対応する少なくとも１つのネットワークスライスの指示情報を含むか、または第２の基地局のサポートされるネットワークスライスに関する情報は、第２の基地局に関する情報、および第２の基地局に関する情報に対応する少なくとも１つのネットワークスライスの指示情報を含む。
【０３８９】
同様に、第１の基地局の近隣基地局のサポートされるネットワークスライスに関する情報は、第１の基地局の近隣基地局の少なくとも１つのセルの識別子、および各セル識別子に対応する少なくとも１つのネットワークスライスの指示情報を含むか、または第１の基地局の近隣基地局のサポートされるネットワークスライスに関する情報は、第１の基地局の近隣基地局に関する情報、および第１の基地局の近隣基地局に関する情報に対応する少なくとも１つのネットワークスライスの指示情報を含む。
【０３９０】
同様に、第２の基地局の近隣基地局のサポートされるネットワークスライスに関する情報は、第２の基地局の近隣基地局の少なくとも１つのセルの識別子、および各セル識別子に対応する少なくとも１つのネットワークスライスの指示情報を含むか、または第２の基地局の近隣基地局のサポートされるネットワークスライスに関する情報は、第２の基地局の近隣基地局に関する情報、および第２の基地局の近隣基地局に関する情報に対応する少なくとも１つのネットワークスライスの指示情報を含む。
【０３９１】
任意選択で、少なくとも１つのネットワークスライスの各々の指示情報は、ネットワークスライス識別子、Ｓ−ＮＳＳＡＩ、またはＲ−ＮＳＳＡＩのうちの少なくとも１つを含む。
【０３９２】
図１５の基地局１５００中に含まれる機能ブロックの特定の実装および対応する有益な効果については、図７の実施形態における詳細な説明を参照するものであることが理解され得る。詳細についてここで説明されない。
【０３９３】
図８、図１０、図１２、図１３、図１４、または図１５に示されている実施形態における基地局は、図１６に示されている基地局１６００によって実装され得る。図１６は、本発明の一実施形態による別の基地局の概略構造図である。図１６に示されている基地局１６００は、プロセッサ１６０１およびトランシーバ１６０２を含む。トランシーバ１６０２は、基地局１６００と、コアネットワークデバイスまたは上記の実施形態中に含まれる別の基地局との間の情報送信をサポートするように構成される。プロセッサ１６０１とトランシーバ１６０２は、通信可能に接続され、たとえば、バスを使用することによって接続される。基地局１６００はメモリ１６０３をさらに含み得る。メモリ１６０３は、基地局１６００によって実行されるプログラムコードおよびデータを記憶するように構成される。プロセッサ１６０１は、メモリ１６０３に記憶されたアプリケーションプログラムコードを実行して、図３から図７に示されているいずれかの実施形態において提供される基地局のアクションを実施するように構成される。
【０３９４】
実際の適用例では、基地局は１つまたは複数のプロセッサを含み得ることに留意されたい。基地局８００の構造は、本出願のこの実施形態に対するいかなる限定ともならない。
【０３９５】
プロセッサ１６０１は、中央処理ユニット（ｃｅｎｔｒａｌ  ｐｒｏｃｅｓｓｉｎｇ  ｕｎｉｔ、ＣＰＵ）、ネットワークプロセッサ（ｎｅｔｗｏｒｋ  ｐｒｏｃｅｓｓｏｒ、ＮＰ）、ハードウェアチップ、またはそれらの任意の組合せであり得る。ハードウェアチップは、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、プログラマブル論理デバイス（ｐｒｏｇｒａｍｍａｂｌｅ  ｌｏｇｉｃ  ｄｅｖｉｃｅ、ＰＬＤ）、またはそれらの組合せであり得る。ＰＬＤは、複合プログラマブル論理デバイス（ｃｏｍｐｌｅｘ  ｐｒｏｇｒａｍｍａｂｌｅ  ｌｏｇｉｃ  ｄｅｖｉｃｅ、ＣＰＬＤ）、フィールドプログラマブルゲートアレイ（ｆｉｅｌｄ−ｐｒｏｇｒａｍｍａｂｌｅ  ｇａｔｅ  ａｒｒａｙ、ＦＰＧＡ）、汎用アレイ論理（ｇｅｎｅｒｉｃ  ａｒｒａｙ  ｌｏｇｉｃ、ＧＡＬ）、またはそれらの任意の組合せであり得る。
【０３９６】
メモリ１６０３は、ランダムアクセスメモリ（ｒａｎｄｏｍ  ａｃｃｅｓｓ  ｍｅｍｏｒｙ、ＲＡＭ）など、揮発性メモリ（ｖｏｌａｔｉｌｅ  ｍｅｍｏｒｙ）を含み得る。メモリ１６０３はまた、読取り専用メモリ（ｒｅａｄ−ｏｎｌｙ  ｍｅｍｏｒｙ、ＲＯＭ）、フラッシュメモリ（ｆｌａｓｈ  ｍｅｍｏｒｙ）、ハードディスクドライブ（ｈａｒｄ  ｄｉｓｋ  ｄｒｉｖｅ、ＨＤＤ）、またはソリッドステートドライブ（ｓｏｌｉｄ−ｓｔａｔｅ  ｄｒｉｖｅ、ＳＳＤ）など、不揮発性メモリ（ｎｏｎ−ｖｏｌａｔｉｌｅ  ｍｅｍｏｒｙ）を含み得る。メモリ１６０３は、上記のタイプのメモリの組合せをさらに含み得る。
【０３９７】
本発明の一実施形態は、図８、図１０、図１２、図１３、図１４、または図１５に示されている実施形態における基地局によって使用されるコンピュータソフトウェア命令を記憶するために使用され得るコンピュータ記憶媒体をさらに提供する。コンピュータソフトウェア命令は、上記の実施形態における基地局のために設計されたプログラムを含む。記憶媒体は、限定はされないが、フラッシュメモリ、ハードディスクドライブ、およびソリッドステートドライブを含む。
【０３９８】
本発明の一実施形態は、コンピュータプログラム製品をさらに提供する。コンピュータ製品がコンピューティングデバイスによって実行されたとき、図８、図１０、図１２、図１３、図１４、または図１５の実施形態における基地局のために設計された通信方法が実施されることが可能である。
【０３９９】
図９に示されている実施形態におけるコアネットワークデバイス９００、および図１１に示されている実施形態におけるコアネットワークデバイス１１００は、図１７に示されているコアネットワークデバイス１７００によって実装され得る。図１７は、本発明の一実施形態による別のコアネットワークデバイスの概略構造図である。図１７に示されているコアネットワークデバイス１７００は、プロセッサ１７０１およびトランシーバ１７０２を含む。トランシーバ１７０２は、コアネットワークデバイス１７００と、上記の実施形態中に含まれる基地局との間の情報送信をサポートするように構成される。プロセッサ１７０１とトランシーバ１７０２は、通信可能に接続され、たとえば、バスを使用することによって接続される。コアネットワークデバイス１７００はメモリ１７０３をさらに含み得る。メモリ１７０３は、コアネットワークデバイス１７００によって実行されるプログラムコードおよびデータを記憶するように構成される。プロセッサ１７０１は、メモリ１７０３に記憶されたアプリケーションプログラムコードを実行して、図３、図４、および図５に示されているいずれかの実施形態において提供されるコアネットワークデバイスのアクションを実施するように構成される。
【０４００】
実際の適用例では、コアネットワークデバイスは１つまたは複数のプロセッサを含み得ることに留意されたい。コアネットワークデバイス８００の構造は、本出願のこの実施形態に対するいかなる限定ともならない。
【０４０１】
プロセッサ１７０１は、ＣＰＵ、ＮＰ、ハードウェアチップ、またはそれらの任意の組合せであり得る。ハードウェアチップは、ＡＳＩＣ、ＰＬＤ、またはそれらの組合せであり得る。ＰＬＤは、ＣＰＬＤ、ＦＰＧＡ、ＧＡＬ、またはそれらの任意の組合せであり得る。
【０４０２】
メモリ１７０３は、ＲＡＭなどの揮発性メモリを含み得る。メモリ１７０３はまた、ＲＯＭ、フラッシュメモリ、ハードディスクドライブ、またはソリッドステートドライブなどの不揮発性メモリを含み得る。メモリ１７０３は、上記のタイプのメモリの組合せをさらに含み得る。
【０４０３】
本発明の一実施形態は、図９に示されている実施形態におけるコアネットワークデバイスによって使用されるコンピュータソフトウェア命令を記憶するように構成され得るコンピュータ記憶媒体をさらに提供する。コンピュータソフトウェア命令は、上記の実施形態におけるコアネットワークデバイスのために設計されたプログラムを含む。記憶媒体は、限定はされないが、フラッシュメモリ、ハードディスクドライブ、およびソリッドステートドライブを含む。
【０４０４】
本発明の一実施形態は、コンピュータプログラム製品をさらに提供する。コンピュータ製品がコンピューティングデバイスによって実行されたとき、図９の実施形態および図１１に示されている実施形態におけるコアネットワークデバイスのために設計された通信方法が実施されることが可能である。
【０４０５】
本出願の明細書、特許請求の範囲、および添付の図面では、「第１の」、「第２の」、「第３の」、「第４の」などの用語は、異なる対象物を区別することが意図されており、特定の順序を示さない。その上、「含む（including）」、「有する（having）」という用語、およびそれらのあらゆる他の変形は、非排他的な包含をカバーすることが意図されている。たとえば、一連のステップまたはユニットを含む、処理、方法、システム、製品、もしくはデバイスは、列挙されたステップもしくはユニットに限定されず、任意選択で、列挙されないステップもしくはユニットをさらに含むか、または任意選択で、それらの処理、方法、製品、もしくはデバイスの別の固有のステップもしくはユニットをさらに含む。
【０４０６】
当業者は、上記の処理のシーケンス番号が、本出願の様々な実施形態における実行シーケンスを意味しないことを理解され得る。処理の実行シーケンスは、処理の機能および内部論理に基づいて決定されるべきであり、本出願の実施形態の実装処理に対するいかなる限定としても解釈されるべきでない。
【０４０７】
上記の実施形態の全部または一部は、ソフトウェア、ハードウェア、ファームウェア、またはそれらの任意の組合せを使用することによって実装され得る。実施形態を実装するためにソフトウェアが使用されるとき、実施形態は、完全にまたは部分的にコンピュータプログラム製品の形態で実装され得る。コンピュータプログラム製品は、１つまたは複数のコンピュータ命令を含む。コンピュータプログラム命令がコンピュータ上にロードされ、実行されるとき、本発明の実施形態による手順または機能が、すべてまたは部分的に生成される。コンピュータは、汎用コンピュータ、専用コンピュータ、コンピュータネットワーク、または別のプログラマブル装置であり得る。コンピュータ命令は、コンピュータ可読記憶媒体に記憶され得るか、またはあるコンピュータ可読記憶媒体から別のコンピュータ可読記憶媒体に送信され得る。たとえば、コンピュータ命令は、ワイヤード（たとえば、同軸ケーブル、光ファイバー、もしくはデジタル加入者線（ＤＳＬ））方式またはワイヤレス（たとえば、赤外線、無線、もしくはマイクロ波）方式で、あるウェブサイト、コンピュータ、サーバ、またはデータセンターから、別のウェブサイト、コンピュータ、サーバ、またはデータセンターに送信され得る。コンピュータ可読記憶媒体は、１つまたは複数の使用可能な媒体を組み込んでいる、サーバまたはデータセンターなどのコンピュータまたはデータ記憶デバイスによってアクセス可能な任意の使用可能な媒体であり得る。使用可能な媒体は、磁気媒体（たとえば、フロッピーディスク、ハードディスク、または磁気テープ）、光学媒体（たとえば、ＤＶＤ）、半導体媒体（たとえば、ソリッドステートドライブＳｏｌｉｄ  Ｓｔａｔｅ  Ｄｒｉｖｅ（ＳＳＤ））などであり得る。
【０４０８】
当業者は、実施形態における方法の処理の全部または一部が、関連するハードウェアに命令するコンピュータプログラムによって実装され得ることを理解され得る。プログラムはコンピュータ可読記憶媒体に記憶され得る。プログラムが動作したとき、実施形態における方法の処理が実施される。記憶媒体は、磁気ディスク、光ディスク、読取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）などを含み得る。
【０４０９】
上記で開示されたことは、本発明の実施形態の例にすぎず、当然、本発明の特許請求の範囲を限定することは意図されていない。したがって、本発明の特許請求の範囲に従って行われた等価な変形は、本発明の範囲内に入るものである。
【図１】
2020509702.tif 000003
【図２】
2020509702.tif 000004
【図３】
2020509702.tif 000005
【図４】
2020509702.tif 000006
【図５】
2020509702.tif 000007
【図６】
2020509702.tif 000008
【図７】
2020509702.tif 000009
【図８】
2020509702.tif 000010
【図９】
2020509702.tif 000011
【図１０】
2020509702.tif 000012
【図１１】
2020509702.tif 000013
【図１２】
2020509702.tif 000014
【図１３】
2020509702.tif 000015
【図１４】
2020509702.tif 000016
【図１５】
2020509702.tif 000017
【図１６】
2020509702.tif 000018
【図１７】
2020509702.tif 000019
【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
ソースアクセスネットワークデバイスによって、コアネットワークデバイスに第１のハンドオーバ要求を送るステップであって、前記第１のハンドオーバ要求は、前記ソースアクセスネットワークデバイスから少なくとも１つのアクセスネットワークデバイスのうちのいずれか１つに端末デバイスの現在のセッションをハンドオーバするように要求するために使用され、少なくとも１つのアクセスネットワークデバイスのうちの前記いずれか１つはターゲットアクセスネットワークデバイスであり、前記第１のハンドオーバ要求は、前記ターゲットアクセスネットワークデバイスに関する情報を備える、ステップと、
前記ソースアクセスネットワークデバイスによって、前記コアネットワークデバイスから第１のハンドオーバ応答メッセージを受信するステップと
を備え、
前記第１のハンドオーバ応答メッセージは指示情報を備え、前記指示情報は、前記ターゲットアクセスネットワークデバイスが、前記端末デバイスの前記現在のセッションに対応するネットワークスライスをサポートするかどうかを示すために使用される、
通信方法。
【請求項２】
前記第１のハンドオーバ応答メッセージは第１のハンドオーバ失敗メッセージであり、前記指示情報は第１の指示情報または第２の指示情報を備え、
前記第１の指示情報は、前記端末デバイスのいずれかの現在のセッションに対応するネットワークスライスが、前記ターゲットアクセスネットワークデバイスによってサポートされないことを示すために使用されるか、または
前記現在のセッションは２つ以上のセッションであり、前記現在のセッションは、セッションの第１の部分およびセッションの第２の部分を備え、前記第２の指示情報は、前記ターゲットアクセスネットワークデバイスが、セッションの前記第１の部分に対応するネットワークスライスをサポートし、セッションの前記第２の部分に対応するネットワークスライスが前記ターゲットアクセスネットワークデバイスによってサポートされず、セッションの前記第１の部分のハンドオーバが失敗することを示すために使用される
請求項１に記載の方法。
【請求項３】
前記現在のセッションは２つ以上のセッションであり、前記現在のセッションは、セッションの第３の部分およびセッションの第４の部分を備え、
前記第１のハンドオーバ応答メッセージは第１のハンドオーバ要求肯定応答メッセージであり、前記第１のハンドオーバ要求肯定応答メッセージは、前記ターゲットアクセスネットワークデバイスによって受け付けられたセッションの前記第３の部分に対応するセッション識別子を備え、前記ターゲットアクセスネットワークデバイスは、セッションの前記第３の部分に対応するネットワークスライスをサポートし、
前記指示情報は第３の指示情報を備え、前記第３の指示情報は、セッションの前記第４の部分に対応するネットワークスライスが、前記ターゲットアクセスネットワークデバイスによってサポートされないことを示すために使用される
請求項１に記載の方法。
【請求項４】
前記ターゲットアクセスネットワークデバイスの各々に関する情報は、前記ターゲットアクセスネットワークデバイスのアクセスネットワークデバイス識別子、前記ターゲットアクセスネットワークデバイスの中央ユニットの識別子、前記ターゲットアクセスネットワークデバイスの分散ユニットの識別子、前記ターゲットアクセスネットワークデバイスの物理的セルの識別子、または前記ターゲットアクセスネットワークデバイスのセルのグローバル識別子のうちの少なくとも１つを備える請求項１乃至３のいずれか一項に記載の方法。
【請求項５】
コアネットワークデバイスによって、ソースアクセスネットワークデバイスから第１のハンドオーバ要求を受信するステップであって、前記第１のハンドオーバ要求は、前記ソースアクセスネットワークデバイスから少なくとも１つのアクセスネットワークデバイスのうちのいずれか１つに端末デバイスの現在のセッションをハンドオーバするように要求するために使用され、少なくとも１つのアクセスネットワークデバイスのうちの前記いずれか１つはターゲットアクセスネットワークデバイスであり、前記第１のハンドオーバ要求は、前記ターゲットアクセスネットワークデバイスに関する情報を備える、ステップと、
前記コアネットワークデバイスによって、前記ソースアクセスネットワークデバイスに第１のハンドオーバ応答メッセージを送るステップと
を備え、
前記第１のハンドオーバ応答メッセージは指示情報を備え、前記指示情報は、前記ターゲットアクセスネットワークデバイスが、前記端末デバイスの前記現在のセッションに対応するネットワークスライスをサポートするかどうかを示すために使用される、
通信方法。
【請求項６】
前記第１のハンドオーバ応答メッセージは第１のハンドオーバ失敗メッセージであり、前記指示情報は第１の指示情報または第２の指示情報を備え、
前記第１の指示情報は、前記端末デバイスのいずれかの現在のセッションに対応するネットワークスライスが、前記ターゲットアクセスネットワークデバイスによってサポートされないことを示すために使用されるか、または
前記現在のセッションは２つ以上のセッションであり、前記現在のセッションは、セッションの第１の部分およびセッションの第２の部分を備え、前記第２の指示情報は、前記ターゲットアクセスネットワークデバイスが、セッションの前記第１の部分に対応するネットワークスライスをサポートし、セッションの前記第２の部分に対応するネットワークスライスが前記ターゲットアクセスネットワークデバイスによってサポートされず、セッションの前記第１の部分のハンドオーバが失敗することを示すために使用される
請求項５に記載の方法。
【請求項７】
前記現在のセッションは２つ以上のセッションであり、前記現在のセッションは、セッションの第３の部分およびセッションの第４の部分を備え、
前記第１のハンドオーバ応答メッセージは第１のハンドオーバ要求肯定応答メッセージであり、前記第１のハンドオーバ要求肯定応答メッセージは、前記ターゲットアクセスネットワークデバイスによって受け付けられたセッションの前記第３の部分に対応するセッション識別子を備え、前記ターゲットアクセスネットワークデバイスは、セッションの前記第３の部分に対応するネットワークスライスをサポートし、
前記指示情報は第３の指示情報を備え、前記第３の指示情報は、セッションの前記第４の部分に対応するネットワークスライスが前記ターゲットアクセスネットワークデバイスによってサポートされないことを示すために使用される
請求項５に記載の方法。
【請求項８】
前記端末デバイスのいずれかの現在のセッションに対応するネットワークスライスが、前記ターゲットアクセスネットワークデバイスによってサポートされない場合、前記指示情報は前記第１の指示情報を備えるか、または
前記ターゲットアクセスネットワークデバイスが、セッションの前記第１の部分に対応する前記ネットワークスライスをサポートし、セッションの前記第１の部分の前記ハンドオーバが失敗する場合、前記指示情報は、前記第１の指示情報または前記第２の指示情報を備える
請求項６に記載の方法。
【請求項９】
前記コアネットワークデバイスによって、前記ターゲットアクセスネットワークデバイスに第２のハンドオーバ要求を送るステップであって、前記第２のハンドオーバ要求は、前記ターゲットアクセスネットワークデバイスがセットアップするように要求されたセッションに対応するセッション識別子、および前記セッション識別子に対応する第３のネットワークスライスの指示情報を備える、ステップと、
前記コアネットワークデバイスによって、前記ターゲットアクセスネットワークデバイスから第２のハンドオーバ要求肯定応答メッセージを受信するステップであって、前記第２のハンドオーバ要求肯定応答メッセージは、前記ターゲットアクセスネットワークデバイスによって受け付けられたセッションに対応するセッション識別子を備える、ステップと
をさらに備える請求項５に記載の方法。
【請求項１０】
前記コアネットワークデバイスによって、前記ターゲットアクセスネットワークデバイスに第２のハンドオーバ要求を送るステップであって、前記第２のハンドオーバ要求は、前記ターゲットアクセスネットワークデバイスがセットアップするように要求されたセッションに対応するセッション識別子、および前記セッション識別子に対応する第３のネットワークスライスの指示情報を備える、ステップと、
前記コアネットワークデバイスによって、前記ターゲットアクセスネットワークデバイスから第２のハンドオーバ要求肯定応答メッセージを受信するステップであって、前記第２のハンドオーバ要求肯定応答メッセージは、前記ターゲットアクセスネットワークデバイスによって受け付けられたセッションに対応するセッション識別子を備える、ステップと
をさらに備える請求項５に記載の方法。
【請求項１１】
アクセスネットワークデバイスであって、前記アクセスネットワークデバイスはソースアクセスネットワークデバイスであり、前記ソースアクセスネットワークデバイスは、
コアネットワークデバイスに第１のハンドオーバ要求を送るように構成された送信ユニットであって、前記第１のハンドオーバ要求は、前記ソースアクセスネットワークデバイスから少なくとも１つのアクセスネットワークデバイスのうちのいずれか１つに端末デバイスの現在のセッションをハンドオーバするように要求するために使用され、少なくとも１つのアクセスネットワークデバイスのうちの前記いずれか１つはターゲットアクセスネットワークデバイスであり、前記第１のハンドオーバ要求は、前記ターゲットアクセスネットワークデバイスに関する情報を備える、送信ユニットと、
前記コアネットワークデバイスから第１のハンドオーバ応答メッセージを受信するように構成された受信ユニットであって、前記第１のハンドオーバ応答メッセージは指示情報を備え、前記指示情報は、前記ターゲットアクセスネットワークデバイスが、前記端末デバイスの前記現在のセッションに対応するネットワークスライスをサポートするかどうかを示すために使用される、受信ユニットと
を備える、アクセスネットワークデバイス。
【請求項１２】
前記第１のハンドオーバ応答メッセージは第１のハンドオーバ失敗メッセージであり、前記指示情報は第１の指示情報または第２の指示情報を備え、
前記第１の指示情報は、前記端末デバイスのいずれかの現在のセッションに対応するネットワークスライスが、前記少なくとも１つのアクセスネットワークデバイスによってサポートされないことを示すために使用されるか、または
前記現在のセッションは２つ以上のセッションであり、前記現在のセッションは、セッションの第１の部分およびセッションの第２の部分を備え、前記第２の指示情報は、前記少なくとも１つのアクセスネットワークデバイスが、セッションの前記第１の部分に対応するネットワークスライスをサポートする第２のアクセスネットワークデバイスを備え、セッションの前記第２の部分に対応するネットワークスライスが前記第２のアクセスネットワークデバイスによってサポートされず、セッションの前記第１の部分のハンドオーバが失敗することを示すために使用される
請求項１１に記載のアクセスネットワークデバイス。
【請求項１３】
前記現在のセッションは２つ以上のセッションであり、前記現在のセッションは、セッションの第３の部分およびセッションの第４の部分を備え、
前記第１のハンドオーバ応答メッセージは第１のハンドオーバ要求肯定応答メッセージであり、前記第１のハンドオーバ要求肯定応答メッセージは、前記ターゲットアクセスネットワークデバイスによって受け付けられたセッションの前記第３の部分に対応するセッション識別子を備え、前記ターゲットアクセスネットワークデバイスは、セッションの前記第３の部分に対応するネットワークスライスをサポートし、
前記指示情報は第３の指示情報を備え、前記第３の指示情報は、セッションの前記第４の部分に対応するネットワークスライスが、前記ターゲットアクセスネットワークデバイスによってサポートされないことを示すために使用される
請求項１１に記載のアクセスネットワークデバイス。
【請求項１４】
前記端末デバイスのいずれかの現在のセッションに対応するネットワークスライスが前記ターゲットアクセスネットワークデバイスによってサポートされない場合、前記指示情報は前記第１の指示情報を備えるか、または
前記ターゲットアクセスネットワークデバイスが、セッションの前記第１の部分に対応する前記ネットワークスライスをサポートし、セッションの前記第１の部分の前記ハンドオーバが失敗する場合、前記指示情報は、前記第１の指示情報または前記第２の指示情報を備える
請求項１２に記載のアクセスネットワークデバイス。
【請求項１５】
ソースアクセスネットワークデバイスから第１のハンドオーバ要求を受信するように構成された受信ユニットであって、前記第１のハンドオーバ要求は、前記ソースアクセスネットワークデバイスから少なくとも１つのアクセスネットワークデバイスのうちのいずれか１つに端末デバイスの現在のセッションをハンドオーバするように要求するために使用され、少なくとも１つのアクセスネットワークデバイスのうちの前記いずれか１つはターゲットアクセスネットワークデバイスであり、前記第１のハンドオーバ要求は、前記ターゲットアクセスネットワークデバイスに関する情報を備える、受信ユニットと、
前記ソースアクセスネットワークデバイスに第１のハンドオーバ応答メッセージを送るように構成された送信ユニットであって、前記第１のハンドオーバ応答メッセージは指示情報を備え、前記指示情報は、前記ターゲットアクセスネットワークデバイスが、前記端末デバイスの前記現在のセッションに対応するネットワークスライスをサポートするかどうかを示すために使用される、送信ユニットと
を備える、コアネットワークデバイス。
【請求項１６】
前記第１のハンドオーバ応答メッセージは第１のハンドオーバ失敗メッセージであり、前記指示情報は第１の指示情報または第２の指示情報を備え、
前記第１の指示情報は、前記端末デバイスのいずれかの現在のセッションに対応するネットワークスライスが、前記少なくとも１つのアクセスネットワークデバイスによってサポートされないことを示すために使用されるか、または
前記現在のセッションは２つ以上のセッションであり、前記現在のセッションは、セッションの第１の部分およびセッションの第２の部分を備え、前記第２の指示情報は、前記少なくとも１つのアクセスネットワークデバイスが、セッションの前記第１の部分に対応するネットワークスライスをサポートする第２のアクセスネットワークデバイスを備え、セッションの前記第２の部分に対応するネットワークスライスが前記第２のアクセスネットワークデバイスによってサポートされず、セッションの前記第１の部分のハンドオーバが失敗することを示すために使用される
請求項１５に記載のコアネットワークデバイス。
【請求項１７】
前記現在のセッションは２つ以上のセッションであり、前記現在のセッションは、セッションの第３の部分およびセッションの第４の部分を備え、
前記第１のハンドオーバ応答メッセージは第１のハンドオーバ要求肯定応答メッセージであり、前記第１のハンドオーバ要求肯定応答メッセージは、前記ターゲットアクセスネットワークデバイスによって受け付けられたセッションの前記第３の部分に対応するセッション識別子を備え、前記ターゲットアクセスネットワークデバイスは、セッションの前記第３の部分に対応するネットワークスライスをサポートし、
前記指示情報は第３の指示情報を備え、前記第３の指示情報は、セッションの前記第４の部分に対応するネットワークスライスが、前記ターゲットアクセスネットワークデバイスによってサポートされないことを示すために使用される
請求項１５に記載のコアネットワークデバイス。
【請求項１８】
前記端末デバイスのいずれかの現在のセッションに対応するネットワークスライスが前記ターゲットアクセスネットワークデバイスによってサポートされない場合、前記指示情報は前記第１の指示情報を備えるか、または
前記ターゲットアクセスネットワークデバイスが、セッションの前記第１の部分に対応する前記ネットワークスライスをサポートし、セッションの前記第１の部分の前記ハンドオーバが失敗する場合、前記指示情報は、前記第１の指示情報または前記第２の指示情報を備える
請求項１６に記載のコアネットワークデバイス。
【請求項１９】
前記送信ユニットは、前記ターゲットアクセスネットワークデバイスに第２のハンドオーバ要求を送るようにさらに構成され、前記第２のハンドオーバ要求は、前記ターゲットアクセスネットワークデバイスがセットアップするように要求されたセッションに対応するセッション識別子、および前記セッション識別子に対応する第３のネットワークスライスの指示情報を備え、
前記受信ユニットは、前記ターゲットアクセスネットワークデバイスから第２のハンドオーバ要求肯定応答メッセージを受信するようにさらに構成され、前記第２のハンドオーバ要求肯定応答メッセージは、前記ターゲットアクセスネットワークデバイスによって受け付けられたセッションに対応するセッション識別子を備える
請求項１５乃至１８のいずれか一項に記載のコアネットワークデバイス。
【請求項２０】
コンピュータプログラムまたは命令を記憶するように構成されたコンピュータ可読記憶媒体であって、前記コンピュータプログラムまたは命令がプロセッサ上で動作するとき、請求項１乃至１０のいずれか一項に記載の方法が実施される、コンピュータ可読記憶媒体。
【手続補正２】
【補正対象書類名】明細書
【補正対象項目名】全文
【補正方法】変更
【補正の内容】
【発明の詳細な説明】
【技術分野】
【０００１】
本発明は、通信技術の分野に関し、詳細には、通信方法、アクセスネットワークデバイス、およびコアネットワークデバイスに関する。
【背景技術】
【０００２】
物理ネットワークは、ネットワークスライシング技術を使用することによって複数の仮想ネットワークに分割されることが可能である。仮想ネットワークは「ネットワークスライス（network slice）」と見なされる。ネットワークスライスは互いに依存しない。サービスシナリオの要件に基づいてネットワークスライスごとにネットワーク機能カスタマイゼーションおよび管理が実施される。端末デバイスは複数のセッションを有し、異なるセッションは、セッションに対応するネットワークスライスがサービスを提供することを要求し得る。この場合、端末デバイスがネットワークにアクセスし複数のセッションをセットアップする必要がある場合、端末デバイスに接続された基地局は、端末デバイスのセッションのうちのすべてまたはいくつかに対応するネットワークスライスをサポートする必要がある。
【０００３】
この場合、どのようにハンドオーバ成功確率を改善するが、考慮するに値する問題である。
【発明の概要】
【０００４】
本発明の実施形態において解決される技術的問題は、ハンドオーバ成功確率を改善するような、通信方法、アクセスネットワークデバイス、およびコアネットワークデバイスを提供することである。
【０００５】
第１の態様によれば、本発明の一実施形態は、
ソース基地局によって、コアネットワークデバイスに第１のハンドオーバ要求を送るステップであって、第１のハンドオーバ要求は、ソース基地局から少なくとも１つの基地局のうちのいずれか１つに端末の現在のセッションをハンドオーバするように要求するために使用され、第１のハンドオーバ要求は、少なくとも１つの基地局に関する情報を含む、ステップと、ソース基地局によって、コアネットワークデバイスから第１のハンドオーバ応答メッセージを受信するステップとを含む、通信方法を提供し、第１のハンドオーバ応答メッセージは指示情報を含み、指示情報は、少なくとも１つの基地局のうちの第１の基地局が、端末デバイスの現在のセッションに対応するネットワークスライスをサポートするかどうかを示すために使用される。
【０００６】
任意選択で、第１の基地局は、少なくとも１つの基地局のうちのいずれか１つであり得る。たとえば、第１の基地局は、ソース基地局への通信インターフェースを有しない基地局であるか、または第１の基地局は、現在のセッションのうちのいくつかもしくはすべてがそれにハンドオーバされるべき基地局である。
【０００７】
第１の態様では、端末デバイスが現在のセッションをハンドオーバする必要がある場合、ソース基地局は、コアネットワークデバイスを使用することによって、少なくとも１つの基地局のうちの第１の基地局が、ハンドオーバ要求中のセッションに対応するネットワークスライスをサポートするかどうかを判定し得る。これは、ハンドオーバについての要求を必要としている別のセッションのための情報ヘルプを基地局に提供する。ソース基地局が、同じネットワークスライスのセッションをハンドオーバする必要があるとき、セッションが第１の基地局にハンドオーバされることが可能であるかが直接判定されることが可能であり、それにより、ハンドオーバ成功確率が改善される。
【０００８】
任意選択の実装では、第１のハンドオーバ応答メッセージは第１のハンドオーバ失敗メッセージであり、指示情報は第１の指示情報または第２の指示情報を含み、
第１の指示情報は、端末デバイスのいずれかの現在のセッションに対応するネットワークスライスが、少なくとも１つの基地局によってサポートされないことを示すために使用されるか、または
現在のセッションは２つ以上のセッションであり、現在のセッションは、セッションの第１の部分およびセッションの第２の部分を備え、第２の指示情報は、少なくとも１つの基地局が、セッションの第１の部分に対応するネットワークスライスをサポートする第２の基地局を含み、第２の部分セッションに対応するネットワークスライスが第２の基地局によってサポートされず、セッションの第１の部分のハンドオーバが失敗することを示すために使用される。
【０００９】
したがって、ソース基地局は、第１の指示情報および第２の指示情報を使用することによって、ハンドオーバ準備失敗についての特定の原因情報と、少なくとも１つの基地局が、ハンドオーバ要求中のセッションに対応するネットワークスライスをサポートするかどうかとを判定し得る。これは、ハンドオーバについての要求を必要としている別のセッションのための情報ヘルプを基地局に提供し、ハンドオーバ成功確率を改善する。
【００１０】
任意選択で、第１のハンドオーバ失敗メッセージは、少なくとも１つの基地局のサポートされるネットワークスライスに関する情報をさらに含む。少なくとも１つの基地局が１つの基地局を含む場合、第１のハンドオーバ失敗メッセージは、１つの基地局のサポートされるネットワークスライスに関する情報を含むか、または少なくとも１つの基地局が複数の基地局を含む場合、第１のハンドオーバ失敗メッセージは、基地局のうちの１つ、いくつか、もしくはすべてのネットワークスライスに関する情報を含み得る。これは、ソース基地局が、基地局のサポートされるネットワークスライスに関する情報を取得し記憶するのを助け得る。この場合、別のセッションのハンドオーバのシナリオにおいて、ソース基地局は、ハンドオーバ準備メッセージを使用することによって取得された情報を参照してターゲット基地局を判定し得る。
【００１１】
代替として、第１のハンドオーバ失敗メッセージは、少なくとも１つの基地局のうちの、ソース基地局への通信インターフェースを有しない基地局のサポートされるネットワークスライスに関する情報をさらに含む。任意選択で、第１のハンドオーバ要求が、ソース基地局への通信インターフェースを有しない基地局の指示情報を含む場合、コアネットワークデバイスは、少なくとも１つの基地局のうちのどの基地局がソース基地局への通信インターフェースを有するか、およびどの基地局がソース基地局への通信インターフェースを有しないかを判定し得る。ソース基地局への通信インターフェースを有しない基地局については、第１のハンドオーバ失敗メッセージを使用することによって、ソース基地局への通信インターフェースを有しない基地局のうちのすべてまたはいくつかのサポートされるネットワークスライスに関する情報がフィードバックされ、それにより、ソース基地局は、そのような基地局のサポートされるネットワークスライスに関する情報を判定する。
【００１２】
任意選択の実装では、現在のセッションは、セッションの第３の部分およびセッションの第４の部分を含み、
第１のハンドオーバ応答メッセージは第１のハンドオーバ要求肯定応答メッセージであり、第１のハンドオーバ要求肯定応答メッセージは、ターゲット基地局によって受け付けられたセッションの第３の部分に対応するセッション識別子を含み、指示情報は第３の指示情報を含み、ターゲット基地局は、少なくとも１つの基地局のうちの、セッションの第３の部分に対応するネットワークスライスをサポートする基地局であり、第３の指示情報は、第４の部分セッションに対応するネットワークスライスがターゲット基地局によってサポートされないことを示すために使用される。任意選択で、第３の指示情報は、ターゲット基地局が、セッションの第３の部分に対応するネットワークスライスをサポートすることを示すためにさらに使用される。
【００１３】
任意選択で、第１のハンドオーバ要求肯定応答メッセージは、ターゲット基地局のサポートされるネットワークスライスに関する情報をさらに含む。
【００１４】
可能な実装では、第１のハンドオーバ要求は、ターゲット基地局がソース基地局への通信インターフェースを有するかどうかを示す指示情報をさらに含む。たとえば、少なくとも１つの基地局のうちの基地局Ａがソース基地局への通信インターフェースを有しない場合、第１のハンドオーバ要求は、基地局Ａに関する情報と、基地局Ａに関する情報に対応し、通信インターフェースがないことを示す指示情報とを含み、それにより、コアネットワークデバイスは、少なくとも１つの基地局がソース基地局に接続されているかどうかを判定し、少なくとも１つの基地局がソース基地局に接続されていない場合、接続されていない基地局のネットワークスライスに関する情報をソース基地局にフィードバックする。
【００１５】
可能な実装では、少なくとも１つの基地局は、ソース基地局への通信インターフェースを有する基地局を含み、基地局への端末デバイスの現在のセッションのハンドオーバは失敗している。たとえば、ソース基地局によって、コアネットワークデバイスに端末デバイスの第１のハンドオーバ要求を送るステップは、ソース基地局が、ソース基地局への接続をセットアップした基地局に端末デバイスの現在のセッションをハンドオーバすることを試み、ハンドオーバが失敗する場合、ソース基地局によって、コアネットワークデバイスに端末デバイスの第１のハンドオーバ要求を送るステップで特にあり得る。このようにして、ソース基地局への通信インターフェースを有する基地局については、ソース基地局がハンドオーバを実施し、ハンドオーバが失敗する場合、ハンドオーバは、コアネットワークデバイスを使用することによって実施され得る。ここには説明のための一例しかない。本発明のこの実施形態は、第１のハンドオーバ要求が、ソース基地局への通信インターフェースを有する基地局を含み、基地局への端末デバイスの現在のセッションのハンドオーバが失敗している、特定の場合に対して限定を課さない。
【００１６】
可能な実装では、少なくとも１つの基地局は、ソース基地局への通信インターフェースを有しない基地局を含む。
【００１７】
たとえば、ソース基地局によって、コアネットワークデバイスに端末デバイスの第１のハンドオーバ要求を送るステップは、ソース基地局への通信インターフェースを有する基地局が端末デバイスのためのハンドオーバをサポートしない場合、または端末デバイスの複数の現在のセッションがあり、ソース基地局への通信インターフェースを有する基地局が、現在のセッションのうちのいくつかもしくはすべてに対応するネットワークスライスをサポートする場合、またはソース基地局が、ソース基地局への接続をセットアップした基地局に端末デバイスの現在のセッションをハンドオーバすることを試み、ハンドオーバが失敗する場合、ソース基地局によって、コアネットワークデバイスに端末デバイスの第１のハンドオーバ要求を送るステップで特にあり得る。したがって、コアネットワークデバイスは、通信インターフェースを有しない基地局から、現在のセッションのうちのすべてまたはいくつかに対応するネットワークスライスをサポートしている基地局をターゲット基地局として選択する。
【００１８】
任意選択で、ソース基地局への通信インターフェースを有する基地局が端末デバイスのためのハンドオーバをサポートしない場合は、ソース基地局への通信インターフェースを有する基地局が、端末デバイスのいずれのセッションに対応するネットワークスライスをもサポートしないこと、またはソース基地局が、ソース基地局への通信インターフェースを有し端末デバイスのためのハンドオーバのチャネル条件を満たす基地局を発見しないことを含む。
【００１９】
ここには説明のための一例しかない。本発明のこの実施形態は、第１のハンドオーバ要求が、ソース基地局への通信インターフェースを有しない基地局を含む場合に対して限定を課さない。
【００２０】
可能な実装では、少なくとも１つの基地局は、ソース基地局への通信インターフェースを有しない基地局と、ソース基地局への通信インターフェースを有し、端末デバイスの現在のセッションのうちのいくつかに対応するネットワークスライスをサポートする基地局とを含む。
【００２１】
たとえば、ソース基地局によって、コアネットワークデバイスに端末デバイスの第１のハンドオーバ要求を送るステップは、端末デバイスの複数の現在のセッションがあり、ソース基地局への通信インターフェースを有する基地局が、現在のセッションのうちのいくつかに対応するネットワークスライスをサポートする場合、ソース基地局によって、コアネットワークデバイスに端末デバイスの第１のハンドオーバ要求を送るステップで特にあり得る。このようにして、ソース基地局への通信インターフェースを有しない基地局が、いずれのセッションに対応するネットワークスライスをもサポートしないとコアネットワークデバイスが判定した場合、コアネットワークデバイスは、ソース基地局への通信インターフェースを有する基地局から基地局をさらに選択し、それにより、ハンドオーバ成功確率を改善し得る。
【００２２】
ここには説明のための一例しかない。本発明のこの実施形態は、第１のハンドオーバ要求が、ソース基地局への通信インターフェースを有しない基地局と、ソース基地局への通信インターフェースを有し、端末デバイスの現在のセッションのうちのいくつかに対応するネットワークスライスをサポートする基地局とを含む場合に対して限定を課さない。
【００２３】
可能な実装では、少なくとも１つの基地局の各々に関する情報は、各基地局の基地局識別子、各基地局の中央ユニットの識別子、各基地局の分散ユニットの識別子、各基地局の物理的セルの識別子、または各基地局のセルのグローバル識別子のうちの少なくとも１つを含む。
【００２４】
可能な実装では、第１の指示情報、第２の指示情報、または第３の指示情報は、情報要素（ｉｎｆｏｒｍａｔｉｏｎ  ｅｌｅｍｅｎｔ、ＩＥ）、フラグ（ｆｌａｇ）、原因値（ｃａｕｓｅ）などを使用することによって指示を与え得る。これは、本発明のこの実施形態では限定されない。
【００２５】
第２の態様によれば、本発明の一実施形態は、
コアネットワークデバイスによって、ソース基地局から第１のハンドオーバ要求を受信するステップであって、第１のハンドオーバ要求は、ソース基地局から少なくとも１つの基地局のうちのいずれか１つに端末の現在のセッションをハンドオーバするように要求するために使用され、第１のハンドオーバ要求は、少なくとも１つの基地局に関する情報を含む、ステップと、コアネットワークデバイスによって、ソース基地局に第１のハンドオーバ応答メッセージを送るステップとを含む、通信方法を提供し、第１のハンドオーバ応答メッセージは指示情報を含み、指示情報は、少なくとも１つの基地局のうちの第１の基地局が、端末デバイスの現在のセッションに対応するネットワークスライスをサポートするかどうかを示すために使用される。
【００２６】
任意選択で、第１の基地局は、少なくとも１つの基地局のうちのいずれか１つであり得る。たとえば、第１の基地局は、ソース基地局への通信インターフェースを有しない基地局であるか、または第１の基地局は、現在のセッションのうちのいくつかもしくはすべてがそれにハンドオーバされるべき基地局である。
【００２７】
第２の態様では、端末デバイスが現在のセッションをハンドオーバする必要がある場合、コアネットワークデバイスは、少なくとも１つの基地局のうちの第１の基地局が、ハンドオーバ要求中のセッションに対応するネットワークスライスをサポートするかどうかを判定した結果をソース基地局に送り得る。これは、ハンドオーバについての要求を必要としている別のセッションのための情報ヘルプを基地局に提供する。ソース基地局が、同じネットワークスライスのセッションをハンドオーバする必要があるとき、セッションが第１の基地局にハンドオーバされることが可能であるかが直接判定されることが可能であり、それにより、ハンドオーバ成功確率が改善される。
【００２８】
任意選択の実装では、第１のハンドオーバ応答メッセージは第１のハンドオーバ失敗メッセージであり、指示情報は第１の指示情報または第２の指示情報を含み、
第１の指示情報は、端末デバイスのいずれかの現在のセッションに対応するネットワークスライスが、少なくとも１つの基地局によってサポートされないことを示すために使用されるか、または
現在のセッションは２つ以上のセッションであり、現在のセッションは、セッションの第１の部分およびセッションの第２の部分を備え、第２の指示情報は、少なくとも１つの基地局が、セッションの第１の部分に対応するネットワークスライスをサポートする第２の基地局を含み、第２の部分セッションに対応するネットワークスライスが第２の基地局によってサポートされず、セッションの第１の部分のハンドオーバが失敗する
ことを示すために使用される。
【００２９】
したがって、ソース基地局は、第１の指示情報および第２の指示情報を使用することによって、ハンドオーバ準備失敗の特定の原因情報と、少なくとも１つの基地局が、ハンドオーバ要求中のセッションに対応するネットワークスライスをサポートするかどうかとを判定し得る。これは、ハンドオーバについての要求を必要としている別のセッションのための情報ヘルプを基地局に提供し、ハンドオーバ成功確率を改善する。
【００３０】
任意選択で、第１のハンドオーバ失敗メッセージは、少なくとも１つの基地局のサポートされるネットワークスライスに関する情報をさらに含む。少なくとも１つの基地局が１つの基地局を含む場合、第１のハンドオーバ失敗メッセージは、１つの基地局のサポートされるネットワークスライスに関する情報を含むか、または少なくとも１つの基地局が複数の基地局を含む場合、第１のハンドオーバ失敗メッセージは、基地局のうちの１つ、いくつか、もしくはすべてのネットワークスライスに関する情報を含み得る。これは、ソース基地局が、基地局のサポートされるネットワークスライスに関する情報を取得し記憶するのを助ける。この場合、別のセッションのハンドオーバのシナリオにおいて、ソース基地局は、ハンドオーバ準備メッセージを使用することによって取得された情報を参照してターゲット基地局を判定し得る。
【００３１】
代替として、第１のハンドオーバ失敗メッセージは、少なくとも１つの基地局のうちの、ソース基地局への通信インターフェースを有しない基地局のサポートされるネットワークスライスに関する情報をさらに含む。任意選択で、第１のハンドオーバ要求が、ソース基地局への通信インターフェースを有しない基地局の指示情報を含む場合、コアネットワークデバイスは、少なくとも１つの基地局のうちのどの基地局がソース基地局への通信インターフェースを有するか、およびどの基地局がソース基地局への通信インターフェースを有しないかを判定し得る。ソース基地局への通信インターフェースを有しない基地局については、第１のハンドオーバ失敗メッセージを使用することによって、ソース基地局への通信インターフェースを有しない基地局のうちのすべてまたはいくつかのサポートされるネットワークスライスに関する情報がフィードバックされ、それにより、ソース基地局は、そのような基地局のサポートされるネットワークスライスに関する情報を判定する。
【００３２】
任意選択の実装では、現在のセッションは２つ以上のセッションであり、現在のセッションは、セッションの第３の部分およびセッションの第４の部分を含み、
第１のハンドオーバ応答メッセージは第１のハンドオーバ要求肯定応答メッセージであり、第１のハンドオーバ要求肯定応答メッセージは、ターゲット基地局によって受け付けられたセッションの第３の部分に対応するセッション識別子を含み、指示情報は第３の指示情報を含み、ターゲット基地局は、少なくとも１つの基地局のうちの、セッションの第３の部分に対応するネットワークスライスをサポートする基地局であり、第３の指示情報は、第４の部分セッションに対応するネットワークスライスがターゲット基地局によってサポートされないことを示すために使用される。任意選択で、第３の指示情報は、ターゲット基地局が、セッションの第３の部分に対応するネットワークスライスをサポートすることを示すためにさらに使用される。
【００３３】
任意選択で、第１のハンドオーバ要求肯定応答メッセージは、ターゲット基地局のサポートされるネットワークスライスに関する情報をさらに含む。
【００３４】
任意選択で、少なくとも１つの基地局の各々に関する情報は、少なくとも１つの基地局の各々を区別するために、各基地局の基地局識別子、各基地局の中央ユニットの識別子、各基地局の分散ユニットの識別子、各基地局の物理的セルの識別子、または各基地局のセルのグローバル識別子のうちの少なくとも１つを含む。
【００３５】
可能な実装では、第１のハンドオーバ要求は、基地局がソース基地局への通信インターフェースを有するかどうかを示す指示情報をさらに含む。たとえば、少なくとも１つの基地局のうちの基地局Ａがソース基地局への通信インターフェースを有しない場合、第１のハンドオーバ要求は、基地局Ａに関する情報と、基地局Ａに関する情報に対応し、通信インターフェースがないことを示す指示情報とを含み、それにより、コアネットワークデバイスは、少なくとも１つの基地局がソース基地局に接続されているかどうかを判定し、少なくとも１つの基地局がソース基地局に接続されていない場合、ソース基地局に接続されていない基地局のネットワークスライスに関する情報をフィードバックする。
【００３６】
可能な実装では、第１の指示情報、第２の指示情報、または第３の指示情報は、情報要素（ｉｎｆｏｒｍａｔｉｏｎ  ｅｌｅｍｅｎｔ、ＩＥ）、フラグ（ｆｌａｇ）、原因値（ｃａｕｓｅ）などを使用することによって指示を与え得る。これは、本発明のこの実施形態では限定されない。
【００３７】
可能な実装では、第１のハンドオーバ要求は端末デバイスの識別子をさらに含み、本方法は、少なくとも１つの基地局の各々によってサポートされる第１のネットワークスライスの指示情報が、端末デバイスのいずれの現在のセッションに対応する第２のネットワークスライスの指示情報をも含まない場合、端末デバイスのいずれの現在のセッションに対応するネットワークスライスも少なくとも１つの基地局によってサポートされないとコアネットワークデバイスによって判定するステップをさらに含み、第１のネットワークスライスの指示情報は、少なくとも１つの基地局に関する情報に基づいて取得され、第２のネットワークスライスの指示情報は、端末デバイスの識別子に基づいて取得される。このようにして、ネットワークスライスの指示情報に基づいて、端末デバイスのいずれかの現在のセッションに対応するネットワークスライスがサポートされるかどうかが判定されることが可能である。
【００３８】
可能な実装では、少なくとも１つの基地局は、ソース基地局への通信インターフェースを有する基地局を含み、基地局への端末デバイスの現在のセッションのハンドオーバは失敗している。この場合、ソース基地局への通信インターフェースを有する基地局については、ソース基地局がハンドオーバを実施し、ハンドオーバが失敗する場合、ハンドオーバは、コアネットワークデバイスを使用することによって実施され得る。代替として、少なくとも１つの基地局は、ソース基地局への通信インターフェースを有しない基地局を含む。したがって、コアネットワークデバイスは、通信インターフェースを有しない基地局から、現在のセッションのうちのすべてまたはいくつかに対応するネットワークスライスをサポートしている基地局をターゲット基地局として選択する。
【００３９】
任意選択で、少なくとも１つの基地局が、現在のセッションのうちのすべてまたはいくつかに対応するネットワークスライスをサポートする基地局を含む場合、コアネットワークデバイスは、現在のセッションのうちのすべてまたはいくつかに対応するネットワークスライスをサポートしている基地局をターゲット基地局として判定し、コアネットワークデバイスは、ターゲット基地局に第２のハンドオーバ要求を送り、第２のハンドオーバ要求は、ターゲット基地局がセットアップするように要求されたセッションに対応するセッション識別子、およびセッション識別子に対応する第３のネットワークスライスの指示情報を含み、コアネットワークデバイスは、ターゲット基地局から第２のハンドオーバ要求肯定応答メッセージを受信し、第２のハンドオーバ要求肯定応答メッセージは、ターゲット基地局によって受け付けられたセッションに対応するセッション識別子を含む。任意選択で、第１のハンドオーバ要求肯定応答メッセージは、ターゲット基地局によって受け付けられたセッションのセッション識別子に対応するネットワークスライスの指示情報をさらに含む。
【００４０】
さらに、任意選択で、複数の現在のセッションがある場合、コアネットワークデバイスによって、現在のセッションのうちのすべてまたはいくつかに対応するネットワークスライスをサポートしている基地局をターゲット基地局として判定するステップは、コアネットワークデバイスによって、現在のセッションのうちのすべてまたはいくつかに対応するネットワークスライスをサポートしている基地局の各々によってサポートされる現在のセッションに対応するネットワークスライスの量を判定するステップと、コアネットワークデバイスによって、現在のセッションに対応するネットワークスライスの最も大きい量をサポートしている基地局をターゲット基地局として判定するステップとで特にある。
【００４１】
可能な実装では、少なくとも１つの基地局は、ソース基地局への通信インターフェースを有しない基地局と、ソース基地局への通信インターフェースを有し、端末デバイスの現在のセッションのうちのいくつかに対応するネットワークスライスをサポートする基地局とを含む。この場合、ソース基地局への通信インターフェースを有しない基地局が、いずれのセッションに対応するネットワークスライスをもサポートしないとコアネットワークデバイスが判定した場合、コアネットワークデバイスは、ソース基地局への通信インターフェースを有する基地局から基地局をさらに選択し、それにより、ハンドオーバ成功確率を改善し得る。
【００４２】
任意選択で、ソース基地局への通信インターフェースを有しない基地局が、いずれの現在のセッションに対応するネットワークスライスをもサポートしない場合、コアネットワークデバイスは、ソース基地局への通信インターフェースを有しセッションのうちのいくつかに対応するネットワークスライスをサポートする基地局をターゲット基地局として判定し、コアネットワークデバイスは、ターゲット基地局に第２のハンドオーバ要求を送り、第２のハンドオーバ要求は、ターゲット基地局がセットアップするように要求されたセッションに対応するセッション識別子、およびセッション識別子に対応する第３のネットワークスライスの指示情報を含み、コアネットワークデバイスは、ターゲット基地局から第２のハンドオーバ要求肯定応答メッセージを受信し、第２のハンドオーバ要求肯定応答メッセージは、ターゲット基地局によって受け付けられたセッションに対応するセッション識別子を含む。任意選択で、第１のハンドオーバ要求肯定応答メッセージは、ターゲット基地局によって受け付けられたセッションのセッション識別子に対応するネットワークスライスの指示情報をさらに含む。
【００４３】
任意選択で、ソース基地局への通信インターフェースを有しない基地局が、現在のセッションのうちのすべてまたはいくつかに対応するネットワークスライスをサポートする場合、コアネットワークデバイスは、現在のセッションのうちのすべてまたはいくつかに対応するネットワークスライスをサポートしている基地局をターゲット基地局として判定し、コアネットワークデバイスは、ターゲット基地局に第２のハンドオーバ要求を送り、第２のハンドオーバ要求は、ターゲット基地局がセットアップするように要求されたセッションに対応するセッション識別子、およびセッション識別子に対応する第３のネットワークスライスの指示情報を含み、コアネットワークデバイスは、ターゲット基地局から第２のハンドオーバ要求肯定応答メッセージを受信し、第２のハンドオーバ要求肯定応答メッセージは、ターゲット基地局によって受け付けられたセッションに対応するセッション識別子を含む。任意選択で、第１のハンドオーバ要求肯定応答メッセージは、ターゲット基地局によって受け付けられたセッションのセッション識別子に対応するネットワークスライスの指示情報をさらに含む。
【００４４】
さらに、任意選択で、複数の現在のセッションがある場合、コアネットワークデバイスによって、現在のセッションのうちのすべてまたはいくつかに対応するネットワークスライスをサポートしている基地局をターゲット基地局として判定するステップは、コアネットワークデバイスによって、現在のセッションのうちのすべてまたはいくつかに対応するネットワークスライスをサポートしている基地局の各々によってサポートされる現在のセッションに対応するネットワークスライスの量を判定するステップと、コアネットワークデバイスによって、現在のセッションに対応するネットワークスライスの最も大きい量をサポートしている基地局をターゲット基地局として判定するステップとを含む。
【００４５】
第３の態様によれば、本発明の一実施形態は、
第１の基地局によって、コアネットワークデバイスに第１のメッセージを送るステップであって、第１のメッセージは、第２の基地局に関する情報、または第２の基地局が属するＴＡ／ＲＡの識別情報を含む、ステップと、コアネットワークデバイスから、第２の基地局のサポートされるネットワークスライスに関する情報、または第２の基地局が属するＴＡ／ＲＡのサポートされるネットワークスライスに関する情報を受信するステップとを含む、通信方法を提供し、第１の基地局と第２の基地局との間に通信インターフェースはない。
【００４６】
第３の態様では、第１の基地局と第２の基地局との間に通信インターフェースがない場合、第１の基地局は、コアネットワークデバイスを使用することによって、第２の基地局のサポートされるネットワークスライスに関する情報、または第２の基地局が属するＴＡ／ＲＡによってサポートされるネットワークスライスに関する情報を取得し得る。これは、第１の基地局と第２の基地局との間に通信インターフェースがない場合、第１の基地局が、第２の基地局のサポートされるネットワークスライスに関する情報、または第２の基地局が属するＴＡ／ＲＡによってサポートされるネットワークスライスに関する情報を取得することが不可能であるという場合を避け、基地局のサポートされるネットワークスライスに関する情報を取得する際の利便性および効率を改善する。
【００４７】
可能な実装では、コアネットワークデバイスに第１のメッセージを送る前に、第１の基地局は、
第１の基地局によって、端末デバイスによって送られた測定報告を受信することであって、第２の基地局に関する情報、もしくは第２の基地局が属するＴＡ／ＲＡの識別情報は、測定報告に基づいて取得される、こと、または第１の基地局によって、第３の基地局から第３の基地局の近隣基地局に関する情報を受信することであって、第２の基地局に関する情報、もしくは第２の基地局が属するＴＡ／ＲＡの識別情報は、第３の基地局の近隣基地局に関する情報に基づいて取得される、こと
の動作をさらに実施する。
【００４８】
別の例では、ソース基地局は、ネットワーク管理デバイスから構成情報を受信し得る。任意選択で、構成情報は、ソース基地局への通信インターフェースをセットアップすることができる複数の基地局に関する情報、または基地局が属するＴＡ／ＲＡの識別情報のみを含む。代替として、構成情報は、ソース基地局への通信インターフェースをセットアップすることができない基地局に関する情報、または基地局が属するＴＡ／ＲＡの識別情報のみを含む。代替として、構成情報は、ソース基地局への通信インターフェースをセットアップすることができる複数の基地局に関する情報、または基地局が属するＴＡ／ＲＡの識別情報、およびソース基地局への通信インターフェースをセットアップすることができない基地局に関する情報、または基地局が属するＴＡ／ＲＡの識別情報を含む。
【００４９】
任意選択で、第２の基地局に関する情報は、少なくとも１つの基地局の各々を区別するために、第２の基地局の基地局識別子、第２の基地局の中央ユニットの識別子、第２の基地局の分散ユニットの識別子、第２の基地局の物理的セルの識別子、または第２の基地局のセルのグローバル識別子のうちの少なくとも１つを含む。
【００５０】
任意選択で、各基地局、または各基地局のセルのサポートされるネットワークスライスを区別するために、第２の基地局のサポートされるネットワークスライスに関する情報は、第２の基地局の少なくとも１つのセルの識別子、および各セル識別子に対応する少なくとも１つのネットワークスライスの指示情報を含むか、または第２の基地局のサポートされるネットワークスライスに関する情報は、第２の基地局に関する情報、および第２の基地局に関する情報に対応する少なくとも１つのネットワークスライスの指示情報を含む。
【００５１】
任意選択で、第２の基地局が属するＴＡ／ＲＡのサポートされるネットワークスライスに関する情報は、第２の基地局が属するＴＡ／ＲＡの少なくとも１つのセルの識別子、および各セル識別子に対応する少なくとも１つのネットワークスライスの指示情報を含む。
【００５２】
任意選択で、少なくとも１つのネットワークスライスの各々の指示情報は、ネットワークスライス識別子、シングルネットワークスライス選択支援情報（Ｓ−ＮＳＳＡＩ）、またはアクセスネットワーク−ネットワークスライス選択支援情報（Ｒ−ＮＳＳＡＩ）のうちの少なくとも１つを含む。
【００５３】
第４の態様によれば、本発明の一実施形態は、
コアネットワークデバイスによって、第１の基地局から第１のメッセージを受信するステップであって、第１のメッセージは、第２の基地局に関する情報、または第２の基地局が属するＴＡ／ＲＡの識別情報を含む、ステップと、第１の基地局に、第２の基地局のサポートされるネットワークスライスに関する情報、または第２の基地局が属するＴＡ／ＲＡのサポートされるネットワークスライスに関する情報を送るステップとを含む、通信方法を提供する。
【００５４】
第４の態様では、第１の基地局と第２の基地局との間に通信インターフェースがない場合、第１の基地局は、コアネットワークデバイスを使用することによって、第２の基地局のサポートされるネットワークスライスに関する情報、または第２の基地局が属するＴＡ／ＲＡによってサポートされるネットワークスライスに関する情報を取得し得る。これは、第１の基地局と第２の基地局との間に通信インターフェースがない場合、第１の基地局が、第２の基地局のサポートされるネットワークスライスに関する情報、または第２の基地局が属するＴＡ／ＲＡによってサポートされるネットワークスライスに関する情報を取得することが不可能であるという場合を避け、基地局のサポートされるネットワークスライスに関する情報を取得する際の利便性および効率を改善する。
【００５５】
任意選択で、第２の基地局のサポートされるネットワークスライスに関する情報は、第２の基地局に関する情報に基づいて取得される。第２の基地局が属するＴＡ／ＲＡのサポートされるネットワークスライスに関する情報は、第２の基地局が属するＴＡ／ＲＡに基づいて取得される。
【００５６】
任意選択で、第２の基地局に関する情報は、少なくとも１つの基地局の各々を区別するために、第２の基地局の基地局識別子、第２の基地局の中央ユニットの識別子、第２の基地局の分散ユニットの識別子、第２の基地局の物理的セルの識別子、または第２の基地局のセルのグローバル識別子のうちの少なくとも１つを含む。
【００５７】
任意選択で、各基地局、または各基地局のセルのサポートされるネットワークスライスを区別するために、第２の基地局のサポートされるネットワークスライスに関する情報は、第２の基地局の少なくとも１つのセルの識別子、および各セル識別子に対応する少なくとも１つのネットワークスライスの指示情報を含むか、または第２の基地局のサポートされるネットワークスライスに関する情報は、第２の基地局に関する情報、および第２の基地局に関する情報に対応する少なくとも１つのネットワークスライスの指示情報を含む。
【００５８】
任意選択で、第２の基地局が属するＴＡ／ＲＡのサポートされるネットワークスライスに関する情報は、第２の基地局が属するＴＡ／ＲＡの少なくとも１つのセルの識別子、および各セル識別子に対応する少なくとも１つのネットワークスライスの指示情報を含む。
【００５９】
任意選択で、少なくとも１つのネットワークスライスの各々の指示情報は、ネットワークスライス識別子、シングルネットワークスライス選択支援情報（Ｓ−ＮＳＳＡＩ）、またはアクセスネットワーク−ネットワークスライス選択支援情報（Ｒ−ＮＳＳＡＩ）のうちの少なくとも１つを含む。
【００６０】
第５の態様によれば、本発明の一実施形態は、
第１の基地局によって、第２の基地局に第１のメッセージを送るステップであって、第１のメッセージは、第１の基地局の近隣基地局のサポートされるネットワークスライスに関する情報を含む、ステップと、第２の基地局から第２のメッセージを受信するステップであって、第２のメッセージは、第２の基地局のサポートされるネットワークスライスに関する情報を含む、ステップと
を含む、通信方法を提供する。
【００６１】
第５の態様では、第１の基地局と第２の基地局との間の１つのシグナリング対話において、第１の基地局の近隣基地局のサポートされるネットワークスライスに関する情報は、第２の基地局にさらに送られる。これは、ネットワークスライスに関する情報を取得するための、第２の基地局と第１の基地局の近隣基地局との間で対話されるシグナリングを低減し、基地局のサポートされるネットワークスライスに関する情報を取得する際の利便性および効率を改善する。
【００６２】
任意選択で、第１の基地局の近隣基地局は、地理的ロケーションが第１の基地局のそれに近い基地局である。第１の基地局の近隣基地局と第１の基地局との間の距離は、本発明のこの実施形態では限定されない。
【００６３】
任意選択で、第２のメッセージは、第２の基地局の近隣基地局のサポートされるネットワークスライスに関する情報をさらに含む。１つのシグナリング対話では、第２の基地局の近隣基地局のサポートされるネットワークスライスに関する情報が、第１の基地局にさらに送られる。これは、ネットワークスライスに関する情報を取得するための、第１の基地局と第２の基地局の近隣基地局との間で対話されるシグナリングを低減し、基地局のサポートされるネットワークスライスに関する情報を取得する際の利便性および効率を改善する。
【００６４】
任意選択で、第２の基地局の近隣基地局は、地理的ロケーションが第２の基地局のそれに近い基地局である。第２の基地局の近隣基地局と第２の基地局との間の距離は、本発明のこの実施形態では限定されない。
【００６５】
任意選択で、第２の基地局のサポートされるネットワークスライスに関する情報は、第２の基地局の少なくとも１つのセルの識別子、および各セル識別子に対応する少なくとも１つのネットワークスライスの指示情報を含むか、または第２の基地局のサポートされるネットワークスライスに関する情報は、第２の基地局に関する情報、および第２の基地局に関する情報に対応する少なくとも１つのネットワークスライスの指示情報を含む。
【００６６】
同様に、第１の基地局の近隣基地局のサポートされるネットワークスライスに関する情報は、近隣基地局の少なくとも１つのセルの識別子、および各セル識別子に対応する少なくとも１つのネットワークスライスの指示情報を含むか、または第１の基地局の近隣基地局のサポートされるネットワークスライスに関する情報は、近隣基地局に関する情報、および近隣基地局に関する情報に対応する少なくとも１つのネットワークスライスの指示情報を含む。
【００６７】
このようにして、各基地局、または各基地局のセルのサポートされるネットワークスライスは区別されることが可能である。
【００６８】
任意選択で、少なくとも１つのネットワークスライスの各々の指示情報は、ネットワークスライス識別子、シングルネットワークスライス選択支援情報（Ｓ−ＮＳＳＡＩ）、またはアクセスネットワーク−ネットワークスライス選択支援情報（Ｒ−ＮＳＳＡＩ）のうちの少なくとも１つを含む。
【００６９】
第６の態様によれば、本発明の一実施形態は、
第２の基地局によって、第１の基地局から第１のメッセージを受信するステップであって、第１のメッセージは、第１の基地局の近隣基地局のサポートされるネットワークスライスに関する情報を含む、ステップと、第１の基地局に第２のメッセージを送るステップであって、第２のメッセージは、第２の基地局のサポートされるネットワークスライスに関する情報を含む、ステップと
を含む、通信方法を提供する。
【００７０】
第６の態様では、第１の基地局と第２の基地局との間の１つのシグナリング対話において、第１の基地局の近隣基地局のサポートされるネットワークスライスに関する情報は、第２の基地局にさらに送られる。これは、ネットワークスライスに関する情報を取得するための、第２の基地局と第１の基地局の近隣基地局との間で対話されるシグナリングを低減し、基地局のサポートされるネットワークスライスに関する情報を取得する際の利便性および効率を改善する。
【００７１】
任意選択で、第１の基地局の近隣基地局は、地理的ロケーションが第１の基地局のそれに近い基地局である。第１の基地局の近隣基地局と第１の基地局との間の距離は、本発明のこの実施形態では限定されない。
【００７２】
任意選択で、第２のメッセージは、第２の基地局の近隣基地局のサポートされるネットワークスライスに関する情報をさらに含む。１つのシグナリング対話では、第２の基地局の近隣基地局のサポートされるネットワークスライスに関する情報が、第１の基地局にさらに送られる。これは、ネットワークスライスに関する情報を取得するための、第１の基地局と第２の基地局の近隣基地局との間で対話されるシグナリングを低減し、基地局のサポートされるネットワークスライスに関する情報を取得する際の利便性および効率を改善する。
【００７３】
任意選択で、第２の基地局の近隣基地局は、地理的ロケーションが第２の基地局のそれに近い基地局である。第２の基地局の近隣基地局と第２の基地局との間の距離は、本発明のこの実施形態では限定されない。
【００７４】
任意選択で、第２の基地局のサポートされるネットワークスライスに関する情報は、第２の基地局の少なくとも１つのセルの識別子、および各セル識別子に対応する少なくとも１つのネットワークスライスの指示情報を含むか、または第２の基地局のサポートされるネットワークスライスに関する情報は、第２の基地局に関する情報、および第２の基地局に関する情報に対応する少なくとも１つのネットワークスライスの指示情報を含む。
【００７５】
同様に、第１の基地局の近隣基地局のサポートされるネットワークスライスに関する情報は、近隣基地局の少なくとも１つのセルの識別子、および各セル識別子に対応する少なくとも１つのネットワークスライスの指示情報を含むか、または第１の基地局の近隣基地局のサポートされるネットワークスライスに関する情報は、近隣基地局に関する情報、および近隣基地局に関する情報に対応する少なくとも１つのネットワークスライスの指示情報を含む。
【００７６】
このようにして、各基地局、または各基地局のセルのサポートされるネットワークスライスは区別されることが可能である。
【００７７】
任意選択で、少なくとも１つのネットワークスライスの各々の指示情報は、ネットワークスライス識別子、シングルネットワークスライス選択支援情報（Ｓ−ＮＳＳＡＩ）、またはアクセスネットワーク−ネットワークスライス選択支援情報（Ｒ−ＮＳＳＡＩ）のうちの少なくとも１つを含む。
【００７８】
第７の態様によれば、本発明の一実施形態は、
第１の基地局によって、第２の基地局に第１のメッセージを送るステップであって、第１のメッセージは、第２の基地局のサポートされるネットワークスライスに関する情報を取得するために使用される、ステップと、第１の基地局によって、第２の基地局から第２のメッセージを受信するステップであって、第２のメッセージは、第２の基地局のサポートされるネットワークスライスに関する情報、および第２の基地局の近隣基地局のサポートされるネットワークスライスに関する情報を含む、ステップと
を含む、通信方法を提供する。
【００７９】
第７の態様では、第１の基地局と第２の基地局との間の１つのシグナリング対話において、第２の基地局の近隣基地局のサポートされるネットワークスライスに関する情報は、第１の基地局にさらに送られる。これは、ネットワークスライスに関する情報を取得するための、第１の基地局と第２の基地局の近隣基地局との間で対話されるシグナリングを低減し、基地局のサポートされるネットワークスライスに関する情報を取得する際の利便性および効率を改善する。
【００８０】
任意選択で、第１のメッセージは、第１の基地局の近隣基地局のサポートされるネットワークスライスに関する情報を含む。１つのシグナリング対話では、第１の基地局の近隣基地局のサポートされるネットワークスライスに関する情報が、第２の基地局にさらに送られる。これは、ネットワークスライスに関する情報を取得するための、第２の基地局と第１の基地局の近隣基地局との間で対話されるシグナリングを低減し、基地局のサポートされるネットワークスライスに関する情報を取得する際の利便性および効率を改善する。
【００８１】
任意選択で、第２の基地局のサポートされるネットワークスライスに関する情報は、第２の基地局の少なくとも１つのセルの識別子、および各セル識別子に対応する少なくとも１つのネットワークスライスの指示情報を含むか、または第２の基地局のサポートされるネットワークスライスに関する情報は、第２の基地局に関する情報、および第２の基地局に関する情報に対応する少なくとも１つのネットワークスライスの指示情報を含む。
【００８２】
同様に、第１の基地局の近隣基地局のサポートされるネットワークスライスに関する情報は、第１の基地局の近隣基地局の少なくとも１つのセルの識別子、および各セル識別子に対応する少なくとも１つのネットワークスライスの指示情報を含むか、または第１の基地局の近隣基地局のサポートされるネットワークスライスに関する情報は、第１の基地局の近隣基地局に関する情報、および第１の基地局の近隣基地局に関する情報に対応する少なくとも１つのネットワークスライスの指示情報を含む。
【００８３】
同様に、第２の基地局の近隣基地局のサポートされるネットワークスライスに関する情報は、第２の基地局の近隣基地局の少なくとも１つのセルの識別子、および各セル識別子に対応する少なくとも１つのネットワークスライスの指示情報を含むか、または第２の基地局の近隣基地局のサポートされるネットワークスライスに関する情報は、第２の基地局の近隣基地局に関する情報、および第２の基地局の近隣基地局に関する情報に対応する少なくとも１つのネットワークスライスの指示情報を含む。
【００８４】
このようにして、各基地局、または各基地局のセルのサポートされるネットワークスライスは区別されることが可能である。
【００８５】
任意選択で、少なくとも１つのネットワークスライスの各々の指示情報は、ネットワークスライス識別子、シングルネットワークスライス選択支援情報（Ｓ−ＮＳＳＡＩ）、またはアクセスネットワーク−ネットワークスライス選択支援情報（Ｒ−ＮＳＳＡＩ）のうちの少なくとも１つを含む。
【００８６】
第８の態様によれば、本発明の一実施形態は、
第２の基地局によって、第１の基地局から第１のメッセージを受信するステップであって、第１のメッセージは、第２の基地局のサポートされるネットワークスライスに関する情報を取得するために使用される、ステップと、第２の基地局によって、第１の基地局に第２のメッセージを送るステップであって、第２のメッセージは、第２の基地局のサポートされるネットワークスライスに関する情報、および第２の基地局の近隣基地局のサポートされるネットワークスライスに関する情報を含む、ステップと
を含む、通信方法を提供する。
【００８７】
第８の態様では、第１の基地局と第２の基地局との間の１つのシグナリング対話において、第２の基地局の近隣基地局のサポートされるネットワークスライスに関する情報は、第１の基地局にさらに送られる。これは、ネットワークスライスに関する情報を取得するための、第１の基地局と第２の基地局の近隣基地局との間で対話されるシグナリングを低減し、基地局のサポートされるネットワークスライスに関する情報を取得する際の利便性および効率を改善する。
【００８８】
任意選択で、第１のメッセージは、第１の基地局の近隣基地局のサポートされるネットワークスライスに関する情報を含む。１つのシグナリング対話では、第１の基地局の近隣基地局のサポートされるネットワークスライスに関する情報が、第２の基地局にさらに送られる。これは、ネットワークスライスに関する情報を取得するための、第２の基地局と第１の基地局の近隣基地局との間で対話されるシグナリングを低減し、基地局のサポートされるネットワークスライスに関する情報を取得する際の利便性および効率を改善する。
【００８９】
任意選択で、第２の基地局のサポートされるネットワークスライスに関する情報は、第２の基地局の少なくとも１つのセルの識別子、および各セル識別子に対応する少なくとも１つのネットワークスライスの指示情報を含むか、または第２の基地局のサポートされるネットワークスライスに関する情報は、第２の基地局に関する情報、および第２の基地局に関する情報に対応する少なくとも１つのネットワークスライスの指示情報を含む。
【００９０】
同様に、第１の基地局の近隣基地局のサポートされるネットワークスライスに関する情報は、第１の基地局の近隣基地局の少なくとも１つのセルの識別子、および各セル識別子に対応する少なくとも１つのネットワークスライスの指示情報を含むか、または第１の基地局の近隣基地局のサポートされるネットワークスライスに関する情報は、第１の基地局の近隣基地局に関する情報、および第１の基地局の近隣基地局に関する情報に対応する少なくとも１つのネットワークスライスの指示情報を含む。
【００９１】
同様に、第２の基地局の近隣基地局のサポートされるネットワークスライスに関する情報は、第２の基地局の近隣基地局の少なくとも１つのセルの識別子、および各セル識別子に対応する少なくとも１つのネットワークスライスの指示情報を含むか、または第２の基地局の近隣基地局のサポートされるネットワークスライスに関する情報は、第２の基地局の近隣基地局に関する情報、および第２の基地局の近隣基地局に関する情報に対応する少なくとも１つのネットワークスライスの指示情報を含む。
【００９２】
このようにして、各基地局、または各基地局のセルのサポートされるネットワークスライスは区別されることが可能である。
【００９３】
任意選択で、少なくとも１つのネットワークスライスの各々の指示情報は、ネットワークスライス識別子、シングルネットワークスライス選択支援情報（Ｓ−ＮＳＳＡＩ）、またはアクセスネットワーク−ネットワークスライス選択支援情報（Ｒ−ＮＳＳＡＩ）のうちの少なくとも１つを含む。
【００９４】
第９の態様によれば、本発明の一実施形態は基地局を提供する。基地局はソース基地局である。ソース基地局は、プロセッサおよびトランシーバを含み、任意選択で、メモリをさらに含む。プロセッサは、メモリおよびトランシーバに接続される。たとえば、プロセッサは、バスを使用することによってメモリおよびトランシーバに接続され得る。トランシーバは、別の基地局、コアネットワークデバイスなどと通信するように構成される。メモリは、ネットワークスライスに関する情報などを記憶するように構成される。プロセッサは、第１の態様における手順の一部または全部を実施するように構成される。
【００９５】
第１０の態様によれば、本発明の一実施形態は別の基地局を提供する。基地局はソース基地局であり、受信ユニットおよび送信ユニットを含む。送信ユニットおよび受信ユニットは一緒に、第９の態様におけるトランシーバを実装するように構成される。ネットワーク要素は、上記のユニットを使用することによって第１の態様における方法の一部または全部を実装する。
【００９６】
第１１の態様によれば、本発明の一実施形態は記憶媒体を提供する。記憶媒体はプログラムコードを記憶する。プログラムコードがコンピューティングデバイスによって実行されたとき、プログラムコードは、第１の態様または第１の態様の実装のいずれか１つにおいて提供される通信方法を実施するために使用される。記憶媒体は、限定はされないが、フラッシュメモリ（ｆｌａｓｈ  ｍｅｍｏｒｙ）、ハードディスクドライブ（ｈａｒｄ  ｄｉｓｋ  ｄｒｉｖｅ、ＨＤＤ）、またはソリッドステートドライブ（ｓｏｌｉｄ  ｓｔａｔｅ  ｄｒｉｖｅ、ＳＳＤ）を含む。
【００９７】
第１２の態様によれば、本発明の一実施形態はコンピュータプログラム製品を提供する。コンピュータ製品がコンピューティングデバイスによって実行されたとき、第１の態様または第１の態様の実装のいずれか１つにおいて提供される通信方法が実施される。
【００９８】
第１３の態様によれば、本発明の一実施形態はコアネットワークデバイスを提供する。コアネットワークデバイスは、プロセッサおよびトランシーバを含み、任意選択で、メモリをさらに含む。プロセッサは、メモリおよびトランシーバに接続される。たとえば、プロセッサは、バスを使用することによってメモリおよびトランシーバに接続され得る。トランシーバは、基地局または別のデバイスと通信するように構成される。メモリは、ネットワークスライスに関する情報などを記憶するように構成される。プロセッサは、第２の態様における手順の一部または全部を実施するように構成される。
【００９９】
第１４の態様によれば、本発明の一実施形態は別のコアネットワークデバイスを提供する。コアネットワークデバイスは、受信ユニットおよび送信ユニットを含む。送信ユニットおよび受信ユニットは一緒に、第１３の態様におけるトランシーバを実装するように構成される。コアネットワークデバイスは、上記のユニットを使用することによって第２の態様における方法の一部または全部を実装する。
【０１００】
第１５の態様によれば、本発明の一実施形態は記憶媒体を提供する。記憶媒体はプログラムコードを記憶する。プログラムコードがコンピューティングデバイスによって実行されたとき、第２の態様または第２の態様の実装のいずれか１つにおいて提供される通信方法が実施される。記憶媒体は、限定はされないが、フラッシュメモリ、ハードディスクドライブ、またはソリッドステートドライブを含む。
【０１０１】
第１６の態様によれば、本発明の一実施形態はコンピュータプログラム製品を提供する。コンピュータ製品がコンピューティングデバイスによって実行されたとき、第２の態様または第２の態様の実装のいずれか１つにおいて提供される通信方法が実施される。
【０１０２】
第１７の態様によれば、本発明の一実施形態は基地局を提供する。基地局は第１の基地局である。第１の基地局は、プロセッサおよびトランシーバを含み、任意選択で、メモリをさらに含む。プロセッサは、メモリおよびトランシーバに接続される。たとえば、プロセッサは、バスを使用することによってメモリおよびトランシーバに接続され得る。トランシーバは、基地局、コアネットワークデバイスなどと通信するように構成される。メモリは、ネットワークスライスに関する情報などを記憶するように構成される。プロセッサは、第３の態様における手順の一部または全部を実施するように構成される。
【０１０３】
第１８の態様によれば、本発明の一実施形態は別の基地局を提供する。基地局は第１の基地局である。第１の基地局は、受信ユニットおよび送信ユニットを含む。送信ユニットおよび受信ユニットは一緒に、第１７の態様におけるトランシーバを実装するように構成される。基地局は、上記のユニットを使用することによって第３の態様における方法の一部または全部を実装する。
【０１０４】
第１９の態様によれば、本発明の一実施形態は記憶媒体を提供する。記憶媒体はプログラムコードを記憶する。プログラムコードがコンピューティングデバイスによって実行されたとき、第３の態様または第３の態様の実装のいずれか１つにおいて提供される通信方法が実施される。記憶媒体は、限定はされないが、フラッシュメモリ、ハードディスクドライブ、またはソリッドステートドライブを含む。
【０１０５】
第２０の態様によれば、本発明の一実施形態はコンピュータプログラム製品を提供する。コンピュータ製品がコンピューティングデバイスによって実行されたとき、第３の態様または第３の態様の実装のいずれか１つにおいて提供される通信方法が実施される。
【０１０６】
第２１の態様によれば、本発明の一実施形態はコアネットワークデバイスを提供する。コアネットワークデバイスは、プロセッサおよびトランシーバを含み、任意選択で、メモリをさらに含む。プロセッサは、メモリおよびトランシーバに接続される。たとえば、プロセッサは、バスを使用することによってメモリおよびトランシーバに接続され得る。トランシーバは、基地局などの別のデバイスと通信するように構成される。メモリは、ネットワークスライスに関する情報などを記憶するように構成される。プロセッサは、第４の態様における手順の一部または全部を実施するように構成される。
【０１０７】
第２２の態様によれば、本発明の一実施形態は別のコアネットワークデバイスを提供する。コアネットワークデバイスは、受信ユニットおよび送信ユニットを含む。送信ユニットおよび受信ユニットは一緒に、第２１の態様におけるトランシーバを実装するように構成される。コアネットワークデバイスは、上記のユニットを使用することによって第４の態様における方法の一部または全部を実装する。
【０１０８】
第２３の態様によれば、本発明の一実施形態は記憶媒体を提供する。記憶媒体はプログラムコードを記憶する。プログラムコードがコンピューティングデバイスによって実行されたとき、第４の態様または第４の態様の実装のいずれか１つにおいて提供される通信方法が実施される。記憶媒体は、限定はされないが、フラッシュメモリ、ハードディスクドライブ、またはソリッドステートドライブを含む。
【０１０９】
第２４の態様によれば、本発明の一実施形態はコンピュータプログラム製品を提供する。コンピュータ製品がコンピューティングデバイスによって実行されたとき、第４の態様または第４の態様の実装のいずれか１つにおいて提供される通信方法が実施される。
【０１１０】
第２５の態様によれば、本発明の一実施形態は基地局を提供する。基地局は第１の基地局である。第１の基地局は、プロセッサおよびトランシーバを含み、任意選択で、メモリをさらに含む。プロセッサは、メモリおよびトランシーバに接続される。たとえば、プロセッサは、バスを使用することによってメモリおよびトランシーバに接続され得る。トランシーバは、基地局、コアネットワークデバイスなどと通信するように構成される。メモリは、ネットワークスライスに関する情報などを記憶するように構成される。プロセッサは、第５の態様における手順の一部または全部を実施するように構成される。
【０１１１】
第２６の態様によれば、本発明の一実施形態は別の基地局を提供する。基地局は第１の基地局である。第１の基地局は、受信ユニットおよび送信ユニットを含む。送信ユニットおよび受信ユニットは一緒に、第２５の態様におけるトランシーバを実装するように構成される。基地局は、上記のユニットを使用することによって第５の態様における方法の一部または全部を実装する。
【０１１２】
第２７の態様によれば、本発明の一実施形態は記憶媒体を提供する。記憶媒体はプログラムコードを記憶する。プログラムコードがコンピューティングデバイスによって実行されたとき、第５の態様または第５の態様の実装のいずれか１つにおいて提供される通信方法が実施される。記憶媒体は、限定はされないが、フラッシュメモリ、ハードディスクドライブ、またはソリッドステートドライブを含む。
【０１１３】
第２８の態様によれば、本発明の一実施形態はコンピュータプログラム製品を提供する。コンピュータ製品がコンピューティングデバイスによって実行されたとき、第５の態様または第５の態様の実装のいずれか１つにおいて提供される通信方法が実施される。
【０１１４】
第２９の態様によれば、本発明の一実施形態は基地局を提供する。基地局は第２の基地局である。第２の基地局は、プロセッサおよびトランシーバを含み、任意選択で、メモリをさらに含む。プロセッサは、メモリおよびトランシーバに接続される。たとえば、プロセッサは、バスを使用することによってメモリおよびトランシーバに接続され得る。トランシーバは、基地局などの別のデバイスと通信するように構成される。メモリは、ネットワークスライスに関する情報などを記憶するように構成される。プロセッサは、第６の態様における手順の一部または全部を実施するように構成される。
【０１１５】
第３０の態様によれば、本発明の一実施形態は別の基地局を提供する。基地局は第２の基地局である。第２の基地局は、受信ユニットおよび送信ユニットを含む。送信ユニットおよび受信ユニットは一緒に、第２９の態様におけるトランシーバを実装するように構成される。基地局は、上記のユニットを使用することによって第６の態様における方法の一部または全部を実装する。
【０１１６】
第３１の態様によれば、本発明の一実施形態は記憶媒体を提供する。記憶媒体はプログラムコードを記憶する。プログラムコードがコンピューティングデバイスによって実行されたとき、第６の態様または第６の態様の実装のいずれか１つにおいて提供される通信方法が実施される。記憶媒体は、限定はされないが、フラッシュメモリ、ハードディスクドライブ、またはソリッドステートドライブを含む。
【０１１７】
第３２の態様によれば、本発明の一実施形態はコンピュータプログラム製品を提供する。コンピュータ製品がコンピューティングデバイスによって実行されたとき、第６の態様または第６の態様の実装のいずれか１つにおいて提供される通信方法が実施される。
【０１１８】
第３３の態様によれば、本発明の一実施形態は基地局を提供する。基地局は第１の基地局である。第１の基地局は、プロセッサおよびトランシーバを含み、任意選択で、メモリをさらに含む。プロセッサは、メモリおよびトランシーバに接続される。たとえば、プロセッサは、バスを使用することによってメモリおよびトランシーバに接続され得る。トランシーバは、基地局、コアネットワークデバイスなどと通信するように構成される。メモリは、ネットワークスライスに関する情報などを記憶するように構成される。プロセッサは、第７の態様における手順の一部または全部を実施するように構成される。
【０１１９】
第３４の態様によれば、本発明の一実施形態は別の基地局を提供する。基地局は第１の基地局である。第１の基地局は、受信ユニットおよび送信ユニットを含む。送信ユニットおよび受信ユニットは一緒に、第３３の態様におけるトランシーバを実装するように構成される。基地局は、上記のユニットを使用することによって第７の態様における方法の一部または全部を実装する。
【０１２０】
第３５の態様によれば、本発明の一実施形態は記憶媒体を提供する。記憶媒体はプログラムコードを記憶する。プログラムコードがコンピューティングデバイスによって実行されたとき、第７の態様または第７の態様の実装のいずれか１つにおいて提供される通信方法が実施される。記憶媒体は、限定はされないが、フラッシュメモリ、ハードディスクドライブ、またはソリッドステートドライブを含む。
【０１２１】
第３６の態様によれば、本発明の一実施形態はコンピュータプログラム製品を提供する。コンピュータ製品がコンピューティングデバイスによって実行されたとき、第７の態様または第７の態様の実装のいずれか１つにおいて提供される通信方法が実施される。
【０１２２】
第３７の態様によれば、本発明の一実施形態は基地局を提供する。基地局は第２の基地局である。第２の基地局は、プロセッサおよびトランシーバを含み、任意選択で、メモリをさらに含む。プロセッサは、メモリおよびトランシーバに接続される。たとえば、プロセッサは、バスを使用することによってメモリおよびトランシーバに接続され得る。トランシーバは、基地局などの別のデバイスと通信するように構成される。メモリは、ネットワークスライスに関する情報などを記憶するように構成される。プロセッサは、第８の態様における手順の一部または全部を実施するように構成される。
【０１２３】
第３８の態様によれば、本発明の一実施形態は別の基地局を提供する。基地局は第２の基地局である。第２の基地局は、受信ユニットおよび送信ユニットを含む。送信ユニットおよび受信ユニットは一緒に、第３７の態様におけるトランシーバを実装するように構成される。基地局は、上記のユニットを使用することによって第８の態様における方法の一部または全部を実装する。
【０１２４】
第３９の態様によれば、本発明の一実施形態は記憶媒体を提供する。記憶媒体はプログラムコードを記憶する。プログラムコードがコンピューティングデバイスによって実行されたとき、第８の態様または第８の態様の実装のいずれか１つにおいて提供される通信方法が実施される。記憶媒体は、限定はされないが、フラッシュメモリ、ハードディスクドライブ、またはソリッドステートドライブを含む。
【０１２５】
第４０の態様によれば、本発明の一実施形態はコンピュータプログラム製品を提供する。コンピュータ製品がコンピューティングデバイスによって実行されたとき、第８の態様または第８の態様の実装のいずれか１つにおいて提供される通信方法が実施される。
【図面の簡単な説明】
【０１２６】
本発明の実施形態または背景技術における技術的解決策についてより明確に説明するために、以下で、本発明の実施形態または背景技術について説明するために必要な添付の図面について手短に説明する。
【０１２７】
【図１】本発明の一実施形態による可能な通信システムの概略アーキテクチャ図である。
【図２】本発明の一実施形態による可能なアクセスネットワークデバイスを示す図である。
【図３】本発明の一実施形態による通信方法の概略フローチャートである。
【図４】本発明の一実施形態による別の通信方法の概略フローチャートである。
【図５】本発明の一実施形態による別の通信方法の概略フローチャートである。
【図６】本発明の一実施形態による別の通信方法の概略フローチャートである。
【図７】本発明の一実施形態による別の通信方法の概略フローチャートである。
【図８】本発明の一実施形態による基地局の概略構造図である。
【図９】本発明の一実施形態によるコアネットワークデバイスの概略構造図である。
【図１０】本発明の一実施形態による別の基地局の概略構造図である。
【図１１】本発明の一実施形態による別のコアネットワークデバイスの概略構造図である。
【図１２】本発明の一実施形態による別の基地局の概略構造図である。
【図１３】本発明の一実施形態による別の基地局の概略構造図である。
【図１４】本発明の一実施形態による別の基地局の概略構造図である。
【図１５】本発明の一実施形態による別の基地局の概略構造図である。
【図１６】本発明の一実施形態による別の基地局の概略構造図である。
【図１７】本発明の一実施形態による別のコアネットワークデバイスの概略構造図である。
【発明を実施するための形態】
【０１２８】
以下で、本発明の実施形態における添付の図面を参照しながら本発明の実施形態について説明する。
【０１２９】
図１は、本発明の一実施形態による可能な通信システムの概略アーキテクチャ図である。ネットワーク要素について以下のように説明される。
【０１３０】
端末デバイスはユーザ機器（ｕｓｅｒ  ｅｑｕｉｐｍｅｎｔ、ＵＥ）であり得る。ＵＥは、アクセスネットワークデバイスを使用することによってネットワーク側にアクセスする。たとえば、ＵＥは、ハンドヘルド端末デバイス、ノートブックコンピュータ、加入者ユニット（ｓｕｂｓｃｒｉｂｅｒ  ｕｎｉｔ）、セルラーフォン（ｃｅｌｌｕｌａｒ  ｐｈｏｎｅ）、スマートフォン（ｓｍａｒｔ  ｐｈｏｎｅ）、ワイヤレスデータカード、携帯情報端末（ｐｅｒｓｏｎａｌ  ｄｉｇｉｔａｌ  ａｓｓｉｓｔａｎｔ、ＰＤＡ）コンピュータ、タブレットコンピュータ、ワイヤレスモデム（ｍｏｄｅｍ）、ハンドヘルド（ｈａｎｄｈｅｌｄ）デバイス、ラップトップコンピュータ（ｌａｐｔｏｐ  ｃｏｍｐｕｔｅｒ）、コードレスフォン（ｃｏｒｄｌｅｓｓ  ｐｈｏｎｅ）もしくはワイヤレスローカルループ（ｗｉｒｅｌｅｓｓ  ｌｏｃａｌ  ｌｏｏｐ、ＷＬＬ）局、マシンタイプ通信（ｍａｃｈｉｎｅ  ｔｙｐｅ  ｃｏｍｍｕｎｉｃａｔｉｏｎ、ＭＴＣ）端末、またはネットワークにアクセスすることができる別のデバイスであり得る。端末デバイスとアクセスネットワークデバイスは、エアインターフェース技術を使用することによって互いに通信する。
【０１３１】
アクセスネットワーク（ｒａｄｉｏ  ａｃｃｅｓｓ  ｎｅｔｗｏｒｋ、ＲＡＮ）デバイスは、無線リソース管理、サービス品質（ｑｕａｌｉｔｙ  ｏｆ  ｓｅｒｖｉｃｅ、ＱｏＳ）管理、ならびにデータ圧縮および暗号化など、エアインターフェース側上の機能を主に担当する。アクセスネットワークデバイスは、マクロ基地局、マイクロ基地局（スモールセルとも呼ばれる）、中継局、およびアクセスポイントなど、様々な形態の基地局を含み得る。異なる無線アクセス技術を使用しているシステムでは、基地局の機能を有するデバイスの名前が異なることがある。たとえば、第５世代（５ｔｈ  ｇｅｎｅｒａｔｉｏｎ、５Ｇ）システムでは、デバイスはｇＮＢと呼ばれ、ＬＴＥシステムでは、デバイスは発展型ノードＢ（ｅｖｏｌｖｅｄ  ｎｏｄｅＢ、ｅＮＢ、またはｅＮｏｄｅＢ）と呼ばれ、第３世代（３ｒｄ  ｇｅｎｅｒａｔｉｏｎ、３Ｇ）システムでは、デバイスはノードＢ（ｎｏｄｅ  Ｂ）と呼ばれる。
【０１３２】
任意選択で、図２に示されているように、アクセスネットワークデバイスは、中央ユニット（ｃｅｎｔｒａｌ  ｕｎｉｔ、ＣＵ）および複数の分散ユニット（ｄｉｓｔｒｉｂｕｔｅｄ  ｕｎｉｔ、ＤＵ）を含む。ＣＵは、論理ノードであり、ｇＮＢの機能のうちのいくつかを含む。ＤＵは、論理ノードであり、ＣＵ中に含まれるもの以外のｇＮＢの他の機能を含む。図２に示されているように、１つのＣＵは複数のＤＵに対応することがある。任意選択の実装では、ＣＵは、無線リソース制御（ｒａｄｉｏ  ｒｅｓｏｕｒｃｅ  ｃｏｎｔｒｏｌ、ＲＲＣ）、パケットデータコンバージェンスプロトコル（ｐａｃｋｅｔ  ｄａｔａ  ｃｏｎｖｅｒｇｅｎｃｅ  ｐｒｏｔｏｃｏｌ、ＰＤＣＰ）、およびサービスデータ適応プロトコル（Ｓｅｒｖｉｃｅ  Ｄａｔａ  Ａｄａｐｔａｔｉｏｎ  Ｐｒｏｔｏｃｏｌ、ＳＤＡＰ）プロトコルスタック機能を含む。ＤＵは、無線リンク制御（Ｒａｄｉｏ  Ｌｉｎｋ  Ｃｏｎｔｒｏｌ、ＲＬＣ）、メディアアクセス制御（Ｍｅｄｉａ  Ａｃｃｅｓｓ  Ｃｏｎｔｒｏｌ、ＭＡＣ）、および物理レイヤ（ｐｈｙｓｉｃａｌ  ｌａｙｅｒ、ＰＨＹ）プロトコルスタック機能を含む。ＣＵとＤＵとの間の通信インターフェースがある。たとえば、通信インターフェースはＦ１インターフェースである。１つのＤＵは、１つのセルを含むことがあるか、または複数のセルを含むことがある。
【０１３３】
コアネットワークデバイスは、ユーザ接続およびユーザ管理を提供し、サービスを運搬するように構成される。たとえば、ユーザ接続のセットアップは、モビリティ管理（ｍｏｂｉｌｅ  ｍａｎａｇｅｍｅｎｔ、ＭＭ）およびページング（ｐａｇｉｎｇ）などの機能を含む。ユーザ管理は、ユーザ記述、ＱｏＳ、およびセキュリティを含む（認証センターによって提供される、対応するセキュリティ対策は、モバイルサービスに対するセキュリティ管理および外部ネットワークへのアクセスに対するセキュリティ処理を含む）。コアネットワークデバイスは、外部公衆交換電話ネットワーク（ｐｕｂｌｉｃ  ｓｗｉｔｃｈｅｄ  ｔｅｌｅｐｈｏｎｅ  ｎｅｔｗｏｒｋ、ＰＳＴＮ）、外部回線データネットワークおよびパケットデータネットワーク、インターネット（Ｉｎｔｅｒｎｅｔ）などを含むネットワークにアクセスできる。たとえば、コアネットワークデバイスは、アクセスおよびモビリティ管理機能（Ａｃｃｅｓｓ  ａｎｄ  Ｍｏｂｉｌｉｔｙ  Ｍａｎａｇｅｍｅｎｔ  Ｆｕｎｃｔｉｏｎ、ＡＭＦ）であることがあり、シグナリング処理部分、すなわち、アクセス制御、モビリティ管理、アタッチおよびデタッチ、ならびにゲートウェイ選択などの機能を含む制御プレーン機能を主に担当する。本発明の実施形態におけるコアネットワークデバイスはＡＭＦに限定されない。
【０１３４】
図１に示されているように、アクセスネットワークデバイスは少なくとも１つの端末デバイスに接続され得ることがわかろう。たとえば、アクセスネットワークデバイス１０１は、端末デバイス１および端末デバイス２に接続され、アクセスネットワークデバイス１０２は、端末デバイス３および端末デバイス４に接続される。アクセスネットワークデバイスは少なくとも１つのコアネットワークデバイスに接続され得る。たとえば、アクセスネットワークデバイス１０１およびアクセスネットワークデバイス１０２がコアネットワークデバイスに接続される。
【０１３５】
コアネットワークデバイスとアクセスネットワークデバイスとの間の制御プレーンインターフェースがある。たとえば、コアネットワークデバイスとアクセスネットワークとの間のインターフェースがあり、このインターフェースは、本出願ではＮ２インターフェースと呼ばれる。
【０１３６】
アクセスネットワークデバイス１０１とアクセスネットワークデバイス１０２との間の通信インターフェースがある場合、アクセスネットワークデバイス１０１とアクセスネットワークデバイス１０２は互いに通信することができるか、またはアクセスネットワークデバイス１０１とアクセスネットワークデバイス１０２との間の通信インターフェースがない場合、アクセスネットワークデバイス１０１とアクセスネットワークデバイス１０２は互いに通信することができない。したがって、アクセスネットワークデバイス１０１およびアクセスネットワークデバイス１０２は、通信インターフェースがセットアップされた場合のみ、アクセスネットワークデバイス１０１およびアクセスネットワークデバイス１０２によってそれぞれサポートされるネットワークスライスに関する情報を送信することができ、通信インターフェースがない場合、互いに通信することができず、さらに、アクセスネットワークデバイス１０１およびアクセスネットワークデバイス１０２にそれぞれ対応するネットワークスライスに関する情報を送ることができない。
【０１３７】
端末デバイス上には、拡張モバイルブロードバンド（ｅｎｈａｎｃｅｄ  Ｍｏｂｉｌｅ  Ｂｒｏａｄｂａｎｄ、ｅＭＢＢ）サービス、超高信頼および低レイテンシ通信（Ｕｌｔｒａ−Ｒｅｌｉａｂｌｅ  Ｌｏｗ  ｌａｔｅｎｃｙ  Ｃｏｍｍｕｎｉｃａｔｉｏｎｓ、ＵＲＬＬＣ）、ならびに大容量マシンタイプ通信（Ｍａｓｓｉｖｅ  Ｍａｃｈｉｎｅ  Ｔｙｐｅ  Ｃｏｍｍｕｎｉｃａｔｉｏｎ、ｍＭＴＣ）など、複数のタイプのサービスがある。異なるタイプのサービスのセッションは、異なるネットワークスライスに対応し得る。同じタイプのサービスでさえ、そのサービスを提供している事業者またはサービスプロバイダが異なるので、異なるネットワークスライスに対応し得る。異なるアクセスネットワークデバイスは異なるネットワークスライスをサポートし得る。この場合、端末デバイスがネットワークにアクセスし複数のセッションをセットアップする必要がある場合、接続されたアクセスネットワークデバイスは、端末デバイスのセッションのうちのすべてまたはいくつかに対応するネットワークスライスをサポートする必要がある。
【０１３８】
端末デバイスのロケーション変更、負荷分散などにより、端末デバイスのためのアクセスネットワークデバイスが切り替えられる必要がある場合、たとえば、端末デバイスのセッションがアクセスネットワークデバイス１０１からアクセスネットワークデバイス１０２にハンドオーバされる必要がある場合、しかしながら、ハンドオーバが成功することができるかどうかは、アクセスネットワークデバイス１０２が、端末デバイスのセッションに対応するネットワークスライスをサポートするかどうかに密接に関係する。たとえば、端末デバイスの現在のセッションは、第１のセッション、第２のセッション、および第３のセッションを含み、第１のセッションはネットワークスライス１に対応し、第２のセッションはネットワークスライス２に対応し、第３のセッションはネットワークスライス３に対応する。アクセスネットワークデバイス１０２がネットワークスライス１、ネットワークスライス２、およびネットワークスライス３をサポートする場合、端末デバイスのセッションのすべてがアクセスネットワークデバイス１０２にハンドオーバされ得る。アクセスネットワークデバイス１０２が、セッションのうちのいくつかに対応するネットワークスライスをサポートする場合、セッションのうちのいくつかはアクセスネットワークデバイス１０２にハンドオーバされ得る。たとえば、アクセスネットワークデバイス１０２がネットワークスライス１およびネットワークスライス３をサポートする場合、端末デバイスの第１のセッションおよび第３のセッションがアクセスネットワークデバイス１０２にハンドオーバされ得る。アクセスネットワークデバイス１０２が、いずれのセッションに対応するネットワークスライスをもサポートしない場合、アクセスネットワークデバイス１０１は、アクセスネットワークデバイス１０２によって送られたハンドオーバ失敗メッセージを受信する。この場合、アクセスネットワークデバイス１０１は、端末デバイスのセッションをアクセスネットワークデバイスにハンドオーバすることができない。
【０１３９】
実際には、アクセスネットワークデバイス１０１が、アクセスネットワークデバイス１０２のサポートされるネットワークスライスを判定するかどうかにかかわらず、アクセスネットワークデバイス１０１は、アクセスネットワークデバイス１０２にハンドオーバ要求を送る。アクセスネットワークデバイス１０２が、端末デバイスのいずれのセッションに対応するネットワークスライスをもサポートしない場合、ハンドオーバは失敗する。しかしながら、たとえば、無線リソースが利用不可能である（ｒａｄｉｏ  ｒｅｓｏｕｒｃｅ  ｎｏｔ  ａｖａｉｌａｂｌｅ）、セルが利用不可能である（ｃｅｌｌ  ｎｏｔ  ａｖａｉｌａｂｌｅ）、および要求されたネットワークスライスがアクセスネットワークデバイス１０２中でサポートされないなど、複数のハンドオーバ失敗原因があり得る。しかしながら、既存の解決策では、アクセスネットワークデバイス１０１とアクセスネットワークデバイス１０２との間の通信インターフェースがない場合、アクセスネットワークデバイス１０１はハンドオーバ失敗原因を判定することができない。アクセスネットワークデバイス１０２がネットワークスライス２をサポートしない場合、別のセッションがネットワークスライス２へのハンドオーバの要求を必要とするとき、アクセスネットワークデバイス１０１は、アクセスネットワークデバイス１０２にハンドオーバ要求を依然として送り、ハンドオーバは依然として失敗し、それにより、ハンドオーバ成功確率が低減する。
【０１４０】
しかしながら、本発明の実施形態では、端末デバイスが現在のセッションをハンドオーバする必要がある場合、アクセスネットワークデバイス１０１は、コアネットワークデバイスを使用することによって、アクセスネットワークデバイス１０２が、ハンドオーバ要求中のセッションに対応するネットワークスライスをサポートするかどうかを判定し得る。これは、ハンドオーバについての要求を必要としている別のセッションのための情報ヘルプを基地局に提供する。アクセスネットワークデバイス１０１が、同じネットワークスライスのセッションをハンドオーバする必要があるとき、セッションがアクセスネットワークデバイス１０２にハンドオーバされることが可能であるかが直接判定されることが可能であり、それにより、ハンドオーバ成功確率が改善される。
【０１４１】
本出願の実施形態は、アクセスネットワークデバイスが基地局である例を使用することによって説明されることに留意されたい。任意選択の方式では、本出願のいずれの実施形態における基地局のサポートされるネットワークスライスに関する情報も、基地局の少なくとも１つのセルの識別子、および各セル識別子に対応する少なくとも１つのネットワークスライスの指示情報を含み得る。１つの基地局は１つまたは複数のセルを含み得る。各セルは、セル識別子を使用することによって表される。各セルは、１つまたは複数のネットワークスライスをサポートし得る。セルによってサポートされるネットワークスライスは異なる。この場合、１つのセル識別子は、少なくとも１つのネットワークスライスの指示情報に対応し得る。たとえば、特定の表現形式は以下の通りであり（名前は説明のために使用されるにすぎず、名前は本出願の実施形態では限定されない）、セルＩＤはセル識別子を表し、Ｓ−ＮＳＳＡＩリストはネットワークスライスの指示情報を表し、１つのセルＩＤは少なくとも１つのＳ−ＮＳＳＡＩリストに対応し得る。
＞＞＞セルＩＤ
＞＞＞Ｓ−ＮＳＳＡＩリスト
【０１４２】
代替として、別の任意選択の方式では、基地局のサポートされるネットワークスライスに関する情報は、基地局に関する情報、および基地局に対応する少なくとも１つのネットワークスライスの指示情報を含み得る。各基地局は、１つまたは複数のネットワークスライスをサポートし得る。この場合、１つの基地局に関する情報は、少なくとも１つのネットワークスライスの指示情報に対応し得る。たとえば、特定の表現形式は以下の通りであり（名前は説明のために使用されるにすぎず、名前は本出願の実施形態では限定されない）、ｇＮＢ  ＩＤは基地局に関する情報を表し、Ｓ−ＮＳＳＡＩリストはネットワークスライスの指示情報を表し、１つのｇＮＢ  ＩＤは少なくとも１つのＳ−ＮＳＳＡＩリストに対応し得る。
＞＞＞ｇＮＢ  ＩＤ
＞＞＞Ｓ−ＮＳＳＡＩリスト
【０１４３】
本出願のいずれの実施形態における基地局に関する情報も、基地局の基地局識別子、基地局の中央ユニットの識別子（ＣＵ  ＩＤ）、基地局の分散ユニットの識別子（ＤＵ  ＩＤ）、基地局の物理的セルの識別子（Ｐｈｙｓｉｃａｌ  Ｃｅｌｌ  Ｉｄｅｎｔｉｆｉｅｒ、ＰＣＩ）、または基地局のセルのグローバル識別子（Ｃｅｌｌ  Ｇｌｏｂａｌ  ＩＤ、ＣＧＩ）のうちの少なくとも１つを含み得る。中央ユニットおよび分散ユニットについては、図２の詳細な説明を参照されたい。詳細についてここで再び説明されない。
【０１４４】
本出願のいずれの実施形態における各ネットワークスライスの指示情報も、ネットワークスライス識別子、シングルネットワークスライス選択支援情報（ｓｉｎｇｌｅ  ｎｅｔｗｏｒｋ  ｓｌｉｃｅ  ｓｅｌｅｃｔｉｏｎ  ａｓｓｉｓｔａｎｃｅ  ｉｎｆｏｒｍａｔｉｏｎ、Ｓ−ＮＳＳＡＩ）、またはアクセスネットワーク−ネットワークスライス選択支援情報（ＲＡＮ  ｎｅｔｗｏｒｋ  ｓｌｉｃｅ  ｓｅｌｅｃｔｉｏｎ  ａｓｓｉｓｔａｎｃｅ  ｉｎｆｏｒｍａｔｉｏｎ、Ｒ−ＮＳＳＡＩ）のうちの少なくとも１つを含み得ることにさらに留意されたい。
【０１４５】
ネットワークスライス識別子は、以下の（１）から（７）のうちの少なくとも１つを使用することによって表され得る。
【０１４６】
（１）ネットワークスライスタイプ情報：たとえば、ネットワークスライスタイプ情報は、拡張モバイルブロードバンド（ｅｎｈａｎｃｅｄ  Ｍｏｂｉｌｅ  Ｂｒｏａｄｂａｎｄ、ｅＭＢＢ）サービス、超高信頼および低レイテンシ通信（Ｕｌｔｒａ−Ｒｅｌｉａｂｌｅ  Ｌｏｗ  Ｌａｔｅｎｃｙ  Ｃｏｍｍｕｎｉｃａｔｉｏｎｓ、ＵＲＬＬＣ）、ならびに大容量マシンタイプ通信（Ｍａｓｓｉｖｅ  Ｍａｃｈｉｎｅ  Ｔｙｐｅ  Ｃｏｍｍｕｎｉｃａｔｉｏｎ、ｍＭＴＣ）などのネットワークスライスタイプを示し得る。任意選択で、ネットワークスライスタイプ情報は、ＲＡＮツーコアネットワーク（Ｃｏｒｅ  Ｎｅｔｗｏｒｋ、ＣＮ）ネットワークスライスタイプを含む、エンドツーエンドネットワークスライスタイプを代替として示し得るか、またはＲＡＮ側ネットワークスライスタイプ、もしくはＣＮ側ネットワークスライスタイプを示し得る。
【０１４７】
（２）サービスタイプ情報：特定のサービスに関係する。たとえば、サービスタイプ情報は、ビデオサービス、ビークルのインターネットサービス、もしくは音声サービスなどのサービス特性、または特定のサービス情報を示し得る。
【０１４８】
（３）テナント（Ｔｅｎａｎｔ）情報：騰訊（テンセント）、または国家電網（ステートグリッド）など、ネットワークスライスを作成またはリースしている顧客に関する情報を示すために使用される。
【０１４９】
（４）ユーザグループ情報：ユーザレベルなどの特定の特性に基づいてユーザをグループ化するグループ情報を示すために使用される。
【０１５０】
（５）スライスグループ情報：特定の特性に基づいてネットワークスライスをグループ化するグループ情報を示すために使用される。たとえば、端末デバイスによってアクセスされることが可能であるすべてのネットワークスライスがスライスグループとして使用され得るか、またはネットワークスライスは、別の基準に基づいてグループ化され得る。
【０１５１】
（６）ネットワークスライスインスタンス情報：ネットワークスライスのために作成されるインスタンスの識別子および特性情報を示すために使用される。たとえば、ネットワークスライスインスタンスを示すために、識別子がネットワークスライスインスタンスに割り振られ得る。代替として、ネットワークスライスインスタンスの識別子に基づいて新しい識別子へのマッピングが取得されることがあり、この新しい識別子はネットワークスライスインスタンスに関連付けられる。受信者は、識別子に基づいて、識別子によって示される特定のネットワークスライスインスタンスを識別し得る。
【０１５２】
（７）専用コアネットワーク（Ｄｅｄｉｃａｔｅｄ  Ｃｏｒｅ  Ｎｅｔｗｏｒｋ、ＤＣＮ）識別子：この識別子は、ロングタームエボリューション（Ｌｏｎｇ  Ｔｅｒｍ  Ｅｖｏｌｕｔｉｏｎ、ＬＴＥ）システムまたは拡張ＬＴＥ（ｅｎｈａｎｃｅｄ  ＬＴＥ、ｅＬＴＥ）システムにおける専用コアネットワーク、たとえば、モノのインターネットに固有のコアネットワークを一意に示すために使用される。任意選択で、ＤＣＮ識別子はネットワークスライス識別子にマッピングされることがある。ネットワークスライス識別子は、ＤＣＮ識別子へのマッピングを通して取得されることがあり、ＤＣＮ識別子は、ネットワークスライス識別子へのマッピングを通して取得されることがある。
【０１５３】
Ｓ−ＮＳＳＡＩは、少なくともスライス／サービスタイプ（Ｓｌｉｃｅ／Ｓｅｒｖｉｃｅ  ｔｙｐｅ、ＳＳＴ）情報を含み、任意選択で、スライス差別化（Ｓｌｉｃｅ  Ｄｉｆｆｅｒｅｎｔｉａｔｏｒ、ＳＤ）情報をさらに含み得る。ＳＳＴ情報は、ネットワークスライスの特性およびサービスタイプなど、ネットワークスライスの挙動を示すために使用される。ＳＤ情報はＳＳＴの補足情報である。ＳＳＴが複数のネットワークスライスインスタンスを示す場合、ＳＤは、一意のネットワークスライスインスタンスに対応し得る。
【０１５４】
Ｒ−ＮＳＳＡＩは、特定のＳ−ＮＳＳＡＩのグループ、すなわち、特定のＳ−ＮＳＳＡＩのグループのセットの識別子を表す。
【０１５５】
本出願の実施形態では、ネットワークスライスについて、ネットワークスライスの指示情報は、上記のパラメータのうちの少なくとも１つを使用することによって表され得ることを理解されたい。たとえば、ネットワークスライスの指示情報は、ネットワークスライスタイプを使用することによって表され得るか、またはネットワークスライスタイプおよびサービスタイプを使用することによって表され得るか、またはサービスタイプおよびテナント情報を使用することによって表され得る。これは、本出願の実施形態では限定されない。ネットワークスライスのネットワークスライス指示情報をどのように表すべきかに関する詳細については、以下で再び説明されない。任意選択で、ネットワークスライス指示情報の特定の符号化形式は限定されない。異なるデバイス間のインターフェースメッセージ中で搬送される異なるフィールドは、異なるネットワークスライス指示情報を表すために使用され得るか、または抽出されたインデックス値が代替として使用されることがあり、異なるインデックス値は異なるネットワークスライスに対応する。もちろん、上記の識別子に加えて、他の識別子があってもよい。これは、ここでは限定されない。端末デバイス、アクセスネットワークデバイス、またはコアネットワークデバイスが、複数のネットワークスライスをサポートする場合、端末デバイス、アクセスネットワークデバイス、またはコアネットワークデバイスによってサポートされるネットワークスライスの指示情報は、上記の識別子のうちの少なくとも１つのリストの形式で表され得ることを理解されたい。
【０１５６】
本発明の実施形態は、ネットワークスライスをサポートしている別の通信システムに適用され得る。「システム」および「ネットワーク」という用語は交換可能である。本発明の実施形態において説明されるシステムシステムアーキテクチャは、本発明の実施形態の技術的解決策についてより明確に説明するためのものであり、本発明の実施形態において提供される技術的解決策に対する限定とならない。当業者は、ネットワークアーキテクチャの発展とともに、本発明の実施形態において提供される技術的解決策が、同様の技術的問題にも適用可能であることを知っていよう。
【０１５７】
図３および図４を参照すると、本発明の一実施形態による通信方法が提供されている。この実施形態では、アクセスネットワークデバイスが基地局であることが例として使用される。図３および図４に示されているように、通信方法は、端末デバイス、ソース基地局、コアネットワークデバイス、およびターゲット基地局に関係する。図３は、コアネットワークデバイスが、ハンドオーバ準備が失敗すると判定する場合における通信方法に対応する。図４は、コアネットワークデバイスが、ハンドオーバが成功すると判定する場合における通信方法に対応する。ソース基地局は、端末デバイスへの通信接続を確立した基地局である。ターゲット基地局は、端末デバイスの現在のセッションがそれにハンドオーバされるべき基地局である。コアネットワークデバイスは、ソース基地局およびターゲット基地局と通信し得る。
【０１５８】
図３に示されているように、通信方法は、ステップ３０１からステップ３０７を含む。以下の詳細な説明を参照されたい。
【０１５９】
３０１．端末デバイスが、ソース基地局に測定報告を送る。
【０１６０】
このステップは任意選択のステップである。測定報告は、セルおよび基地局のうちの少なくとも１つの測定報告値を含む。任意選択で、測定報告がセルの測定報告値を含む場合、含まれるセルは、ソース基地局のセルであり得るか、または別の基地局のセルであり得る。測定報告が基地局の測定報告値を含む場合、含まれる基地局は、ソース基地局であり得るか、または別の基地局であり得る。任意選択で、測定報告中のセルおよび基地局の量は、本発明のこの実施形態では限定されない。
【０１６１】
任意選択で、端末デバイスは測定報告を送り、それにより、ソース基地局は、ソース基地局への通信インターフェースを有しない基地局に関する情報を取得し得る。たとえば、基地局間の通信インターフェースはＸｎによって表されることがある。これは、本発明のこの実施形態では限定されない。
【０１６２】
本発明のこの実施形態において第１の基地局と第２の基地局との間の通信インターフェースがないこと（Ｘｎ接続性なし）は、以下の２つの場合を含むことに留意されたい。第１の場合には、第１の基地局と第２の基地局との間で通信インターフェースがセットアップされない。たとえば、通信インターフェースセットアップ要求処理において通信インターフェースのセットアップが失敗する。第２の場合には、第１の基地局と第２の基地局との間の通信インターフェースが利用可能でなく、たとえば、Ｘｎインターフェースが利用可能でない。たとえば、基地局構成更新処理または通信インターフェースセットアップ要求において基地局構成更新失敗メッセージが現れる。ここで、第１の基地局および第２の基地局は、任意の２つの異なる基地局であり得る。たとえば、第１の基地局はソース基地局であることがあり、第２の基地局はターゲット基地局であるか、または第１の基地局はソース基地局であり、第２の基地局は、少なくとも１つの基地局のうちのいずれか１つである。
【０１６３】
たとえば、第１の基地局は、第２の基地局にＸｎインターフェースセットアップ要求（Ｘｎ  ｉｎｔｅｒｆａｃｅ  ｓｅｔｕｐ  ｒｅｑｕｅｓｔ）または基地局構成更新（ｇＮＢ  ｃｏｎｆｉｇｕｒａｔｉｏｎ  ｕｐｄａｔｅ）メッセージを送る。第１の基地局は、第２の基地局からＸｎインターフェースセットアップ失敗（Ｘｎ  ｉｎｔｅｒｆａｃｅ  ｓｅｔｕｐ  ｆａｉｌｕｒｅ）メッセージまたは基地局構成更新失敗（ｇＮＢ  ｃｏｎｆｉｇｕｒａｔｉｏｎ  ｕｐｄａｔｅ  ｆａｉｌｕｒｅ）メッセージを受信する。Ｘｎインターフェースセットアップ失敗メッセージまたは基地局構成更新失敗メッセージは、第１の基地局と第２の基地局との間に通信インターフェースがないことを示す。第１の基地局は、第２の基地局に基地局構成更新メッセージを送り、基地局構成更新メッセージは、第２の基地局から、第２の基地局によって現在サポートされるネットワークスライスに関する情報を取得して、第１の基地局において、第２の基地局のサポートされるネットワークスライスに関する記録を更新するために使用される。
【０１６４】
３０２．ソース基地局が、コアネットワークデバイスに第１のハンドオーバ要求を送る。
【０１６５】
Ｎ２インターフェースなどの通信インターフェースが、ソース基地局とコアネットワークデバイスとの間にセットアップされる。このようにして、ソース基地局とコアネットワークデバイスは互いに通信することができる。第１のハンドオーバ要求は、ソース基地局から少なくとも１つの基地局のうちのいずれか１つに端末デバイスの現在のセッションをハンドオーバするように要求するために使用される。第１のハンドオーバ要求は、少なくとも１つの基地局に関する情報を含む。端末デバイスの１つまたは複数の現在のセッションがあり得る。異なるセッションは異なるネットワークスライスに対応し得る。異なるネットワークスライスは異なるネットワークスライス指示情報に対応する。
【０１６６】
さらに、第１のハンドオーバ要求は、端末デバイスの識別子を含むことがあり、したがって、コアネットワークデバイスは、端末デバイスの識別子を参照して、ハンドオーバされるべきセッション、およびセッションに対応するネットワークスライスを判定する。任意選択で、端末デバイスの識別子は、限定はされないが、端末デバイスを一意に識別するために基地局またはコアネットワークデバイス側によって使用される識別子、たとえば、ＡＭＦ／ｇＮＢ内のＮ２インターフェースを介した端末デバイスのアプリケーションプロトコル識別子（ＡＭＦ／ｇＮＢ  ＵＥ  Ｎ２ＡＰ  ＩＤ）を含み得る。この識別子は、ＡＭＦ／ｇＮＢ側上のＮ２インターフェースにおいてＵＥを一意に識別する。
【０１６７】
任意選択で、第１のハンドオーバ要求が端末デバイスの識別子を含む場合、第１のハンドオーバ要求は、端末デバイスの各現在のセッションに対応するセッション識別子、および各セッション識別子に対応するネットワークスライスの指示情報をさらに含み得る。この場合、第１のハンドオーバ要求は、セッション識別子、およびセッション識別子に対応するネットワークスライスの指示情報を含み、コアネットワークデバイスは、ハンドオーバされるべきセッションに対応するネットワークスライスを直接判定し、それにより、セッションおよびセッションに対応するネットワークスライスを探索するのに費やされる時間を低減することができる。
【０１６８】
任意選択で、少なくとも１つの基地局は、ソース基地局への通信インターフェースを有する基地局であり得るか、またはソース基地局への通信インターフェースを有しない基地局であり得るか、または通信インターフェースを有する基地局と、通信インターフェースを有しない基地局の両方を含み得る。
【０１６９】
任意選択で、第１のハンドオーバ要求は、基地局がソース基地局への通信インターフェースを有するかどうかを示す指示情報をさらに含む。たとえば、少なくとも１つの基地局のうちの基地局Ａがソース基地局への通信インターフェースを有しない場合、第１のハンドオーバ要求は、基地局Ａに関する情報と、基地局Ａに関する情報に対応し、基地局Ａがソース基地局への通信インターフェースを有しないことを示す指示情報とを含み、それにより、コアネットワークデバイスは、基地局Ａがソース基地局に接続されているかどうかを判定し、基地局Ａがソース基地局に接続されていない場合、基地局Ａのネットワークスライスに関する情報をソース基地局にフィードバックする。
【０１７０】
任意選択で、ソース基地局は、少なくとも１つの基地局を複数の方式で判定し得る。たとえば、ソース基地局は、ステップ３０１において受信された測定報告に基づいて少なくとも１つの基地局を判定し得る。特に、測定報告は、複数の基地局または複数のセルの測定報告値を含む。ソース基地局は、最初に、測定報告に基づいて、測定報告中にある基地局に関する情報を判定し、次いで、それらの基地局から少なくとも１つの基地局を判定する。基地局は、測定報告中に複数の基地局を含め、測定報告中に複数のセルに対応する基地局を含める。複数のセルに対応する基地局は、ソース基地局によって、最初に、測定報告中の複数のセルを取得し、次いで、各セルに対応する基地局を取得することによって判定される。
【０１７１】
別の例では、ソース基地局は、第３の基地局から、第３の基地局の近隣基地局（ｎｅｉｇｈｂｏｒ  ｇＮＢ）に関する情報を受信し得る。第３の基地局は、ソース基地局への通信インターフェースを有する基地局である。第３の基地局の近隣基地局は、第３の基地局への通信インターフェースを有する基地局であり得るか、または第３の基地局への通信インターフェースを有しない基地局であり得る。第３の基地局の近隣基地局は、地理的ロケーションが第３の基地局のそれに近い基地局であり得る。第３の基地局の近隣基地局と第３の基地局との間の距離は、本発明のこの実施形態では限定されない。
【０１７２】
任意選択で、ソース基地局は、基地局がソース基地局への通信インターフェースを有するかどうかに従って、測定報告中の複数の基地局または第３の基地局の近隣基地局を分割し得る。任意選択の方式では、ソース基地局は、複数の基地局または第３の基地局の近隣基地局への通信インターフェースを１つずつセットアップすることを試み得る。通信インターフェースが正常にセットアップされた場合、それは、基地局がソース基地局への通信インターフェースを有することを示すか、または通信インターフェースがセットアップされることに失敗した場合、それは、基地局がソース基地局への通信インターフェースを有しないことを示す。別の任意選択の方式では、ソース基地局は、ソース基地局への通信インターフェースを有する基地局に関する情報を記憶する。このようにして、ソース基地局は、ソース基地局への通信インターフェースをセットアップしなかった基地局を判定するために、複数の基地局または第３の基地局の近隣基地局に関する情報から、ソース基地局への通信インターフェースを有する基地局に関する情報を除外し得る。
【０１７３】
別の例では、ソース基地局は、ネットワーク管理デバイスから構成情報を受信し得る。たとえば、ネットワーク管理デバイスは、運用、アドミニストレーション、および保守（Ｏｐｅｒａｔｉｏｎ  Ａｄｍｉｎｉｓｔｒａｔｉｏｎ  ａｎｄ  Ｍａｉｎｔｅｎａｎｃｅ、ＯＡＭ）デバイスである。任意選択で、構成情報は、ソース基地局への通信インターフェースをセットアップすることができる複数の基地局に関する情報を含むか、または構成情報は、ソース基地局への通信インターフェースをセットアップすることができない基地局に関する情報を含むか、または構成情報は、ソース基地局への通信インターフェースをセットアップすることができる複数の基地局に関する情報、およびソース基地局への通信インターフェースをセットアップすることができない基地局に関する情報を含む。
【０１７４】
上記の場合においてソース基地局への通信インターフェースをセットアップすることができない基地局については、ソース基地局は、ソース基地局への通信インターフェースをセットアップすることができない基地局を、ソース基地局への通信インターフェースを有しない基地局として直接判定し得る。
【０１７５】
上記の場合においてソース基地局への通信インターフェースをセットアップすることができる基地局については、１つの方式では、ソース基地局は、基地局への通信インターフェースを１つずつセットアップすることを試みることがあり、通信インターフェースが正常にセットアップされた場合、それは、基地局がソース基地局への通信インターフェースを有することを示すか、または通信インターフェースがセットアップされることに失敗した場合、それは、基地局がソース基地局への通信インターフェースを有さないことを示す。代替として、別の方式では、ソース基地局は、ソース基地局への通信インターフェースを有する基地局に関する情報を記憶する。このようにして、ソース基地局は、ソース基地局への通信インターフェースをセットアップしなかった基地局を判定するために、ソース基地局への通信インターフェースをセットアップすることができる基地局に関する情報から、ソース基地局への通信インターフェースを有する基地局に関する情報を除外し得る。
【０１７６】
対応して、コアネットワークデバイスは、ソース基地局によって送られた第１のハンドオーバ要求を受信する。
【０１７７】
３０３．コアネットワークデバイスが、端末デバイスの現在のセッションに対応するネットワークスライスを判定する。
【０１７８】
第１のハンドオーバ要求が、端末デバイスの現在のセッションのセッション識別子、またはセッション識別子に対応するネットワークスライスの指示情報を含まない場合、コアネットワークデバイスは、第１のハンドオーバ要求中の端末デバイスの識別子に基づいて、端末デバイスの識別子に対応するセッション識別子について、端末デバイスの識別子と、ネットワークスライスのセッション識別子および指示情報との間の記憶された対応を探索し、発見されたセッション識別子に対応するネットワークスライスの指示情報について探索し得る。コアネットワークデバイスに記憶された対応は、端末デバイスの１つまたは複数の現在のセッションのセッション識別子、および対応するネットワークスライスの指示情報を含み得る。
【０１７９】
第１のハンドオーバ要求が、端末デバイスの現在のセッションのセッション識別子、およびセッション識別子に対応するネットワークスライスの指示情報を含む場合、コアネットワークデバイスは、端末デバイスの現在のセッション、およびセッションに対応するネットワークスライスを直接判定し得る。
【０１８０】
さらに、第１のハンドオーバ要求は、少なくとも１つの基地局に関する情報を含み得る。コアネットワークデバイスは、少なくとも１つの基地局に関する情報に基づいて、各基地局のサポートされるネットワークスライスに関する情報を判定する。ネットワークスライスに関する情報は、サポートされるネットワークスライスの指示情報を含む。特定の例では、少なくとも１つの基地局のうちのいずれか１つが第４の基地局として指名され、いずれかの現在のセッションが第１のセッションとして指名される。第４の基地局とコアネットワークデバイスとの間の通信インターフェースがある場合、およびコアネットワークデバイスが、第４の基地局の第１のサポートされるネットワークスライスに関する情報を取得した場合、コアネットワークデバイスは、第４の基地局の第１のサポートされるネットワークスライスの指示情報を直接判定し得るか、またはコアネットワークデバイスが、第４の基地局の第１のサポートされるネットワークスライスに関する情報を取得しなかった場合、コアネットワークデバイスは、第４の基地局から、第４の基地局の第１のサポートされるネットワークスライスの指示情報を取得し得る。さらに、コアネットワークデバイスは、第４の基地局の第１のサポートされるネットワークスライスの指示情報が、第１のセッションに対応する第２のネットワークスライスの指示情報を含むかどうかを判定し得る。第１のネットワークスライスの指示情報が第２のネットワークスライスの指示情報を含む場合、それは、第４の基地局が、第１のセッションに対応するネットワークスライスをサポートすることを示す。第１のネットワークスライスの指示情報が第２のネットワークスライスの指示情報を含まない場合、それは、第４の基地局が、第１のセッションに対応するネットワークスライスをサポートしないことを示す。このようにして、コアネットワークデバイスは、少なくとも１つの基地局が、現在のセッションに対応するネットワークスライスをサポートしている基地局を含むかどうかを判定し得る。
【０１８１】
次に、少なくとも１つの基地局の各々によってサポートされる第１のネットワークスライスの指示情報が、端末デバイスのいずれの現在のセッションに対応する第２のネットワークスライスの指示情報をも含まない場合、コアネットワークデバイスは、少なくとも１つの基地局が、端末デバイスのいずれの現在のセッションに対応するネットワークスライスをもサポートしないと判定してよく、コアネットワークデバイスは、図３のステップ３０６を実施し得る。コアネットワークデバイスが、ソース基地局に第１のハンドオーバ応答メッセージを送る。この場合、第１のハンドオーバ応答メッセージは第１のハンドオーバ失敗メッセージであることがあり、指示情報は第１の指示情報を含み、第１の指示情報は、端末デバイスのいずれの現在のセッションに対応するネットワークスライスも、少なくとも１つの基地局によってサポートされないことを示すために使用される。任意選択で、第１の指示情報は、情報要素（ｉｎｆｏｒｍａｔｉｏｎ  ｅｌｅｍｅｎｔ、ＩＥ）、フラグ（ｆｌａｇ）、原因値（ｃａｕｓｅ）などを使用することによって指示を与え得る。これは、本発明のこの実施形態では限定されない。たとえば、第１の指示情報は、プリセットされた第１の原因値であり、ソース基地局は、第１の原因値によって示される意味を取得している。
【０１８２】
代替として、少なくとも１つの基地局が、現在のセッションのうちのすべてまたはいくつかに対応するネットワークスライスをサポートする基地局を含む場合、コアネットワークデバイスは、現在のセッションのうちのすべてまたはいくつかに対応するネットワークスライスをサポートする基地局をターゲット基地局として判定し、図３のステップ３０４を実施する。コアネットワークデバイスが、ターゲット基地局に第２のハンドオーバ要求を送る。任意選択で、複数の基地局が、現在のセッションのうちのすべてまたはいくつかに対応するネットワークスライスをサポートする場合、コアネットワークデバイスは、現在のセッションのうちのすべてまたはいくつかに対応するネットワークスライスをサポートしている基地局の各々の現在のセッションに対応する、サポートされるネットワークスライスの量を判定し、現在のセッションに対応するネットワークスライスの最も大きい量をサポートしている基地局をターゲット基地局として判定し得る。
【０１８３】
３０４．コアネットワークデバイスが、ターゲット基地局に第２のハンドオーバ要求を送る。
【０１８４】
ターゲット基地局を判定した後に、コアネットワークデバイスは、ターゲット基地局に第２のハンドオーバ要求を送る。第２のハンドオーバ要求は、ターゲット基地局が確立するように要求されたセッションに対応するセッション識別子、およびセッション識別子に対応する第３のネットワークスライスの指示情報を含む。ターゲット基地局が現在のセッションのうちのいくつかをサポートする場合、第２のハンドオーバ要求は、ターゲット基地局によってサポートされないセッションに対応する情報を含むことが不要であり得る。これは、送信される情報量を低減し、送信効率を改善する。
【０１８５】
たとえば、端末デバイスの現在のセッションは、第１のセッション、第２のセッション、第３のセッション、第４のセッション、および第５のセッションを含み、コアネットワークデバイスは、ターゲット基地局が、第１のセッション、第２のセッション、および第３のセッションにそれぞれ対応するネットワークスライスをサポートすると判定する。コアネットワークデバイスによって送られる第２のハンドオーバ要求は、第１のセッション、第２のセッション、および第３のセッションにそれぞれ対応するセッション識別子、ならびにそれらの３つのセッションに対応するネットワークスライスの指示情報を含み得る。
【０１８６】
３０５．ターゲット基地局が、コアネットワークデバイスに第２のハンドオーバ失敗メッセージを送る。
【０１８７】
ターゲット基地局は、コアネットワークデバイスから第２のハンドオーバ要求を受信し、ターゲット基地局が第２のハンドオーバ要求中のセッションを受け付けることができるかどうかを判定する。セッションのいずれもターゲット基地局によって受け付けられることが不可能である場合、図３のステップ３０５においてコアネットワークデバイスに送られる第２のハンドオーバ応答メッセージは、第２のハンドオーバ失敗メッセージ、たとえば、ハンドオーバ失敗であり得る。
【０１８８】
任意選択で、ターゲット基地局がセッションをサポートしない原因は、ネットワークスライスのために無線リソースが利用可能でないこと（ｒａｄｉｏ  ｒｅｓｏｕｒｃｅ  ｎｏｔ  ａｖａｉｌａｂｌｅ）、ネットワークスライスをサポートしているセルが利用可能でないこと（ｃｅｌｌ  ｎｏｔ  ａｖａｉｌａｂｌｅ）などを含み得る。ターゲット基地局のハンドオーバ失敗の特定の原因は、本発明のこの実施形態では限定されない。
【０１８９】
任意選択で、第２のハンドオーバ失敗メッセージは、第２のハンドオーバ要求中の各セッションに対応するハンドオーバ失敗原因情報を含む。たとえば、ハンドオーバの要求を有する第２のハンドオーバ要求中のセッションは、第１のセッション、第２のセッション、および第３のセッションである。第１のセッションおよび第２のセッションは、無線リソースが利用可能でないので、ターゲット基地局にハンドオーバされることが不可能であり、第３のセッションは、セルが利用可能でないので、ターゲット基地局にハンドオーバされることが不可能である。第２のハンドオーバ失敗メッセージは、無線リソースが利用可能でないという第１のセッションおよび第２のセッションのハンドオーバ失敗原因、ならびにセルが利用可能でないという第３のセッションのハンドオーバ失敗原因を含む。この場合、コアネットワークデバイスは、各セッションに対応するハンドオーバ失敗原因を判定し得る。
【０１９０】
３０６．コアネットワークデバイスが、ソース基地局に第１のハンドオーバ応答メッセージを送る。
【０１９１】
ステップ３０５が実施される場合、第１のハンドオーバ応答メッセージは第１のハンドオーバ失敗メッセージであり得る。たとえば、第１のハンドオーバ失敗メッセージはハンドオーバ準備失敗（ｈａｎｄｏｖｅｒ  ｐｒｅｐａｒａｔｉｏｎ  ｆａｉｌｕｒｅ）メッセージである。第１のハンドオーバ失敗メッセージは、第１の指示情報または第２の指示情報を含み得る。第１の指示情報は、端末デバイスのいずれかの現在のセッションに対応するネットワークスライスが、少なくとも１つの基地局によってサポートされないことを示すために使用される。現在のセッションは２つ以上のセッションである。現在のセッションは、セッションの第１の部分およびセッションの第２の部分を含む。第２の指示情報は、少なくとも１つの基地局が、セッションの第１の部分に対応するネットワークスライスをサポートする第２の基地局を含み、セッションの第２の部分に対応するネットワークスライスが第２の基地局によってサポートされず、セッションの第１の部分のハンドオーバが失敗することを示すために使用される。
【０１９２】
第１の任意選択の解決策では、端末デバイスのいずれの現在のセッションに対応するネットワークスライスも、少なくとも１つの基地局によってサポートされない場合、指示情報は第１の指示情報を含む。任意選択で、第１のハンドオーバ要求を受信した後に、コアネットワークデバイスが、第１のハンドオーバ要求中の少なくとも１つの基地局が端末デバイスのいずれの現在のセッションをもサポートしないと判定した場合、コアネットワークデバイスは、第１の指示情報を含む第１のハンドオーバ失敗メッセージを送る。
【０１９３】
第２の任意選択の解決策では、少なくとも１つの基地局の第１の基地局が、セッションの第１の部分に対応するネットワークスライスをサポートし、セッションの第１の部分のハンドオーバが失敗する場合、指示情報は、第１の指示情報または第２の指示情報を含む。任意選択で、第１のハンドオーバ要求を受信した後に、コアネットワークデバイスが、ステップ３０４を実施し、ターゲット基地局によって送られた第２のハンドオーバ失敗メッセージを受信した場合、コアネットワークデバイスは、第１の指示情報または第２の指示情報を含む第１のハンドオーバ失敗メッセージを送る。
【０１９４】
任意選択で、第１の指示情報および第２の指示情報は、情報要素（ｉｎｆｏｒｍａｔｉｏｎ  ｅｌｅｍｅｎｔ、ＩＥ）、フラグ（ｆｌａｇ）、原因値（ｃａｕｓｅ）などを使用することによって指示を与え得る。これは、本発明のこの実施形態では限定されない。
【０１９５】
任意選択で、説明のための例として原因値を使用すると、第１の指示情報は、プリセットされた第１の原因値であることがあり、ソース基地局は、第１の原因値によって示される意味を取得している。これは、本発明のこの実施形態では限定されない。
【０１９６】
任意選択で、説明のための例として原因値を使用すると、第２の指示情報は、複数のプリセットされた原因値を含むことがある。たとえば、第１の基地局が、セッションの第２の部分に対応するネットワークスライスをサポートしないことは、第２の原因値に対応し、第１の基地局が、セッションの第１の部分に対応するネットワークスライスをサポートし、セッションの第１の部分のハンドオーバが失敗することは、ある原因値に対応することがあるか、またはハンドオーバ失敗原因に応じて異なる原因値に対応することがあり、たとえば、無線リソースが利用可能でないことは第３の原因値に対応し、セルが利用可能でないことは第４の原因値に対応する。第１の指示情報と第２の指示情報は異なる原因値に対応し、それにより、利便性が改善される。
【０１９７】
たとえば、端末デバイスの現在のセッションが、第１のセッション、第２のセッション、第３のセッション、第４のセッション、および第５のセッションを含むと仮定される。ターゲット基地局が第１のセッション、第２のセッション、および第３のセッションをサポートする場合、第１のセッションおよび第２のセッションのハンドオーバは、無線リソースが利用可能でないので失敗し、第３のセッションのハンドオーバは、セルが利用可能でないので失敗し、ターゲット基地局は、第４のセッションおよび第５のセッションをサポートせず、第１のセッションおよび第２のセッションに対応する第３の原因値、第２のセッションに対応する第４の原因値、ならびに第４のセッションおよび第５のセッションに対応する第２の原因値がフィードバックされる。少なくとも１つの基地局が、いずれのセッションに対応するネットワークスライスをもサポートしない場合、第１の原因値がフィードバックされる（セッション識別子はフィードバックされる必要がない）か、または任意選択で、第１のセッション、第２のセッション、第３のセッション、第４のセッション、および第５のセッションに対応する第２の原因値がフィードバックされる。これらの２つの方式の間で比較すると、第１の原因値を直接フィードバックすることが、送信される情報ビットの量を低減し、送信効率を改善することができる。
【０１９８】
任意選択で、第１のハンドオーバ失敗メッセージは、少なくとも１つの基地局のサポートされるネットワークスライスに関する情報をさらに含む。少なくとも１つの基地局が１つの基地局を含む場合、第１のハンドオーバ失敗メッセージは、１つの基地局のサポートされるネットワークスライスに関する情報を含むか、または少なくとも１つの基地局が複数の基地局を含む場合、第１のハンドオーバ失敗メッセージは、基地局のうちの１つ、いくつか、もしくはすべてのネットワークスライスに関する情報を含み得る。これは、ソース基地局が、基地局のサポートされるネットワークスライスに関する情報を取得し記憶するのを助ける。この場合、別のセッションのハンドオーバのシナリオにおいて、ソース基地局は、第１のハンドオーバ失敗メッセージを使用することによって取得された情報を参照してターゲット基地局を判定し得る。
【０１９９】
任意選択で、第１のハンドオーバ失敗メッセージは、ソース基地局への通信インターフェースを有しない少なくとも１つの基地局のうちのすべてまたはいくつかの基地局のサポートされるネットワークスライスに関する情報をさらに含む。第１のハンドオーバ要求が、ソース基地局への通信インターフェースを有しない基地局の指示情報を含む場合、コアネットワークデバイスは、少なくとも１つの基地局のうちのどの基地局がソース基地局への通信インターフェースを有するか、およびどの基地局がソース基地局への通信インターフェースを有しないかを判定し得る。ソース基地局への通信インターフェースを有する基地局については、ソース基地局は、ソース基地局への通信インターフェースを有する基地局によってサポートされるネットワークスライスに関する情報を直接判定し得るので、フィードバックは必要とされない。ソース基地局への通信インターフェースを有しない基地局については、第１のハンドオーバ失敗メッセージを使用することによって、ソース基地局への通信インターフェースを有しない基地局のサポートされるネットワークスライスに関する情報がフィードバックされ、それにより、ソース基地局は、そのような基地局のサポートされるネットワークスライスに関する情報を判定する。
【０２００】
さらに、任意選択で、少なくとも１つの基地局のうちのいずれか１つのサポートされるネットワークスライスに関する情報が、基地局と対話することによってコアネットワークデバイスによって取得され得る。たとえば、第５の基地局は、少なくとも１つの基地局のうちのいずれか１つである。コアネットワークデバイスは、第５の基地局に第３のメッセージを送る。第５の基地局は、コアネットワークデバイスに、第５の基地局のサポートされるネットワークスライスに関する情報を送る。第３のメッセージはネットワークスライス情報取得要求であり得る。別の例では、コアネットワークデバイスは、第５の基地局によって送られた第４のメッセージを受信する。第４のメッセージは、第５の基地局のサポートされるネットワークスライスに関する情報を含む。第４のメッセージは、通信インターフェースセットアップ要求、基地局構成更新メッセージなどであり得る。
【０２０１】
３０７．ソース基地局が、端末デバイスにＲＲＣ接続解放メッセージを送る。
【０２０２】
ステップ３０７は任意選択のステップである。コアネットワークデバイスによって送られた第１のハンドオーバ失敗メッセージを受信した後に、ソース基地局は、端末デバイスにＲＲＣ接続解放メッセージを送り、それにより、端末デバイスは、適時にＲＲＣ接続を解放して、後続の無線リンク失敗処理を回避し、シグナリングオーバーヘッドを低減する。
【０２０３】
次に、図４に示されている通信方法を参照すると、通信方法は、ステップ４０１からステップ４０７を含む。以下の詳細な説明を参照されたい。
【０２０４】
４０１．端末デバイスが、ソース基地局に測定報告を送る。
【０２０５】
４０２．ソース基地局が、コアネットワークデバイスに第１のハンドオーバ要求を送る。
【０２０６】
４０３．コアネットワークデバイスが、端末デバイスの現在のセッションに対応するネットワークスライスを判定する。
【０２０７】
４０４．コアネットワークデバイスが、ターゲット基地局に第２のハンドオーバ要求を送る。
【０２０８】
ステップ４０１からステップ４０４については、図３に示されている実施形態における、対応するステップ３０１から３０４の詳細な説明を参照されたい。詳細についてここで再び説明されない。
【０２０９】
４０５．ターゲット基地局が、コアネットワークデバイスに第２のハンドオーバ要求肯定応答メッセージを送る。
【０２１０】
ターゲット基地局は、コアネットワークデバイスから第２のハンドオーバ要求を受信する。ターゲット基地局が第２のハンドオーバ要求中のセッションを受け付けることができるとターゲット基地局が判定した場合、ターゲット基地局は、コアネットワークデバイスに第２のハンドオーバ要求肯定応答メッセージを送る。たとえば、第２のハンドオーバ要求肯定応答メッセージはハンドオーバ要求肯定応答であり、第２のハンドオーバ要求肯定応答メッセージは、ターゲット基地局によって受け付けられたセッションに対応するセッション識別子を含む。
【０２１１】
任意選択で、第２のハンドオーバ要求肯定応答メッセージは、ターゲット基地局によって受け付けられたセッションのセッション識別子に対応するネットワークスライスの指示情報をさらに含み得る。これは、本発明のこの実施形態では限定されない。
【０２１２】
コアネットワークデバイスが確立するように要求され、第２のハンドオーバ要求中にあるセッションは、ターゲット基地局によって受け付けられたセッションと同じであるかまたは異なり得ることに留意されたい。ターゲット基地局が、各要求されたセッションに対応するネットワークスライスをサポートすることができる場合、第２のハンドオーバ要求のセッション識別子は、第２のハンドオーバ要求肯定応答メッセージのセッション識別子と同じである。ターゲット基地局が、要求されたセッションのうちのいくつかに対応するネットワークスライスをサポートすることができる場合、第２のハンドオーバ要求のセッション識別子の量は、第２のハンドオーバ要求肯定応答メッセージのセッション識別子のそれよりも大きい。
【０２１３】
さらに、任意選択で、第２のハンドオーバ要求肯定応答メッセージは、第２のハンドオーバ要求のセッション識別子、およびセッション識別子によって示されるセッションがセットアップされないと判定されたことに対応する原因情報を示し得る。たとえば、第２のハンドオーバ要求は、セッションに対応するセッション識別子であって、セッションが確立されないと判定された、セッション識別子と、セッション識別子に対応する原因情報とを含み得る。
【０２１４】
４０６．コアネットワークデバイスが、ソース基地局に第１のハンドオーバ応答メッセージを送る。
【０２１５】
コアネットワークデバイスが、ターゲット基地局によって送られた第２のハンドオーバ要求肯定応答メッセージを受信した後に、コアネットワークデバイスは、ソース基地局に第１のハンドオーバ応答メッセージを送る。第１のハンドオーバ応答メッセージは第１のハンドオーバ要求肯定応答メッセージである。たとえば、第１のハンドオーバ要求肯定応答メッセージはハンドオーバコマンド（ｈａｎｄｏｖｅｒ  ｃｏｍｍａｎｄ）であり得る。
【０２１６】
第１のハンドオーバ要求肯定応答メッセージは、ターゲット基地局によって受け付けられたセッションの第３の部分に対応するセッション識別子を含み、指示情報は第３の指示情報を含む。現在のセッションは２つ以上のセッションである。端末デバイスの現在のセッションは、セッションの第３の部分およびセッションの第４の部分を含む。第３の指示情報は、セッションの第４の部分に対応するネットワークスライスが、ターゲット基地局によってサポートされないことを示すために使用される。
【０２１７】
任意選択で、第３の指示情報は、ターゲット基地局が、セッションの第３の部分に対応するネットワークスライスをサポートすることを示すためにさらに使用される。
【０２１８】
任意選択で、現在のセッションがセッションの第５の部分をさらに含み、ターゲット基地局が、セッションの第５の部分に対応するネットワークスライスをサポートし、ハンドオーバが失敗する場合、第３の指示情報は、ターゲット基地局が、セッションの第５の部分に対応するネットワークスライスをサポートすること、およびハンドオーバが失敗することを示す原因情報を示すためにさらに使用される。
【０２１９】
たとえば、端末デバイスの現在のセッションが、第１のセッション、第２のセッション、第３のセッション、第４のセッション、および第５のセッションを含むと仮定される。ターゲット基地局が、第１のセッション、第２のセッション、および第３のセッションにそれぞれ対応するネットワークスライスをサポートし、ターゲット基地局が、第４のセッションおよび第５のセッションにそれぞれ対応するネットワークスライスをサポートしないと、コアネットワークデバイスが判定した場合、第２のハンドオーバ要求は、第１のセッション、第２のセッション、および第３のセッションにそれぞれ対応するセッション識別子を含む。コアネットワークデバイスによって受信された第２のハンドオーバ要求肯定応答メッセージは、第１のセッションのハンドオーバが、無線リソースが利用可能でないので、対応して失敗し、ターゲット基地局が、第２のセッションが受け付けられることが可能であると判定し、第３のセッションのハンドオーバが、セルが利用可能でないので、対応して失敗することを含む場合、コアネットワークデバイスは、ターゲット基地局が、第２のセッションに対応するネットワークスライスをサポートすると判定し、ターゲット基地局が第２のセッションを確立することができ、ターゲット基地局が、第４のセッションおよび第５のセッションに対応するネットワークスライスをサポートせず、第１のセッションのハンドオーバが、無線リソースが利用可能でないので、対応して失敗し、第３のセッションのハンドオーバが、セルが利用可能でないので、対応して失敗する、と判定する。
【０２２０】
この場合、第３の指示情報は、第１のセッション、第２のセッション、および第３のセッションに対応するネットワークスライスがサポートされること、ならびに／または第４のセッションおよび第５のセッションに対応するネットワークスライスがサポートされないことを含み得る。代替として、第３の指示情報は、第２のセッションに対応するネットワークスライスがサポートされること、第１のセッションおよび第３のセッションに対応するネットワークスライスがサポートされ、第１のセッションおよび第３のセッションのハンドオーバが失敗すること、ならびに／または第４のセッションおよび第５のセッションに対応するネットワークスライスがサポートされないことを含み得る。
【０２２１】
任意選択で、第３の指示情報は、ＩＥ、フラグ、原因などを使用することによって指示を与え得る。これは、本発明のこの実施形態では限定されない。
【０２２２】
任意選択で、第１のハンドオーバ応答メッセージは、ターゲット基地局によってサポートされるネットワークスライスのうちのすべてまたはいくつかに関する情報を含み、それにより、ソース基地局は、ターゲット基地局によってサポートされるネットワークスライスに関する情報を判定する。
【０２２３】
さらに、任意選択で、第１のハンドオーバ要求が、ターゲット基地局がソース基地局への通信インターフェースを有するかどうかを示す指示情報を含む場合、たとえば、少なくとも１つの基地局のうちの基地局Ａがソース基地局への通信インターフェースを有しない場合、第１のハンドオーバ要求は、基地局Ａに関する情報と、基地局Ａに関する情報に対応し、通信インターフェースがないことを示す指示情報とを含む。本発明のこの実施形態では、ターゲット基地局とソース基地局との間の通信インターフェースがない場合、第１のハンドオーバ応答メッセージは、ターゲット基地局によってサポートされるネットワークスライスに関する情報を含む。ターゲット基地局とソース基地局との間の通信インターフェースがある場合、ソース基地局およびターゲット基地局は、互いのサポートされるネットワークスライスに関する情報を直接交換することがあり、第１のハンドオーバ応答メッセージは、オーバーヘッドを低減するために、ターゲット基地局によってサポートされるネットワークスライスに関する情報を含まないことがある。
【０２２４】
４０７．ソース基地局が、端末デバイスにハンドオーバコマンドを送る。
【０２２５】
ソース基地局が、コアネットワークデバイスによって送られた第１のハンドオーバ応答メッセージを受信した後に、ソース基地局は、端末デバイスにハンドオーバコマンドを送る。端末デバイスは、ハンドオーバコマンドに従ってプロトコルスタックパラメータを構成し、ターゲット基地局に接続する。
【０２２６】
図３のステップ３０２または図４のステップ４０２における第１のハンドオーバ要求中にある、少なくとも１つの基地局に関する情報は、任意選択の方式で実装され得ることに留意されたい。
【０２２７】
第１の任意選択の方式では、第１のハンドオーバ要求は、１つの基地局に関する情報を含む。基地局を判定する方法については、Ａ１またはＡ２における詳細な説明を参照されたい。
【０２２８】
Ａ１．基地局とソース基地局との間に通信インターフェースがないことがある。
【０２２９】
任意選択で、ソース基地局は、測定報告、構成情報、および第３の基地局の近隣基地局に関する情報に基づいて、ソース基地局への通信インターフェースを有しない少なくとも１つの基地局を判定し、少なくとも１つの基地局から１つの基地局を選択し、第１のハンドオーバ要求中に含まれるべき１つの基地局に関する情報を判定し得る。
【０２３０】
Ａ２．基地局とソース基地局との間に通信インターフェースがあることがあり、基地局が、現在のセッションのうちのすべてまたはいくつかをサポートするが、サポートされるセッションのハンドオーバが失敗した。
【０２３１】
基地局とソース基地局との間に通信インターフェースがあるので、ソース基地局は、基地局のサポートされるネットワークスライスを取得し得る。基地局が、端末デバイスの現在のセッションに対応するネットワークスライスをサポートするとソース基地局が判定した場合、ソース基地局は、基地局に第３のハンドオーバ要求を直接送ることがあり、第３のハンドオーバ要求は、基地局のサポートされるネットワークスライスに対応するセッションをハンドオーバするように要求するために使用される。ソース基地局が、長い時間の間、基地局から、第３のハンドオーバ要求に対するハンドオーバ肯定応答メッセージまたは第３のハンドオーバ失敗メッセージを受信しなかった場合、ハンドオーバが失敗すると判定される。ソース基地局が基地局から第３のハンドオーバ失敗メッセージを受信した場合、ハンドオーバが失敗すると判定される。この場合、基地局が現在のセッションのうちのすべてまたはいくつかをサポートすることができるとソース基地局が判定したという前提条件の上でハンドオーバが失敗する場合、ソース基地局は、ハンドオーバを実施するようにコアネットワークデバイスに要求し得る。したがって、第１のハンドオーバ要求は、通信インターフェースを有するそのような基地局に関する情報を含み得る。
【０２３２】
第２の任意選択の方式では、第１のハンドオーバ要求は、複数の基地局に関する情報を含む。複数の基地局を判定する方法については、Ｂ１、Ｂ２、またはＢ３における詳細な説明を参照されたい。
【０２３３】
Ｂ１．複数の基地局の各々が、ソース基地局への通信インターフェースを有しない。
【０２３４】
Ｂ１の特定の実装については、Ａ１において説明された方法を参照されたい。Ｂ１とＡ１との間の違いは、異なる量の基地局にある。Ａ１では、ソース基地局への通信インターフェースを有しないただ１つの基地局が判定される。Ｂ１では、ソース基地局への通信インターフェースを有しない複数の基地局が判定される。本特許出願では、「複数」は少なくとも２つであり得る。
【０２３５】
Ｂ２．複数の基地局の各々が、ソース基地局への通信インターフェースを有し、各基地局が、現在のセッションに対応するネットワークスライスをサポートするが、サポートされるセッションのハンドオーバが失敗した。
【０２３６】
Ｂ２の特定の実装については、Ａ２において説明された方法を参照されたい。Ｂ２とＡ２との間の違いは、異なる量の基地局にある。Ａ２では、ただ１つの基地局が判定される。Ｂ２では、複数の基地局が判定される。
【０２３７】
Ｂ３．複数の基地局のうちのいくつかが、ソース基地局への通信インターフェースを有しない。他の基地局は、ソース基地局への通信インターフェースを有し、ソース基地局への通信インターフェースを有する基地局の各々は、現在のセッションのうちのいくつかに対応するネットワークスライスをサポートする。
【０２３８】
ソース基地局への通信インターフェースを有せず、Ｂ３の方法で判定される基地局については、Ａ１またはＢ１の方法で判定される基地局を参照されたい。Ｂ３の方法では、ソース基地局への通信インターフェースを有しない１つまたは複数の基地局があり得る。ソース基地局への通信インターフェースを有し、Ｂ３の方法で判定される基地局は、現在のセッションのうちのいくつかに対応するネットワークスライスをサポートする基地局を含む。ソース基地局への通信インターフェースを有する１つまたは複数の基地局があり得る。任意選択で、ソース基地局は、ソース基地局への通信インターフェースを有する基地局から、現在のセッションのうちのいくつかに対応するネットワークスライスをサポートする基地局を直接選択することがあるか、またはソース基地局は、Ａ２もしくはＢ２の方法に従って、現在のセッションのうちのいくつかに対応するネットワークスライスをサポートする基地局を判定することがあり、サポートされるセッションのハンドオーバが失敗する。
【０２３９】
第２の任意選択の方式では、複数の基地局に関する情報がリストの形式で送られ得る。たとえば、複数の基地局に関する情報が各基地局の基地局識別子である場合、第１のハンドオーバ要求はターゲット識別子リスト（ｔａｒｇｅｔ  ＩＤ  ｌｉｓｔ）を含む。基地局に関する情報が特に他の情報である場合、情報は、リストを使用することによって表されることもある。例はここで１つずつ列挙されない。もちろん、代替として、複数の基地局に関する情報は、リストの形式で送られるのではなく、別の形式で送られてよい。
【０２４０】
Ａ１またはＢ１の方式では、任意選択で、ソース基地局への通信インターフェースを有する基地局が端末デバイスのハンドオーバをサポートしない場合、基地局は、第１のハンドオーバ要求に、通信インターフェースを有しない基地局を追加することがあり、それにより、コアネットワークデバイスは、通信インターフェースを有しない基地局から、ターゲット基地局として、進行中のセッションのうちのすべてまたはいくつかに対応するネットワークスライスをサポートしている基地局を選択する。
【０２４１】
任意選択で、ソース基地局への通信インターフェースを有する基地局が端末デバイスのためのハンドオーバをサポートしない場合は、ソース基地局への通信インターフェースを有する基地局が、端末デバイスのいずれのセッションに対応するネットワークスライスをもサポートしないこと、またはソース基地局が、ソース基地局への通信インターフェースを有し端末デバイスのためのハンドオーバのチャネル条件を満たす基地局を発見しないこと、または別の場合を含む。これは、この実施形態では限定されない。
【０２４２】
Ａ１もしくはＢ１の方法では、またはＢ３の方法では、任意選択で、ソース基地局への通信インターフェースを有する基地局が、端末デバイスの現在のセッションのうちのいくつかまたはすべてに対応するネットワークスライスのみをサポートする場合、ソース基地局は、Ａ１もしくはＢ１の方法における第１のハンドオーバ要求に、ソース基地局への通信インターフェースを有しない基地局を追加することがあり、それにより、コアネットワークデバイスは、通信インターフェースを有しない基地局から、ターゲット基地局として、現在のセッションのうちのすべてもしくはいくつかに対応するネットワークスライスをサポートしている基地局を選択するか、またはソース基地局は、Ｂ３の方法で少なくとも１つの基地局を判定することがある。この場合、ソース基地局への通信インターフェースを有しない基地局が、いずれのセッションに対応するネットワークスライスをもサポートしないとコアネットワークデバイスが判定した場合、コアネットワークデバイスは、ソース基地局への通信インターフェースを有する基地局から基地局をさらに選択し、それにより、セッションハンドオーバ成功確率を改善し得る。代替として、別の場合がある。これは、この実施形態では限定されない。
【０２４３】
たとえば、５つの現在のセッションがあり、ソース基地局への通信インターフェースを有する基地局は、最大１つのセッションに対応するネットワークスライスをサポートする。この場合、Ａ１またはＢ１の方法では、ソース基地局は、第１のハンドオーバ要求に、ソース基地局への通信インターフェースを有しない基地局に関する情報を追加し得る。代替として、Ｂ３の方法では、ソース基地局は、第１のハンドオーバ要求に、１つのセッションに対応するネットワークスライスをサポートする基地局に関する情報、およびソース基地局への通信インターフェースを有しない基地局に関する情報を追加し得る。
【０２４４】
Ａ１もしくはＢ１の方法では、Ａ２もしくはＢ２の方法では、またはＢ３の方法では、任意選択で、ソース基地局への通信インターフェースを有する基地局は、現在のセッションのうちのいくつかまたはすべてに対応するネットワークスライスをサポートし、第１のハンドオーバ要求を送る前に、ソース基地局は、セッションのうちのいくつかまたはすべてに対応するネットワークスライスをサポートする基地局に第３のハンドオーバ要求を送る。ソース基地局がいずれのフィードバックメッセージをも受信しないかまたは第３のハンドオーバ失敗メッセージを受信した場合、ソース基地局は、Ａ１、Ｂ１、Ａ２、Ｂ２、またはＢ３の方法において、基地局に関し、第１のハンドオーバ要求中にある情報を判定し得る。代替として、別の場合がある。これは、この実施形態では限定されない。
【０２４５】
図３および図４の実施形態では、端末デバイスが現在のセッションをハンドオーバする必要がある場合、ソース基地局は、コアネットワークデバイスを使用することによって、少なくとも１つの基地局のうちの第１の基地局が、ハンドオーバ要求中のセッションに対応するネットワークスライスをサポートするかどうかを判定し得る。これは、ハンドオーバについての要求を必要としている別のセッションのための情報ヘルプを基地局に提供する。ソース基地局が、同じネットワークスライスのセッションをハンドオーバする必要があるとき、セッションが第１の基地局にハンドオーバされることが可能であるかが直接判定されることが可能であり、それにより、ハンドオーバ成功確率が改善される。
【０２４６】
図５を参照すると、本発明の一実施形態による別の通信方法が提供されている。通信方法に関係するアクセスネットワークデバイスが基地局である例が説明のために使用される。図５に示されているように、通信方法は、第１の基地局およびコアネットワークデバイスに関係する。以下の詳細な説明を参照されたい。
【０２４７】
５０１．第１の基地局が、コアネットワークデバイスに第１のメッセージを送り、第１のメッセージが、第２の基地局に関する情報、または第２の基地局が属するＴＡ／ＲＡの識別情報を含む。
【０２４８】
第１のメッセージは、第２の基地局のサポートされるネットワークスライスに関する情報を取得するために使用される。第２の基地局と第１の基地局との間の通信インターフェースはない。たとえば、基地局間の通信インターフェースはＸｎによって表される。
【０２４９】
第２の基地局が属するトラッキングエリア（ｔｒａｃｋｉｎｇ  ａｒｅａ、ＴＡ）または登録エリア（ｒｅｇｉｓｔｒａｔｉｏｎ  ａｒｅａ、ＲＡ）の識別情報は、第２の基地局が属するＴＡ／ＲＡを示し得るか、または第２の基地局の１つもしくは複数のセルが属するＴＡ／ＲＡを示し得る。
【０２５０】
第１の基地局と第２の基地局との間の通信インターフェースがない特定の場合については、図３に示されている実施形態における詳細な説明を参照されたい。詳細についてここで再び説明されない。
【０２５１】
加えて、第１の基地局への通信インターフェースを有しない第２の基地局に関する情報は、以下の３つの任意選択の方式で判定され得る。
【０２５２】
第１の任意選択の方式では、第１の基地局は、端末デバイスによって送られた測定報告を受信し、測定報告に基づいて、第２の基地局に関する情報、または第２の基地局が属するＴＡ／ＲＡの識別情報が取得される。特に、測定報告は、複数の基地局または複数のセルの測定報告値を含む。第１の基地局は、最初に、測定報告に基づいて、測定報告中にある基地局に関する情報、または第２の基地局が属するＴＡ／ＲＡの識別情報を判定する。たとえば、測定報告は、第２の基地局が属するＴＡ／ＲＡの識別情報を含む。
【０２５３】
第２の任意選択の方式では、第１の基地局は、第３の基地局から、第３の基地局の近隣基地局に関する情報を受信し、第３の基地局の近隣基地局に関する情報に基づいて、第２の基地局に関する情報、または第２の基地局が属するＴＡ／ＲＡの識別情報が取得される。第３の基地局の近隣基地局は、地理的ロケーションが第３の基地局のそれに近い基地局である。第３の基地局の近隣基地局と第３の基地局との間の距離は、本発明のこの実施形態では限定されない。
【０２５４】
第１の任意選択の方式または第２の任意選択の方式では、第１の基地局は、測定報告中の複数の基地局または第３の基地局の近隣基地局から、第１の基地局への通信インターフェースを有しない基地局を判定し得る。判定する任意選択の方式は以下の通りである。第１の基地局が、複数の基地局または第３の基地局の近隣基地局への通信インターフェースを１つずつセットアップすることを試み得る。通信インターフェースが正常にセットアップされた場合、それは、基地局がソース基地局への通信インターフェースを有することを示すか、または通信インターフェースがセットアップされることに失敗した場合、それは、基地局がソース基地局への通信インターフェースを有さないことを示す。代替として、判定する別の任意選択の方式は以下の通りである。第１の基地局が、第１の基地局への通信インターフェースを有する基地局に関する情報を記憶する。第１の基地局は、第１の基地局への通信インターフェースをセットアップしなかった基地局を判定するために、複数の基地局または第３の基地局の近隣基地局から、第１の基地局への通信インターフェースを有する基地局に関する情報をさらに除外し得る。
【０２５５】
第３の任意選択の方式では、第１の基地局は、ネットワーク管理デバイスから構成情報を受信する。構成情報は、ソース基地局への通信インターフェースをセットアップすることができる複数の基地局に関する情報、または基地局が属するＴＡ／ＲＡの識別情報のみを含む。代替として、構成情報は、ソース基地局への通信インターフェースをセットアップすることができない基地局に関する情報、または基地局が属するＴＡ／ＲＡの識別情報のみを含む。代替として、構成情報は、ソース基地局への通信インターフェースをセットアップすることができる複数の基地局に関する情報、または基地局が属するＴＡ／ＲＡの識別情報、およびソース基地局への通信インターフェースをセットアップすることができない基地局に関する情報、または基地局が属するＴＡ／ＲＡの識別情報を含む。
【０２５６】
上記の場合においてソース基地局への通信インターフェースをセットアップすることができない基地局については、ソース基地局は、ソース基地局への通信インターフェースをセットアップすることができない基地局を、ソース基地局への通信インターフェースを有しない基地局として直接判定し得る。上記の場合においてソース基地局への通信インターフェースをセットアップすることができる基地局については、１つの方式では、ソース基地局は、基地局への通信インターフェースを１つずつセットアップすることを試みることがあり、通信インターフェースが正常にセットアップされた場合、それは、基地局がソース基地局への通信インターフェースを有することを示すか、または通信インターフェースがセットアップされることに失敗した場合、それは、基地局がソース基地局への通信インターフェースを有さないことを示す。代替として、別の方式では、ソース基地局は、ソース基地局への通信インターフェースを有する基地局に関する情報を記憶する。このようにして、ソース基地局は、ソース基地局への通信インターフェースをセットアップしなかった基地局を判定するために、ソース基地局への通信インターフェースをセットアップすることができる基地局に関する情報から、ソース基地局への通信インターフェースを有する基地局に関する情報を除外し得る。
【０２５７】
対応して、コアネットワークデバイスは、第１の基地局によって送られた第１のメッセージを受信する。
【０２５８】
５０２．コアネットワークデバイスが、第１の基地局に第２のメッセージを送り、第２のメッセージが、第２の基地局のサポートされるネットワークスライスに関する情報、または第２の基地局が属するＴＡ／ＲＡのサポートされるネットワークスライスに関する情報を含む。
【０２５９】
第２の基地局、または第２の基地局が属するＴＡ／ＲＡのサポートされるネットワークスライスに関する情報は、第２の基地局に関する情報に基づいてコアネットワークデバイスによって取得される。たとえば、第２の基地局とコアネットワークデバイスとの間の通信インターフェースがある場合、コアネットワークデバイスは、第２の基地局に第２のメッセージを送ることがあり、第２のメッセージは、第２の基地局のサポートされるネットワークスライスに関する情報を取得するために使用され、それにより、第２の基地局は、コアネットワークデバイスに、第２の基地局のサポートされるネットワークスライスに関する情報をフィードバックする。別の例では、コアネットワークデバイスと第２の基地局との間の通信インターフェースをセットアップする処理において、第２の基地局は、コアネットワークデバイスに、第２の基地局のサポートされるネットワークスライスに関する情報を送る。別の例では、第２の基地局のサポートされるネットワークスライスに関する情報が変化したとき、第２の基地局は、コアネットワークデバイスに、第２の基地局のサポートされるネットワークスライスに関する情報を送る。別の例では、第２の基地局とコアネットワークデバイスとの間の通信インターフェースがない場合、コアネットワークデバイスは、最初に、第２の基地局への通信インターフェースをセットアップし、次いで、第２の基地局から、第２の基地局のサポートされるネットワークスライスに関する情報を取得し得る。
【０２６０】
対応して、第１の基地局は、コアネットワークデバイスから第２のメッセージを受信し、第２のメッセージは、第２の基地局のサポートされるネットワークスライスに関する情報、または第２の基地局が属するＴＡ／ＲＡのサポートされるネットワークスライスに関する情報を含む。
【０２６１】
第２の基地局が属するＴＡ／ＲＡのサポートされるネットワークスライスに関する情報は、第２の基地局が属するＴＡ／ＲＡの少なくとも１つのセルの識別子、および各セル識別子に対応する少なくとも１つのネットワークスライスの指示情報を含む。
【０２６２】
任意選択で、第１の基地局とコアネットワークデバイスとの間の通信インターフェースは、第１の基地局とコアネットワークデバイスとの間の直接通信インターフェースであり得るか、または別のネットワークデバイスによるフォワーディングを通して通信を実装する通信インターフェースであり得る。
【０２６３】
任意選択で、第１のメッセージは、第１の基地局によってコアネットワークデバイスに送られる何らかのメッセージであり得る。これは、本発明のこの実施形態では限定されない。
【０２６４】
任意選択で、第１の基地局とコアネットワークデバイスとの間の通信インターフェースはない。たとえば、基地局とコアネットワークデバイスとの間の通信インターフェースはＮ２によって表される。たとえば、第１の基地局によってコアネットワークデバイスに送られる第１のメッセージは、Ｎ２インターフェースセットアップ要求（Ｎ２  ｉｎｔｅｒｆａｃｅ  ｓｅｔｕｐ  ｒｅｑｕｅｓｔ）または基地局構成更新（ｇＮＢ  ｃｏｎｆｉｇｕｒａｔｉｏｎ  ｕｐｄａｔｅ）メッセージであり得る。第１の基地局は、コアネットワークデバイスからＮ２インターフェースセットアップ要求失敗（Ｎ２  ｉｎｔｅｒｆａｃｅ  ｓｅｔｕｐ  ｆａｉｌｕｒｅ）または基地局構成更新失敗（ＧＮＢ  ｃｏｎｆｉｇｕｒａｔｉｏｎ  ｕｐｄａｔｅ  ｆａｉｌｕｒｅ）メッセージを受信する。コアネットワークデバイスは、Ｎ２インターフェースセットアップ失敗メッセージまたは更新失敗メッセージを使用することによって、第２の基地局のサポートされるネットワークスライスに関する情報を送り得る。このようにして、セットアップ処理において、第１の基地局は、第２の基地局のサポートされるネットワークスライスに関する情報も取得して、ネットワークスライスに関する情報を取得するための別の対話を回避し、ネットワークスライスに関する情報を取得する速度を高め得る。別の例では、第１の基地局によってコアネットワークデバイスに送られる第１のメッセージはまた、Ｎ２インターフェースセットアップ要求または基地局構成更新メッセージである。第１の基地局は、コアネットワークデバイスからＮ２インターフェースセットアップ応答（Ｎ２  ｉｎｔｅｒｆａｃｅ  ｓｅｔｕｐ  ｒｅｓｐｏｎｓｅ）メッセージまたは基地局構成更新肯定応答（ＧＮＢ  ｃｏｎｆｉｇｕｒａｔｉｏｎ  ｕｐｄａｔｅ  ＡＣＫ）メッセージを受信する。コアネットワークデバイスは、Ｎ２インターフェースセットアップ応答または基地局構成更新肯定応答を使用することによって、第２の基地局のサポートされるネットワークスライスに関する情報を送り得る。このようにして、通信インターフェースがセットアップされることに失敗した場合でも、第１の基地局は、第２の基地局のサポートされるネットワークスライスに関する情報を取得して、ネットワークスライスに関する情報を取得する際の利便性を改善するのを助け得る。
【０２６５】
第１の基地局は、コアネットワークデバイスに基地局構成更新メッセージを送る。基地局構成更新メッセージは、コアネットワークデバイスから、第２の基地局によって現在サポートされるネットワークスライスに関する情報を取得して、第１の基地局において、第２の基地局のサポートされるネットワークスライスに関する記録を更新するために使用される。
【０２６６】
任意選択で、第１の基地局とコアネットワークデバイスとの間に通信インターフェースがある。たとえば、第１のメッセージは取得要求である。取得要求は、第２の基地局のサポートされるネットワークスライスに関する情報、または第２の基地局が属するＴＡ／ＲＡによってサポートされるネットワークスライスに関する情報を取得するために使用される。コアネットワークデバイスは、応答メッセージを使用することによって、第２の基地局のサポートされるネットワークスライスに関する情報、または第２の基地局が属するＴＡ／ＲＡによってサポートされるネットワークスライスに関する情報を送り得る。第１の基地局と第２の基地局との間の通信インターフェースはない。したがって、第１の基地局とコアネットワークデバイスとの間の通信インターフェースがセットアップされた後に、第２の基地局のサポートされるネットワークスライスに関する情報または第２の基地局が属するＴＡ／ＲＡによってサポートされるネットワークスライスに関する情報が更新された場合でも、第１の基地局は、コアネットワークデバイスから、第２の基地局のサポートされるネットワークスライスに関する情報または第２の基地局が属するＴＡ／ＲＡによってサポートされるネットワークスライスに関する情報を取得して、情報のリアルタイム品質を保証し得る。
【０２６７】
ステップ５０１とステップ５０２との間に特定の因果関係またはシーケンスはなく、たとえば、コアネットワークデバイスが、ステップ５０２の前に、第２の基地局のサポートされるネットワークスライスに関する情報または第２の基地局が属するＴＡ／ＲＡによってサポートされるネットワークスライスに関する情報を取得するとすれば、ステップ５０２は独立して実施され得ることを理解されたい。たとえば、第２の基地局のサポートされるネットワークスライスに関する情報または第２の基地局が属するＴＡ／ＲＡによってサポートされるネットワークスライスに関する情報が更新されることを取得した後に、コアネットワークデバイスは、ステップ５０２をアクティブに実施して、第２の基地局のサポートされるネットワークスライスに関する更新された情報または第２の基地局が属するＴＡ／ＲＡによってサポートされるネットワークスライスに関する更新された情報を第１の基地局に通知し得る。
【０２６８】
本発明のこの実施形態では、第１の基地局と第２の基地局との間に通信インターフェースがない場合、第１の基地局は、コアネットワークデバイスを使用することによって、第２の基地局のサポートされるネットワークスライスに関する情報、または第２の基地局が属するＴＡ／ＲＡによってサポートされるネットワークスライスに関する情報を入手し得る。これは、第１の基地局と第２の基地局との間に通信インターフェースがない場合、第１の基地局が、第２の基地局のサポートされるネットワークスライスに関する情報、または第２の基地局が属するＴＡ／ＲＡによってサポートされるネットワークスライスに関する情報を取得することが不可能であるという場合を避け、基地局のサポートされるネットワークスライスに関する情報を取得する際の利便性および効率を改善する。
【０２６９】
図６を参照すると、本発明の一実施形態による別の通信方法が提供されている。通信方法に関係するアクセスネットワークデバイスが基地局である例が説明のために使用される。図６に示されているように、通信方法は、第１の基地局および第２の基地局に関係する。以下の詳細な説明を参照されたい。
【０２７０】
６０１．第１の基地局が、第２の基地局に第１のメッセージを送り、第１のメッセージが、第１の基地局の近隣基地局のサポートされるネットワークスライスに関する情報を含む。
【０２７１】
この場合、第１のメッセージは、第１の基地局の近隣基地局のサポートされるネットワークスライスに関する情報を含み、それにより、より多くの基地局によってサポートされるネットワークスライスに関する情報が第２の基地局に提供されることが可能である。これは、第２の基地局によって、別の基地局のサポートされるネットワークスライスに関する情報を取得する際の利便性および効率を改善する。
【０２７２】
任意選択で、第１の基地局の近隣基地局は、地理的ロケーションが第１の基地局のそれに近い基地局である。第１の基地局の近隣基地局と第１の基地局との間の距離は、本発明のこの実施形態では限定されない。
【０２７３】
任意選択で、第１の基地局の近隣基地局は、第１の基地局への通信インターフェースを有する基地局を含み、および／または第１の基地局への通信インターフェースを有しない基地局を含み得る。
【０２７４】
任意選択で、第１の基地局と第２の基地局との間に通信インターフェースがあることがあるか、または通信インターフェースがないことがある。たとえば、基地局間の通信インターフェースはＸｎによって表される。第１の基地局と第２の基地局との間の通信インターフェースがないことの特定の説明については、図５に示されている実施形態におけるステップ５０１の詳細な説明を参照されたい。詳細についてここで再び説明されない。
【０２７５】
さらに、任意選択で、第１の基地局と第２の基地局との間に通信インターフェースがセットアップされた場合、第２の基地局は、通信インターフェースをセットアップした基地局のうちのいずれか１つであり得る。第１の基地局と第２の基地局との間の通信インターフェースがない場合、第２の基地局については、図５に示されている実施形態のステップ５０１における第２の基地局の詳細な説明を参照されたく、ここで、第２の基地局と第１の基地局との間に通信インターフェースがないと判定される。詳細についてここで再び説明されない。
【０２７６】
対応して、第２の基地局は、第１の基地局から第１のメッセージを受信する。第１のメッセージが、第１の基地局の近隣基地局のサポートされるネットワークスライスに関する情報を含むので、第２の基地局は、後で使用するために、第１の基地局の近隣基地局のサポートされるネットワークスライスに関する情報を記憶し得る。
【０２７７】
６０２．第２の基地局が、第１の基地局に第２のメッセージを送り、第２のメッセージが、第２の基地局のサポートされるネットワークスライスに関する情報を含む。
【０２７８】
任意選択で、第２のメッセージは、第２の基地局の近隣基地局のサポートされるネットワークスライスに関する情報をさらに含む。１つのシグナリング対話では、第２の基地局の近隣基地局のサポートされるネットワークスライスに関する情報が、第１の基地局にさらに送られる。これは、ネットワークスライスに関する情報を取得するための、第１の基地局と第２の基地局の近隣基地局との間で対話されるシグナリングを低減し、基地局のサポートされるネットワークスライスに関する情報を取得する際の利便性および効率を改善する。
【０２７９】
任意選択で、第２の基地局の近隣基地局は、地理的ロケーションが第２の基地局のそれに近い基地局である。第２の基地局の近隣基地局と第２の基地局との間の距離は、本発明のこの実施形態では限定されない。
【０２８０】
対応して、第１の基地局は、第２の基地局から第２のメッセージを受信し、後で使用するために、第２の基地局のサポートされるネットワークスライスに関し、第２のメッセージ中に含まれる情報を記憶する。任意選択で、第２のメッセージが、第２の基地局の近隣基地局のサポートされるネットワークスライスに関する情報をさらに含む場合、第１の基地局は、後で使用するために、第２の基地局の近隣基地局のサポートされるネットワークスライスに関する情報を記憶し得る。
【０２８１】
ステップ６０１およびステップ６０２において、任意選択で、第１のメッセージは、第１の基地局によって第２の基地局に送られる何らかのメッセージであることがあり、第２のメッセージは、第１のメッセージに対する何らかの応答メッセージであることがある。第１のメッセージおよび第２のメッセージは、本発明のこの実施形態では限定されない。
【０２８２】
任意選択で、第１の基地局と第２の基地局との間の通信インターフェースはない。たとえば、第１の基地局によって第２の基地局に送られる第１のメッセージは、Ｘｎインターフェースセットアップ要求（Ｘｎ  ｉｎｔｅｒｆａｃｅ  ｓｅｔｕｐ  ｒｅｑｕｅｓｔ）または基地局構成更新（ｇＮＢ  ｃｏｎｆｉｇｕｒａｔｉｏｎ  ｕｐｄａｔｅ）メッセージであることがあり、第２の基地局によって第１の基地局に送られる第２のメッセージは、Ｘｎインターフェースセットアップ失敗（Ｘｎ  ｉｎｔｅｒｆａｃｅ  ｓｅｔｕｐ  ｆａｉｌｕｒｅ）メッセージまたは基地局構成更新失敗（ｇＮＢ  ｃｏｎｆｉｇｕｒａｔｉｏｎ  ｕｐｄａｔｅ  ｆａｉｌｕｒｅ）メッセージであることがある。このようにして、セットアップ処理において、第１の基地局は、第２の基地局のサポートされるネットワークスライスに関する情報を取得することがあり、第２の基地局は、第１の基地局の近隣基地局のサポートされるネットワークスライスに関する情報を取得することがある。これは、複数の基地局のネットワークスライスに関する情報を取得するための対話の量を低減し、ネットワークスライスに関する情報を取得する速度を高める。別の例では、第１の基地局によって第２の基地局に送られる第１のメッセージはまた、Ｘｎインターフェースセットアップ要求または基地局構成更新メッセージであり、第２の基地局によって第１の基地局に送られる第２のメッセージは、Ｘｎインターフェースセットアップ応答（Ｘｎ  ｉｎｔｅｒｆａｃｅ  ｓｅｔｕｐ  ｒｅｓｐｏｎｓｅ）メッセージまたは基地局構成更新肯定応答（ｇＮＢ  ｃｏｎｆｉｇｕｒａｔｉｏｎ  ｒｅｑｕｅｓｔ  ＡＣＫ）メッセージであり得る。このようにして、通信インターフェースがセットアップされることが失敗した場合でも、第１の基地局は、第２の基地局のサポートされるネットワークスライスに関する情報を取得することがあり、第２の基地局は、第１の基地局の近隣基地局のサポートされるネットワークスライスに関する情報を取得することがある。これは、複数の基地局のネットワークスライスに関する情報を取得するための対話の量を低減し、ネットワークスライスに関する情報を取得する際の利便性を改善するのを助ける。
【０２８３】
任意選択で、第１の基地局と第２の基地局との間に通信インターフェースがある。たとえば、第１のメッセージは取得要求である。取得要求は、第２の基地局のサポートされるネットワークスライスに関する情報を取得するために使用される。第２のメッセージは、第２の基地局のサポートされるネットワークスライスに関する情報を送るための、応答メッセージであり得る。第１の基地局と第２の基地局との間の通信インターフェースはない。したがって、第１の基地局と第２の基地局との間の通信インターフェースがセットアップされた後に、第２の基地局のサポートされるネットワークスライスに関する情報または第２の基地局の近隣基地局によってサポートされるネットワークスライスに関する情報が更新された場合でも、第１の基地局は、第２の基地局を使用することによって、第２の基地局のサポートされるネットワークスライスに関する情報を取得することがあり、第２の基地局は、第１の基地局の近隣基地局のサポートされるネットワークスライスに関する情報を取得して、情報のリアルタイム品質を保証し得る。
【０２８４】
ステップ６０１とステップ６０２との間に特定の因果関係またはシーケンスはなく、たとえば、ステップ６０２の前に、第２の基地局のサポートされるネットワークスライスに関する情報が更新された後に、第２の基地局は、ステップ６０２をアクティブに実施して、第２の基地局の更新されたネットワークスライス情報を第１の基地局に通知し得るとすれば、ステップ６０２は独立して実施され得ることを理解されたい。
【０２８５】
本発明のこの実施形態では、第１の基地局と第２の基地局との間の１つのシグナリング対話において、第１の基地局の近隣基地局のサポートされるネットワークスライスに関する情報は、第２の基地局にさらに送られる。これは、ネットワークスライスに関する情報を取得するための、第２の基地局と第１の基地局の近隣基地局との間で対話されるシグナリングを低減し、基地局のサポートされるネットワークスライスに関する情報を取得する際の利便性および効率を改善する。
【０２８６】
図７を参照すると、本発明の一実施形による別の通信方法が提供されている。通信方法に関係するアクセスネットワークデバイスが基地局である例が説明のために使用される。図７に示されているように、通信方法は、第１の基地局および第２の基地局に関係する。以下の詳細な説明を参照されたい。
【０２８７】
７０１．第１の基地局が、第２の基地局に第１のメッセージを送る。
【０２８８】
第１のメッセージは、第２の基地局のサポートされるネットワークスライスに関する情報を取得するために使用される。
【０２８９】
任意選択で、第１のメッセージは、第１の基地局の近隣基地局のサポートされるネットワークスライスに関する情報を含む。この場合、１つのシグナリング対話では、第１の基地局の近隣基地局のサポートされるネットワークスライスに関する情報が、第２の基地局にさらに送られる。これは、ネットワークスライスに関する情報を取得するための、第２の基地局と第１の基地局の近隣基地局との間で対話されるシグナリングを低減し、基地局のサポートされるネットワークスライスに関する情報を取得する際の利便性および効率を改善する。
【０２９０】
任意選択で、第１の基地局の近隣基地局は、地理的ロケーションが第１の基地局のそれに近い基地局である。第１の基地局の近隣基地局と第１の基地局との間の距離は、本発明のこの実施形態では限定されない。
【０２９１】
さらに、任意選択で、第１の基地局の近隣基地局は、第１の基地局への通信インターフェースを有する基地局を含み、および／または第１の基地局への通信インターフェースを有しない基地局を含み得る。
【０２９２】
任意選択で、第１の基地局と第２の基地局との間に通信インターフェースがあることがあるか、または通信インターフェースがないことがある。たとえば、基地局間の通信インターフェースはＸｎによって表される。第１の基地局と第２の基地局との間の通信インターフェースがないことの特定の説明については、図５に示されている実施形態におけるステップ５０１の詳細な説明を参照されたい。詳細についてここで再び説明されない。
【０２９３】
さらに、任意選択で、第１の基地局と第２の基地局との間に通信インターフェースがセットアップされた場合、第２の基地局は、通信インターフェースをセットアップした基地局のうちのいずれか１つであり得る。第１の基地局と第２の基地局との間の通信インターフェースがない場合、第２の基地局については、図５に示されている実施形態のステップ５０１における第２の基地局の詳細な説明を参照されたく、ここで、第２の基地局と第１の基地局との間に通信インターフェースがないと判定される。詳細についてここで再び説明されない。
【０２９４】
対応して、第２の基地局は、第１の基地局から第１のメッセージを受信する。
【０２９５】
７０２．第２の基地局が、第１の基地局に第２のメッセージを送り、第２のメッセージが、第２の基地局のサポートされるネットワークスライスに関する情報、および第２の基地局の近隣基地局のサポートされるネットワークスライスに関する情報を含む。
【０２９６】
任意選択で、第２の基地局の近隣基地局は、地理的ロケーションが第２の基地局のそれに近い基地局である。第２の基地局の近隣基地局と第２の基地局との間の距離は、本発明のこの実施形態では限定されない。
【０２９７】
対応して、第１の基地局は、第２の基地局から第２のメッセージを受信し、後で使用するために、第２の基地局のサポートされるネットワークスライスに関する情報、および第２の基地局の近隣基地局のサポートされるネットワークスライスに関する情報を記憶し、情報は第２のメッセージ中に含まれている。
【０２９８】
ステップ７０１およびステップ７０２において、任意選択で、第１のメッセージは、第１の基地局によって第２の基地局に送られる何らかのメッセージであることがあり、第２のメッセージは、第１のメッセージに対する何らかの応答メッセージであることがある。第１のメッセージおよび第２のメッセージは、本発明のこの実施形態では限定されない。詳細については、図６に示されている実施形態における第１のメッセージおよび第２のメッセージの任意選択の形式の詳細な説明を参照されたい。詳細についてここで再び説明されない。図７に示されている実施形態における第１のメッセージと、図６に示されている実施形態における第１のメッセージとの間の違い、および図７に示されている実施形態における第２のメッセージと、図６に示されている実施形態における第２のメッセージとの間の違いは、含まれる情報が異なることである。
【０２９９】
ステップ７０１とステップ７０２との間に特定の因果関係またはシーケンスはなく、たとえば、ステップ７０１の前に、第２の基地局のサポートされるネットワークスライスに関する情報、または第２の基地局の近隣基地局のサポートされるネットワークスライスに関する情報が更新された後に、第２の基地局は、ステップ７０２をアクティブに実施して、第２の基地局の更新されたネットワークスライス情報、または第２の基地局の近隣基地局のサポートされるネットワークスライスに関する更新された情報を第１の基地局に通知し得るとすれば、ステップ７０２は独立して実施され得ることを理解されたい。
【０３００】
本発明のこの実施形態では、第１の基地局と第２の基地局との間の１つのシグナリング対話において、第２の基地局の近隣基地局のサポートされるネットワークスライスに関する情報は、第１の基地局にさらに送られる。これは、ネットワークスライスに関する情報を取得するための、第１の基地局と第２の基地局の近隣基地局との間で対話されるシグナリングを低減し、基地局のサポートされるネットワークスライスに関する情報を取得する際の利便性および効率を改善する。
【０３０１】
本特許出願では、異なる実施形態における第１のメッセージは、同じメッセージであり得るか、または異なるメッセージであり得る。これは、本出願では限定されない。
【０３０２】
図８は、本出願の一実施形態による基地局の概略構造図である。基地局は、図３または図４の実施形態を実装するように構成された、ソース基地局であり得る。図８に示されているように、ソース基地局は、
コアネットワークデバイスに第１のハンドオーバ要求を送るように構成された送信ユニット８０１であって、第１のハンドオーバ要求は、ソース基地局から少なくとも１つの基地局のうちのいずれか１つに端末の現在のセッションをハンドオーバするように要求するために使用され、第１のハンドオーバ要求は、少なくとも１つの基地局に関する情報を含む、送信ユニット８０１と、
コアネットワークデバイスから第１のハンドオーバ応答メッセージを受信するように構成された受信ユニット８０２と
を含む。
【０３０３】
任意選択で、第１のハンドオーバ応答メッセージは第１のハンドオーバ失敗メッセージであり、指示情報は第１の指示情報または第２の指示情報を含む。
【０３０４】
第１の指示情報は、端末デバイスのいずれかの現在のセッションに対応するネットワークスライスが、少なくとも１つの基地局によってサポートされないことを示すために使用される。
【０３０５】
現在のセッションは２つ以上のセッションである。現在のセッションは、セッションの第１の部分およびセッションの第２の部分を含む。第２の指示情報は、少なくとも１つの基地局が、セッションの第１の部分に対応するネットワークスライスをサポートする第２の基地局を含み、第２の部分セッションに対応するネットワークスライスが第２の基地局によってサポートされず、セッションの第１の部分のハンドオーバが失敗することを示すために使用される。
【０３０６】
任意選択で、第１のハンドオーバ失敗メッセージは、少なくとも１つの基地局のサポートされるネットワークスライスに関する情報をさらに含むか、
第１のハンドオーバ失敗メッセージは、ソース基地局への通信インターフェースを有しない少なくとも１つの基地局のうちのすべてまたはいくつかの基地局のサポートされるネットワークスライスに関する情報をさらに含む。
【０３０７】
任意選択で、現在のセッションは２つ以上のセッションであり、現在のセッションは、セッションの第３の部分およびセッションの第４の部分を含む。
【０３０８】
第１のハンドオーバ応答メッセージは第１のハンドオーバ要求肯定応答メッセージである。第１のハンドオーバ要求肯定応答メッセージは、ターゲット基地局によって受け付けられたセッションの第３の部分に対応するセッション識別子を含む。指示情報は第３の指示情報を含む。ターゲット基地局は、少なくとも１つの基地局のうちの、セッションの第３の部分に対応するネットワークスライスをサポートする基地局である。
【０３０９】
第３の指示情報は、セッションの第４の部分に対応するネットワークスライスが、ターゲット基地局によってサポートされないことを示すために使用される。
【０３１０】
任意選択で、第３の指示情報は、ターゲット基地局が、セッションの第３の部分に対応するネットワークスライスをサポートすることを示すためにさらに使用される。
【０３１１】
任意選択で、第１のハンドオーバ要求肯定応答メッセージは、ターゲット基地局によってサポートされるネットワークスライスに関する情報をさらに含む。
【０３１２】
任意選択で、少なくとも１つの基地局は、ソース基地局への通信インターフェースを有する基地局を含み、基地局への端末デバイス上の進行中のセッションのハンドオーバは失敗しているか、
少なくとも１つの基地局は、ソース基地局への通信インターフェースを有しない基地局を含むか、または
少なくとも１つの基地局は、ソース基地局への通信インターフェースを有しない基地局と、ソース基地局への通信インターフェースを有し、端末デバイス上の進行中のセッションのうちのいくつかに対応するネットワークスライスをサポートする基地局とを含む。
【０３１３】
任意選択で、少なくとも１つの基地局の各々に関する情報は、各基地局の基地局識別子、各基地局中に含まれる中央ユニットの識別子、各基地局中に含まれる分散ユニットの識別子、各基地局中に含まれる物理的セルの識別子、および各基地局中に含まれるセルのグローバル識別子のうちの少なくとも１つを含む。
【０３１４】
図８の基地局８００の機能ブロックの特定の実装および対応する有益な効果については、図３または図４の実施形態における詳細な説明を参照されたいことが理解されよう。詳細についてここで説明されない。
【０３１５】
本特許出願では、送信ユニットは送信機であることがあり、受信ユニットは受信機であることがある。
【０３１６】
図９は、本出願の一実施形態によるコアネットワークデバイスの概略構造図である。コアネットワークデバイスは、図３または図４の実施形態を実装するように構成される。図９に示されているように、コアネットワークデバイスは、
ソース基地局から第１のハンドオーバ要求を受信するように構成された受信ユニット９０１であって、第１のハンドオーバ要求は、ソース基地局から少なくとも１つの基地局のうちのいずれか１つに端末の現在のセッションをハンドオーバするように要求するために使用され、第１のハンドオーバ要求は、少なくとも１つの基地局に関する情報を含む、受信ユニット９０１と、
ソース基地局に第１のハンドオーバ応答メッセージを送るように構成された送信ユニット９０２と
を含む。
【０３１７】
任意選択で、第１のハンドオーバ応答メッセージは第１のハンドオーバ失敗メッセージであり、指示情報は第１の指示情報または第２の指示情報を含む。
【０３１８】
第１の指示情報は、端末デバイスのいずれかの現在のセッションに対応するネットワークスライスが、少なくとも１つの基地局によってサポートされないことを示すために使用される。
【０３１９】
第２の指示情報は、少なくとも１つの基地局が、セッションの第１の部分に対応するネットワークスライスをサポートする第２の基地局を含み、セッションの第２の部分に対応するネットワークスライスが第２の基地局によってサポートされず、セッションの第１の部分のハンドオーバが失敗することを示すために使用され、現在のセッションは、セッションの第１の部分およびセッションの第２の部分を含む。
【０３２０】
任意選択で、第１のハンドオーバ失敗メッセージは、少なくとも１つの基地局のサポートされるネットワークスライスに関する情報をさらに含むか、
第１のハンドオーバ失敗メッセージは、ソース基地局への通信インターフェースを有しない少なくとも１つの基地局のうちのすべてまたはいくつかの基地局のサポートされるネットワークスライスに関する情報をさらに含む。
【０３２１】
任意選択で、現在のセッションは２つ以上のセッションであり、現在のセッションは、セッションの第３の部分およびセッションの第４の部分を含む。
【０３２２】
第１のハンドオーバ応答メッセージは第１のハンドオーバ要求肯定応答メッセージである。第１のハンドオーバ要求肯定応答メッセージは、ターゲット基地局によって受け付けられたセッションの第３の部分に対応するセッション識別子を含む。指示情報は第３の指示情報を含む。ターゲット基地局は、少なくとも１つの基地局のうちの、セッションの第３の部分に対応するネットワークスライスをサポートする基地局である。
【０３２３】
第３の指示情報は、セッションの第４の部分に対応するネットワークスライスが、ターゲット基地局によってサポートされないことを示すために使用される。
【０３２４】
任意選択で、第３の指示情報は、ターゲット基地局が、セッションの第３の部分に対応するネットワークスライスをサポートすることを示すためにさらに使用される。
【０３２５】
任意選択で、第１のハンドオーバ要求肯定応答メッセージは、ターゲット基地局のサポートされるネットワークスライスに関する情報をさらに含む。
【０３２６】
任意選択で、端末デバイスのいずれの現在のセッションに対応するネットワークスライスも、少なくとも１つの基地局によってサポートされない場合、指示情報は第１の指示情報を含む。
【０３２７】
少なくとも１つの基地局のうちの第１の基地局が、セッションの第１の部分に対応するネットワークスライスをサポートし、セッションの第１の部分のハンドオーバが失敗する場合、指示情報は、第１の指示情報または第２の指示情報を含む。
【０３２８】
任意選択で、少なくとも１つの基地局は、ソース基地局への通信インターフェースを有する基地局を含み、基地局への端末デバイスの現在のセッションのハンドオーバは失敗しているか、
少なくとも１つの基地局は、ソース基地局への通信インターフェースを有しない基地局を含む。
【０３２９】
任意選択で、コアネットワークデバイスは、
少なくとも１つの基地局が、現在のセッションのうちのすべてまたはいくつかに対応するネットワークスライスをサポートする基地局を含む場合、現在のセッションのうちのすべてまたはいくつかに対応するネットワークスライスをサポートしている基地局をターゲット基地局として判定するように構成された第１の判定ユニット
をさらに含む。
【０３３０】
送信ユニット９０２は、ターゲット基地局に第２のハンドオーバ要求を送るようにさらに構成され、第２のハンドオーバ要求は、ターゲット基地局がセットアップするように要求されたセッションに対応するセッション識別子、およびセッション識別子に対応する第３のネットワークスライスの指示情報を含む。
【０３３１】
受信ユニット９０１は、ターゲット基地局から第２のハンドオーバ要求肯定応答メッセージを受信するようにさらに構成され、第２のハンドオーバ要求肯定応答メッセージは、ターゲット基地局によって受け付けられたセッションに対応するセッション識別子を含む。
【０３３２】
任意選択で、少なくとも１つの基地局は、ソース基地局への通信インターフェースを有しない基地局と、ソース基地局への通信インターフェースを有し、端末デバイスの現在のセッションのうちのいくつかに対応するネットワークスライスをサポートする基地局とを含む。
【０３３３】
任意選択で、コアネットワークデバイスは、
ソース基地局への通信インターフェースを有しない基地局が、いずれの現在のセッションに対応するネットワークスライスをもサポートしない場合、ソース基地局への通信インターフェースを有し、セッションのうちのいくつかに対応するネットワークスライスをサポートする基地局をターゲット基地局として判定するように構成された第２の判定ユニット
をさらに含む。
【０３３４】
送信ユニット９０２は、ターゲット基地局に第２のハンドオーバ要求を送るようにさらに構成され、第２のハンドオーバ要求は、ターゲット基地局がセットアップするように要求されたセッションに対応するセッション識別子、およびセッション識別子に対応する第３のネットワークスライスの指示情報を含む。
【０３３５】
受信ユニット９０１は、ターゲット基地局から第２のハンドオーバ要求肯定応答メッセージを受信するようにさらに構成され、第２のハンドオーバ要求肯定応答メッセージは、ターゲット基地局によって受け付けられたセッションに対応するセッション識別子を含む。
【０３３６】
任意選択で、コアネットワークデバイスは、
ソース基地局への通信インターフェースを有しない基地局が、現在のセッションのうちのすべてまたはいくつかに対応するネットワークスライスをサポートする場合、現在のセッションのうちのすべてまたはいくつかに対応するネットワークスライスをサポートしている基地局をターゲット基地局として判定するように構成された第３の判定ユニット
をさらに含む。
【０３３７】
送信ユニット９０２は、ターゲット基地局に第２のハンドオーバ要求を送るようにさらに構成され、第２のハンドオーバ要求は、ターゲット基地局がセットアップするように要求されたセッションに対応するセッション識別子、およびセッション識別子に対応する第３のネットワークスライスの指示情報を含む。
【０３３８】
受信ユニット９０１は、ターゲット基地局から第２のハンドオーバ要求肯定応答メッセージを受信するようにさらに構成され、第２のハンドオーバ要求肯定応答メッセージは、ターゲット基地局によって受け付けられたセッションに対応するセッション識別子を含む。
【０３３９】
任意選択で、複数の現在のセッションがある場合、現在のセッションのうちのすべてまたはいくつかに対応するネットワークスライスをサポートしている基地局をターゲット基地局として判定する態様では、第１の判定ユニットまたは第３の判定ユニットは、
現在のセッションのうちのすべてまたはいくつかに対応するネットワークスライスをサポートしている基地局の各々によってサポートされる現在のセッションに対応するネットワークスライスの量を判定し、
現在のセッションに対応するネットワークスライスの最も大きい量をサポートしている基地局をターゲット基地局として判定する
ように特に構成される。
【０３４０】
任意選択で、少なくとも１つの基地局の各々に関する情報は、各基地局の基地局識別子、各基地局の中央ユニットの識別子、各基地局の分散ユニットの識別子、各基地局の物理的セルの識別子、または各基地局のセルのグローバル識別子のうちの少なくとも１つを含む。
【０３４１】
図９のコアネットワークデバイス９００の機能ブロックの特定の実装および対応する有益な効果については、図３または図４の実施形態における詳細な説明を参照するものであることが理解され得る。詳細についてここで説明されない。
【０３４２】
本特許出願では、判定ユニットはプロセッサの形態で実装され得る。
【０３４３】
図１０は、本出願の一実施形態による基地局の概略構造図である。基地局は、図５の実施形態を実装するように構成された、第１の基地局であり得る。図１０に示されているように、基地局は、
コアネットワークデバイスに第１のメッセージを送るように構成された送信ユニット１００１であって、第１のメッセージは、第２の基地局のサポートされるネットワークスライスに関する情報、または第２の基地局が属するＴＡ／ＲＡの識別情報を取得するために使用され、第１のメッセージは、第２の基地局に関する情報を含む、送信ユニット１００１と、
コアネットワークデバイスから第２のメッセージを受信するように構成された受信ユニット１００２であって、第２のメッセージは、第２の基地局のサポートされるネットワークスライスに関する情報、または第２の基地局が属するＴＡ／ＲＡのサポートされるネットワークスライスに関する情報を含む、受信ユニット１００２と
を含む。
【０３４４】
第１の基地局と第２の基地局との間の通信インターフェースはない。
【０３４５】
任意選択で、受信ユニット１００２は、端末デバイスによって送られた測定報告を受信するようにさらに構成され、測定報告に基づいて、第２の基地局に関する情報、または第２の基地局が属するＴＡ／ＲＡの識別情報が取得される。
【０３４６】
代替として、受信ユニット１００２は、ネットワーク管理デバイスから構成情報を受信するようにさらに構成され、構成情報に基づいて、第２の基地局に関する情報、または第２の基地局が属するＴＡ／ＲＡの識別情報が取得される。
【０３４７】
代替として、受信ユニット１００２は、第３の基地局から、第３の基地局の近隣基地局に関する情報を受信するようにさらに構成され、第３の基地局の近隣基地局に関する情報に基づいて、第２の基地局に関する情報、または第２の基地局が属するＴＡ／ＲＡの識別情報が取得される。
【０３４８】
任意選択で、第２の基地局に関する情報は、第２の基地局の基地局識別子、第２の基地局の中央ユニットの識別子、第２の基地局の分散ユニットの識別子、第２の基地局の物理的セルの識別子、または第２の基地局のセルのグローバル識別子のうちの少なくとも１つを含む。
【０３４９】
任意選択で、第２の基地局のサポートされるネットワークスライスに関する情報は、第２の基地局の少なくとも１つのセルの識別子、および各セル識別子に対応する少なくとも１つのネットワークスライスの指示情報を含む。
【０３５０】
代替として、第２の基地局のサポートされるネットワークスライスに関する情報は、第２の基地局に関する情報、および第２の基地局に関する情報に対応する少なくとも１つのネットワークスライスの指示情報を含む。
【０３５１】
任意選択で、第２の基地局が属するＴＡ／ＲＡのサポートされるネットワークスライスに関する情報は、第２の基地局が属するＴＡ／ＲＡの少なくとも１つのセルの識別子、および各セル識別子に対応する少なくとも１つのネットワークスライスの指示情報を含む。
【０３５２】
任意選択で、少なくとも１つのネットワークスライスの各々の指示情報は、ネットワークスライス識別子、Ｓ−ＮＳＳＡＩ、またはＲ−ＮＳＳＡＩのうちの少なくとも１つを含む。
【０３５３】
図１０の基地局１０００の機能ブロックの特定の実装および対応する有益な効果については、図５の実施形態における詳細な説明を参照するものであることが理解され得る。詳細についてここで説明されない。
【０３５４】
図１１は、本出願の一実施形態によるコアネットワークデバイスの概略構造図である。コアネットワークデバイスは、図５の実施形態を実装するように構成される。図１１に示されているように、コアネットワークデバイスは、
第１の基地局から第１のメッセージを受信するように構成された受信ユニット１１００であって、第１のメッセージは、第２の基地局のサポートされるネットワークスライスに関する情報、または第２の基地局が属するＴＡ／ＲＡの識別情報を取得するために使用され、第１のメッセージは、第２の基地局に関する情報を含む、受信ユニット１１００と、
第１の基地局に第２のメッセージを送るように構成された送信ユニット１１０１であって、第２のメッセージは、第２の基地局のサポートされるネットワークスライスに関する情報、または第２の基地局が属するＴＡ／ＲＡのサポートされるネットワークスライスに関する情報を含む、送信ユニット１１０１と
を含む。
【０３５５】
任意選択で、第２の基地局のサポートされるネットワークスライスに関する情報は、第２の基地局に関する情報に基づいて取得される。
【０３５６】
任意選択で、第２の基地局が属するＴＡ／ＲＡのサポートされるネットワークスライスに関する情報は、第２の基地局が属するＴＡ／ＲＡに基づいて取得される。
【０３５７】
任意選択で、第２の基地局に関する情報は、第２の基地局の基地局識別子、第２の基地局の中央ユニットの識別子、第２の基地局の分散ユニットの識別子、第２の基地局の物理的セルの識別子、または第２の基地局のセルのグローバル識別子のうちの少なくとも１つを含む。
【０３５８】
任意選択で、第２の基地局のサポートされるネットワークスライスに関する情報は、第２の基地局の少なくとも１つのセルの識別子、および各セル識別子に対応する少なくとも１つのネットワークスライスの指示情報を含む。
【０３５９】
代替として、第２の基地局のサポートされるネットワークスライスに関する情報は、第２の基地局に関する情報、および第２の基地局に関する情報に対応する少なくとも１つのネットワークスライスの指示情報を含む。
【０３６０】
任意選択で、第２の基地局が属するＴＡ／ＲＡのサポートされるネットワークスライスに関する情報は、第２の基地局が属するＴＡ／ＲＡの少なくとも１つのセルの識別子、および各セル識別子に対応する少なくとも１つのネットワークスライスの指示情報を含む。
【０３６１】
任意選択で、少なくとも１つのネットワークスライスの各々の指示情報は、ネットワークスライス識別子、Ｓ−ＮＳＳＡＩ、またはＲ−ＮＳＳＡＩのうちの少なくとも１つを含む。
【０３６２】
図１１のコアネットワークデバイス１１００の機能ブロックの特定の実装および対応する有益な効果については、図５の実施形態における詳細な説明を参照するものであることが理解され得る。詳細についてここで説明されない。
【０３６３】
図１２は、本出願の一実施形態による基地局の概略構造図である。基地局は、図６の実施形態を実装するように構成された、第１の基地局であり得る。図１２に示されているように、基地局は、
第２の基地局に第１のメッセージを送るように構成された送信ユニット１２００であって、第１のメッセージは、第１の基地局の近隣基地局のサポートされるネットワークスライスに関する情報を含む、送信ユニット１２００と、
第２の基地局から第２のメッセージを受信するように構成された受信ユニット１２０１であって、第２のメッセージは、第２の基地局のサポートされるネットワークスライスに関する情報を含む、受信ユニット１２０１と
を含む。
【０３６４】
任意選択で、第２のメッセージは、第２の基地局の近隣基地局のサポートされるネットワークスライスに関する情報をさらに含む。
【０３６５】
任意選択で、第２の基地局のサポートされるネットワークスライスに関する情報は、第２の基地局の少なくとも１つのセルの識別子、および各セル識別子に対応する少なくとも１つのネットワークスライスの指示情報を含むか、または第２の基地局のサポートされるネットワークスライスに関する情報は、第２の基地局に関する情報、および第２の基地局に関する情報に対応する少なくとも１つのネットワークスライスの指示情報を含む。
【０３６６】
同様に、第１の基地局の近隣基地局のサポートされるネットワークスライスに関する情報は、近隣基地局の少なくとも１つのセルの識別子、および各セル識別子に対応する少なくとも１つのネットワークスライスの指示情報を含むか、または第１の基地局の近隣基地局のサポートされるネットワークスライスに関する情報は、近隣基地局に関する情報、および近隣基地局に関する情報に対応する少なくとも１つのネットワークスライスの指示情報を含む。
【０３６７】
任意選択で、少なくとも１つのネットワークスライスの各々の指示情報は、ネットワークスライス識別子、Ｓ−ＮＳＳＡＩ、またはＲ−ＮＳＳＡＩのうちの少なくとも１つを含む。
【０３６８】
図１２の基地局１２００の機能ブロックの特定の実装および対応する有益な効果については、図６の実施形態における詳細な説明を参照するものであることが理解され得る。詳細についてここで説明されない。
【０３６９】
図１３は、本出願の一実施形態による基地局の概略構造図である。基地局は、図６の実施形態を実装するように構成された、第２の基地局であり得る。図１３に示されているように、基地局は、
第１の基地局から第１のメッセージを受信するように構成された受信ユニット１３００であって、第１のメッセージは、第１の基地局の近隣基地局のサポートされるネットワークスライスに関する情報を含む、受信ユニット１３００と、
第１の基地局に第２のメッセージを送るように構成された送信ユニット１３０１であって、第２のメッセージは、第２の基地局のサポートされるネットワークスライスに関する情報を含む、送信ユニット１３０１と
を含む。
【０３７０】
任意選択で、第２のメッセージは、第２の基地局の近隣基地局のサポートされるネットワークスライスに関する情報をさらに含む。
【０３７１】
任意選択で、第２の基地局の近隣基地局のサポートされるネットワークスライスに関する情報は、第２の基地局の近隣基地局の少なくとも１つのセルの識別子、および各セル識別子に対応する少なくとも１つのネットワークスライスの指示情報を含むか、または第２の基地局の近隣基地局のサポートされるネットワークスライスに関する情報は、第２の基地局の近隣基地局に関する情報、および第２の基地局の近隣基地局に関する情報に対応する少なくとも１つのネットワークスライスの指示情報を含む。
【０３７２】
任意選択で、第２の基地局のサポートされるネットワークスライスに関する情報は、第２の基地局の少なくとも１つのセルの識別子、および各セル識別子に対応する少なくとも１つのネットワークスライスの指示情報を含むか、または第２の基地局のサポートされるネットワークスライスに関する情報は、第２の基地局に関する情報、および第２の基地局に関する情報に対応する少なくとも１つのネットワークスライスの指示情報を含む。
【０３７３】
同様に、第１の基地局の近隣基地局のサポートされるネットワークスライスに関する情報は、第１の基地局の近隣基地局の少なくとも１つのセルの識別子、および各セル識別子に対応する少なくとも１つのネットワークスライスの指示情報を含むか、または第１の基地局の近隣基地局のサポートされるネットワークスライスに関する情報は、第１の基地局の近隣基地局に関する情報、および第１の基地局の近隣基地局に関する情報に対応する少なくとも１つのネットワークスライスの指示情報を含む。
【０３７４】
任意選択で、少なくとも１つのネットワークスライスの各々の指示情報は、ネットワークスライス識別子、Ｓ−ＮＳＳＡＩ、またはＲ−ＮＳＳＡＩのうちの少なくとも１つを含む。
【０３７５】
図１３の基地局１３００の機能ブロックの特定の実装および対応する有益な効果については、図６の実施形態における詳細な説明を参照するものであることが理解され得る。詳細についてここで説明されない。
【０３７６】
図１４は、本出願の一実施形態による基地局の概略構造図である。基地局は、図７の実施形態を実装するように構成された、第１の基地局であり得る。図１４に示されているように、基地局は、
第２の基地局に第１のメッセージを送るように構成された送信ユニット１４０１であって、第１のメッセージは、第２の基地局のサポートされるネットワークスライスに関する情報、または第１の基地局の近隣基地局のサポートされるネットワークスライスに関する情報を取得するために使用される、送信ユニット１４０１と、
第２の基地局から第２のメッセージを受信するように構成された受信ユニット１４０２であって、第２のメッセージは、第２の基地局のサポートされるネットワークスライスに関する情報を含む、受信ユニット１４０２と
を含む。
【０３７７】
任意選択で、第２のメッセージは、第２の基地局の近隣基地局のサポートされるネットワークスライスに関する情報をさらに含む。
【０３７８】
任意選択で、第２の基地局の近隣基地局のサポートされるネットワークスライスに関する情報は、第２の基地局の近隣基地局の少なくとも１つのセルの識別子、および各セル識別子に対応する少なくとも１つのネットワークスライスの指示情報を含むか、または第２の基地局の近隣基地局のサポートされるネットワークスライスに関する情報は、第２の基地局の近隣基地局に関する情報、および第２の基地局の近隣基地局に関する情報に対応する少なくとも１つのネットワークスライスの指示情報を含む。
【０３７９】
任意選択で、第２の基地局のサポートされるネットワークスライスに関する情報は、第２の基地局の少なくとも１つのセルの識別子、および各セル識別子に対応する少なくとも１つのネットワークスライスの指示情報を含むか、または第２の基地局のサポートされるネットワークスライスに関する情報は、第２の基地局に関する情報、および第２の基地局に関する情報に対応する少なくとも１つのネットワークスライスの指示情報を含む。
【０３８０】
同様に、第１の基地局の近隣基地局のサポートされるネットワークスライスに関する情報は、第１の基地局の近隣基地局の少なくとも１つのセルの識別子、および各セル識別子に対応する少なくとも１つのネットワークスライスの指示情報を含むか、または第１の基地局の近隣基地局のサポートされるネットワークスライスに関する情報は、第１の基地局の近隣基地局に関する情報、および第１の基地局の近隣基地局に関する情報に対応する少なくとも１つのネットワークスライスの指示情報を含む。
【０３８１】
同様に、第２の基地局の近隣基地局のサポートされるネットワークスライスに関する情報は、第２の基地局の近隣基地局の少なくとも１つのセルの識別子、および各セル識別子に対応する少なくとも１つのネットワークスライスの指示情報を含むか、または第２の基地局の近隣基地局のサポートされるネットワークスライスに関する情報は、第２の基地局の近隣基地局に関する情報、および第２の基地局の近隣基地局に関する情報に対応する少なくとも１つのネットワークスライスの指示情報を含む。
【０３８２】
任意選択で、少なくとも１つのネットワークスライスの各々の指示情報は、ネットワークスライス識別子、Ｓ−ＮＳＳＡＩ、またはＲ−ＮＳＳＡＩのうちの少なくとも１つを含む。
【０３８３】
図１４の基地局１４００の機能ブロックの特定の実装および対応する有益な効果については、図７の実施形態における詳細な説明を参照するものであることが理解され得る。詳細についてここで説明されない。
【０３８４】
図１５は、本出願の一実施形態による基地局の概略構造図である。基地局は、図７の実施形態を実装するように構成された、第２の基地局であり得る。図１５に示されているように、基地局は、
第１の基地局から第１のメッセージを受信するように構成された受信ユニット１５０１であって、第１のメッセージは、第２の基地局のサポートされるネットワークスライスに関する情報、または第１の基地局の近隣基地局のサポートされるネットワークスライスに関する情報を取得するために使用される、受信ユニット１５０１と、
第１の基地局に第２のメッセージを送るように構成された送信ユニット１５０２であって、第２のメッセージは、第２の基地局のサポートされるネットワークスライスに関する情報を含む、送信ユニット１５０２と
を含む。
【０３８５】
任意選択で、第２のメッセージは、第２の基地局の近隣基地局のサポートされるネットワークスライスに関する情報をさらに含む。
【０３８６】
任意選択で、第２の基地局の近隣基地局のサポートされるネットワークスライスに関する情報は、第２の基地局の近隣基地局の少なくとも１つのセルの識別子、および各セル識別子に対応する少なくとも１つのネットワークスライスの指示情報を含むか、または第２の基地局の近隣基地局のサポートされるネットワークスライスに関する情報は、第２の基地局の近隣基地局に関する情報、および第２の基地局の近隣基地局に関する情報に対応する少なくとも１つのネットワークスライスの指示情報を含む。
【０３８７】
任意選択で、第２の基地局のサポートされるネットワークスライスに関する情報は、第２の基地局の少なくとも１つのセルの識別子、および各セル識別子に対応する少なくとも１つのネットワークスライスの指示情報を含むか、または第２の基地局のサポートされるネットワークスライスに関する情報は、第２の基地局に関する情報、および第２の基地局に関する情報に対応する少なくとも１つのネットワークスライスの指示情報を含む。
【０３８８】
同様に、第１の基地局の近隣基地局のサポートされるネットワークスライスに関する情報は、第１の基地局の近隣基地局の少なくとも１つのセルの識別子、および各セル識別子に対応する少なくとも１つのネットワークスライスの指示情報を含むか、または第１の基地局の近隣基地局のサポートされるネットワークスライスに関する情報は、第１の基地局の近隣基地局に関する情報、および第１の基地局の近隣基地局に関する情報に対応する少なくとも１つのネットワークスライスの指示情報を含む。
【０３８９】
同様に、第２の基地局の近隣基地局のサポートされるネットワークスライスに関する情報は、第２の基地局の近隣基地局の少なくとも１つのセルの識別子、および各セル識別子に対応する少なくとも１つのネットワークスライスの指示情報を含むか、または第２の基地局の近隣基地局のサポートされるネットワークスライスに関する情報は、第２の基地局の近隣基地局に関する情報、および第２の基地局の近隣基地局に関する情報に対応する少なくとも１つのネットワークスライスの指示情報を含む。
【０３９０】
任意選択で、少なくとも１つのネットワークスライスの各々の指示情報は、ネットワークスライス識別子、Ｓ−ＮＳＳＡＩ、またはＲ−ＮＳＳＡＩのうちの少なくとも１つを含む。
【０３９１】
図１５の基地局１５００中に含まれる機能ブロックの特定の実装および対応する有益な効果については、図７の実施形態における詳細な説明を参照するものであることが理解され得る。詳細についてここで説明されない。
【０３９２】
図８、図１０、図１２、図１３、図１４、または図１５に示されている実施形態における基地局は、図１６に示されている基地局１６００によって実装され得る。図１６は、本発明の一実施形態による別の基地局の概略構造図である。図１６に示されている基地局１６００は、プロセッサ１６０１およびトランシーバ１６０２を含む。トランシーバ１６０２は、基地局１６００と、コアネットワークデバイスまたは上記の実施形態中に含まれる別の基地局との間の情報送信をサポートするように構成される。プロセッサ１６０１とトランシーバ１６０２は、通信可能に接続され、たとえば、バスを使用することによって接続される。基地局１６００はメモリ１６０３をさらに含み得る。メモリ１６０３は、基地局１６００によって実行されるプログラムコードおよびデータを記憶するように構成される。プロセッサ１６０１は、メモリ１６０３に記憶されたアプリケーションプログラムコードを実行して、図３から図７に示されているいずれかの実施形態において提供される基地局のアクションを実施するように構成される。
【０３９３】
実際の適用例では、基地局は１つまたは複数のプロセッサを含み得ることに留意されたい。基地局８００の構造は、本出願のこの実施形態に対するいかなる限定ともならない。
【０３９４】
プロセッサ１６０１は、中央処理ユニット（ｃｅｎｔｒａｌ  ｐｒｏｃｅｓｓｉｎｇ  ｕｎｉｔ、ＣＰＵ）、ネットワークプロセッサ（ｎｅｔｗｏｒｋ  ｐｒｏｃｅｓｓｏｒ、ＮＰ）、ハードウェアチップ、またはそれらの任意の組合せであり得る。ハードウェアチップは、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、プログラマブル論理デバイス（ｐｒｏｇｒａｍｍａｂｌｅ  ｌｏｇｉｃ  ｄｅｖｉｃｅ、ＰＬＤ）、またはそれらの組合せであり得る。ＰＬＤは、複合プログラマブル論理デバイス（ｃｏｍｐｌｅｘ  ｐｒｏｇｒａｍｍａｂｌｅ  ｌｏｇｉｃ  ｄｅｖｉｃｅ、ＣＰＬＤ）、フィールドプログラマブルゲートアレイ（ｆｉｅｌｄ−ｐｒｏｇｒａｍｍａｂｌｅ  ｇａｔｅ  ａｒｒａｙ、ＦＰＧＡ）、汎用アレイ論理（ｇｅｎｅｒｉｃ  ａｒｒａｙ  ｌｏｇｉｃ、ＧＡＬ）、またはそれらの任意の組合せであり得る。
【０３９５】
メモリ１６０３は、ランダムアクセスメモリ（ｒａｎｄｏｍ  ａｃｃｅｓｓ  ｍｅｍｏｒｙ、ＲＡＭ）など、揮発性メモリ（ｖｏｌａｔｉｌｅ  ｍｅｍｏｒｙ）を含み得る。メモリ１６０３はまた、読取り専用メモリ（ｒｅａｄ−ｏｎｌｙ  ｍｅｍｏｒｙ、ＲＯＭ）、フラッシュメモリ（ｆｌａｓｈ  ｍｅｍｏｒｙ）、ハードディスクドライブ（ｈａｒｄ  ｄｉｓｋ  ｄｒｉｖｅ、ＨＤＤ）、またはソリッドステートドライブ（ｓｏｌｉｄ−ｓｔａｔｅ  ｄｒｉｖｅ、ＳＳＤ）など、不揮発性メモリ（ｎｏｎ−ｖｏｌａｔｉｌｅ  ｍｅｍｏｒｙ）を含み得る。メモリ１６０３は、上記のタイプのメモリの組合せをさらに含み得る。
【０３９６】
本発明の一実施形態は、図８、図１０、図１２、図１３、図１４、または図１５に示されている実施形態における基地局によって使用されるコンピュータソフトウェア命令を記憶するために使用され得るコンピュータ記憶媒体をさらに提供する。コンピュータソフトウェア命令は、上記の実施形態における基地局のために設計されたプログラムを含む。記憶媒体は、限定はされないが、フラッシュメモリ、ハードディスクドライブ、およびソリッドステートドライブを含む。
【０３９７】
本発明の一実施形態は、コンピュータプログラム製品をさらに提供する。コンピュータ製品がコンピューティングデバイスによって実行されたとき、図８、図１０、図１２、図１３、図１４、または図１５の実施形態における基地局のために設計された通信方法が実施されることが可能である。
【０３９８】
図９に示されている実施形態におけるコアネットワークデバイス９００、および図１１に示されている実施形態におけるコアネットワークデバイス１１００は、図１７に示されているコアネットワークデバイス１７００によって実装され得る。図１７は、本発明の一実施形態による別のコアネットワークデバイスの概略構造図である。図１７に示されているコアネットワークデバイス１７００は、プロセッサ１７０１およびトランシーバ１７０２を含む。トランシーバ１７０２は、コアネットワークデバイス１７００と、上記の実施形態中に含まれる基地局との間の情報送信をサポートするように構成される。プロセッサ１７０１とトランシーバ１７０２は、通信可能に接続され、たとえば、バスを使用することによって接続される。コアネットワークデバイス１７００はメモリ１７０３をさらに含み得る。メモリ１７０３は、コアネットワークデバイス１７００によって実行されるプログラムコードおよびデータを記憶するように構成される。プロセッサ１７０１は、メモリ１７０３に記憶されたアプリケーションプログラムコードを実行して、図３、図４、および図５に示されているいずれかの実施形態において提供されるコアネットワークデバイスのアクションを実施するように構成される。
【０３９９】
実際の適用例では、コアネットワークデバイスは１つまたは複数のプロセッサを含み得ることに留意されたい。コアネットワークデバイス１７００の構造は、本出願のこの実施形態に対するいかなる限定ともならない。
【０４００】
プロセッサ１７０１は、ＣＰＵ、ＮＰ、ハードウェアチップ、またはそれらの任意の組合せであり得る。ハードウェアチップは、ＡＳＩＣ、ＰＬＤ、またはそれらの組合せであり得る。ＰＬＤは、ＣＰＬＤ、ＦＰＧＡ、ＧＡＬ、またはそれらの任意の組合せであり得る。
【０４０１】
メモリ１７０３は、ＲＡＭなどの揮発性メモリを含み得る。メモリ１７０３はまた、ＲＯＭ、フラッシュメモリ、ハードディスクドライブ、またはソリッドステートドライブなどの不揮発性メモリを含み得る。メモリ１７０３は、上記のタイプのメモリの組合せをさらに含み得る。
【０４０２】
本発明の一実施形態は、図９に示されている実施形態におけるコアネットワークデバイスによって使用されるコンピュータソフトウェア命令を記憶するように構成され得るコンピュータ記憶媒体をさらに提供する。コンピュータソフトウェア命令は、上記の実施形態におけるコアネットワークデバイスのために設計されたプログラムを含む。記憶媒体は、限定はされないが、フラッシュメモリ、ハードディスクドライブ、およびソリッドステートドライブを含む。
【０４０３】
本発明の一実施形態は、コンピュータプログラム製品をさらに提供する。コンピュータ製品がコンピューティングデバイスによって実行されたとき、図９の実施形態および図１１に示されている実施形態におけるコアネットワークデバイスのために設計された通信方法が実施されることが可能である。
【０４０４】
本出願の明細書、特許請求の範囲、および添付の図面では、「第１の」、「第２の」、「第３の」、「第４の」などの用語は、異なる対象物を区別することが意図されており、特定の順序を示さない。その上、「含む（including）」、「有する（having）」という用語、およびそれらのあらゆる他の変形は、非排他的な包含をカバーすることが意図されている。たとえば、一連のステップまたはユニットを含む、処理、方法、システム、製品、もしくはデバイスは、列挙されたステップもしくはユニットに限定されず、任意選択で、列挙されないステップもしくはユニットをさらに含むか、または任意選択で、それらの処理、方法、製品、もしくはデバイスの別の固有のステップもしくはユニットをさらに含む。
【０４０５】
当業者は、上記の処理のシーケンス番号が、本出願の様々な実施形態における実行シーケンスを意味しないことを理解され得る。処理の実行シーケンスは、処理の機能および内部論理に基づいて決定されるべきであり、本出願の実施形態の実装処理に対するいかなる限定としても解釈されるべきでない。
【０４０６】
上記の実施形態の全部または一部は、ソフトウェア、ハードウェア、ファームウェア、またはそれらの任意の組合せを使用することによって実装され得る。実施形態を実装するためにソフトウェアが使用されるとき、実施形態は、完全にまたは部分的にコンピュータプログラム製品の形態で実装され得る。コンピュータプログラム製品は、１つまたは複数のコンピュータ命令を含む。コンピュータプログラム命令がコンピュータ上にロードされ、実行されるとき、本発明の実施形態による手順または機能が、すべてまたは部分的に生成される。コンピュータは、汎用コンピュータ、専用コンピュータ、コンピュータネットワーク、または別のプログラマブル装置であり得る。コンピュータ命令は、コンピュータ可読記憶媒体に記憶され得るか、またはあるコンピュータ可読記憶媒体から別のコンピュータ可読記憶媒体に送信され得る。たとえば、コンピュータ命令は、ワイヤード（たとえば、同軸ケーブル、光ファイバー、もしくはデジタル加入者線（ＤＳＬ））方式またはワイヤレス（たとえば、赤外線、無線、もしくはマイクロ波）方式で、あるウェブサイト、コンピュータ、サーバ、またはデータセンターから、別のウェブサイト、コンピュータ、サーバ、またはデータセンターに送信され得る。コンピュータ可読記憶媒体は、１つまたは複数の使用可能な媒体を組み込んでいる、サーバまたはデータセンターなどのコンピュータまたはデータ記憶デバイスによってアクセス可能な任意の使用可能な媒体であり得る。使用可能な媒体は、磁気媒体（たとえば、フロッピーディスク、ハードディスク、または磁気テープ）、光学媒体（たとえば、ＤＶＤ）、半導体媒体（たとえば、ソリッドステートドライブＳｏｌｉｄ  Ｓｔａｔｅ  Ｄｒｉｖｅ（ＳＳＤ））などであり得る。
【０４０７】
当業者は、実施形態における方法の処理の全部または一部が、関連するハードウェアに命令するコンピュータプログラムによって実装され得ることを理解され得る。プログラムはコンピュータ可読記憶媒体に記憶され得る。プログラムが動作したとき、実施形態における方法の処理が実施される。記憶媒体は、磁気ディスク、光ディスク、読取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）などを含み得る。
【０４０８】
上記で開示されたことは、本発明の実施形態の例にすぎず、当然、本発明の特許請求の範囲を限定することは意図されていない。したがって、本発明の特許請求の範囲に従って行われた等価な変形は、本発明の範囲内に入るものである。
【国際調査報告】
2020509702.tif 000020
2020509702.tif 000021
2020509702.tif 000022
2020509702.tif 000023